(57)【要約】  本発明の実施形態は、通信技術の分野に関し、特に通信方法およびデバイスに関する。第２のユーザ機器は、第１のユーザ機器とネットワークデバイスとの間の通信に必要な一部のタスクを実行し、第１のユーザ機器は適宜、第２のユーザ機器と通信する。このようにして、ネットワークデバイスとの通信に必要な第１のユーザ機器の消費エネルギーを少なくすることが出来るので、スタンバイ時間が長くなり、ユーザ使用感が改善する。
2019500810.tif 000002
【特許請求の範囲】
【請求項１】
ユーザ機器であって、前記ユーザ機器は第１のユーザ機器であり、
プロセッサであって、第２のユーザ機器を利用して第１のタスクを実行することによって、ネットワークデバイスとの通信に必要とされる第１の結果を取得すると決定するよう構成されており、前記第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含む、プロセッサと、
前記第２のユーザ機器が送信する前記第１の結果を受信するよう構成されている受信機であって、前記第１の結果は前記第１のタスクを実行することによって前記第２のユーザ機器によって取得される、受信機と
を備え、
前記プロセッサはさらに、前記第１の結果を利用して前記ネットワークデバイスと通信するよう構成されている
ユーザ機器。
【請求項２】
前記第１のタスクは、セルサーチ、セル測定、セル選択、セル再選択、セルシステム情報リスニング、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定することのうち１または複数のタスクを含む
請求項１に記載のユーザ機器。
【請求項３】
前記プロセッサはさらに、第２のタスクのみを実行するよう構成されており、前記第２のタスクは、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報またはアップリンク送信電力調整情報を決定すること、サービングセルで利用するアップリンクタイミング事前情報またはアップリンク事前調整情報を決定すること、トラッキングエリアを決定すること、および、トラッキングエリアを更新すると決定することのうち、前記第１のタスク以外のタスクを含む
請求項１または２に記載のユーザ機器。
【請求項４】
前記受信機はさらに、前記第２のユーザ機器または前記ネットワークデバイスが送信する第１の指示情報を受信するよう構成されており、前記第１の指示情報は前記第２のタスクを実行するよう命令するために利用される
請求項３に記載のユーザ機器。
【請求項５】
第１の要求メッセージを前記第２のユーザ機器に送信するよう構成されている送信機をさらに備え、
前記第１の要求メッセージは前記第１の結果を要求するために利用される
請求項１から４のいずれか一項に記載のユーザ機器。
【請求項６】
前記受信機はさらに、前記第２のユーザ機器が送信するグループ構築確認メッセージを受信するよう構成されており、前記グループ構築確認メッセージは、前記第１のユーザと前記第２のユーザ機器との間にグループが構築されている旨を示すために利用される
請求項１から５のいずれか一項に記載のユーザ機器。
【請求項７】
前記送信機はさらに、
第２の要求メッセージを前記第２のユーザ機器に送信するよう構成されており、前記第２の要求メッセージは、前記第１のユーザ機器と前記第２のユーザ機器との間に前記グループを構築するよう要求するために利用される
請求項６に記載のユーザ機器。
【請求項８】
前記受信機はさらに、
前記第２のユーザ機器が送信するページングメッセージを受信するよう構成されており、前記ページングメッセージのページングオブジェクトは前記第１のユーザ機器であり、または、
前記第２のユーザ機器が送信するページングメッセージのコンテンツの一部または全てを受信するよう構成されており、前記ページングメッセージは、前記ネットワークデバイスが送信して、前記第２のデバイスが受信し、または、
前記第２のユーザ機器が送信するサービス通知メッセージを受信するよう構成されており、前記サービス通知メッセージは、前記ネットワークデバイスが送信した受信ページングメッセージにしたがって前記第２のデバイスが決定する
請求項１から７のいずれか一項に記載のユーザ機器。
【請求項９】
前記プロセッサはさらに、予め設定された条件が満たされる場合に、前記グループを解除するよう前記第１のユーザ機器によって決定するよう構成されている
請求項６から８のいずれか一項に記載のユーザ機器。
【請求項１０】
前記予め設定された条件が満たされることは、
前記第１のユーザ機器と前記第２のユーザ機器との間の距離もしくは信号の品質がしきい値に到達すること、または、
前記第１のユーザ機器が、前記第２のユーザ機器もしくは前記ネットワークデバイスが送信するグループ解除指示情報を受信すること、または、
前記第１のユーザ機器が、人間−機械インターフェースを利用することで、または、アプリケーション層から、グループ解除指示情報を受信すること
を含む
請求項９に記載のユーザ機器。
【請求項１１】
前記プロセッサはさらに、
前記グループを解除した後、前記第１のタスクの実行を開始もしくは再開するよう構成されているか、または、前記第１のユーザ機器によって現在のサービングセルに継続してキャンプオンするよう構成されている
請求項９または１０に記載のユーザ機器。
【請求項１２】
前記送信機はさらに、第３の要求メッセージを前記第２のユーザ機器に送信するよう構成されており、前記第３の要求メッセージは、前記第１のユーザ機器と前記第２のユーザ機器との間の前記グループを解除するよう命令するために利用される
請求項６から１１のいずれか一項に記載のユーザ機器。
【請求項１３】
ユーザ機器であって、前記ユーザ機器は第２のユーザ機器であり、
ネットワークデバイスとの通信に必要な第１の結果を取得するべく第１のタスクを実行するよう構成されているプロセッサであって、前記第１の結果は,
ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む、プロセッサと、
第１のユーザ機器が前記第１の結果を利用して前記ネットワークデバイスと通信するように、前記第１の結果を前記第１のユーザ機器に送信するよう構成されている送信機と
を備える、ユーザ機器。
【請求項１４】
前記プロセッサはさらに、
セル測定を実行して、サービングセル測定結果および／もしくは隣接セル測定結果を取得すること、
セル選択もしくはセル再選択を実行し、選択もしくは再選択されたセルに関する情報を決定すること、
キャンプオンする予定のセルもしくはサービングセルのシステム情報をリスニングして、前記キャンプオンする予定のセルもしくは前記サービングセルの前記システム情報が変化する場合に前記キャンプオンする予定のセルもしくは前記サービングセルの変化後のシステム情報を決定すること、または、
ページングメッセージをリスニングして、ページングオブジェクトが前記第１のユーザ機器であるページングメッセージがリスニングによって取得されると決定すること、
のうち少なくとも１つを実行するよう構成されており、
前記送信機はさらに、第４の要求メッセージを前記ネットワークデバイスに送信するよう構成されており、前記第４の要求メッセージは、前記ネットワークデバイスが提供するサービスについて必要なパラメータ情報を取得するために利用され、前記ユーザ機器はさらに、
前記ネットワークデバイスが送信する第１の応答メッセージを受信するよう構成されている受信機であって、前記第１の応答メッセージは、前記パラメータ情報を含み、前記パラメータ情報は、アップリンク送信電力情報もしくはアップリンク送信電力調整情報、アップリンクタイミング事前情報もしくはアップリンク事前調整情報、または、設定パラメータのうち少なくとも１つを含み、前記設定パラメータは、物理層設定パラメータ、媒体アクセス制御ＭＡＣ層設定パラメータ、無線リンク制御ＲＬＣ層設定パラメータ、パケットデータコンバージェンスプロトコルＰＤＣＰ層設定パラメータ、または、無線リソース制御ＲＲＣ設定パラメータのうち少なくとも１つのパラメータを含む、受信機を備える
請求項１３に記載のユーザ機器。
【請求項１５】
前記第１のユーザ機器が送信する第１の要求メッセージを受信するよう構成されている受信機であって、前記第１の要求メッセージは前記第１の結果を要求するために利用される、受信機をさらに備える
請求項１３または１４に記載のユーザ機器。
【請求項１６】
前記プロセッサはさらに、前記第１のユーザ機器と前記第２のユーザ機器との間にグループを構築するよう決定するよう構成されており、前記グループは、前記第１のユーザ機器および前記第２のユーザ機器が前記ネットワークデバイスとの通信のために利用される少なくとも１つの情報を共有する旨を示し、
前記送信機はさらに、前記グループが前記第１のユーザ機器と前記第２のユーザ機器との間に構築されている旨を示すべく、前記第１のユーザ機器にグループ構築確認メッセージを送信するよう構成されている
請求項１３から１５のいずれか一項に記載のユーザ機器。
【請求項１７】
前記送信機はさらに、グループ構築要求メッセージを前記ネットワークデバイスに送信するよう構成されており、前記グループ構築要求メッセージが前記グループに関する情報を含むことにより、前記ネットワークデバイスは前記グループ構築メッセージにしたがって前記グループを構築し、
前記受信機はさらに、前記ネットワークデバイスが送信するグループ構築確認メッセージを受信するよう構成されている
請求項１６に記載のユーザ機器。
【請求項１８】
前記グループは、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を、前記第１のユーザ機器および前記第２のユーザ機器が共有する旨を示す
請求項１６に記載のユーザ機器。
【請求項１９】
前記送信機はさらに、前記第１のユーザ機器および前記第２のユーザ機器が１つのグループに含まれている旨を前記ネットワークデバイスに通知するべく、前記グループに関する前記情報を前記ネットワークデバイスに送信するよう構成されている
請求項１６または１８に記載のユーザ機器。
【請求項２０】
前記受信機はさらに、前記第１のユーザ機器が送信するグループ構築要求メッセージを受信するよう構成されているか、または
前記プロセッサはさらに、前記第１のユーザ機器と前記第２のユーザ機器との間にグループを構築する必要があると決定するよう構成されている
請求項１６から１９のいずれか一項に記載のユーザ機器。
【請求項２１】
前記グループに関する前記情報は、グループ固有識別子、前記第１のユーザ機器の識別子、または、前記第２のユーザ機器の識別子のうち任意の１または複数を含む
請求項１６から２０のいずれか一項に記載のユーザ機器。
【請求項２２】
前記ページングメッセージをリスニングして、ページングオブジェクトが前記第１のユーザ機器であるページングメッセージがリスニングによって取得されると決定することはさらに、
前記ネットワークデバイスが送信するページングメッセージを受信することを含み、前記ページングメッセージは前記グループの前記グループ情報を含み、または、
前記ページングメッセージは前記第１のユーザ機器の前記識別子を含み、または、
前記ページングメッセージは前記第１のユーザ機器の前記識別子およびグループ処理を実行するか否かを示す指示を含み、または、
前記ページングメッセージは前記第１のユーザ機器の前記識別子および前記ページングメッセージを前記第１のユーザ機器に転送するか否かを示す指示を含み、または、
前記ページングメッセージは、前記第１のユーザ機器の前記識別子および前記第２のユーザ機器の前記識別子を含む
請求項１４から２１に記載のユーザ機器。
【請求項２３】
前記送信機はさらに、前記ページングメッセージを前記第１のユーザ機器に転送するか、または、前記ページングメッセージのコンテンツの一部または全てを前記第１のユーザ機器に送信するか、または、サービス通知メッセージを前記第１のユーザ機器に送信するよう構成されており、前記サービス通知メッセージは、前記ネットワークデバイスが送信する受信した前記ページングメッセージにしたがって前記第２のデバイスが決定する
請求項１４から２２に記載のユーザ機器。
【請求項２４】
前記プロセッサはさらに、予め設定された条件が満たされる場合に、前記グループを前記第２のユーザ機器によって解除するよう構成されている
請求項１６から２１のいずれか一項に記載のユーザ機器。
【請求項２５】
前記予め設定された条件が満たされることは、
前記第１のユーザ機器と前記第２のユーザ機器との間の距離もしくは信号の品質がしきい値に到達すること、または、
前記第２のユーザ機器が、前記第１のユーザ機器もしくは前記ネットワークデバイスが送信するグループ解除指示情報を受信すること、または、
前記第２のユーザ機器が、人間−機械インターフェースを利用することで、または、アプリケーション層から、グループ解除指示情報を受信すること
を含む
請求項２４に記載のユーザ機器。
【請求項２６】
前記送信機はさらに、グループ解除指示情報を前記ネットワークデバイスに送信するよう構成されており、前記解除指示情報は、前記第１のユーザ機器と前記第２のユーザ機器との間の前記グループを解除するよう命令するために利用される
請求項２４または２５に記載のユーザ機器。
【請求項２７】
前記プロセッサはさらに、前記ネットワークデバイスへのランダムアクセスプロセスまたはロケーション更新プロセスを実行するよう構成されており、および、前記ランダムアクセスプロセスまたは前記ロケーション更新プロセスにおいて、前記グループ解除指示情報を前記ネットワークデバイスに、前記第２のユーザ機器によって送信するよう構成されている
請求項２６に記載のユーザ機器。
【請求項２８】
第１のユーザ機器と第２のユーザ機器との間の対応関係に関する指示情報であって、前記第２のユーザ機器が送信する指示情報を受信するよう構成されている受信機であって、前記対応関係は、前記第１のユーザ機器が、前記第２のユーザ機器を利用して第１のタスクを実行することでネットワークデバイスとの通信に必要な第１の結果を取得することを意味し、前記第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含む、受信機と、
前記第２のユーザ機器が前記第１のタスクを実行すると、前記対応関係に基づいて、決定するよう構成されているプロセッサと
を備えるアクセスネットワークデバイス。
【請求項２９】
前記指示情報は、グループに関する情報を含み、前記グループに関する前記情報は、前記第１のユーザ機器と前記第２のユーザ機器との間にグループが構築される旨を示すために利用される
請求項２８に記載のアクセスネットワークデバイス。
【請求項３０】
前記受信機はさらに、前記第２のユーザが送信するグループ構築要求メッセージを受信するよう構成されており、前記グループ構築要求メッセージは、前記グループに関する情報を保持し、前記グループに関する前記情報は、前記第１のユーザ機器の識別子および前記第２のユーザ機器の識別子を含み、前記グループ構築要求メッセージは、前記第１のユーザ機器と前記第２のユーザ機器との間に前記グループを構築するよう命令するために利用される
請求項２８に記載のアクセスネットワークデバイス。
【請求項３１】
前記プロセッサはさらに、ページングオブジェクトが前記第１のユーザ機器であるページングメッセージを前記プロセッサが送信する必要がある場合に、前記対応関係の情報にしたがって、前記ページングメッセージを前記第２のユーザ機器に送信するよう構成されている
請求項２８から３０のいずれか一項に記載のアクセスネットワークデバイス。
【請求項３２】
前記送信機はさらに、前記グループに関する前記情報をコアネットワークデバイスに送信するよう構成されている
請求項２９から３１のいずれか一項に記載のアクセスネットワークデバイス。
【請求項３３】
ユーザ機器であって、前記ユーザ機器は第１のユーザ機器であり、
ネットワークデバイスに対する接続を構築するよう構成されており、
第２のユーザ機器を利用して、または、第２のユーザ機器の支援を受けて、第３のタスクを前記第１のユーザ機器によって実行するよう構成されている
プロセッサを備え、
前記第３のタスクは、前記第１のユーザ機器と前記ネットワークデバイスとの間の通信のために必要なタスクであり、前記第３のタスクは、測定設定情報にしたがって測定を実行すること、前記ネットワークデバイスに測定結果を送信すること、または、ランダムアクセス方式でターゲットセルまたはターゲット基地局にハンドオーバーされること、のうち少なくとも１つを含む
ユーザ機器。
【請求項３４】
前記測定設定情報は、無線リソース管理ＲＲＭ測定設定情報および／またはチャネル状態指示情報ＣＳＩ測定設定情報を含む
請求項３３に記載のユーザ機器。
【請求項３５】
前記測定設定情報は、第１の測定設定情報および／または第２の測定設定情報を含み、前記第１の測定設定情報は、前記第１のユーザ機器のために前記ネットワークデバイスによって構成され、前記第２の測定設定情報は前記第２のユーザのために前記ネットワークデバイスによって構成される
請求項３３または３４に記載のユーザ機器。
【請求項３６】
前記第２のユーザ機器が送信する前記第１の測定設定情報および／または前記第２の測定設定情報を受信するよう構成されている受信機
をさらに備える請求項３５に記載のユーザ機器。
【請求項３７】
前記受信機はさらに、前記第２のユーザ機器が送信するハンドオーバー情報を受信するよう構成されており、前記ハンドオーバー情報は、前記ターゲットセルに関する情報、前記ターゲットセルで利用されるアップリンクタイミング事前情報もしくはアップリンク事前調整情報、および／または、前記ターゲットセルで利用されるアップリンク送信電力情報もしくはアップリンク送信電力調整情報を含み、
前記プロセッサはさらに、前記ハンドオーバー情報を利用して前記ネットワークデバイスと通信するよう構成されている
請求項３３から３６のいずれか一項に記載のユーザ機器。
【請求項３８】
前記受信機はさらに、前記ネットワークデバイスまたは前記第２のユーザ機器が送信するハンドオーバー指示シグナリングを受信するよう構成されており、前記ハンドオーバーのコマンドは、物理層制御シグナリング、ＭＡＣシグナリングまたはＲＲＣシグナリングであってよく、
前記プロセッサはさらに、前記ハンドオーバー情報を利用して、前記ハンドオーバー指示シグナリングにしたがって、前記ターゲットセルまたは前記ターゲット基地局に直接アクセスするよう構成されている
請求項３７に記載のユーザ機器。
【請求項３９】
前記プロセッサはさらに、第４のタスクを実行するように構成されており、前記第４のタスクは、前記ネットワークデバイスが直接送信するダウンリンクデータを受信すること、前記ネットワークデバイスが直接送信するダウンリンク制御シグナリングを受信すること、前記ネットワークデバイスにスケジューリング要求シグナリングを直接送信すること、前記ネットワークデバイスからセキュアアクティブ化に関連するシグナリングを直接受信すること、セキュアアクティブ化に関連するシグナリングを前記ネットワークデバイスに直接送信すること、または、前記ネットワークデバイスにＣＳＩ測定結果情報を直接フィードバックすること、のうち少なくとも１つを含む
請求項３３から３８のいずれか一項に記載のユーザ機器。
【請求項４０】
前記プロセッサはさらに、第２の結果を取得するべく前記第４のタスクを実行するよう構成されており、前記第２の結果は、前記ダウンリンクデータまたは前記ダウンリンク制御シグナリングをデコードすることによって前記第１のユーザ機器が取得するＨＡＲＱ情報を含み、前記ＨＡＲＱ情報は、前記ダウンリンクデータが正しくデコードされているか否かを示している情報であり、そして、
前記送信機はさらに、前記ＨＡＲＱ情報を前記ネットワークデバイスに直接フィードバックするよう構成されており、または、
前記プロセッサはさらに、第２の結果を取得するべく前記第４のタスクを実行するよう構成されており、前記第２の結果は、前記ダウンリンク制御シグナリングの処理または前記セキュアアクティブ化に関連するシグナリングの処理が正しく完了したと前記第１のユーザ機器が決定することを含み、そして、
前記送信機はさらに、前記ネットワークデバイスに、前記ダウンリンク制御シグナリングの処理が完了しているか否かを示すフィードバック情報を直接フィードバックするよう構成されている
請求項３９に記載のユーザ機器。
【請求項４１】
ユーザ機器であって、前記ユーザ機器は第２のユーザ機器であり、
ネットワークデバイスが送信する測定設定情報を受信するよう構成されている受信機であって、前記測定設定情報は第３のタスクを実行するために利用され、前記第３のタスクは、第１のユーザ機器に代えて前記第２のユーザ機器によって実行されるタスクであって、前記ネットワークデバイスとの通信に必要なタスクである、受信機と、
前記第３のタスクを実行するよう構成されているプロセッサであって、前記第３のタスクは、前記測定設定情報にしたがって測定を実行すること、前記ネットワークデバイスに測定結果を送信すること、または、ランダムアクセス方式でターゲット基地局にハンドオーバーされるプロセスを実行すること、のうち少なくとも１つを含む、プロセッサと
を備える、ユーザ機器。
【請求項４２】
前記プロセッサはさらに、前記第１のユーザ機器が前記ネットワークデバイスに対する接続を構築すると決定するよう構成されており、または、
前記受信機はさらに、前記第１のユーザ機器または前記ネットワークデバイスが送信する第１の指示情報を受信するよう構成されており、前記第１の指示情報は前記第３のタスクを実行するよう前記第２のユーザ機器に要求または命令するために利用される
請求項４１に記載のユーザ機器。
【請求項４３】
前記ユーザ機器はさらに、
前記ネットワークデバイスに測定設定情報取得要求を送信するよう構成されている送信機を備え、
前記受信機はさらに、前記ネットワークデバイスが送信する前記測定設定情報を受信するよう構成されている  
請求項４１に記載のユーザ機器。
【請求項４４】
前記測定設定情報は、無線リソース管理ＲＲＭ測定設定情報および／またはチャネル状態指示情報ＣＳＩ測定設定情報を含む
請求項４１から４３のいずれか一項に記載のユーザ機器。
【請求項４５】
前記測定設定情報は、第１の測定設定情報および／または第２の測定設定情報を含み、前記第１の測定設定情報は、前記第１のユーザ機器のために前記ネットワークデバイスによって構成され、前記第２の測定設定情報は前記第２のユーザのために前記ネットワークデバイスによって構成される
請求項４４に記載のユーザ機器。
【請求項４６】
前記測定設定情報はさらに、前記第２の指示情報を含み、前記第２の指示は、前記第１の測定設定情報を前記第２のユーザ機器のために利用可能であるか否かを示すために、または、前記測定設定情報が前記第２の測定設定情報を含む旨を示すために、そして、前記第２の測定設定情報を前記第１のユーザ機器のために利用可能であるか否かを示すために利用される
請求項４５に記載のユーザ機器。
【請求項４７】
前記プロセッサはさらに、第１の測定結果を取得するべく前記第１の測定設定情報および／または前記第２の測定設定情報にしたがって測定を実行するように構成されており、
前記送信機はさらに、前記第１の測定結果を前記ネットワークデバイスに送信するよう構成されている
請求項４１から４６のいずれか一項に記載のユーザ機器。
【請求項４８】
前記送信機はさらに、前記測定設定情報を前記第１のユーザ機器に送信するよう構成されている
請求項４１から４７のいずれか一項に記載のユーザ機器。
【請求項４９】
前記受信機はさらに、前記ネットワークデバイスが送信するハンドオーバーコマンドを受信するよう構成されており、前記ハンドオーバーコマンドはターゲットセルに関する情報を含み、
前記プロセッサはさらに、前記ターゲットセルに関する前記情報にしたがって前記ターゲットセルにハンドオーバーされるよう構成されている
請求項４１から４８のいずれか一項に記載のユーザ機器。
【請求項５０】
前記ネットワークデバイスは、ターゲットアクセスネットワークデバイスを含み、前記ハンドオーバーコマンドはさらに、前記ターゲットアクセスネットワークデバイスに関する情報を含み、前記プロセッサはさらに、前記ターゲットアクセスネットワークデバイスに関する前記情報および前記ターゲットセルに関する前記情報にしたがって前記ターゲットアクセスネットワークデバイスにハンドオーバーされるよう構成されている
請求項４９に記載のユーザ機器。
【請求項５１】
前記送信機はさらに、前記ターゲットアクセスネットワークデバイスに対して、前記第１のユーザ機器と前記第２のユーザ機器との間のグループに関する情報、または、前記第１のユーザ機器と前記第２のユーザ機器との間の対応関係に関する情報を送信するよう構成されており、前記対応関係は、前記第１のユーザ機器が前記第２のユーザ機器を利用して、セルサーチ、セル測定、セル選択、セル再選択、セルシステム情報変化リスニング、セルシステム情報受信、セルページングメッセージリスニング、セルページングメッセージ受信、サービングセルで利用されるアップリンク送信電力情報もしくはアップリンク送信電力調整情報を決定すること、サービングセルで利用されるアップリンクタイミング事前情報もしくはアップリンク事前調整情報を決定すること、トラッキングエリアを決定すること、または、トラッキングエリアを更新すると決定すること、のうち少なくとも１つのタスクを実行する旨を意味する
請求項４９または５０に記載のユーザ機器。
【請求項５２】
前記プロセッサはさらに、前記ターゲットセルに関する前記情報および／もしくは前記ターゲット基地局に関する情報、前記ターゲットセルで利用されるアップリンクタイミング事前情報もしくはアップリンク事前調整情報、ならびに／または、前記ターゲットセルで利用されるアップリンク送信電力情報もしくはアップリンク送信電力調整情報を取得するように構成されており、
前記送信機はさらに、前記第１のユーザ機器に対してハンドオーバー情報を送信するように構成されており、前記ハンドオーバー情報は、前記ターゲットセルに関する前記情報および／もしくは前記ターゲット基地局に関する前記情報、前記ターゲットセルで利用される前記アップリンクタイミング事前情報もしくは前記アップリンク事前調整情報、ならびに／または、前記ターゲットセルで利用される前記アップリンク送信電力情報もしくは前記アップリンク送信電力調整情報を含む
請求項４９から５１のいずれか一項に記載のユーザ機器。
【請求項５３】
前記送信機はさらに、前記第１のユーザ機器に対してハンドオーバー指示シグナリングを送信するよう構成されており、前記ハンドオーバー指示シグナリングは、前記ハンドオーバー情報を利用して前記ターゲットセルまたは前記ターゲット基地局に直接アクセスするよう前記第１のユーザ機器に命令するべく、前記ハンドオーバー情報を保持している
請求項５２に記載のユーザ機器。
【請求項５４】
アクセスネットワークデバイスであって、
第１のユーザ機器に対する接続を構築した後、第３のタスクを実行するために第２のユーザ機器が必要とする測定設定情報を前記アクセスネットワークデバイスによって設定するよう構成されているプロセッサであって、前記第３のタスクは、前記第１のユーザ機器に代えて前記第２のユーザ機器によって実行されるタスクであって、前記ネットワークデバイスと通信するために前記第１のユーザ機器が必要とするタスクである、プロセッサと、
前記測定設定情報にしたがって前記第３のタスクを前記第２のユーザ機器が実行するべく、前記第２のユーザ機器に対して前記測定設定情報を送信するよう構成されている送信機であって、前記第３のタスクは、前記測定設定情報にしたがって測定を実行すること、前記ネットワークデバイスに測定結果を送信すること、または、ランダムアクセス方式でターゲットネットワークデバイスにハンドオーバーされるプロセスを実行することのうち少なくとも１つを含む、送信機と
を備えるアクセスネットワークデバイス。
【請求項５５】
前記送信機はさらに、指示情報を前記第２のユーザ機器に送信するよう構成されており、前記指示情報は、前記第３のタスクを実行するよう前記第２のユーザ機器に命令するために利用され、前記指示情報は前記測定設定情報を保持する
請求項５４に記載のアクセスネットワークデバイス。
【請求項５６】
前記送信機はさらに、指示情報を前記第２のユーザ機器に送信するよう構成されており、前記指示情報は、前記測定設定情報にしたがって前記第３のタスクを実行するよう前記第２のユーザ機器に命令するために利用される
請求項５４に記載のアクセスネットワークデバイス。
【請求項５７】
前記設定情報は、ＲＲＭ測定設定情報および／またはＣＳＩ測定設定情報を含む
請求項５４に記載のアクセスネットワークデバイス。
【請求項５８】
前記プロセッサはさらに、前記第１のユーザ機器がターゲットアクセスネットワークデバイスまたはターゲットセルにハンドオーバーされる必要があると決定する場合に、第１のハンドオーバーコマンドを前記第２のユーザ機器に送信するよう構成されており、前記第１のハンドオーバーコマンドは、前記ターゲットアクセスネットワークデバイスまたは前記ターゲットセルに関する情報を含む
請求項５４から５７のいずれか一項に記載の方法。
【請求項５９】
前記ハンドオーバー指示シグナリングはさらに、前記ターゲットアクセスネットワークデバイスに対してもしくは前記ターゲットセルにおいて前記第１のユーザ機器によって利用する必要があるアップリンクタイミング事前情報もしくはアップリンク事前調整情報、または、前記ターゲットアクセスネットワークデバイスに対してもしくは前記ターゲットセルにおいて前記第１のユーザ機器によって利用する必要があるアップリンク送信電力情報もしくはアップリンク送信電力調整情報のうち任意の１または複数を含む
請求項５８に記載のアクセスネットワークデバイス。
【請求項６０】
前記送信機はさらに、前記ターゲットアクセスネットワークデバイスに対して、前記第１のユーザ機器と前記第２のユーザ機器との間のグループに関する情報、または、前記第１のユーザ機器と前記第２のユーザ機器との間の対応関係に関する情報を送信するよう構成されており、前記対応関係は、前記第１のユーザ機器が前記第２のユーザ機器を利用して、セルサーチ、セル測定、セル選択、セル再選択、セルシステム情報変化リスニング、セルシステム情報受信、セルページングメッセージリスニング、セルページングメッセージ受信、サービングセルで利用されるアップリンク送信電力情報もしくはアップリンク送信電力調整情報を決定すること、サービングセルで利用されるアップリンクタイミング事前情報もしくはアップリンク事前調整情報を決定すること、トラッキングエリアを決定すること、または、トラッキングエリアを更新すると決定することのうち少なくとも１つのタスクを実行する旨を意味する
請求項５８に記載のアクセスネットワークデバイス。
【請求項６１】
ユーザ機器であって、前記ユーザ機器は第１のユーザ機器であり、
ネットワークデバイスに対する接続を構築するよう構成されているプロセッサと、
前記ネットワークデバイスが送信するセキュリティモードアクティブ化コマンドを直接受信するよう構成されている受信機と
を備え、
前記プロセッサはさらに、
コントロールプレーン上でのデータ送信のための暗号鍵およびインテグリティ保護鍵、ならびに／または、ユーザプレーン上でのデータ送信のための暗号鍵をセキュリティコンテキスト情報にしたがって生成するよう構成されており、前記第１のユーザ機器が前記ネットワークデバイスとの間でデータ送信を実行する場合、前記コントロールプレーン上でのデータ送信のために生成された前記暗号鍵および前記インテグリティ保護鍵を、ならびに／または、前記ユーザプレーン上でのデータ送信のために生成された前記暗号鍵を利用するよう構成されており、
前記受信機はさらに、第２のユーザ機器が送信する鍵更新メッセージを受信するよう構成されており、前記鍵更新メッセージは、前記ネットワークデバイスが、前記暗号鍵および前記インテグリティ保護鍵を利用して前記鍵更新メッセージに対して暗号化およびインテグリティ保護を実行した後で、前記ネットワークデバイスによって前記第２のユーザ機器に対して送信され、
前記プロセッサはさらに、前記鍵更新メッセージにしたがって、前記コントロールプレーン上でのデータ送信のための前記暗号鍵および前記インテグリティ保護鍵、または、前記ユーザプレーン上でのデータ送信のための前記暗号鍵のうち任意の１または複数を更新するよう構成されている
ユーザ機器。
【請求項６２】
前記プロセッサはさらに、
前記セキュリティコンテキスト情報にしたがって第１の鍵を生成するよう構成されており、
前記第１の鍵、ＮＡＳ  ＣＯＵＮＴ情報、前記ネットワークデバイスの識別子、または、前記第２のユーザ機器の識別子のうち１または複数にしたがって第２の鍵を生成するよう構成されており、
前記コントロールプレーン上のデータ送信のための前記暗号鍵および前記インテグリティ保護鍵、ならびに／または、前記ユーザプレーン上でのデータ送信のための前記暗号鍵を、前記ネットワークデバイスのためのセキュリティアルゴリズムにしたがって前記第２の鍵から前記第１のユーザ機器によって算出するよう構成されており、前記第１のユーザ機器が前記ネットワークデバイスとの間でデータ送信を実行する場合、前記暗号鍵を利用して前記コントロールプレーン上でデータを暗号化もしくは復号化し、前記インテグリティ保護鍵を利用して前記コントロールプレーン上で前記データに対してインテグリティ保護を実行するかもしくは前記インテグリティ保護鍵を利用して前記コントロールプレーン上で前記データのインテグリティを検証し、および／または、前記暗号鍵を利用して前記ユーザプレーン上でデータを復号化もしくは暗号化するよう構成されている
請求項６１に記載のユーザ機器。
【請求項６３】
ネットワークデバイスであって、
第１のユーザ機器に対する接続を構築するよう構成されているプロセッサと、
前記第１のユーザ機器がセキュリティコンテキスト情報にしたがってコントロールプレーン上のデータ送信のための暗号鍵およびインテグリティ保護鍵ならびに／またはユーザプレーン上のデータ送信のための暗号鍵を生成するように、前記第１のユーザ機器に対してセキュリティモードアクティブ化コマンドを送信するよう構成されている送信機と
を備え、
前記送信機はさらに、前記ネットワークデバイスが前記ネットワークデバイスと前記第１のユーザ機器との間の鍵を更新する必要があると決定する場合に、専用メッセージを利用して第２のユーザ機器に対して鍵更新メッセージを送信するよう構成されているので、前記第２のユーザ機器が前記鍵更新メッセージを前記第１のユーザ機器に対して送信し、前記鍵更新メッセージは、前記ネットワークデバイスが前記暗号鍵および前記インテグリティ保護鍵を利用して暗号化およびインテグリティ保護を前記鍵更新メッセージに実行した後、前記第２のユーザ機器に対して前記ネットワークデバイスによって送信される
ネットワークデバイス。
【請求項６４】
前記送信機はさらに、前記鍵更新メッセージを前記第１のユーザ機器に転送するよう前記第２のユーザ機器に命令する指示情報を、前記第２のユーザ機器に対して送信するよう構成されている
請求項６３に記載のネットワークデバイス。
【発明の詳細な説明】
【技術分野】
【０００１】
本発明は、通信技術の分野に関し、特に通信方法およびデバイスに関する。
【背景技術】
【０００２】
通信技術の発展に伴い、さまざまな種類のユーザ端末が登場している。ウェアラブルデバイスは、サイズが小型で持ち運びに便利なため、広く利用されている。例えば、手首で支持される腕時計およびリストストラップ等の製品、足で支持される靴および靴下もしくは足に装着するその他の製品、メガネ、ヘルメット、ヘッドバンド等頭で支持されるもの、ならびに、スマート服、スマートスクールバッグ、スマート杖およびスマートアクセサリー等のさまざまな形態の製品が挙げられる。
【０００３】
ウェアラブルデバイスは、多機能化およびポータブル化が進んでいる。このため、大半のウェアラブルデバイスではアプリケーションソフトウェアおよびモバイル通信機能をサポートすることができる。例えば、一部のウェアラブルデバイスは、ＳＩＭ、加入者識別モジュール、加入者識別モジュール、カードをサポートしている。
【０００４】
しかし、大半のウェアラブルデバイスは、サイズが比較的小型で保持可能なバッテリーのサイズは限られる。このため、ウェアラブルデバイスは、バッテリスタンバイ時間が比較的短い場合が多い。しかし、アプリケーションソフトウェアおよび通信機能は両方とも、比較的大量の電気でサポートする必要がある。この結果、これらの機能を開始すれば、消費電力が増加する。このため、ウェアラブルデバイスのバッテリスタンバイ時間が短くなり、実用性が低くなる。
【発明の概要】
【０００５】
本発明の実施形態は通信方法およびデバイスを提供する。本発明の実施形態によると、ユーザ機器のスタンバイ時間を長くすることができ、実用性が高くなる。
【０００６】
ある態様によると、本願の実施形態は、通信方法提供する。当該方法は、第２のユーザ機器を利用して第１のタスクを実行することによって、ネットワークデバイスとの通信に必要とされる第１の結果を取得すると第１のユーザ機器が決定する段階であって、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含み得る、段階と、第２のユーザ機器が送信する第１の結果を第１のユーザ機器が受信する段階であって、第１の結果は、第１のタスクを実行することによって第２のユーザ機器が取得する、段階と、第２のユーザ機器から取得した第１の結果を利用してネットワークデバイスと第１のユーザ機器が通信する段階を備える。本発明の本実施形態を利用することで、第１のユーザ機器は、ネットワークデバイスとの通信に必要となる情報を、第２のユーザ機器を利用することで取得するとしてよく、第１のタスクを常に実行する必要がないので、消費エネルギーが少なくなる。さらに、第１のユーザ機器が第２のユーザ機器と通信する場合に消費するエネルギーは第１のユーザ機器がネットワークデバイスと通信する場合に必要なエネルギーよりも少ないので、エネルギーをさらに節約することができる。
【０００７】
可能な設計において、第１のタスクは、セルサーチ、セル測定、セル選択、セル再選択、セルシステム情報リスニング、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定すること等のうち１または複数のタスクを含むとしてよい。このように、第１のユーザ機器は前述のタスクを実行しないので、エネルギーが節約されるとしてよい。
【０００８】
可能な設計において、上記の方法はさらに、第１のユーザ機器が第２のタスクのみを実行する段階を備え、第２のタスクは、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報またはアップリンク送信電力調整情報を決定すること、サービングセルで利用するアップリンクタイミング事前情報またはアップリンク事前調整情報を決定すること、トラッキングエリアを決定すること、および、トラッキングエリアを更新すると決定することのうち、前記第１のタスク以外のタスクを含むとしてよい。前述のタスクは全て第１のユーザ機器とネットワークデバイスとの間の通信のプロセスにおいて実行する必要があるので、一部のタスクの実行を第２のユーザ機器に任せると消費エネルギーが少なくなるとしてよい。
【０００９】
可能な設計において、第１のユーザ機器が第２のユーザ機器を利用して第１のタスクを実行する前に、上記の方法はさらに、第２のユーザ機器またはネットワークデバイスが送信する第１の指示情報を第１のユーザ機器が受信する段階を備えるとしてよい。第１の指示情報は第２のタスクを実行するよう命令するために利用される。本発明の本実施形態を利用することで、第１のユーザ機器は、特定の命令を受けた場合に限り第１のタスクの実行を停止または省略するとしてよい。これによって、タスクを繰り返し実行しないようにしたり、または、第１のユーザ機器がアイドル状態にならないようにしたりして、通常の通信が確実に行われるようにする。
【００１０】
可能な設計において、上記の方法はさらに、第１のユーザ機器によって第１の結果を格納する段階を備える。この結果、第１のユーザ機器は、第１のユーザ機器がネットワークデバイスと通信する必要がある場合に、格納された第１の結果を取得する。第１のユーザ機器が第２のユーザ機器が送信する第１の結果を受信する場合、第１のユーザ機器は、ネットワークデバイスと通信する必要はないとしてよい。このため、第１のユーザ機器は最初に、第１の結果を格納するとしてよく、第１のユーザ機器が通信を実行する必要がある場合に、格納されている第１の結果を利用して通信を実行する。
【００１１】
可能な設計において、上記の方法はさらに、第１の結果を受信する段階の前に、第１のユーザ機器によって第１の要求メッセージを第２のユーザ機器に送信する段階を備えるとしてよい。第１の要求メッセージは第１の結果を要求するために利用される。第１のユーザ機器は、第１のユーザ機器が通信を実行する必要がある場合に、第２のユーザ機器から第１の結果を取得するとしてよい。このようにして、不要な通信を回避するとしてよく、通信効率が改善されるとしてよく、消費エネルギーが少なくなるとしてよい。
【００１２】
可能な設計において、第１の結果を利用してネットワークデバイスと第１のユーザ機器が通信する段階は、第１のユーザ機器が、第１の結果を利用してネットワークデバイスに対して直接接続を構築して、通信を実行する段階、または、第１の結果および第２のユーザ機器を利用してネットワークデバイスと第１のユーザ機器が間接的に通信する段階を含む。第１のユーザ機器とネットワークデバイスとの間の直接通信を回避して消費エネルギーを低減するべく、通信プロセスのデータも第２のユーザ機器を利用して送信するとしてよい。
【００１３】
可能な設計において、上記の方法はさらに、第２のユーザ機器が送信するグループ構築確認メッセージを第１のユーザ機器が受信する段階を備える。グループ構築確認メッセージは、第１のユーザと第２のユーザ機器との間にグループが構築されている旨を示すために利用される。上記の方法は、グループを構築することによって実施されるとしてよい。このようにして、第１のユーザ機器、第２のユーザ機器およびネットワークデバイスの間の通信は、グループに基づいて実行されるとしてよい。これによって、タスクはより明示的になる。
【００１４】
可能な設計において、上記の方法はさらに、グループが構築される前に、第２の要求メッセージを第２のユーザ機器に第１のユーザ機器が送信する段階を備える。第２の要求メッセージは、第１のユーザ機器と第２のユーザ機器との間にグループを構築するよう要求するために利用される。グループ構築要求は、第１のユーザ機器によってトリガされるとしてよい。例えば、第１のユーザ機器のアプリケーションによってトリガされるとしてもよいし、または、グループを構築する必要があると判断された場合にトリガされるとしてよい。このようにして、必要があればグループを構築するので、リソースが節約されるとしてよい。
【００１５】
可能な設計において、上記の方法はさらに、第２のユーザ機器が送信するページングメッセージを第１のユーザ機器が受信する段階を備え、ページングメッセージのページングオブジェクトは第１のユーザ機器であり、または、第２のユーザ機器が送信するページングメッセージのコンテンツの一部または全てを第１のユーザ機器が受信する段階を備え、ページングメッセージは、ネットワークデバイスが送信して、第２のデバイスが受信し、または、第２のユーザ機器が送信するサービス通知メッセージを第１のユーザ機器が受信する段階を備え、サービス通知メッセージは、ネットワークデバイスが送信した受信ページングメッセージにしたがって第２のデバイスが決定する。本発明の本実施形態を利用することで、ネットワークデバイスが実行する第１のユーザ機器のページングもまた、第２のユーザ機器が受信するとしてよい。このようにして、消費エネルギーがさらに少なくなるとしてよい。
【００１６】
可能な設計において、上記の方法はさらに、予め設定された条件が満たされる場合に、グループを解除するよう第１のユーザ機器が決定する段階を備える。グループは、第１のユーザ機器と第２のユーザ機器との間で近距離通信が実行可能であること、または、グループを構築する必要があること、を基準に構築される。このため、条件が満たされなくなると、グループを解除するとしてよく、当該グループが占有していたリソースが解放されるので、グループ構築の自由度が高くなる。
【００１７】
可能な設計において、予め設定された条件が満たされることは、第１のユーザ機器と第２のユーザ機器との間の距離もしくは信号の品質がしきい値に到達すること、または、第１のユーザ機器が、第２のユーザ機器もしくはネットワークデバイスが送信するグループ解除指示情報を受信すること、または、第１のユーザ機器が、人間−機械インターフェースを利用することで、または、アプリケーション層から、グループ解除指示情報を受信することを含む。本発明を利用することで、第１のユーザ機器、第２のユーザ機器およびネットワークデバイスは全て、グループ解除をトリガすることができるので、グループの構築および解除は自由度が高くなり、ユーザ使用感も改善される。
【００１８】
可能な設計において、上記の方法はさらに、グループを解除した後、第１のタスクの実行を第１のユーザ機器が開始もしくは再開する段階、または、第１のユーザ機器が現在のサービングセルに継続してキャンプオンする段階を備える。グループを解除した後、すなわち、第２のユーザ機器が第１のユーザ機器に代わって第１のタスクを実行しなくなった後、第１のユーザ機器はさらに、他のユーザ機器との間でグループを構築するとしてもよいし、または、第１のタスクを自身で実行するとしてもよい。第１のユーザ機器がキャンプ状態の場合、第１のユーザ機器は第２のユーザ機器を利用して選択または再選択されたセルに継続してキャンプオンするとしてよい。このため、グループ構築は、自由度が高くなり、さまざまなケースに応じて適応させることも可能になるので、実施可能性が高くなる。
【００１９】
可能な設計において、上記の方法はさらに、グループを解除する前に、第３の要求メッセージを第２のユーザ機器に第１のユーザ機器が送信する段階を備えるとしてよい。第３の要求メッセージは、第１のユーザ機器と第２のユーザ機器との間のグループを解除するよう命令するために利用される。本発明の本実施形態を利用することで、グループ解除は第１のユーザ機器によってトリガされるとしてよい。
【００２０】
可能な設計において、グループ解除プロセスにおいて、上記の方法はさらに、第１のユーザ機器がグループ解除後も第２のユーザ機器と同じセルまたは同じトラッキングエリアに継続して存在するか否かを、第１のユーザ機器が第２のユーザ機器に通知する段階を備える。グループを解除した後、セルおよびトラッキングエリア等の情報は決定し直すとしてよい。この場合、第１のユーザ機器は指示を与えるとしてよい。このため、グループを解除した後、ネットワークデバイスは、第１のユーザ機器の位置および第１のユーザ機器に関する情報を把握しているので、通常の通信が確実に行われる。
【００２１】
別の態様によると、本願の実施形態は通信方法を提供する。当該方法は、ネットワークデバイスとの通信に必要な第１の結果を取得するべく第１のタスクを第２のユーザ機器が実行する段階であって、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む、段階と、第２のユーザ機器が第１の結果を第１のユーザ機器に送信する段階とを備えるとしてよい。第１のユーザ機器は、第１の結果を利用してネットワークデバイスと通信するとしてよい。本発明の本実施形態を利用することで、第１のユーザ機器は、ネットワークデバイスとの通信に必要となる情報を、第２のユーザ機器を利用することで取得するとしてよく、第１のタスクを常に実行する必要がないので、消費エネルギーが少なくなる。これに加えて、第１のユーザ機器が第２のユーザ機器と通信する場合に消費するエネルギーは第１のユーザ機器がネットワークデバイスと通信する場合に必要なエネルギーよりも少ないので、エネルギーをさらに節約することができる。
【００２２】
可能な設計において、第１の結果を取得するべく第１のタスクを第２のユーザ機器が実行する段階は、セル測定を第２のユーザ機器が実行して、サービングセル測定結果および／もしくは隣接セル測定結果を取得する段階、セル選択もしくはセル再選択を第２のユーザ機器が実行し、選択もしくは再選択されたセルに関する情報を決定する段階、キャンプオンする予定のセルもしくはサービングセルのシステム情報を第２のユーザ機器がリスニングして、キャンプオンする予定のセルもしくはサービングセルのシステム情報が変化する場合にキャンプオンする予定のセルもしくはサービングセルの変化後のシステム情報を決定すること、または、ページングメッセージを第２のユーザ機器がリスニングして、ページングオブジェクトが第１のユーザ機器であるページングメッセージがリスニングによって取得されると決定する段階のうち少なくとも１つを含む。上記の方法はさらに、第４の要求メッセージをネットワークデバイスに第２のユーザ機器が送信する段階であって、第４の要求メッセージは、ネットワークデバイスが提供するサービスについて必要なパラメータ情報を取得するために利用される、段階と、ネットワークデバイスが送信する第１の応答メッセージを第２のユーザ機器が受信する段階であって、第１の応答メッセージは、パラメータ情報を含み、パラメータ情報は、アップリンク送信電力情報もしくはアップリンク送信電力調整情報、アップリンクタイミング事前情報もしくはアップリンク事前調整情報、または、設定パラメータのうち少なくとも１つを含み、設定パラメータは、物理層設定パラメータ、媒体アクセス制御ＭＡＣ層設定パラメータ、無線リンク制御ＲＬＣ層設定パラメータ、パケットデータコンバージェンスプロトコルＰＤＣＰ層設定パラメータ、または、無線リソース制御ＲＲＣ設定パラメータのうち少なくとも１つのパラメータを含む、段階とを備える。第２のユーザ機器は、第１のユーザ機器に代わって前述のタスクのうち任意の１または複数を実行するので、第１のユーザ機器がこれらのタスクを自身で実行するために必要とする消費エネルギーを低減することが出来、その結果としてスタンバイ時間が長くなる。
【００２３】
可能な設計において、上記の方法はさらに、第１の結果を第２のユーザ機器が第１のユーザ機器に送信する段階の前に、第１のユーザ機器が送信する第１の要求メッセージを第２のユーザ機器が受信する段階であって、第１の要求メッセージは第１の結果を要求するために利用される、段階を備えるとしてよい。このため、第１のユーザ機器は、第１のユーザ機器が通信を実行する必要がある場合に、第２のユーザ機器から第１の結果を取得するとしてよい。このようにして、不要な通信を回避するとしてよく、通信効率が改善されるとしてよく、消費エネルギーが少なくなるとしてよい。
【００２４】
可能な設計において、上記の方法はさらに、第１のユーザ機器と第２のユーザ機器との間にグループを構築するよう第２のユーザ機器が決定する段階であって、グループは、第１のユーザ機器および第２のユーザ機器がネットワークデバイスとの通信のために利用される少なくとも１つの情報を共有し得る旨を示す、段階と、グループが第１のユーザ機器と第２のユーザ機器との間に構築されている旨を示すべく、第１のユーザ機器にグループ構築確認メッセージを第２のユーザ機器が送信する段階とを備える。上記の方法は、グループを構築することで実現されるとしてよい。このようにして、第１のユーザ機器、第２のユーザ機器およびネットワークデバイスの間の通信は、グループに基づいて実行されるとしてよく、これによってタスクがより明示的になる。
【００２５】
可能な設計において、第１のユーザ機器と第２のユーザ機器との間にグループを構築するよう第２のユーザ機器が決定する段階は、グループ構築要求メッセージをネットワークデバイスに第２のユーザ機器が送信する段階であって、グループ構築要求メッセージがグループに関する情報を含むことにより、ネットワークデバイスはグループ構築メッセージにしたがってグループを構築する、段階と、ネットワークデバイスが送信するグループ構築確認メッセージを第２のユーザ機器が受信する段階とを備えるとしてよい。特定のグループがネットワークデバイスによって構築されるとしてよい。このようにして、第１のユーザ機器、第２のユーザ機器およびネットワークデバイスの全てがグループ関係を把握することが確実になるとしてよい。
【００２６】
可能な設計において、グループは、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を、第１のユーザ機器および第２のユーザ機器が共有し得る旨を示す。前述した情報を共有することで、第１のユーザ機器は、第２のユーザ機器を利用して上述した共有情報を取得し得るので、エネルギー節約につながる。
【００２７】
可能な設計において、上記の方法はさらに、第１のユーザ機器および第２のユーザ機器が１つのグループに含まれている旨をネットワークデバイスに通知するべく、グループに関する情報をネットワークデバイスに第２のユーザ機器が送信する段階を備える。これに代えて、グループは第２のユーザ機器によって構築されるとしてもよく、第２のユーザ機器は、グループを構築した後に、グループをネットワークデバイスに通知する。
【００２８】
可能な設計において、上記の方法はさらに、第１のユーザ機器が送信するグループ構築要求メッセージを第２のユーザ機器が受信する段階、または、第１のユーザ機器と第２のユーザ機器との間にグループを構築する必要があると第２のユーザ機器が決定する段階を備えるとしてよい。第２のユーザ機器は、グループを構築する場合、第１のユーザ機器またはネットワークデバイスの命令のもとでグループを構築するとしてよい。
【００２９】
可能な設計において、グループに関する情報は、グループ固有識別子、第１のユーザ機器の識別子、または、第２のユーザ機器の識別子のうち任意の１または複数を含むとしてよい。グループ固有識別子は、第２のユーザ機器またはネットワークデバイスによって生成されるとしてよい。このようにして、対応するデバイスまたはグループは、対応する識別子に基づいて発見されるとしてよい。
【００３０】
可能な設計において、ページングメッセージを第２のユーザ機器がリスニングして、ページングオブジェクトが第１のユーザ機器であるページングメッセージがリスニングによって取得されると決定する段階はさらに、ネットワークデバイスが送信するページングメッセージを第２のユーザ機器が受信する段階を含むとしてよく、ページングメッセージはグループのグループ情報を含み、または、ページングメッセージは第１のユーザ機器の識別子を含み、または、ページングメッセージは第１のユーザ機器の識別子およびグループ処理を実行するか否かを示す指示を含み、または、ページングメッセージは第１のユーザ機器の識別子およびページングメッセージを第１のユーザ機器に転送するか否かを示す指示を含み、または、ページングメッセージは、第１のユーザ機器の識別子および第２のユーザ機器の識別子を含む。前述した方式では、ページングメッセージが、ページングオブジェクトがグループであるページングであるか否かが決定されるとしてよく、これによって第２のユーザ機器が第１のユーザ機器に代わってページングメッセージを受信することが可能になる。このため、第１のユーザ機器の消費エネルギーがさらに少なくなる。
【００３１】
可能な設計において、ページングオブジェクトが第１のユーザ機器であるページングメッセージがリスニングによって取得されると第２のユーザ機器が決定する段階はさらに、ページングメッセージを第１のユーザ機器に第２のユーザ機器が転送する段階、または、ページングメッセージのコンテンツの一部または全てを第１のユーザ機器に第２のユーザ機器が送信する段階、または、サービス通知メッセージを第１のユーザ機器に第２のユーザ機器が送信する段階を含み、サービス通知メッセージは、ネットワークデバイスが送信する受信したページングメッセージにしたがって第２のデバイスが決定する。第２のユーザ機器が受信したページングメッセージのコンテンツの一部は第２のユーザ機器専用である場合があるので、前述した方式によれば、データ送信時に必要となるリソースが少なくなるとしてよい。
【００３２】
可能な設計において、上記の方法はさらに、予め設定された条件が満たされる場合に、グループを第２のユーザ機器が解除する段階を備える。グループは、第１のユーザ機器と第２のユーザ機器との間で近距離通信が実行可能であること、または、グループを構築する必要があること、を基準に構築される。このため、条件が満たされなくなると、グループを解除するとしてよく、当該グループが占有していたリソースが解放されるので、グループ構築の自由度が高くなる。
【００３３】
可能な設計において、予め設定された条件が満たされることは、第１のユーザ機器と第２のユーザ機器との間の距離もしくは信号の品質がしきい値に到達すること、または、第２のユーザ機器が、第１のユーザ機器もしくはネットワークデバイスが送信するグループ解除指示情報を受信すること、または、第２のユーザ機器が、人間−機械インターフェースを利用することで、または、アプリケーション層から、グループ解除指示情報を受信することを含むとしてよい。本発明を利用することで、第１のユーザ機器、第２のユーザ機器およびネットワークデバイスは全て、グループ解除をトリガすることができるように適切に実施され得るので、グループの構築および解除は自由度が高くなり、ユーザ使用感も改善される。
【００３４】
可能な設計において、グループを第２のユーザ機器が解除する段階は、グループ解除指示情報をネットワークデバイスに第２のユーザ機器が送信する段階であって、指示情報は、第１のユーザ機器と第２のユーザ機器との間のグループを解除するよう命令するために利用される、段階を含む。本発明の本実施形態を利用することで、ネットワークデバイスはさらに、対応するグループを解除するとしてよく、グループに関する情報が格納されている場合に限りグループに関する情報を削除するとしてよい。
【００３５】
可能な設計において、グループ解除指示情報をネットワークデバイスに第２のユーザ機器が送信する段階は、
ネットワークデバイスへのランダムアクセスプロセスまたはロケーション更新プロセスを第２のユーザ機器が実行する段階、および、ランダムアクセスプロセスまたはロケーション更新プロセスにおいて、グループ解除指示情報をネットワークデバイスに、第２のユーザ機器が送信する段階を含むとしてよい。
【００３６】
可能な設計において、第２のユーザ機器がネットワークデバイスに送信するグループ解除指示情報は、第１のユーザ機器および第２のユーザ機器が継続して同じセルおよび／または同じトラッキングエリアに存在するか否かを示す指示情報を含む。グループを解除した後、すなわち、第２のユーザ機器が第１のユーザ機器に代わって第１のタスクを実行しなくなった後、第１のユーザ機器はさらに、他のユーザ機器との間でグループを構築するとしてもよいし、または、第１のタスクを自身で実行するとしてもよい。第１のユーザ機器がキャンプ状態の場合、第１のユーザ機器は第２のユーザ機器を利用して選択または再選択されたセルに継続してキャンプオンするとしてよい。このため、グループ構築は、自由度が高くなり、さまざまなケースに応じて適応させることも可能になるので、実施可能性が高くなる。
【００３７】
可能な設計において、第２のユーザ機器は第１のユーザ機器が送信するグループ解除指示情報を受信する。グループ解除指示情報は、第１のユーザ機器および第２のユーザ機器が継続して同じセルおよび／または同じトラッキングエリアに存在するか否かを示す指示情報を含む。
【００３８】
さらに別の態様によると、本願の実施形態は通信方法を提供する。当該方法は、第１のユーザ機器と第２のユーザ機器との間の対応関係に関する指示情報であって、第２のユーザ機器が送信する指示情報をアクセスネットワークデバイスが受信する段階であって、対応関係は、第１のユーザ機器が、第２のユーザ機器を利用して第１のタスクを実行することで、ネットワークデバイスとの通信に必要な第１の結果を取得することを意味し、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含み得る、段階と、第２のユーザ機器が第１のタスクを実行すると、対応関係に基づいて、アクセスネットワークデバイスが決定する段階とを備えるとしてよい。本発明の本実施形態を利用することで、第１のユーザ機器は、ネットワークデバイスとの通信に必要となる情報を、第２のユーザ機器を利用することで取得するとしてよく、第１のタスクを常に実行する必要がないので、消費エネルギーが少なくなる。これに加えて、第１のユーザ機器が第２のユーザ機器と通信する場合に消費するエネルギーは第１のユーザ機器がネットワークデバイスと通信する場合に必要なエネルギーよりも少ないので、エネルギーをさらに節約することができる。ネットワークデバイスはアクセスネットワークデバイスを含む。
【００３９】
可能な設計において、対応関係の指示情報は、グループに関する情報を含み、グループに関する情報は、第１のユーザ機器と第２のユーザ機器との間にグループが構築される旨を示すために利用される。グループは、第１のユーザ機器が、第２のユーザ機器を利用して第１のタスクを実行することで、ネットワークデバイスとの通信に必要な第１の結果を取得する旨を示す。上記の方法は、グループを構築することによって実現されるとしてよい。このようにして、第１のユーザ機器、第２のユーザ機器およびネットワークデバイスの間の通信は、グループに基づいて実行されるとしてよい。これによって、タスクはより明示的になる。
【００４０】
可能な設計において、アクセスネットワークデバイスが第１のユーザ機器と第２のユーザ機器との間の対応関係を決定することは、第２のユーザが送信するグループ構築要求メッセージをアクセスネットワークデバイスが受信することを含む。グループ構築要求メッセージは、グループに関する情報を保持し、グループに関する情報は、第１のユーザ機器の識別子および第２のユーザ機器の識別子を含み、グループ構築要求メッセージは、第１のユーザ機器と第２のユーザ機器との間にグループを構築するよう命令するために利用される。グループはネットワークデバイスによって構築されるとしてよく、アクセスネットワークデバイスによってさらに構築されるとしてよい。グループを構築するために必要なデータは、第２のユーザ機器によって提供されるとしてよい。
【００４１】
可能な設計において、上記の方法はさらに、グループが構築される前に、グループ構築要求メッセージにしたがって第１のユーザ機器と第２のユーザ機器との間にグループをアクセスネットワークデバイスによって構築する段階と、グループの識別子を生成する段階とを備えるとしてよい。
【００４２】
可能な設計において、上記の方法はさらに、グループ構築確認メッセージを第２のユーザ機器にアクセスネットワークデバイスが送信する段階を備え、グループ構築確認メッセージはアクセスネットワークデバイスがグループ構築に同意している旨を示すべく利用される。
【００４３】
可能な設計において、対応関係に基づいて第２のユーザ機器が第１のタスクを実行するとアクセスネットワークデバイスが決定する段階は、ページングオブジェクトが第１のユーザ機器であるページングメッセージをアクセスネットワークデバイスが送信する必要がある場合に、対応関係の情報にしたがって当該ページングメッセージを第２のユーザ機器にアクセスネットワークデバイスが送信する段階を含むとしてよい。前述した方式では、ページングメッセージが、ページングオブジェクトがグループであるページングであるか否かが決定されるとしてよく、これによって第２のユーザ機器が第１のユーザ機器に代わってページングメッセージを受信することが可能になる。このため、第１のユーザ機器の消費エネルギーがさらに少なくなる。
【００４４】
可能な設計において、第２のユーザ機器に送信されるページングメッセージはグループに関する情報を含み、または、ページングメッセージは第１のユーザ機器の識別子を含み、または、第２のユーザ機器に送信されるページングメッセージは第１のユーザ機器の識別子およびグループ処理を実行するか否かを示す指示を含み、または、ページングメッセージは第１のユーザ機器の識別子およびページングメッセージを第１のユーザ機器に転送するか否かを示す指示を含み、または、ページングメッセージは、第１のユーザ機器の識別子および第２のユーザ機器の識別子を含む。
【００４５】
可能な設計において、上記の方法はさらに、グループに関する情報をコアネットワークデバイスにアクセスネットワークデバイスが送信する段階を備える。ネットワークデバイスは、アクセスネットワークデバイスおよびコアネットワークデバイスを含むとしてよく、グループは、コアネットワークデバイスが構築するとしてもよく、または、コアネットワークデバイスに通知されるとしてもよい。
【００４６】
さらに別の態様によると、本願の実施形態は通信方法を提供する。当該方法は、第１のユーザ機器と第２のユーザ機器との間の対応関係をコアネットワークデバイスが決定する段階であって、対応関係は、第２のユーザ機器を利用して第１のタスクを実行することで、ネットワークデバイスとの通信に必要な第１の結果を第１のユーザ機器が取得することを意味し、ネットワークデバイスはコアネットワークデバイスおよびアクセスネットワークデバイスを含む、段階と、対応関係に基づいて第１のユーザ機器とコアネットワークデバイスが通信する段階とを備えるとしてよい。当該方法を利用することで、通信プロセスにおいて、第１のユーザ機器は、ネットワークデバイスとの通信に必要となる情報を、第２のユーザ機器を利用することで取得するとしてよく、第１のタスクを常に実行する必要がないので、消費エネルギーが少なくなる。これに加えて、第１のユーザ機器が第２のユーザ機器と通信する場合に消費するエネルギーは第１のユーザ機器がネットワークデバイスと通信する場合に必要なエネルギーよりも少ないので、エネルギーをさらに節約することができる。ネットワークデバイスはコアネットワークデバイスを含むとしてよい。
【００４７】
可能な設計において、第１のユーザ機器と第２のユーザ機器との間の対応関係をコアネットワークデバイスが決定する段階は、アクセスネットワークデバイスが送信するグループ構築要求メッセージをコアネットワークデバイスが受信する段階であって、グループ構築要求メッセージは、グループに関する情報を保持し、グループに関する情報は、第１のユーザ機器および第２のユーザ機器を含む、段階と、グループ構築要求にしたがって第１のユーザ機器と第２のユーザ機器との間にグループをコアネットワークデバイスが構築する段階と、グループの識別子を生成する段階とを含む。コアネットワークデバイスがグループを構築するプロセスは、当該方法を利用して実現するとしてよい。
【００４８】
可能な設計において、上記の方法はさらに、グループ構築確認メッセージをアクセスネットワークデバイスにコアネットワークデバイスが送信する段階を備え、グループ構築確認メッセージは、グループの識別子を含む。コアネットワークデバイスは、グループを構築した後、アクセスネットワークデバイスを利用して、第１のユーザ機器および第２のユーザ機器にグループを通知するとしてよい。これによって、両デバイスはグループにしたがって動作する。このため、第１のユーザ機器のエネルギーがさらに節約される。
【００４９】
可能な設計において、対応関係に基づいて第１のユーザ機器とコアネットワークデバイスが通信する段階は、ページングオブジェクトが第１のユーザ機器であるページングメッセージをコアネットワークデバイスが送信する必要がある場合に、対応関係にしたがって当該ページングメッセージをアクセスネットワークデバイスにコアネットワークデバイスが送信する段階と、ページングメッセージを第２のユーザ機器に送信するようアクセスネットワークデバイスに命令する段階とを含む。前述した方式では、ページングメッセージが、ページングオブジェクトがグループであるページングであるか否かが決定されるとしてよく、これによって第２のユーザ機器が第１のユーザ機器に代わってページングメッセージを受信することが可能になる。このため、第１のユーザ機器の消費エネルギーがさらに少なくなる。
【００５０】
さらに別の態様によると、本願の実施形態は通信方法を提供する。当該方法は、ネットワークデバイスに対する接続を第１のユーザ機器が構築する段階と、第２のユーザ機器を利用して、または、第２のユーザ機器の支援を受けて、第３のタスクを第１のユーザ機器が実行する段階であって、第３のタスクは、第１のユーザ機器とネットワークデバイスとの間の通信のために必要なタスクであり、第３のタスクは、測定設定情報にしたがって測定を実行すること、ネットワークデバイスに測定結果を送信すること、または、ランダムアクセス方式でターゲットセルまたはターゲット基地局にハンドオーバーされること、のうち少なくとも１つを含む、段階とを備えるとしてよい。本発明の本実施形態を利用することで、第１のユーザ機器は通信プロセスにおいて第２のユーザ機器を利用して測定タスクを実行するとしてよく、これによって、第１のユーザ機器の消費エネルギーを少なくすることができ、スタンバイ時間を長くすることができる。
【００５１】
可能な設計において、測定設定情報は、無線リソース管理ＲＲＭ測定設定情報および／またはチャネル状態指示情報ＣＳＩ測定設定情報を含む。ＲＲＭ測定および／またはＣＳＩ測定のプロキシ測定は、当該方法を利用して実現されるとしてよい。これによって、第１のユーザ機器の消費エネルギーが少なくなる。
【００５２】
可能な設計において、測定設定情報は、第１の測定設定情報および／または第２の測定設定情報を含み、第１の測定設定情報は、第１のユーザ機器のためにネットワークデバイスによって設定され、第２の測定設定情報は第２のユーザのためにネットワークデバイスによって設定される。
【００５３】
可能な設計において、上記の方法はさらに、第２のユーザ機器が送信する第１の測定設定情報および／または第２の測定設定情報を第１のユーザ機器が受信する段階を備える。第２のユーザ機器は、測定設定情報を受信した後、測定設定情報を第１のユーザ機器に送信するとしてよい。これによって、第１のユーザ機器は、第１のユーザ機器が自身で測定または検証を実行する必要がある場合に、測定設定情報にしたがって測定を実行する。
【００５４】
可能な設計において、上記の方法はさらに、第２のユーザ機器が送信する第１の測定結果を第１のユーザ機器が受信する段階であって、第１の測定結果は第１の測定設定情報および／または第２の測定設定情報にしたがって測定を実行することによって第２のユーザ機器によって取得される、段階を備える。
【００５５】
可能な設計において、上記の方法はさらに、第２の測定結果を取得するべく第１の測定設定情報および／または第２の測定設定情報にしたがって第１のユーザ機器が測定を実行する段階と、第１の測定結果と第２の測定結果との間の気後れが予め設定されたしきい値を超える場合、第１の測定結果と第２の測定結果との間の気後れが予め設定されたしきい値を超えている旨を、第１のユーザ機器が第２のユーザ機器に通知する段階、または、測定設定情報にしたがって実行される測定を中止するよう第２のユーザ機器に命令する段階、または、第１のユーザ機器が自律的に測定を実行し始める旨を第２のユーザ機器に通知する段階、または、定期的またはイベントトリガ方式で第２の測定結果を第２のユーザ機器に第１のユーザ機器が送信して、第２のユーザ機器は第２の測定結果にしたがって検証を実行する、段階を備える。本発明の本実施形態を利用することで、プロキシ測定の検証が実現されるとしてよく、これによって、測定を実行することによって第２のユーザ機器が取得する結果が、第１のユーザ機器が自身で測定を実行することで取得する結果に近くなることが確実になり、第１のユーザ機器が通常の通信を実行できることが確実になる。
【００５６】
可能な設計において、上記の方法はさらに、第２のユーザ機器が送信するハンドオーバー情報を第１のユーザ機器が受信する段階であって、ハンドオーバー情報は、ターゲットセルに関する情報、ターゲットセルで利用されるアップリンクタイミング事前情報もしくはアップリンク事前調整情報、および／または、ターゲットセルで利用されるアップリンク送信電力情報もしくはアップリンク送信電力調整情報を含む、段階と、ハンドオーバー情報を利用してネットワークデバイスと第１のユーザ機器が通信する段階とを備える。本発明の本実施形態を利用することで、ハンドオーバー処理は、第１のユーザ機器の代わりに第２のユーザ機器において実行されるとしてよい。これによって、第１のユーザ機器の消費エネルギーが少なくなり、第１のユーザ機器が通常の通信を実行できることが確実になり得る。
【００５７】
可能な設計において、上記の方法はさらに、ネットワークデバイスまたは第２のユーザ機器が送信するハンドオーバー指示シグナリングを第１のユーザ機器が受信する段階であって、ハンドオーバーのコマンドは、物理層制御シグナリング、ＭＡＣシグナリングまたはＲＲＣシグナリングであってよい、段階と、ハンドオーバー情報を利用して、ハンドオーバー指示シグナリングにしたがって、ターゲットセルまたはターゲット基地局に第１のユーザ機器が直接アクセスする段階とを備える。上記の方法を利用することで、第１のユーザ機器の高速ハンドオーバーが実現するとしてよい。
【００５８】
可能な設計において、上記の方法はさらに、第４のタスクを第１のユーザ機器が実行する段階を備え、第４のタスクは、ネットワークデバイスが直接送信するダウンリンクデータを受信すること、ネットワークデバイスが直接送信するダウンリンク制御シグナリングを受信すること、ネットワークデバイスにスケジューリング要求シグナリングを直接送信すること、ネットワーク側デバイスからセキュアアクティブ化に関連するシグナリングを直接受信すること、セキュアアクティブ化に関連するシグナリングをネットワークデバイスに直接送信すること、または、ネットワークデバイスにＣＳＩ測定結果情報を直接フィードバックすること、のうち少なくとも１つを含むとしてよい。セキュリティを考慮して、第１のユーザ機器は、データ通信セキュリティを改善するべく、前述したタスクを自身で実行するとしてよい。
【００５９】
可能な設計において、第４のタスクを第１のユーザ機器が実行する段階は、第２の結果を取得するべく第４のタスクを第１のユーザ機器が実行する段階であって、第２の結果は、ダウンリンクデータまたはダウンリンク制御シグナリングをデコードすることによって第１のユーザ機器が取得するＨＡＲＱ情報を含み、ＨＡＲＱ情報は、ダウンリンクデータが正しくデコードされているか否かを示している情報である、段階、および、ＨＡＲＱ情報をネットワークデバイスに第１のユーザ機器が直接フィードバックする段階を含むか、または、第２の結果を取得するべく第４のタスクを第１のユーザ機器が実行する段階であって、第２の結果は、ダウンリンク制御シグナリングの処理またはセキュアアクティブ化に関連するシグナリングの処理が正しく完了したと第１のユーザ機器が決定することを含む、段階、および、ネットワークデバイスに、ダウンリンク制御シグナリングの処理が完了しているか否かを示すフィードバック情報を第１のユーザ機器が直接フィードバックする段階を含む。第１のユーザ機器は自身で前述したタスクを実行するので、通信プロセスにおけるセキュリティが改善するとしてよく、通信もより確実になるとしてよい。
【００６０】
さらに別の態様によると、本願の実施形態は通信方法を提供する。当該方法は、ネットワークデバイスが送信する測定設定情報を第２のユーザ機器が受信する段階であって、測定設定情報は第３のタスクを実行するために利用され、第３のタスクは、第１のユーザ機器に代えて第２のユーザ機器によって実行されるタスクであって、ネットワークデバイスとの通信に必要なタスクである、段階と、第３のタスクを第２のユーザ機器が実行する段階であって、第３のタスクは、測定設定情報にしたがって測定を実行すること、ネットワークデバイスに測定結果を送信すること、または、ランダムアクセス方式でターゲット基地局にハンドオーバーされるプロセスを実行すること、のうち少なくとも１つを含み得る、段階とを備えるとしてよい。本発明の本実施形態を利用することで、第１のユーザ機器は通信プロセスにおいて第２のユーザ機器を利用して測定タスクを実行するとしてよく、これによって、第１のユーザ機器の消費エネルギーを少なくすることができ、スタンバイ時間を長くすることができる。
【００６１】
可能な設計において、上記の方法はさらに、ネットワークデバイスに対する接続を第１のユーザ機器が構築すると第２のユーザ機器が決定する段階、または、第１のユーザ機器またはネットワークデバイスが送信する第１の指示情報を第２のユーザ機器が受信する段階であって、第１の指示情報は第３のタスクを実行するよう第２のユーザ機器に要求または命令するために利用される、段階を備えるとしてよい。可能な設計において、ネットワークデバイスが送信する測定設定情報を第２のユーザ機器が受信する段階はさらに、ネットワークデバイスに測定設定情報取得要求を第２のユーザ機器が送信する段階と、ネットワークデバイスが送信する測定設定情報を第２のユーザ機器が受信する段階とを含む。本発明の本実施形態を利用することで、測定設定情報を取得するとしてよい。
【００６２】
可能な設計において、測定設定情報は、無線リソース管理ＲＲＭ測定設定情報および／またはチャネル状態指示情報ＣＳＩ測定設定情報を含むとしてよい。ＲＲＭ測定および／またはＣＳＩ測定のプロキシ測定は、当該方法を利用して実現するとしてよい。これによって、第１のユーザ機器の消費エネルギーが少なくなる。
【００６３】
可能な設計において、測定設定情報は、第１の測定設定情報および／または第２の測定設定情報を含み、第１の測定設定情報は、第１のユーザ機器のためにネットワークデバイスによって設定され、第２の測定設定情報は第２のユーザのためにネットワークデバイスによって設定される。
【００６４】
可能な設計において、測定設定情報はさらに、第２の指示情報を含み、第２の指示情報は、第１の測定設定情報を第２のユーザ機器のために利用可能であるか否かを示すために、または、測定設定情報が第２の測定設定情報を含む旨を示すために、そして、第２の測定設定情報を第１のユーザ機器のために利用可能であるか否かを示すために利用される。第２のユーザ機器は、命令にしたがって動作するとしてよく、これによって第１のユーザ機器はネットワークデバイスと通常通りに通信することができる。
【００６５】
可能な設計において、測定設定情報にしたがって測定を実行する段階および／またはネットワークデバイスに測定結果を送信する段階は、第１の測定結果を取得するべく、第１の測定設定情報および／または第２の測定設定情報にしたがって測定を第２のユーザ機器が実行する段階と、第１の測定結果をネットワークデバイスに第２のユーザ機器が送信する段階とを含む。本発明の本実施形態を利用することで、プロキシによる測定およびフィードバックのプロセスが実現するとしてよい。これによって、第１のユーザ機器の通信プロセスで必要な電力が少なくなり、スタンバイ時間が長くなる。
【００６６】
可能な設計において、第１の測定結果を取得するべく、第１の測定設定情報および／または第２の測定設定情報にしたがって測定を第２のユーザ機器が実行する段階は、第１の測定結果を取得するべく、第１の測定設定情報および第２の測定設定情報にしたがって総合測定を第２のユーザ機器が実行する段階、または、第１の測定結果を取得するべく第１の測定設定情報にしたがって測定を第２のユーザ機器が実行する段階を含むとしてよい。
【００６７】
可能な設計において、上記の方法はさらに、測定設定情報を第１のユーザ機器に第２のユーザ機器が送信する段階を備える。第２のユーザ機器は、測定設定情報を受信した後、測定設定情報を第１のユーザ機器に送信するとしてよい。これによって、第１のユーザ機器は、第１のユーザ機器が自身で測定または検証を実行する必要がある場合に、測定設定情報にしたがって測定を実行する。 
【００６８】
可能な設計において、上記の方法はさらに、プロキシ測定プロセスにおいて、第１の測定結果が特定のしきい値を満たす場合に、第１の測定結果を第１のユーザ機器に第２のユーザ機器が送信する段階、または、第１の測定結果を第１のユーザ機器に第２のユーザ機器が、定期的またはイベントトリガ方式で、送信する段階を備えるとしてよい。
【００６９】
可能な設計において、上記の方法はさらに、プロキシ測定プロセスにおいて、第１のユーザ機器が送信する第２の測定結果を第２のユーザ機器が受信する段階であって、第２の測定結果は、第１の測定設定情報および／または第２の測定設定情報にしたがって測定を第１のユーザ機器が実行することによって取得される、段階と、第１の測定結果と第２の測定結果との間の差分が予め設定されたしきい値を超える場合、第１のユーザ機器に代わって測定設定情報にしたがって実行している測定を第２のユーザ機器が中止する段階、または、第１の測定結果と第２の測定結果との間の差分が予め設定されたしきい値を超える場合、第１の測定結果と第２の測定結果との間の差分が予め設定されたしきい値を超える旨を第１のユーザ機器に第２のユーザ機器が通知する段階、または、第１のユーザ機器に測定を自律的に実行するよう命令する段階を備えるとしてよい。本発明の本実施形態を利用することで、プロキシ測定の検証が実現するとしてよく、これによって、測定を実行することによって第２のユーザ機器が取得する結果が、第１のユーザ機器が自身で測定を実行することで取得する結果に近くなることが確実になり、第１のユーザ機器が通常の通信を実行できることが確実になる。
【００７０】
可能な設計において、第１の測定結果と第２の測定結果との間の差分が予め設定されたしきい値を超えることは、第１の測定結果と第２の測定結果との間の差分が予め設定された期間内に予め設定されたしきい値を超えるという実施例を含むとしてよい。
【００７１】
可能な設計において、第３のタスクを第２のユーザ機器が実行する段階であって、第３のタスクは、測定設定情報にしたがって測定を実行すること、ネットワークデバイスに測定結果を送信すること、または、ランダムアクセス方式でターゲット基地局にハンドオーバーされるプロセスを実行すること、のうち少なくとも１つを含む、段階は、ネットワークデバイスが送信するハンドオーバーコマンドを第２のユーザ機器が受信する段階であって、ハンドオーバーコマンドはターゲットセルに関する情報を含む、段階と、ターゲットセルに関する情報にしたがって第２のユーザ機器によってターゲットセルにハンドオーバーされる段階を含む。本発明の本実施形態を利用することで、ハンドオーバー処理は、第１のユーザ機器の代わりに第２のユーザ機器において実行されるとしてよい。これによって、第１のユーザ機器の消費エネルギーが少なくなり、第１のユーザ機器が通常の通信を実行できることが確実になり得る。
【００７２】
可能な設計において、ネットワークデバイスはターゲットアクセスネットワークデバイスを含み、ハンドオーバーコマンドはさらに、ターゲットアクセスネットワークデバイスに関する情報を含み、ターゲットセルに関する情報にしたがって第２のユーザ機器によってターゲットセルにハンドオーバーされる段階は、ターゲットアクセスネットワークデバイスに関する情報およびターゲットセルに関する情報にしたがって第２のユーザ機器によってターゲットアクセスネットワークデバイスにハンドオーバーされる段階を含む。
【００７３】
可能な設計において、上記の方法はさらに、第１のユーザ機器と第２のユーザ機器との間のグループに関する情報または第１のユーザ機器と第２のユーザ機器との間の対応関係に関する情報を、第２のユーザ機器がターゲットアクセスネットワークデバイスに送信する段階であって、グループまたは対応関係は、第１のユーザ機器が、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定することのうち少なくとも１つのタスクを第２のユーザ機器を利用して実行することを意味する、段階を備える。本発明の本実施形態を利用することで、ターゲットアクセスネットワークデバイスは第２のユーザ機器を利用して第１のユーザ機器との通信を継続するとしてよく、これによって、第１のユーザ機器の消費エネルギーが少なくなり、スタンバイ時間が長くなる。
【００７４】
可能な設計において、上記の方法はさらに、ターゲットセルに関する情報および／またはターゲット基地局に関する情報、ターゲットセルで利用されるアップリンクタイミング事前情報もしくはアップリンク事前調整情報、および／または、ターゲットセルで利用されるアップリンク送信電力情報もしくはアップリンク送信電力調整情報を、第２のユーザ機器が取得する段階と、ハンドオーバー情報を第１のユーザ機器に第２のユーザ機器が送信する段階であって、ハンドオーバー情報は、ターゲットセルに関する情報および／またはターゲット基地局に関する情報、ターゲットセルで利用されるアップリンクタイミング事前情報もしくはアップリンク事前調整情報、および／または、ターゲットセルで利用されるアップリンク送信電力情報もしくはアップリンク送信電力調整情報を含む、段階とを備えるとしてよい。本発明の本実施形態を利用することで、ハンドオーバー処理は、第１のユーザ機器の代わりに第２のユーザ機器において実行されるとしてよい。これによって、第１のユーザ機器の消費エネルギーが少なくなり、第１のユーザ機器が通常の通信を実行できることが確実になり得る。
【００７５】
可能な設計において、ハンドオーバー情報を第１のユーザ機器に第２のユーザ機器が送信する段階は、第１のユーザ機器に対してハンドオーバー指示シグナリングを第２のユーザ機器が送信する段階であって、ハンドオーバー指示シグナリングはハンドオーバー情報を保持しており、ハンドオーバー情報を利用してターゲットセルまたはターゲット基地局に直接アクセスするよう第１のユーザ機器に命令する、段階を含む。上記の方法を利用することで、第１のユーザ機器の高速ハンドオーバーを実現するとしてよい。
【００７６】
さらに別の態様によると、本願の実施形態は通信方法を提供する。当該方法は、アクセスネットワークデバイスが第１のユーザ機器に対して接続を構築した後、第３のタスクを実行するために第２のユーザ機器が必要とする測定設定情報をアクセスネットワークデバイスが設定する段階であって、第３のタスクは、第１のユーザ機器に代わって第２のユーザ機器が実行するタスクであり、ネットワークデバイスと通信するために第１のユーザ機器が必要とするタスクである、段階と、第２のユーザ機器に測定設定情報をアクセスネットワークデバイスが送信する段階であって、第２のユーザ機器が測定設定情報にしたがって第３のタスクを実行することになり、第３のタスクは、測定設定情報にしたがって測定を実行すること、ネットワークデバイスに測定結果を送信すること、または、ランダムアクセス方式でターゲットネットワークデバイスにハンドオーバーされるプロセスを実行すること、のうち少なくとも１つを含み得る、段階とを備えるとしてよい。本発明の本実施形態を利用することで、第１のユーザ機器は通信プロセスにおいて第２のユーザ機器を利用して測定タスクを実行するとしてよく、これによって、第１のユーザ機器の消費エネルギーを少なくすることができ、スタンバイ時間を長くすることができる。
【００７７】
可能な設計において、第２のユーザ機器に測定設定情報をアクセスネットワークデバイスが送信する段階は、指示情報を第２のユーザ機器にアクセスネットワークデバイスが送信する段階であって、指示情報は第３のタスクを実行するよう第２のユーザ機器に命令するために利用され、指示情報はさらに測定設定情報を保持し得る、段階を含むとしてよい。本発明の本実施形態を利用することで、第２のユーザ機器には測定設定情報が通知されるとしてよく、第２のユーザ機器はプロキシ測定プロセスを開始するよう命じられる。
【００７８】
可能な設計において、上記の方法はさらに、第２のユーザ機器に指示情報をアクセスネットワークデバイスが送信する段階を備え、指示情報は、測定設定情報にしたがって、第３のタスクを実行するよう第２のユーザ機器に命令するために利用される。本発明の本実施形態において、指示情報は自身で送信されるとしてよく、測定設定情報は、プロキシ測定プロセスを開始すると第２のユーザ機器が決定した後で、第２のユーザ機器に送信される。
【００７９】
可能な設計において、設定情報は、ＲＲＭ測定設定情報および／またはＣＳＩ測定設定情報を含むとしてよい。ＲＲＭ測定および／またはＣＳＩ測定のプロキシ測定は、上記の方法を利用して実現するとしてよく、これによって第１のユーザ機器の消費エネルギーが少なくなる。
【００８０】
可能な設計において、上記の方法はさらに、ターゲットアクセスネットワークデバイスまたはターゲットセルに第１のユーザ機器をハンドオーバーする必要があると決定する場合に、第２のユーザ機器に第１のハンドオーバーコマンドをアクセスネットワークデバイスが送信する段階を備え、第１のハンドオーバーコマンドはターゲットアクセスネットワークデバイスまたはターゲットセルに関する情報を含む。本発明の本実施形態を利用することで、ハンドオーバー処理は、第１のユーザ機器の代わりに第２のユーザ機器において実行されるとしてよい。これによって、第１のユーザ機器の消費エネルギーが少なくなり、第１のユーザ機器が通常の通信を実行できることが確実になり得る。
【００８１】
可能な設計において、上記の方法はさらに、第２のユーザ機器をターゲットアクセスネットワークデバイスまたはターゲットセルにハンドオーバーすると決定した後で、ハンドオーバー指示シグナリングを第１のユーザ機器にアクセスネットワークデバイスが送信する段階を備え、ハンドオーバー指示シグナリングは、物理層情報、ＭＡＣシグナリングまたはＲＲＣシグナリングである。本発明の本実施形態を利用することで、第１のユーザ機器の高速ハンドオーバーを実現するとしてよい。
【００８２】
可能な設計において、ハンドオーバー指示シグナリングはさらに、ターゲットアクセスネットワークデバイスに対して、もしくは、ターゲットセル内で第１のユーザ機器が利用する必要があるアップリンクタイミング事前情報もしくはアップリンク事前調整情報、または、ターゲットアクセスネットワークデバイスに対して、もしくは、ターゲットセル内で第１のユーザ機器が利用する必要があるアップリンク送信電力情報もしくはアップリンク送信電力調整情報のうち任意の１または複数を含むとしてよい。
【００８３】
可能な設計において、上記の方法はさらに、第１のユーザ機器と第２のユーザ機器との間のグループに関する情報または第１のユーザ機器と第２のユーザ機器との間の対応関係に関する情報を、アクセスネットワークデバイスがターゲットアクセスネットワークデバイスに送信する段階であって、グループまたは対応関係は、第１のユーザ機器が、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定することのうち少なくとも１つのタスクを第２のユーザ機器を利用して実行することを意味する、段階を備える。上記の方法を利用することで、第１のユーザ機器の高速ハンドオーバーを実現するとしてよい。
【００８４】
さらに別の態様によると、本願の実施形態は通信方法を提供する。当該方法は、ネットワークデバイスに対する接続を第１のユーザ機器が構築する段階と、ネットワークデバイスが送信するセキュリティモードアクティブ化コマンドを第１のユーザ機器が直接受信する段階と、コントロールプレーン上でのデータ送信のための暗号鍵およびインテグリティ保護鍵、ならびに／または、ユーザプレーン上でのデータ送信のための暗号鍵をセキュリティコンテキスト情報にしたがって第１のユーザ機器が生成する段階と、第１のユーザ機器がネットワークデバイスとの間でデータ送信を実行する場合、コントロールプレーン上でのデータ送信のために生成された暗号鍵およびインテグリティ保護鍵を、ならびに／または、ユーザプレーン上でのデータ送信のために生成された暗号鍵を利用する段階と、第２のユーザ機器が送信する鍵更新メッセージを第１のユーザ機器が受信する段階であって、鍵更新メッセージは、ネットワークデバイスが、暗号鍵およびインテグリティ保護鍵を利用して鍵更新メッセージに対して暗号化およびインテグリティ保護を実行した後で、ネットワークデバイスによって第２のユーザ機器に対して送信される、段階と、鍵更新メッセージにしたがって、コントロールプレーン上でのデータ送信のための暗号鍵およびインテグリティ保護鍵、または、ユーザプレーン上でのデータ送信のための暗号鍵のうち任意の１または複数を第１のユーザ機器が更新する段階とを備えるとしてよい。本発明の本実施形態を利用することで、第１のユーザ機器とネットワークデバイスとの間のセキュリティ鍵、および、第２のユーザ機器とネットワークデバイスとの間のセキュリティ鍵は、互いに独立したものであるとしてよく、互いに不可視である。これによって、第１のユーザ機器とネットワークデバイスとの間の直接データ送信の機密性が保証される。これに加えて、鍵更新プロセスは第２のユーザ機器を利用して更新されるとしてよい。これによって、第１のユーザ機器の消費エネルギーが少なくなり、スタンバイ時間が長くなる。
【００８５】
可能な設計において、コントロールプレーン上でのデータ送信のための暗号鍵およびインテグリティ保護鍵、ならびに／または、ユーザプレーン上でのデータ送信のための暗号鍵をセキュリティコンテキスト情報にしたがって第１のユーザ機器が生成する段階は、セキュリティコンテキスト情報にしたがって第１のユーザ機器が第１の鍵を生成する段階、第１の鍵、ＮＡＳ  ＣＯＵＮＴ情報、ネットワークデバイスの識別子、または、第２のユーザ機器の識別子のうち１または複数にしたがって第２の鍵を第１のユーザ機器が生成する段階、コントロールプレーン上のデータ送信のための暗号鍵およびインテグリティ保護鍵、ならびに／または、ユーザプレーン上でのデータ送信のための暗号鍵を、ネットワークデバイスのためのセキュリティアルゴリズムにしたがって第２の鍵から第１のユーザ機器が算出する段階、第１のユーザ機器がネットワークデバイスとの間でデータ送信を実行する場合、暗号鍵を利用してコントロールプレーン上でデータを暗号化もしくは復号化する段階、インテグリティ保護鍵を利用してコントロールプレーン上でデータに対してインテグリティ保護を実行するかもしくはインテグリティ保護鍵を利用してコントロールプレーン上でデータのインテグリティを検証する段階、および／または、暗号鍵を利用してユーザプレーン上でデータを復号化もしくは暗号化する段階を含むとしてよい。
【００８６】
さらに別の態様によると、本願の実施形態は通信方法を提供する。当該方法は、第１のユーザ機器に対する接続をネットワークデバイスが構築する段階と、第１のユーザ機器がセキュリティコンテキスト情報にしたがってコントロールプレーン上のデータ送信のための暗号鍵およびインテグリティ保護鍵および／またはユーザプレーン上のデータ送信のための暗号鍵を生成するように、第１のユーザ機器に対してセキュリティモードアクティブ化コマンドをアクセスネットワークデバイスが送信する段階と、アクセスネットワークデバイスがネットワークデバイスと第１のユーザ機器との間の鍵を更新する必要があると決定する場合に、専用メッセージを利用して第２のユーザ機器に対して鍵更新メッセージを第１のアクセスネットワークデバイスが送信する段階であって、第２のユーザ機器が鍵更新メッセージを第１のユーザ機器に対して送信することになり、鍵更新メッセージは、ネットワークデバイスが暗号鍵およびインテグリティ保護鍵を利用して暗号化およびインテグリティ保護を鍵更新メッセージに実行した後、第２のユーザ機器に対してネットワークデバイスによって送信される、段階とを備えるとしてよい。本発明の本実施形態を利用することで、第１のユーザ機器とネットワークデバイスとの間のセキュリティ鍵、および、第２のユーザ機器とネットワークデバイスとの間のセキュリティ鍵は、互いに独立したものであるとしてよく、互いに不可視である。これによって、第１のユーザ機器とネットワークデバイスとの間の直接データ送信の機密性が保証される。これに加えて、鍵更新プロセスは第２のユーザ機器を利用して更新されるとしてよい。これによって、第１のユーザ機器の消費エネルギーが少なくなり、スタンバイ時間が長くなる。
【００８７】
可能な設計において、上記の方法はさらに、鍵更新メッセージを第１のユーザ機器に転送するよう第２のユーザ機器に命令する指示情報を、第２のユーザ機器に対してアクセスネットワークデバイスが送信する段階を備える。
【００８８】
さらに別の態様によると、本願の実施形態はユーザ機器を提供する。当該ユーザ機器は、第１のユーザ機器であってよく、
プロセッサであって、第２のユーザ機器を利用して第１のタスクを実行することによって、ネットワークデバイスとの通信に必要とされる第１の結果を取得すると決定するよう構成されており、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含む、プロセッサと、
第２のユーザ機器が送信する第１の結果を受信するよう構成されている受信機であって、第１の結果は第１のタスクを実行することによって第２のユーザ機器によって取得される、受信機と
を備え、
プロセッサはさらに、第１の結果を利用してネットワークデバイスと通信するよう構成されている。
【００８９】
可能な設計において、第１のタスクは、セルサーチ、セル測定、セル選択、セル再選択、セルシステム情報リスニング、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定することのうち１または複数のタスクを含む。
【００９０】
可能な設計において、プロセッサはさらに、第２のタスクのみを実行するよう構成されており、第２のタスクは、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報またはアップリンク送信電力調整情報を決定すること、サービングセルで利用するアップリンクタイミング事前情報またはアップリンク事前調整情報を決定すること、トラッキングエリアを決定すること、および、トラッキングエリアを更新すると決定することのうち、第１のタスク以外のタスクを含む。
【００９１】
可能な設計において、受信機はさらに、第２のユーザ機器またはネットワークデバイスが送信する第１の指示情報を受信するよう構成されており、第１の指示情報は第２のタスクを実行するよう命令するために利用される。
【００９２】
可能な設計において、ユーザ機器はさらに、第１の結果を格納するよう構成されているメモリを備える。これにより、プロセッサはさらに、第１のユーザ機器がネットワークデバイスと通信する必要がある場合に、格納されている第１の結果を取得するよう構成されている。
【００９３】
可能な設計において、ユーザ機器はさらに、第１の要求メッセージを第２のユーザ機器に送信するよう構成されている送信機を備え、第１の要求メッセージは第１の結果を要求するために利用される。
【００９４】
可能な設計において、プロセッサはさらに、通信を実行するべく、第１の結果を利用してネットワークデバイスに対して直接接続を構築するよう、または、第１の結果および第２のユーザ機器を利用してネットワークデバイスと間接的に通信するよう構成されている。
【００９５】
可能な設計において、受信機はさらに、第２のユーザ機器が送信するグループ構築確認メッセージを受信するよう構成されており、グループ構築確認メッセージは、第１のユーザと第２のユーザ機器との間にグループが構築されている旨を示すために利用される。
【００９６】
可能な設計において、送信機はさらに、第２の要求メッセージを第２のユーザ機器に送信するよう構成されており、第２の要求メッセージは、第１のユーザ機器と第２のユーザ機器との間にグループを構築するよう要求するために利用される。
【００９７】
可能な設計において、受信機はさらに、第２のユーザ機器が送信するページングメッセージを受信するよう構成されており、ページングメッセージのページングオブジェクトは第１のユーザ機器であり、または、第２のユーザ機器が送信するページングメッセージのコンテンツの一部または全てを第１のユーザ機器によって受信するよう構成されており、ページングメッセージは、ネットワークデバイスが送信して、第２のデバイスが受信し、または、第２のユーザ機器が送信するサービス通知メッセージを第１のユーザ機器によって受信するよう構成されており、サービス通知メッセージは、ネットワークデバイスが送信した受信ページングメッセージにしたがって第２のデバイスが決定する。
【００９８】
可能な設計において、プロセッサはさらに、予め設定された条件が満たされる場合に、グループを解除するよう決定するよう構成されている。
【００９９】
可能な設計において、予め設定された条件が満たされることは、
第１のユーザ機器と第２のユーザ機器との間の距離もしくは信号の品質がしきい値に到達すること、または、
第１のユーザ機器が、第２のユーザ機器もしくはネットワークデバイスが送信するグループ解除指示情報を受信すること、または、
第１のユーザ機器が、人間−機械インターフェースを利用することで、または、アプリケーション層から、グループ解除指示情報を受信すること
を含む。
【０１００】
可能な設計において、プロセッサはさらに、グループを解除した後、第１のタスクの実行を第１のユーザ機器によって開始もしくは再開するよう構成されているか、または、第１のユーザ機器によって現在のサービングセルに継続してキャンプオンするよう構成されている。
【０１０１】
可能な設計において、送信機はさらに、第３の要求メッセージを第２のユーザ機器に送信するよう構成されており、第３の要求メッセージは、第１のユーザ機器と第２のユーザ機器との間のグループを解除するよう命令するために利用される。
【０１０２】
可能な設計において、送信機はさらに、グループを解除した後で第１のユーザ機器が第２のユーザ機器と同じセルまたは同じトラッキングエリアに継続して存在するか否かを第２のユーザ機器に第１のユーザ機器によって通知するよう構成されている。
【０１０３】
さらに別の態様によると、本願の実施形態は、ユーザ機器を提供する。当該ユーザ機器は第２のユーザ機器であってよく、
ネットワークデバイスとの通信に必要な第１の結果を取得するべく第１のタスクを実行するよう構成されているプロセッサであって、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む、プロセッサと、
第１のユーザ機器が第１の結果を利用してネットワークデバイスと通信するように、第１の結果を第１のユーザ機器に送信するよう構成されている送信機とを備える。
【０１０４】
可能な設計において、プロセッサはさらに、
セル測定を実行して、サービングセル測定結果および／もしくは隣接セル測定結果を取得すること、
セル選択もしくはセル再選択を実行し、選択もしくは再選択されたセルに関する情報を決定すること、
キャンプオンする予定のセルもしくはサービングセルのシステム情報をリスニングして、キャンプオンする予定のセルもしくはサービングセルのシステム情報が変化する場合にキャンプオンする予定のセルもしくはサービングセルの変化後のシステム情報を決定すること、または、
ページングメッセージをリスニングして、ページングオブジェクトが第１のユーザ機器であるページングメッセージがリスニングによって取得されると決定すること、
のうち少なくとも１つを実行するよう構成されており、
送信機はさらに、第４の要求メッセージをネットワークデバイスに送信するよう構成されており、第４の要求メッセージは、ネットワークデバイスが提供するサービスについて必要なパラメータ情報を取得するために利用され、第２のユーザ機器は、
ネットワークデバイスが送信する第１の応答メッセージを受信し、第１の応答メッセージは、パラメータ情報を含み、パラメータ情報は、アップリンク送信電力情報もしくはアップリンク送信電力調整情報、アップリンクタイミング事前情報もしくはアップリンク事前調整情報、または、設定パラメータのうち少なくとも１つを含み、設定パラメータは、物理層設定パラメータ、媒体アクセス制御ＭＡＣ層設定パラメータ、無線リンク制御ＲＬＣ層設定パラメータ、パケットデータコンバージェンスプロトコルＰＤＣＰ層設定パラメータ、または、無線リソース制御ＲＲＣ設定パラメータのうち少なくとも１つのパラメータを含む。
【０１０５】
可能な設計において、上記のユーザ機器はさらに、第１のユーザ機器が送信する第１の要求メッセージを受信するよう構成されている受信機であって、第１の要求メッセージは第１の結果を要求するために利用される、受信機を備える。
【０１０６】
可能な設計において、プロセッサはさらに、第１のユーザ機器と第２のユーザ機器との間にグループを構築するよう決定するよう構成されており、グループは、第１のユーザ機器および第２のユーザ機器がネットワークデバイスとの通信のために利用される少なくとも１つの情報を共有する旨を示し、
送信機はさらに、グループが第１のユーザ機器と第２のユーザ機器との間に構築されている旨を示すべく、第１のユーザ機器にグループ構築確認メッセージを送信するよう構成されている。
【０１０７】
可能な設計において、送信機はさらに、グループ構築要求メッセージをネットワークデバイスに送信するよう構成されており、グループ構築要求メッセージがグループに関する情報を含むことにより、ネットワークデバイスはグループ構築メッセージにしたがってグループを構築し、
受信機はさらに、ネットワークデバイスが送信するグループ構築確認メッセージを受信するよう構成されている。
【０１０８】
可能な設計において、グループは、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を、第１のユーザ機器および第２のユーザ機器が共有する旨を示す。
【０１０９】
可能な設計において、送信機はさらに、第１のユーザ機器および第２のユーザ機器が１つのグループに含まれている旨をネットワークデバイスに通知するべく、グループに関する情報をネットワークデバイスに送信するよう構成されている。
【０１１０】
可能な設計において、受信機はさらに、第１のユーザ機器が送信するグループ構築要求メッセージを受信するよう構成されているか、または
プロセッサはさらに、第１のユーザ機器と第２のユーザ機器との間にグループを構築する必要があると決定するよう構成されている。
【０１１１】
可能な設計において、グループに関する情報は、グループ固有識別子、第１のユーザ機器の識別子、または、第２のユーザ機器の識別子のうち任意の１または複数を含む。
【０１１２】
可能な設計において、受信機はさらに、ネットワークデバイスが送信するページングメッセージを受信するよう構成されており、ページングメッセージはグループのグループ情報を含み、または、ページングメッセージは第１のユーザ機器の識別子を含み、または、ページングメッセージは第１のユーザ機器の識別子およびグループ処理を実行するか否かを示す指示を含み、または、ページングメッセージは第１のユーザ機器の識別子およびページングメッセージを第１のユーザ機器に転送するか否かを示す指示を含み、または、ページングメッセージは、第１のユーザ機器の識別子および第２のユーザ機器の識別子を含む。
【０１１３】
可能な設計において、送信機はさらに、ページングメッセージを第１のユーザ機器に転送するか、または、ページングメッセージのコンテンツの一部または全てを第１のユーザ機器に送信するか、または、サービス通知メッセージを第１のユーザ機器に送信するよう構成されており、サービス通知メッセージは、ネットワークデバイスが送信する受信したページングメッセージにしたがって第２のデバイスが決定する。
【０１１４】
可能な設計において、プロセッサはさらに、予め設定された条件が満たされる場合に、グループを第２のユーザ機器によって解除するよう構成されている。
【０１１５】
可能な設計において、予め設定された条件が満たされることは、
第１のユーザ機器と第２のユーザ機器との間の距離もしくは信号の品質がしきい値に到達すること、または、
第２のユーザ機器が、第１のユーザ機器もしくはネットワークデバイスが送信するグループ解除指示情報を受信すること、または、
第２のユーザ機器が、人間−機械インターフェースを利用することで、または、アプリケーション層から、グループ解除指示情報を受信すること
を含む。
【０１１６】
可能な設計において、送信機はさらに、グループ解除指示情報をネットワークデバイスに送信するよう構成されており、指示情報は、第１のユーザ機器と第２のユーザ機器との間のグループを解除するよう命令するために利用される。
【０１１７】
可能な設計において、プロセッサはさらに、ネットワークデバイスへのランダムアクセスプロセスまたはロケーション更新プロセスを実行するよう構成されており、および、送信機はさらに、ランダムアクセスプロセスまたはロケーション更新プロセスにおいて、グループ解除指示情報をネットワークデバイスに送信するよう構成されている。
【０１１８】
可能な設計において、第２のユーザ機器がネットワークデバイスに送信するグループ解除指示情報は、
第１のユーザ機器および第２のユーザ機器が継続して同じセルおよび／または同じトラッキングエリアに存在するか否かを示す指示情報を含む。
【０１１９】
可能な設計において、受信機はさらに、第１のユーザ機器が送信するグループ解除指示情報を受信するよう構成されている。グループ解除指示情報は、第１のユーザ機器および第２のユーザ機器が継続して同じセルおよび／または同じトラッキングエリアに存在するか否かを示す指示情報を含む。
【０１２０】
さらに別の態様によると、本願の実施形態はアクセスネットワークデバイスを提供する。当該アクセスネットワークデバイスは、
第１のユーザ機器と第２のユーザ機器との間の対応関係に関する指示情報であって、第２のユーザ機器が送信する指示情報を受信するよう構成されている受信機であって、対応関係は、第１のユーザ機器が、第２のユーザ機器を利用して第１のタスクを実行することでネットワークデバイスとの通信に必要な第１の結果を取得することを意味し、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含む、受信機と、
第２のユーザ機器が第１のタスクを実行すると、対応関係に基づいて、決定するよう構成されているプロセッサと
を備える。
【０１２１】
可能な設計において、対応関係の指示情報は、グループに関する情報を含み、グループに関する情報は、第１のユーザ機器と第２のユーザ機器との間にグループが構築される旨を示すために利用される。グループは、第１のユーザ機器が、第２のユーザ機器を利用して第１のタスクを実行することで、ネットワークデバイスとの通信に必要な第１の結果を取得する旨を示す。
【０１２２】
可能な設計において、受信機はさらに、第２のユーザが送信するグループ構築要求メッセージを受信するよう構成されており、グループ構築要求メッセージは、グループに関する情報を保持し、グループに関する情報は、第１のユーザ機器の識別子および第２のユーザ機器の識別子を含み、グループ構築要求メッセージは、第１のユーザ機器と第２のユーザ機器との間にグループを構築するよう命令するために利用される。
【０１２３】
可能な設計において、プロセッサはさらに、グループ構築要求メッセージにしたがって第１のユーザ機器と第２のユーザ機器との間にグループを構築するよう構成されており、グループの識別子を生成するよう構成されている。
【０１２４】
可能な設計において、アクセスネットワークデバイスはさらに、グループ構築確認メッセージを第２のユーザ機器に送信するよう構成されている送信機を備え、グループ構築確認メッセージはアクセスネットワークデバイスがグループ構築に同意している旨を示すべく利用される。
【０１２５】
可能な設計において、プロセッサはさらに、ページングオブジェクトが第１のユーザ機器であるページングメッセージをプロセッサが送信する必要がある場合に、対応関係の情報にしたがって当該ページングメッセージを第２のユーザ機器に送信するよう構成されている。
【０１２６】
可能な設計において、第２のユーザ機器に送信されるページングメッセージはグループに関する情報を含み、または、ページングメッセージは第１のユーザ機器の識別子を含み、または、第２のユーザ機器に送信されるページングメッセージは第１のユーザ機器の識別子およびグループ処理を実行するか否かを示す指示を含み、または、ページングメッセージは第１のユーザ機器の識別子およびページングメッセージを第１のユーザ機器に転送するか否かを示す指示を含み、または、ページングメッセージは、第１のユーザ機器の識別子および第２のユーザ機器の識別子を含む。
【０１２７】
可能な設計において、送信機はさらに、グループに関する情報をコアネットワークデバイスに送信するよう構成されている。
【０１２８】
さらに別の態様によると、本願の実施形態はコアネットワークデバイスを提供する。当該コアネットワークデバイスは、
第１のユーザ機器と第２のユーザ機器との間の対応関係に関する指示情報であって、アクセスネットワークデバイスが送信する指示情報を受信するよう構成されている受信機であって、対応関係は、第１のユーザ機器が、第２のユーザ機器を利用して第１のタスクを実行することでネットワークデバイスとの通信に必要な第１の結果を取得することを意味し、ネットワークデバイスはコアネットワークデバイスおよびアクセスネットワークデバイスを含む、受信機と、
対応関係に基づいて第１のユーザ機器と通信するよう構成されているプロセッサと
を備える。
【０１２９】
可能な設計において、受信機はさらに、アクセスネットワークデバイスが送信するグループ構築要求メッセージを受信するよう構成されており、グループ構築要求メッセージは、グループに関する情報を保持し、グループに関する情報は、第１のユーザ機器の識別子および第２のユーザ機器の識別子を含み、
プロセッサはさらに、グループ構築要求にしたがって第１のユーザ機器と第２のユーザ機器との間にグループを構築するよう構成されており、グループの識別子を生成するよう構成されている。
【０１３０】
可能な設計において、コアネットワークデバイスはさらに、グループ構築確認メッセージをアクセスネットワークデバイスに送信するよう構成されている送信機を備え、グループ構築確認メッセージはグループの識別子を含む。
【０１３１】
可能な設計において、送信機はさらに、ページングオブジェクトが第１のユーザ機器であるページングメッセージを送信機が送信する必要がある場合に、対応関係にしたがって当該ページングメッセージをアクセスネットワークデバイスに送信するよう構成されており、当該ページングメッセージを第２のユーザ機器に送信するようアクセスネットワークデバイスに命令するよう構成されている。
【０１３２】
さらに別の態様によると、本願の実施形態はユーザ機器を提供する。当該ユーザ機器は第１のユーザ機器であり、
ネットワークデバイスに対する接続を構築するよう構成されているプロセッサであって、
第２のユーザ機器を利用して、または、第２のユーザ機器の支援を受けて、第３のタスクを第１のユーザ機器によって実行するよう構成されている
プロセッサを備え、
第３のタスクは、第１のユーザ機器とネットワークデバイスとの間の通信のために必要なタスクであり、第３のタスクは、測定設定情報にしたがって測定を実行すること、ネットワークデバイスに測定結果を送信すること、または、ランダムアクセス方式でターゲットセルまたはターゲット基地局にハンドオーバーされること、のうち少なくとも１つを含む。
【０１３３】
可能な設計において、測定設定情報は、無線リソース管理ＲＲＭ測定設定情報および／またはチャネル状態指示情報ＣＳＩ測定設定情報を含む。
【０１３４】
可能な設計において、測定設定情報は、第１の測定設定情報および／または第２の測定設定情報を含み、第１の測定設定情報は、第１のユーザ機器のためにネットワークデバイスによって設定され、第２の測定設定情報は第２のユーザのためにネットワークデバイスによって設定される。
【０１３５】
可能な設計において、ユーザ機器はさらに、第２のユーザ機器が送信する第１の測定設定情報および／または第２の測定設定情報を受信するよう構成されている受信機を備える。
【０１３６】
可能な設計において、受信機はさらに、第２のユーザ機器が送信する第１の測定結果を受信するよう構成されており、第１の測定結果は第１の測定設定情報および／または第２の測定設定情報にしたがって測定を実行することによって第２のユーザ機器によって取得される。
【０１３７】
可能な設計において、プロセッサはさらに、第２の測定結果を取得するべく第１の測定設定情報および／または第２の測定設定情報にしたがって測定を実行するよう構成されており、
ユーザ機器はさらに送信機を備え、当該送信機は、第１の測定結果と第２の測定結果との間の差分が予め設定されたしきい値を超える場合、第１の測定結果と第２の測定結果との間の差分が予め設定されたしきい値を超えている旨を、第２のユーザ機器に通知するよう構成されているか、または、測定設定情報にしたがって実行される測定を中止するよう第２のユーザ機器に命令するよう構成されているか、または、第１のユーザ機器が自律的に測定を実行し始める旨を第２のユーザ機器に通知するよう構成されているか、または、第２のユーザ機器が第２の測定結果にしたがって検証を実行するように、定期的またはイベントトリガ方式で第２の測定結果を第２のユーザ機器に第１のユーザ機器が送信するよう構成されている。
【０１３８】
可能な設計において、受信機はさらに、第２のユーザ機器が送信するハンドオーバー情報を受信するよう構成されており、ハンドオーバー情報は、ターゲットセルに関する情報、ターゲットセルで利用されるアップリンクタイミング事前情報もしくはアップリンク事前調整情報、および／または、ターゲットセルで利用されるアップリンク送信電力情報もしくはアップリンク送信電力調整情報を含み、
プロセッサはさらに、ハンドオーバー情報を利用してネットワークデバイスと通信するよう構成されている。
【０１３９】
可能な設計において、受信機はさらに、ネットワークデバイスまたは第２のユーザ機器が送信するハンドオーバー指示シグナリングを受信するよう構成されており、ハンドオーバーのコマンドは、物理層制御シグナリング、ＭＡＣシグナリングまたはＲＲＣシグナリングであってよく、
プロセッサはさらに、ハンドオーバー情報を利用して、ハンドオーバー指示シグナリングにしたがって、ターゲットセルまたはターゲット基地局に直接アクセスするように構成されている。
【０１４０】
可能な設計において、プロセッサはさらに、第４のタスクを実行するように構成されており、第４のタスクは、ネットワークデバイスが直接送信するダウンリンクデータを受信すること、ネットワークデバイスが直接送信するダウンリンク制御シグナリングを受信すること、ネットワークデバイスにスケジューリング要求シグナリングを直接送信すること、ネットワーク側デバイスからセキュアアクティブ化に関連するシグナリングを直接受信すること、セキュアアクティブ化に関連するシグナリングをネットワークデバイスに直接送信すること、または、ネットワークデバイスにＣＳＩ測定結果情報を直接フィードバックすること、のうち少なくとも１つを含む。
【０１４１】
可能な設計において、プロセッサはさらに、第２の結果を取得するべく第４のタスクを実行するよう構成されており、第２の結果は、ダウンリンクデータまたはダウンリンク制御シグナリングをデコードすることによって第１のユーザ機器が取得するＨＡＲＱ情報を含み、ＨＡＲＱ情報は、ダウンリンクデータが正しくデコードされているか否かを示している情報であり、そして、
送信機はさらに、ＨＡＲＱ情報をネットワークデバイスに直接フィードバックするよう構成されており、または、
プロセッサはさらに、第２の結果を取得するべく第４のタスクを実行するよう構成されており、第２の結果は、ダウンリンク制御シグナリングの処理またはセキュアアクティブ化に関連するシグナリングの処理が正しく完了したと第１のユーザ機器が決定することを含み、そして、
送信機はさらに、ネットワークデバイスに、ダウンリンク制御シグナリングの処理が完了しているか否かを示すフィードバック情報を直接フィードバックするよう構成されている。
【０１４２】
さらに別の態様によると、本願の実施形態はユーザ機器を提供する。ユーザ機器は、第２のユーザ機器であってよく、
ネットワークデバイスが送信する測定設定情報を受信するよう構成されている受信機であって、測定設定情報は第３のタスクを実行するために利用され、第３のタスクは、第１のユーザ機器に代えて第２のユーザ機器によって実行されるタスクであって、ネットワークデバイスとの通信に必要なタスクである、受信機と、
第３のタスクを実行するよう構成されているプロセッサであって、第３のタスクは、測定設定情報にしたがって測定を実行すること、ネットワークデバイスに測定結果を送信すること、または、ランダムアクセス方式でターゲット基地局にハンドオーバーされるプロセスを実行すること、のうち少なくとも１つを含む、プロセッサと
を備える。
【０１４３】
可能な設計において、プロセッサはさらに、第１のユーザ機器がネットワークデバイスに対する接続を構築すると決定するよう構成されており、または、
受信機はさらに、第１のユーザ機器またはネットワークデバイスが送信する第１の指示情報を受信するよう構成されており、第１の指示情報は第３のタスクを実行するよう第２のユーザ機器に要求または命令するために利用される。
【０１４４】
可能な設計において、ユーザ機器はさらに、ネットワークデバイスに測定設定情報取得要求を送信するよう構成されている送信機を備え、
受信機はさらに、ネットワークデバイスが送信する測定設定情報を受信するよう構成されている。
【０１４５】
可能な設計において、測定設定情報は、無線リソース管理ＲＲＭ測定設定情報および／またはチャネル状態指示情報ＣＳＩ測定設定情報を含む。
【０１４６】
可能な設計において、測定設定情報は、第１の測定設定情報および／または第２の測定設定情報を含み、第１の測定設定情報は、第１のユーザ機器のためにネットワークデバイスによって設定され、第２の測定設定情報は第２のユーザのためにネットワークデバイスによって設定される。
【０１４７】
可能な設計において、測定設定情報はさらに、第２の指示情報を含み、第２の指示は、第１の測定設定情報を第２のユーザ機器のために利用可能であるか否かを示すために、または、測定設定情報が第２の測定設定情報を含む旨を示すために、そして、第２の測定設定情報を第１のユーザ機器のために利用可能であるか否かを示すために利用される。
【０１４８】
可能な設計において、プロセッサはさらに、第１の測定結果を取得するべく第１の測定設定情報および／または第２の測定設定情報にしたがって測定を実行するように構成されており、
送信機はさらに、第１の測定結果をネットワークデバイスに送信するよう構成されている。
【０１４９】
可能な設計において、プロセッサはさらに、第１の測定結果を取得するべく、第１の測定設定情報および第２の測定設定情報にしたがって総合測定を実行するよう構成されているか、または、第１の測定結果を取得するべく第１の測定設定情報にしたがって測定を実行するよう構成されている。
【０１５０】
可能な設計において、送信機はさらに、測定設定情報を第１のユーザ機器に送信するよう構成されている。
【０１５１】
可能な設計において、送信機はさらに、第１の測定結果が特定のしきい値を満たす場合に、第１の測定結果を第１のユーザ機器に送信するよう構成されているか、または、第１の測定結果を第１のユーザ機器に、定期的またはイベントトリガ方式で、送信するよう構成されている。
【０１５２】
可能な設計において、受信機はさらに、第１のユーザ機器が送信する第２の測定結果を受信するよう構成されており、第２の測定結果は、第１の測定設定情報および／または第２の測定設定情報にしたがって測定を第１のユーザ機器が実行することによって取得され、
プロセッサはさらに、第１の測定結果と第２の測定結果との間の差分が予め設定されたしきい値を超える場合、第１のユーザ機器に代わって測定設定情報にしたがって実行している測定を中止するよう構成されており、または、
送信機はさらに、第１の測定結果と第２の測定結果との間の差分が予め設定されたしきい値を超える場合、第１の測定結果と第２の測定結果との間の差分が予め設定されたしきい値を超える旨を第１のユーザ機器に通知するよう構成されているか、または、第１のユーザ機器に測定を自律的に実行するよう命令するよう構成されている。
【０１５３】
可能な設計において、第１の測定結果と第２の測定結果との間の差分が予め設定されたしきい値を超えることは、
第１の測定結果と第２の測定結果との間の差分が予め設定された期間内に予め設定されたしきい値を超えることを含む。
【０１５４】
可能な設計において、
受信機はさらに、ネットワークデバイスが送信するハンドオーバーコマンドを受信するよう構成されており、ハンドオーバーコマンドはターゲットセルに関する情報を含み、
プロセッサはさらに、ターゲットセルに関する情報にしたがってターゲットセルにハンドオーバーされるよう構成されている。
【０１５５】
可能な設計において、ネットワークデバイスはターゲットアクセスネットワークデバイスを含み、ハンドオーバーコマンドはさらに、ターゲットアクセスネットワークデバイスに関する情報を含み、プロセッサはさらに、ターゲットアクセスネットワークデバイスに関する情報およびターゲットセルに関する情報にしたがってターゲットアクセスネットワークデバイスにハンドオーバーされるよう構成されている。
【０１５６】
可能な設計において、送信機はさらに、ターゲットアクセスネットワークデバイスに対して、第１のユーザ機器と第２のユーザ機器との間のグループに関する情報、または、第１のユーザ機器と第２のユーザ機器との間の対応関係に関する情報を送信するよう構成されており、対応関係は、第１のユーザ機器が第２のユーザ機器を利用して、セルサーチ、セル測定、セル選択、セル再選択、セルシステム情報変化リスニング、セルシステム情報受信、セルページングメッセージリスニング、セルページングメッセージ受信、サービングセルで利用されるアップリンク送信電力情報もしくはアップリンク送信電力調整情報を決定すること、サービングセルで利用されるアップリンクタイミング事前情報もしくはアップリンク事前調整情報を決定すること、トラッキングエリアを決定すること、または、トラッキングエリアを更新すると決定すること、のうち少なくとも１つのタスクを実行する旨を意味する。
【０１５７】
可能な設計において、プロセッサはさらに、ターゲットセルに関する情報および／もしくはターゲット基地局に関する情報、ターゲットセルで利用されるアップリンクタイミング事前情報もしくはアップリンク事前調整情報、ならびに／または、ターゲットセルで利用されるアップリンク送信電力情報もしくはアップリンク送信電力調整情報を取得するように構成されており、送信機はさらに、第１のユーザ機器に対してハンドオーバー情報を送信するように構成されており、ハンドオーバー情報は、ターゲットセルに関する情報および／もしくはターゲット基地局に関する情報、ターゲットセルで利用されるアップリンクタイミング事前情報もしくはアップリンク事前調整情報、ならびに／または、ターゲットセルで利用されるアップリンク送信電力情報もしくはアップリンク送信電力調整情報を含む。
【０１５８】
可能な設計において、送信機はさらに、第１のユーザ機器に対してハンドオーバー指示シグナリングを送信するよう構成されており、ハンドオーバー指示シグナリングは、ハンドオーバー情報を利用してターゲットセルまたはターゲット基地局に直接アクセスするよう第１のユーザ機器に命令するべく、ハンドオーバー情報を保持している。
【０１５９】
さらに別の態様によると、本願の実施形態はアクセスネットワークデバイスを提供する。当該アクセスネットワークデバイスは、
アクセスネットワークデバイスが第１のユーザ機器に対する接続を構築した後、第３のタスクを実行するために第２のユーザ機器が必要とする測定設定情報を設定するよう構成されているプロセッサであって、第３のタスクは、第１のユーザ機器に代えて第２のユーザ機器によって実行されるタスクであって、ネットワークデバイスと通信するために第１のユーザ機器が必要とするタスクである、プロセッサと、
測定設定情報にしたがって第３のタスクを第２のユーザ機器が実行するべく、第２のユーザ機器に対して測定設定情報を送信するよう構成されている送信機であって、第３のタスクは、測定設定情報にしたがって測定を実行すること、ネットワークデバイスに測定結果を送信すること、または、ランダムアクセス方式でターゲットネットワークデバイスにハンドオーバーされるプロセスを実行することのうち少なくとも１つを含む、送信機と
を備える。
【０１６０】
可能な設計において、送信機は、指示情報を第２のユーザ機器に送信するよう構成されており、指示情報は、第３のタスクを実行するよう第２のユーザ機器に命令するために利用され、指示情報は測定設定情報を保持する。
【０１６１】
可能な設計において、送信機は、指示情報を第２のユーザ機器に送信するよう構成されており、指示情報は、測定設定情報にしたがって第３のタスクを実行するよう第２のユーザ機器に命令するために利用される。
【０１６２】
可能な設計において、設定情報は、ＲＲＭ測定設定情報および／またはＣＳＩ測定設定情報を含む。
【０１６３】
可能な設計において、プロセッサはさらに、第１のユーザ機器がターゲットアクセスネットワークデバイスまたはターゲットセルにハンドオーバーされる必要があると決定する場合に、第１のハンドオーバーコマンドを第２のユーザ機器に送信するよう構成されており、第１のハンドオーバーコマンドは、ターゲットアクセスネットワークデバイスまたはターゲットセルに関する情報を含む。
【０１６４】
可能な設計において、送信機はさらに、第２のユーザ機器をターゲットアクセスネットワークデバイスまたはターゲットセルにハンドオーバーすると決定した後で、ハンドオーバー指示シグナリングを第１のユーザ機器に送信するよう構成されており、ハンドオーバー指示シグナリングは、物理層情報、ＭＡＣシグナリングまたはＲＲＣシグナリングである。
【０１６５】
可能な設計において、ハンドオーバー指示シグナリングはさらに、ターゲットアクセスネットワークデバイスに対して、もしくは、ターゲットセル内で第１のユーザ機器が利用する必要があるアップリンクタイミング事前情報もしくはアップリンク事前調整情報、または、ターゲットアクセスネットワークデバイスに対して、もしくは、ターゲットセル内で第１のユーザ機器が利用する必要があるアップリンク送信電力情報もしくはアップリンク送信電力調整情報のうち任意の１または複数を含む。
【０１６６】
可能な設計において、送信機はさらに、ターゲットアクセスネットワークデバイスに対して、第１のユーザ機器と第２のユーザ機器との間のグループに関する情報、または、第１のユーザ機器と第２のユーザ機器との間の対応関係に関する情報を送信するよう構成されており、対応関係は、第１のユーザ機器が第２のユーザ機器を利用して、セルサーチ、セル測定、セル選択、セル再選択、セルシステム情報変化リスニング、セルシステム情報受信、セルページングメッセージリスニング、セルページングメッセージ受信、サービングセルで利用されるアップリンク送信電力情報もしくはアップリンク送信電力調整情報を決定すること、サービングセルで利用されるアップリンクタイミング事前情報もしくはアップリンク事前調整情報を決定すること、トラッキングエリアを決定すること、または、トラッキングエリアを更新すると決定することのうち少なくとも１つのタスクを実行する旨を意味する。
【０１６７】
さらに別の態様によると、本願の実施形態はユーザ機器を提供する。当該ユーザ機器は、
ネットワークデバイスに対する接続を構築するよう構成されているプロセッサと、
ネットワークデバイスが送信するセキュリティモードアクティブ化コマンドを直接受信するよう構成されている受信機と
を備え、
プロセッサはさらに、
コントロールプレーン上でのデータ送信のための暗号鍵およびインテグリティ保護鍵、ならびに／または、ユーザプレーン上でのデータ送信のための暗号鍵をセキュリティコンテキスト情報にしたがって生成するよう構成されており、第１のユーザ機器がネットワークデバイスとの間でデータ送信を実行する場合、コントロールプレーン上でのデータ送信のために生成された暗号鍵およびインテグリティ保護鍵を、ならびに／または、ユーザプレーン上でのデータ送信のために生成された暗号鍵を利用するよう構成されており、
受信機は、第２のユーザ機器が送信する鍵更新メッセージを受信するよう構成されており、鍵更新メッセージは、ネットワークデバイスが、暗号鍵およびインテグリティ保護鍵を利用して鍵更新メッセージに対して暗号化およびインテグリティ保護を実行した後で、ネットワークデバイスによって第２のユーザ機器に対して送信され、
プロセッサはさらに、鍵更新メッセージにしたがって、コントロールプレーン上でのデータ送信のための暗号鍵およびインテグリティ保護鍵、または、ユーザプレーン上でのデータ送信のための暗号鍵のうち任意の１または複数を更新するよう構成されている。
【０１６８】
可能な設計において、プロセッサはさらに、セキュリティコンテキスト情報にしたがって第１の鍵を生成するよう構成されており、
プロセッサはさらに、第１の鍵、ＮＡＳ  ＣＯＵＮＴ情報、ネットワークデバイスの識別子、または、第２のユーザ機器の識別子のうち１または複数にしたがって第２の鍵を生成するよう構成されており、
プロセッサはさらに、コントロールプレーン上のデータ送信のための暗号鍵およびインテグリティ保護鍵、ならびに／または、ユーザプレーン上でのデータ送信のための暗号鍵を、ネットワークデバイスのためのセキュリティアルゴリズムにしたがって第２の鍵から算出するよう構成されており、第１のユーザ機器がネットワークデバイスとの間でデータ送信を実行する場合、暗号鍵を利用してコントロールプレーン上でデータを暗号化もしくは復号化し、インテグリティ保護鍵を利用してコントロールプレーン上でデータに対してインテグリティ保護を実行するかもしくはインテグリティ保護鍵を利用してコントロールプレーン上でデータのインテグリティを検証し、および／または、暗号鍵を利用してユーザプレーン上でデータを復号化もしくは暗号化するよう構成されている。
【０１６９】
さらに別の態様によると、本願の実施形態はネットワークデバイスを提供する。当該ネットワークデバイスは、
第１のユーザ機器に対する接続を構築するよう構成されているプロセッサと、
第１のユーザ機器が、セキュリティコンテキスト情報にしたがって、コントロールプレーン上のデータ送信のための暗号鍵およびインテグリティ保護鍵ならびに／またはユーザプレーン上のデータ送信のための暗号鍵を生成するように、第１のユーザ機器に対してセキュリティモードアクティブ化コマンドを送信するよう構成されている送信機と
を備え、
送信機はさらに、ネットワークデバイスがネットワークデバイスと第１のユーザ機器との間の鍵を更新する必要があると決定する場合に、専用メッセージを利用して第２のユーザ機器に対して鍵更新メッセージを送信するよう構成されているので、第２のユーザ機器が鍵更新メッセージを第１のユーザ機器に対して送信し、鍵更新メッセージは、ネットワークデバイスが暗号鍵およびインテグリティ保護鍵を利用して暗号化およびインテグリティ保護を鍵更新メッセージに実行した後、第２のユーザ機器に対してネットワークデバイスによって送信される。
【０１７０】
可能な設計において、送信機はさらに、鍵更新メッセージを第１のユーザ機器に転送するよう第２のユーザ機器に命令する指示情報を、第２のユーザ機器に対して送信するよう構成されている。
【０１７１】
さらに別の態様によると、本発明の実施形態は通信システムを提供する。当該システムは、上述した態様に係るアクセスネットワークデバイス、第１のユーザ機器および第２のユーザ機器を備える。または、当該システムは、アクセスネットワークデバイス、コアネットワークデバイス、第１のユーザ機器および第２のユーザ機器を備える。
【０１７２】
さらに別の態様によると、本発明の実施形態は、ネットワークデバイスが利用するコンピュータソフトウェア命令を格納するよう構成されているコンピュータ記憶媒体を提供する。コンピュータ記憶媒体は、上述した態様を実行するよう設計されているプログラムを含む。
【０１７３】
さらに別の態様によると、本発明の実施形態は、第１のユーザ機器または第２のユーザ機器が利用するコンピュータソフトウェア命令を格納するよう構成されているコンピュータ記憶媒体を提供する。コンピュータ記憶媒体は、上述した態様を実行するよう設計されているプログラムを含む。
【０１７４】
本発明の実施形態では、第２のユーザ機器が、第１のユーザ機器とネットワークデバイスとの間の通信のために必要となる一部のタスクを実行する。第１のユーザ機器は適宜、第２のユーザ機器と通信する。このようにして、第１のユーザ機器の消費エネルギーが少なくなるとしてよい。このため、スタンバイ時間が長くなり、ユーザ使用感が改善する。
【図面の簡単な説明】
【０１７５】
【図１】本発明の一実施形態による通信システムを示す概略図である。
【０１７６】
【図２】ＬＴＥネットワークのアーキテクチャを示す概略図である。
【０１７７】
【図３】本発明の方法の実施形態に係る概略通信図である。
【０１７８】
【図４】本発明の方法の実施形態に係る別の概略通信図である。
【０１７９】
【図５】本発明の方法の実施形態に係るさらに別の概略通信図である。
【０１８０】
【図６】本発明の方法の実施形態に係るさらに別の概略通信図である。
【０１８１】
【図７】本発明の方法の実施形態に係るさらに別の概略通信図である。
【０１８２】
【図８】本発明の方法の実施形態に係るさらに別の概略通信図である。
【０１８３】
【図９】本発明の方法の実施形態に係るさらに別の概略通信図である。
【０１８４】
【図１０】本発明の方法の実施形態に係るさらに別の概略通信図である。
【０１８５】
【図１１】本発明の方法の実施形態に係るアクセスネットワークデバイスを示す概略構造図である。
【０１８６】
【図１２】本発明の方法の実施形態に係る第２のユーザ機器を示す概略構造図である。
【０１８７】
【図１３】本発明の方法の実施形態に係る第１のユーザ機器を示す概略構造図である。
【０１８８】
【図１４】本発明の方法の実施形態に係るコアネットワークデバイスの設計を示すブロック図である。
【発明を実施するための形態】
【０１８９】
以下では、添付図面および実施形態を参照しつつ本発明の技術的解決手段をさらに詳細に説明する。
【０１９０】
本発明の実施形態をより深く理解していただくべく、以下では具体的な実施形態に基づいて、添付図面を参照しつつ、さらに説明する。実施形態は本発明の実施形態の限定となるものではない。
【０１９１】
図１は本発明の一実施形態に係る通信システムを示す概略図である。図１は、本発明の本実施形態に関するシステムアーキテクチャの一部分の構造を示す概略図である。図１に示すように、システムアーキテクチャは具体的には、第１のユーザ機器１０１、第２のユーザ機器１０２およびアクセスネットワークデバイス１０３を備えるとしてよく、さらにコアネットワークデバイス１０４を備えるとしてもよい。第１のユーザ機器１０１と第２のユーザ機器１０２との間で近距離通信を実行することが可能であり、例えば、Ｂｌｕｅｔｏｏｔｈ（登録商標）、ＷｉＦｉ（登録商標）等を利用した通信を実行することが可能である。第１のユーザ機器１０１および第２のユーザ機器１０２は、通信を実行するべく、アクセスネットワークデバイス１０３を利用してコアネットワークデバイス１０４にアクセスするとしてよく、さらにインターネット通信を実行するべく、コアネットワークを利用してインターネットにアクセスするとしてよい。
【０１９２】
本発明で説明する技術は、ロングタームエボリューション（Ｌｏｎｇ  Ｔｅｒｍ  Ｅｖｏｌｕｔｉｏｎ、ＬＴＥと省略）システム、または、さまざまな無線アクセス技術を利用する他の無線通信システム、例えば、符号分割多元接続、周波数分割多元接続、時分割多元接続、直交周波数分割多元接続およびシングルキャリア周波数分割多元接続等のアクセス技術を利用するシステムに適用されるとしてよい。これに加えて、当該技術はさらに、ＬＴＥシステムの第５世代５Ｇシステム等の上記以降の最新型システムに適用されるとしてもよい。ＬＴＥシステムは、本明細書では分かりやすいように説明例として用いているに過ぎない。ＬＴＥシステムでは、エボルブドＵＭＴＳ地上波無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ，Ｅ−ＵＴＲＡＮと省略）が無線アクセスネットワークの役割を果たし、エボルブドパケットコア（Ｅｖｏｌｖｅｄ  Ｐａｃｋｅｔ  Ｃｏｒｅ、ＥＰＣと省略）がコアネットワークの役割を果たす。ＵＥは、Ｅ−ＵＴＲＡＮおよびＥＰＣを利用してＩＭＳネットワークにアクセスする。
【０１９３】
第１のユーザ機器１０１は、無線通信機能を持つさまざまな手持ちデバイス、車載デバイス、ウェアラブルデバイスもしくはコンピューティングデバイス、または、無線モデムに接続されている別の処理デバイス、および、さまざまな形態のユーザ機器（Ｕｓｅｒ  Ｅｑｕｉｐｍｅｎｔ、ＵＥと省略）、移動局（Ｍｏｂｉｌｅ  ｓｔａｔｉｏｎ、ＭＳと省略）、端末（ｔｅｒｍｉｎａｌ）および端末デバイス（Ｔｅｒｍｉｎａｌ  Ｅｑｕｉｐｍｅｎｔ）を含むとしてよい。説明を簡単にするべく、本願では、上述したデバイスは全て、第１のユーザ機器またはＵＥと総称する。
【０１９４】
第２のユーザ機器１０２は、無線通信機能を持つさまざまなウェアラブルデバイス（ＷＤ、ｗｅａｒａｂｌｅ  ｄｅｖｉｃｅ）、例えば、手首で支持される腕時計およびリストストラップ等の製品、足で支持される靴および靴下もしくは脚に装着するその他の製品、メガネ、ヘルメット、ヘッドバンド等頭で支持されるもの、ならびに、スマート服、スマートスクールバッグ、スマート杖およびスマートアクセサリー等のさまざまな形態の製品を含むとしてよい。第２のユーザ機器１０２はさらに、エネルギーを節約する必要があるユーザ機器、例えば、手持ちデバイス、車載デバイス、ウェアラブルデバイス、コンピューティングデバイス、または、無線モデムに接続されている別の処理デバイス、および、さまざまな形態のユーザ機器（Ｕｓｅｒ  Ｅｑｕｉｐｍｅｎｔ、ＵＥと省略）、移動局（Ｍｏｂｉｌｅ  ｓｔａｔｉｏｎ、ＭＳと省略）、端末（ｔｅｒｍｉｎａｌ）および端末デバイス（Ｔｅｒｍｉｎａｌ  Ｅｑｕｉｐｍｅｎｔ）であってよい。説明を簡単にして第１のユーザ機器と区別することを目的として、本願では、上述したデバイスは全て、第２のユーザ機器またはＷＤと総称する。
【０１９５】
アクセスネットワークデバイス１０３は、無線アクセスネットワークに配備されている装置であって、ＵＥまたはＷＤに対して無線通信機能を提供するために利用される装置であってよい。当該装置は、マクロ基地局、ミクロ基地局、中継ノード、アクセスポイント、およびさまざまな形態の同等のものを含むとしてよい。利用する無線アクセス技術が異なるシステム毎に、基地局機能を持つデバイスの名称が異なるとしてよい。例えば、ＬＴＥネットワークでは、このデバイスは、エボルブドノードＢ（ｅｖｏｌｖｅｄ  ＮｏｄｅＢ、ｅＮＢまたはｅＮｏｄｅＢと省略）と呼ばれ、第３世代３Ｇネットワークでは、このデバイスはＮｏｄｅＢ（ノードＢ）と呼ばれる。説明を簡単にするべく、本願では、ＵＥに対して無線通信機能を提供する装置は全て、基地局またはｅＮＢと総称する。
【０１９６】
コアネットワークデバイス１０４は、ユーザ接続を提供し、ユーザを管理し、サービスの伝送を完了するデバイスであって、外部ネットワークに対するインターフェースを提供するベアラネットワークとして利用されるデバイスであってよい。ユーザ接続の確立は、モビリティ管理（ＭＭ）、コール管理（ＣＭ）、交換／ルーティング、および、レコーディング通知（インテリジェントネットワークサービスを参照しつつインテリジェントネットワークの周辺デバイスに対する接続を完了すること）等の機能を含む。ユーザ管理は、ユーザ記述、ＱｏＳ（Ｑｕａｌｉｔｙ  ｏｆ  Ｓｅｒｖｉｃｅ、サービス品質）、ユーザ通信記録（Ａｃｃｏｕｎｔｉｎｇ（アカウンティング））、インテリジェントネットワークプラットフォームとの対話による仮想家庭環境の提供、および、セキュリティ（認証センターが提供する対応するセキュリティ対策は、モバイルサービスに対するセキュリティ管理および外部ネットワークアクセスについてのセキュリティ処理を含む）を含む。ベアラ接続（Ａｃｃｅｓｓ  ｔｏ）は、外部ＰＳＴＮ、外部回路データネットワーク、パケットデータネットワーク、インターネットおよびイントラネット、携帯電話事業者のＳＭＳサーバ等へ接続することを含む。コアネットワークが提供し得る基本サービスは、モバイルオフィス、電子商取引、通信、娯楽サービス、旅行サービス、位置に基づくサービス、テレメトリ（Ｔｅｌｅｍｅｔｒｙ）サービス、簡単なメッセージ転送サービス（リスニング制御）等を含む。例えば、コアネットワークデバイス１０４は、ＬＴＥネットワークにおけるＭＭＥ（Ｍｏｂｉｌｉｔｙ  Ｍａｎａｇｅｍｅｎｔ  Ｅｎｔｉｔｙ、モビリティ管理エンティティ）およびＳＧＷ（Ｓｅｒｖｉｎｇ  ＧａｔｅＷａｙ、サービングゲートウェイ）である。説明を簡単にするべく、本願では、ユーザ接続を提供し、ユーザを管理し、サービスの伝送を完了する上述のデバイスであって、外部ネットワークに対するインターフェースを提供するベアラネットワークとして利用されるデバイスは、コアネットワークデバイスＭＭＥまたはＳＧＷと総称する。
【０１９７】
第１のユーザ機器１０１と第２のユーザ機器１０２との間では近距離通信を実行するとしてよい。例えば、第１のユーザ機器および第２のユーザ機器の両方がＢｌｕｅｔｏｏｔｈ（登録商標）機能をサポートしており、Ｂｌｕｅｔｏｏｔｈ（登録商標）接続が、第１のユーザ機器と第２のユーザ機器との間で前もって確立されるとしてよい。別の例を挙げると、第１のユーザ機器および第２のユーザ機器の両方がＷｉＦｉ（登録商標）（Ｗｉｒｅｌｅｓｓ  Ｆｉｄｅｌｉｔｙ、ワイヤレスフィデリティ）機能をサポートしており、第１のユーザ機器および第２のユーザ機器が同じ無線ルータに前もってアクセスするとしてもよいし、または、第１のユーザ機器および第２のユーザ機器の一方がＷｉＦｉ（登録商標）ホットスポットとして機能してこれら２つのユーザ機器の間に接続を確立する。これに代えて、第１のユーザ機器１０１と第２のユーザ機器１０２との間では非接続方式で近距離通信を実行するとしてもよい。例えば、４．０より後のバージョンのＢｌｕｅｔｏｏｔｈ（登録商標）を持つユーザ機器は、接続することなくデータを送信するとしてよい。本明細書において、Ｂｌｕｅｔｏｏｔｈ（登録商標）またはＷｉＦｉ（登録商標）を利用して実行する近距離通信の具体的な実施例は一例に過ぎず、２つのユーザ機器の間で近距離通信を実現可能な別の実施例も含まれるべきであることに留意されたい。本明細書では詳細な説明は省略する。
【０１９８】
これに加えて、本願におけるネットワークデバイスは、アクセスネットワークデバイス１０３およびコアネットワークデバイス１０４を含むとしてよい。
【０１９９】
ロングタームエボリューション（ＬＴＥ）またはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ユニバーサルモバイルテレコミュニケーションズシステム）等のシステムが特に、ＬＴＥにおけるＥＰＳ（Ｅｖｏｌｖｅｄ  Ｐａｃｋｅｔ  Ｓｙｓｔｅｍ、エボルブドパケットシステム）に適用可能である。ＥＰＳは、第４世代モバイル通信における３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）規格委員会が提唱した概念である。
【０２００】
図２は、ＬＴＥネットワークのアーキテクチャを示す概略図である。ＬＴＥネットワークは主に、ＵＥ（Ｕｓｅｒ  Ｅｑｕｉｐｍｅｎｔ、ユーザ機器）、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、エボルブドユニバーサル地上波無線アクセスネットワーク）、ＥＰＣ（Ｅｖｏｌｖｅｄ  Ｐａｃｋｅｔ  Ｃｏｒｅ、エボルブドパケットコア）等を含む。ＵＥは、第１のユーザ機器および第２のユーザ機器を含むとしてよい。ＥＰＣは主に、ＭＭＥ、Ｐ−ＧＷ（Ｐａｃｋｅｔ  Ｄａｔａ  Ｎｅｔｗｏｒｋ  Ｇａｔｅｗａｙ、パケットデータネットワークゲートウェイ）およびＳＧＷを含み、モバイルネットワークの従来の機能、例えば、ユーザのために加入データを格納すること、モビリティ管理およびデータ交換を実現することができ、ユーザが超高速インターネットを体験できるようにする。これに加えて、Ｅ−ＵＴＲＡＮは複数のｅＮＢ（Ｅｖｏｌｖｅｄ  ＮｏｄｅＢ、エボルブドＮｏｄｅＢ）を含むネットワークであってよく、無線物理層機能、リソーススケジューリングおよび無線リソース管理、無線アクセス制御およびモビリティ管理等の機能を実現する。
【０２０１】
ＵＭＴＳシステムは主に、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、ユニバーサル地上波無線アクセスネットワーク）およびＣＮ（Ｃｏｒｅ  Ｎｅｔｗｏｒｋ、コアネットワーク）を含む。ＵＴＲＡＮは、主に複数の基地局および基地局コントローラまたはＲＮＣ（Ｒａｄｉｏ  Ｎｅｔｗｏｒｋ  Ｃｏｎｔｒｏｌｌｅｒ、無線ネットワークコントローラ）を含むネットワークである。コアネットワークＣＮは、ＳＧＳＮ（サービングＧＰＲＳサポートノード、サービングゲートウェイ）を含み、ＳＧＳＮは基地局コントローラを利用して基地局と通信する。
【０２０２】
本願の発明者は、分析によって、第１のユーザ機器と第２のユーザ機器との間の通信の消費電力は、ネットワークデバイスと第１のユーザ機器との間の通信のための消費電力よりも少なく、第１のユーザ機器と第２のユーザ機器との間の通信は頻繁に測定する必要がないので、より多くのエネルギーを節約することができることを発見した。本発明の本実施形態では、第２のユーザ機器が、第１のユーザ機器とネットワークデバイスとの間の通信のために必要となる一部のタスクを実行する。第１のユーザ機器は適宜、第２のユーザ機器と通信する。このようにして、第１のユーザ機器の消費エネルギーが少なくなるとしてよい。このため、スタンバイ時間が長くなり、ユーザ使用感が改善する。
【０２０３】
複数の異なるタスクおよびシナリオを参照しつつ、本発明を以下で詳細に説明する。
【０２０４】
第１のユーザ機器がネットワークデバイスと通信するプロセスにおいて、第１のユーザ機器は通常、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、および、サービングセルのアップリンクタイミング事前情報もしくはアップリンク事前調整情報等の情報を取得する必要がある。この情報を取得した場合に限り、第１のユーザ機器が通常通りにネットワークデバイスと通信することが保証され得る。本発明の実施形態では、この情報は第２のユーザ機器を利用して取得されるとしてよく、その後で第１のユーザ機器が第２のユーザ機器からデータを取得する。
【０２０５】
図３は、本発明の方法の実施形態に係る概略通信図である。この方法は、図１に図示している通信システムに適用されるとしてよい。図３に示すように、当該方法は以下のステップを含むとしてよい。
【０２０６】
３１０：第２のユーザ機器は第１のタスクを実行して第１の結果を取得する。ここで、第１のタスクは、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定すること等のうち１または複数のタスクを含むとしてよく、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報等のうち１または複数の結果を含み得る。
【０２０７】
第１のユーザ機器は第２のタスクを実行するとしてよい。第２のタスクは、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報またはアップリンク送信電力調整情報を決定すること、サービングセルで利用するアップリンクタイミング事前情報またはアップリンク事前調整情報を決定すること、トラッキングエリアを決定すること、および、トラッキングエリアを更新すると決定することのうち、第１のタスク以外のタスクを含むとしてよい。言い換えると、１セットの第１のタスクおよび第２のタスクは、ユーザ機器とネットワークデバイスとの間の通信に必要なタスク全てを通知するとしてよい。本発明の本実施形態では、第１のユーザ機器の通信プロセスにおいて、第１のユーザ機器は自身で一部のタスクを実行して、他のタスクは実行するべく第２のユーザ機器（プロキシデバイス）に渡す。これによってエネルギーが節約され、スタンバイ時間が長くなる。
【０２０８】
第２のユーザ機器は具体的に、以下に説明する方式で第１のタスクの実行を開始すると決定するとしてよい。
【０２０９】
方式１：第２のユーザ機器は、第１のタスクの実行を能動的に要求して、第１のユーザ機器に通知するとしてよい。例えば、ユーザは通常、ＵＥおよびＷＤの両方を持っているとしてよい。この場合、ユーザは、第１のタスクの実行を求める要求をＵＥ側でトリガするとしてよく、ＵＥは要求を受信した後にＷＤに通知して、ＷＤは通知を受信した後に第１のタスクの実行を停止または省略する。このようにして、ＷＤは第１のタスクを実行するために必要な電力の一部を節約することができる。
【０２１０】
方式２：第２のユーザ機器は、第１のユーザ機器が送信した要求メッセージを受信した後で第１のタスクを実行するとしてよい。例えば、ＷＤは、ＷＤが電力を節約する必要があると決定した後、または、ユーザがトリガした要求を受信した後、ＵＥに要求メッセージを送信して、ＷＤに代わって第１のタスクを実行するようＵＥに要求する。
【０２１１】
方式３：第２のユーザ機器は、ネットワークデバイスが送信した要求メッセージまたは指示情報を受信するとしてよい。例えば、ネットワークデバイスがＷＤは電力を節約する必要があると決定する場合、または、ネットワークデバイスがＵＥまたはＷＤが送信した要求メッセージを受信する場合、ネットワークデバイスはＷＤと同じエリア内にいるＵＥを決定して、当該ＵＥに要求メッセージまたは実行情報を送信して、第１のタスクを実行するようＵＥに要求または命令するか、または、第１のタスクを実行するべきＵＥが、ＵＥまたはＷＤが送信した要求メッセージで指定されている場合、ネットワークデバイスは指定されているＵＥに要求メッセージまたは実行情報を直接送信する。
【０２１２】
これに加えて、第１のタスクは、第１のユーザ機器とネットワークとの間の通信のために実行する必要があるタスクであってよい。この場合、第１の結果もまた第１のユーザ機器のために取得される。第１のタスクは、第２のユーザ機器とネットワークデバイスとの間の通常の通信のために実行されるタスクであってもよい。この場合、取得した第１の結果は第１のユーザ機器によって利用されるとしてよく、第２のユーザ機器とネットワークデバイスとの間の通常の通信にも利用されるとしてもよい。言い換えると、第１の結果は、第２のユーザ機器によって特に第１のユーザ機器のために取得されるとしてもよいし、または、第２のユーザ機器によって第２のユーザ機器の通常の通信中に取得されるとしてもよいが、第１のユーザ機器が利用するように提供されるとしてもよい。
【０２１３】
ネットワークデバイスは、第１のユーザ機器と第２のユーザ機器との間の対応関係を決定する。対応関係とは、第１のユーザ機器が、第２のユーザ機器を利用して第１のタスクを実行することで、ネットワークデバイスとの通信に必要となる第１の結果を取得することを意味する。ネットワークデバイスは、第１のユーザ機器と第２のユーザ機器との間の対応関係にしたがって第２のユーザ機器と協働して第１のタスクを実行するとしてよい。言い換えると、第１のタスクを実行する場合、第２のユーザ機器はネットワークデバイスの協力を必要とするとしてよく、ネットワークデバイスは第２のユーザ機器が第１のユーザ機器のためにタスクを実行することを知っている。具体的には、第２のユーザ機器は、第１のタスクを実行する場合、ネットワークデバイスにデータまたは情報を送信して、第２のユーザ機器はネットワークデバイスの協力を必要としている旨を示すとしてよい。ネットワークデバイスは、データまたは命令を返送する場合、第１のユーザ機器が第２のユーザ機器を利用して第１のタスクを実行する旨をネットワークデバイスが知っていることを示す。
【０２１４】
第１のユーザ機器と第２のユーザ機器との間では近距離通信が実行可能であることに留意されたい。言い換えると、例えば、第１のユーザ機器および第２のユーザ機器は同じトラッキングエリア内にいる。
【０２１５】
３２０：第２のユーザ機器は、第１のユーザ機器に第１の結果を送信する。
【０２１６】
第１の結果は、以下の方式で送信されるとしてよい。
【０２１７】
方式１：第１のユーザ機器は、第１の結果のための要求メッセージを第２のユーザ機器に送信するとしてよい。第２のユーザ機器は、要求メッセージを受信した後で、取得した第１の結果を第１のユーザ機器に送信するとしてもよいし、または、要求メッセージを受信した後でステップ３１０を実行し、取得した第１の結果をその後で第１のユーザ機器に送信するとしてよい。
【０２１８】
方式２：第２のユーザ機器は、第１の結果が変化したことを発見した場合に、変化後の第１の結果を第１のユーザ機器に送信するとしてよい。
【０２１９】
第１のタスクおよび第１の結果をより直感的に理解できるよう、実際のタスクを以下で説明する。
【０２２０】
１．第２のユーザ機器は、セル測定を実行して、サービングセル測定結果および／または隣接セル測定結果を取得して、その後で測定結果を第１のユーザ機器に送信するとしてよい。
【０２２１】
２．第２のユーザ機器は、必要な場合にセル選択またはセル再選択を実行して、選択または再選択されたセルに関する情報を決定し、選択または再選択されたセルに関する情報を第１のユーザ機器に送信するとしてよい。
【０２２２】
３．第２のユーザ機器は、キャンプオンする予定のセルまたはサービングセルのシステム情報をリスニングして、キャンプオンする予定のセルまたはサービングセルのシステム情報が変化した場合にキャンプオンする予定のセルまたはサービングセルの変化後のシステム情報を決定し、変化後のシステム情報を第１のユーザ機器に送信する。
【０２２３】
４．第２のユーザ機器はページングメッセージをリスニングして、第２のユーザ機器がリスニングによって、ページングオブジェクトが第１のユーザ機器であるページングメッセージを取得する場合、第２のユーザ機器はページングメッセージを第１のユーザ機器に転送するか、または、第２のユーザ機器はページングメッセージのコンテンツの一部または全てを第１のユーザ機器に送信する。
【０２２４】
５．第２のユーザ機器は要求メッセージをネットワークデバイスに送信して、ネットワークデバイスが提供するサービスに必要なパラメータ情報を取得する。要求メッセージはランダムアクセスプリアンブルであってよい。ネットワークデバイスは、要求メッセージを受信した後、対応するパラメータ情報を応答メッセージに追加して、応答メッセージを第２のユーザ機器に送信する。第２のユーザ機器は、ネットワークデバイスが送信した応答メッセージを受信する。パラメータ情報は、アップリンク送信電力情報もしくはアップリンク送信電力調整情報、アップリンクタイミング事前情報もしくはアップリンク事前調整情報、および／または、設定パラメータを含むとしてよい。設定パラメータは、物理層設定パラメータ、ＭＡＣ（Ｍｅｄｉａ  Ａｃｃｅｓｓ  Ｃｏｎｔｒｏｌ、媒体アクセス制御）層設定パラメータ、ＲＬＣ（Ｒａｄｉｏ  Ｌｉｎｋ  Ｃｏｎｔｒｏｌ、無線リンク制御）層設定パラメータ、ＰＤＣＰ（Ｐａｃｋｅｔ  Ｄａｔａ  Ｃｏｎｖｅｒｇｅｎｃｅ  Ｐｒｏｔｏｃｏｌ、パケットデータコンバージェンスプロトコル）層設定パラメータ、または、無線リソース制御ＲＲＣ設定パラメータのうち少なくとも１つのパラメータを含む。第２のユーザ機器は、第１のユーザ機器にパラメータ情報を送信する。
【０２２５】
第２のユーザ機器が、第２のユーザ機器とネットワークデバイスとの間の通信のために現在利用されているパラメータ情報を決定して、パラメータ情報を第１のユーザ機器に送信する。
【０２２６】
前述したタスクの具体的な実行プロセスは全て、通信プロトコルに記述されており、プロセスについて理解するためには、通信プロトコルを参照されたい。本明細書では詳細の説明は省略する。
【０２２７】
３３０：第１のユーザ機器は、第２のユーザ機器が送信した第１の結果を受信した後、第１の結果を利用してネットワークデバイスと通信する。
【０２２８】
第１のユーザ機器は、第１の結果を受信した後、第１の結果を最初に格納するとしてよく、必要になった場合に、格納された第１の結果を取得してネットワークデバイスと通信する。例えば、第１のユーザ機器は、要求メッセージを第２のユーザ機器に送信して、第１の結果を要求するとしてよい。
【０２２９】
第１のユーザ機器は、第１の結果を利用してネットワークデバイスに対する直接接続を確立して通信を実行するとしてもよいし、または、第１のユーザ機器は、第１の結果および第２のユーザ機器を利用してネットワークデバイスと間接的に通信するとしてよい。
【０２３０】
別のケースを以下で説明する。
【０２３１】
本発明の本実施形態の具体的な実現プロセスにおいて、第１のユーザ機器と第２のユーザ機器との間にはグループが構築されるとしてよく、ネットワークデバイスにはグループが通知されるか、または、ネットワークデバイスがグループを構築する。このようにして、第１のユーザ機器、第２のユーザ機器およびネットワークデバイスは、第１のユーザ機器が第２のユーザ機器を利用して第１のタスクを実行することを把握しており、指向性要件がより高い第１のユーザ機器のタスクの一部もまた、第２のユーザ機器によって実行されるとしてよい。添付図面を参照しつつ以下でより詳細に説明する。
【０２３２】
図４は、本発明の方法の実施形態に係る別の概略通信図である。この方法は、図１に図示している通信システムに適用されるとしてよい。図４に示すように、当該方法は以下のステップを含むとしてよい。
【０２３３】
４１０：グループ構築要件をトリガする。
【０２３４】
第２のユーザ機器は、グループ構築要件をトリガするとしてもよいし、または、第１のユーザ機器がグループ構築要件をトリガするとしてもよく、第１のユーザ機器がグループ構築要求を第２のユーザ機器に送信する。
【０２３５】
４２０：グループに関する情報を報告する。
【０２３６】
第２のユーザ機器は、グループを構築する必要があると決定した後、グループを構築する必要がある第１のユーザ機器および第２のユーザ機器に関する情報、例えば、第１のユーザ機器の識別子および第２のユーザ機器の識別子を決定する必要がある。
【０２３７】
第２のユーザ機器は、第１のユーザ機器および第２のユーザ機器に関する情報にしたがってグループを構築するとしてよく、例えば、グループの番号を生成するとしてよく、グループの番号と第１のユーザ機器の識別子および第２のユーザ機器の識別子のそれぞれとを対応付けるとしてよい。
【０２３８】
これに代えて、第２のユーザ機器はグループ構築要求メッセージをネットワークデバイスに送信するとしてよく、要求メッセージは、グループを構築する必要がある第１のユーザ機器および第２のユーザ機器に関する情報を保持する。ネットワークデバイスは、グループ構築要求を受信した後、要求に保持されている情報にしたがってグループを構築し、グループ構築確認メッセージを第２のユーザ機器に返送する。例えば、ネットワークデバイスは、グループ構築要求メッセージにしたがってグループを構築するとしてよく、グループの番号を生成するとしてよく、グループの番号と第１のユーザ機器の識別子および第２のユーザ機器の識別子のそれぞれとを対応付けるとしてよい。この後、ネットワークデバイスは、グループ構築確認メッセージを第２のユーザ機器に送信する。
【０２３９】
４３０：グループが構築されていると決定する。
【０２４０】
第２のユーザ機器は、ネットワークデバイスが送信したグループ構築メッセージを第２のユーザ機器が受信した後で、または、第２のユーザ機器がグループを構築した後で、グループ構築確認メッセージを第１のユーザ機器に送信する。
【０２４１】
グループが意図するところは第１のユーザ機器、第２のユーザ機器およびネットワークデバイスが全て、第１のユーザ機器は第２のユーザ機器を利用して、ネットワークデバイスとの通信のプロセスにおいて、一部のタスクを実行することを知っていることを明確にすることのみであり、この目的を実現することができる他の方式は全て本発明の範囲に含まれ得ると留意されたい。
【０２４２】
これに加えて、ネットワークデバイスはアクセスネットワークデバイスおよびコアネットワークデバイスを含むとしてよく、アクセスネットワークデバイスおよびコアネットワークデバイスの両方がネットワークデバイスの機能を実現することができる。
【０２４３】
グループ構築プロセスにおいて、コアネットワークデバイスがグループを構築する必要がある場合、アクセスネットワークデバイスはグループに関する情報をコアネットワークデバイスに送信する必要があり、コアネットワークデバイスは、グループに関する情報を受信した後でグループ構築確認メッセージを返送し、グループ構築確認メッセージを受信した後で、アクセスネットワークデバイスは、グループ構築確認メッセージを第２のユーザ機器に送信する。
【０２４４】
アクセスネットワークデバイスによってグループが構築される場合、アクセスネットワークデバイスは、グループに関する情報をコアネットワークデバイスに報告するとしてよい。
【０２４５】
第１のユーザ機器と第２のユーザ機器との間のグループの構築が成功した後で、ネットワークデバイスは、第１のユーザ機器および第２のユーザ機器を１つのデバイスとみなすとしてよい。言い換えると、ネットワークデバイスが第１のユーザ機器または第２のユーザ機器に送信する必要があるデータを持っている場合、ネットワークデバイスは全てのデータを第２のユーザ機器に送信するとしてよい。データの混乱を回避するべく、ネットワークデバイスは、識別子をデータに付加するとしてよく、第２のユーザ機器に対して、当該データの持ち主であるデバイスを示す。これに代えて、グループプロセスでは、第２のユーザ機器は第１のユーザ機器のためにタスクを実行することについてのみ責任を持つと規定されている。これに加えて、ネットワークデバイスも、第２のユーザ機器が実行する一部のタスクは第１のユーザ機器に代わって実行されたものであると知っているとしてよい。
【０２４６】
グループが構築された後、比較的明示的な指向性を持つ一部のタスクもまた、第２のユーザ機器を利用して実行されるとしてよい。
【０２４７】
例えば、ネットワークデバイスが第１のユーザ機器に対するページングメッセージを持っている場合、ネットワークデバイスは、グループに関する情報に基づいて、ページングメッセージを第２のユーザ機器に送信するとしてよい。ページングメッセージは、ページングオブジェクトがグループである旨、または、ページングオブジェクトが第２のユーザ機器でない旨、または、ページングオブジェクトが第１のユーザ機器である旨を示す指示情報を保持しているとしてよい。第２のユーザ機器は、ネットワークデバイスが送信したページングメッセージを受信する場合、ページングメッセージを第１のユーザ機器に直接転送するとしてもよいし、または、ページングメッセージのコンテンツを第１のユーザ機器に送信するとしてもよい。ページングメッセージのコンテンツを第１のユーザ機器に送信する場合、第２のユーザ機器は、第１のユーザ機器には無用のコンテンツをフィルタリングで除外するとしてよい。例えば、ページングメッセージは、第２のユーザ機器の識別子を保持しており、第２のユーザ機器はこの識別子を除去した後で、ページングメッセージを第１のユーザ機器に送信するとしてよい。本明細書において、オブジェクトは、第１のユーザ機器に送信されるサービス通知メッセージであってよい。サービス通知メッセージ受信プロセスはページングメッセージ受信プロセスと同様であり、サービス通知メッセージ受信プロセスについて理解するには、ページングメッセージ受信プロセスを参照されたい。
【０２４８】
ネットワークデバイスがアクセスネットワークデバイスおよびコアネットワークデバイスを含む場合、第１のユーザ機器に送信する必要があるデータをコアネットワークデバイスが持っていれば、コアネットワークデバイスはアクセスネットワークデバイスにデータを直接送信するとしてよい。アクセスネットワークデバイスは、グループに関する情報にしたがって第２のユーザ機器にデータを送信する。これに代えて、コアネットワークデバイスがグループに関する情報にしたがってアクセスネットワークデバイスにデータを送信し、データをアクセスネットワークデバイスに送信するようアクセスネットワークデバイスに命令し、データが第１のユーザ機器のデータである旨を示す。アクセスネットワークデバイスは、データを受信した後、データを第２のユーザ機器に転送する。
【０２４９】
本発明の本実施形態の具体的な実現プロセスにおいて、より良い技術的解決手段は、図３および図４の解決手段を組み合わせることで得られるとしてよい。添付図面を参照しつつ以下でより詳細に説明する。
【０２５０】
図５は、本発明の方法の実施形態に係るさらに別の概略通信図である。この方法は、図１に図示している通信システムに適用されるとしてよい。図５に示すように、当該方法は具体的には以下のステップを含むとしてよい。
【０２５１】
５０１：ＷＤとＵＥとの間にグループを構築する。具体的には、ＷＤは、ＷＤがＵＥとの間にグループを構築する必要がある場合に、グループ構築要求メッセージをＵＥに送信するとしてよい。または、ＵＥはＵＥがＷＤとの間にグループを構築する必要があると決定するとしてよい。
【０２５２】
５０２：ＵＥがグループ構築要求をＷＤから受信する場合、または、ＵＥがＷＤとの間にグループを構築する必要性をトリガする場合、ＵＥは、ｅＮＢにアクセスして、グループ構築メッセージをｅＮＢに送信して、ＵＥとＷＤとの間にグループを構築する旨を示し、構築されたグループに関する情報、例えば、グループの番号を示す。
【０２５３】
５０３：ＵＥが送信したグループ構築メッセージをｅＮＢが受信した後、ｅＮＢは、ＭＭＥに対して、ＵＥとＷＤとの間に構築されたグループ（グループＩＤ（ｉｄｅｎｔｉｆｉｅｒｉｄｅｎｔｉｆｉｃａｔｉｏｎ、識別情報）、または、ＷＤおよびＵＥのＩＤ等）に関する情報を報告して、ＭＭＥに対してＷＤとＵＥとの間に構築されたグループを示すとしてよい。
【０２５４】
５０４：ｅＮＢが送信したグループ構築メッセージをＭＭＥが受信した後、ＭＭＥはグループ情報確認メッセージをｅＮＢに送信して、ＵＥとＷＤとの間のグループに関する情報の格納に成功した旨をｅＮＢに通知する。
【０２５５】
５０５：ｅＮＢはさらに、グループ情報確認メッセージをＵＥに送信して、ＷＤとＵＥとの間のグループに関する情報がネットワーク側に格納されている旨をＵＥに通知する。
【０２５６】
本発明の本実施形態において、ステップ５０３、ステップ５０４およびステップ５０５の間には必ずしも順番が決まっているわけではない旨に留意されたい。
【０２５７】
５０６：ＵＥがネットワーク側からのグループ構築確認情報の取得に成功した後、ＵＥはグループ構築決定情報をＷＥに送信して、ＵＥとＷＤとの間のグループの構築が成功した旨を示す。
【０２５８】
５０７：ＷＤとＵＥとの間のグループの構築に成功したとＷＤが決定した後、ＷＥは省電力モードを開始して消費電力を少なくする。ＷＤが省電力モードを開始するとは、ＷＤが以下の処理のうち１または複数を実行しないか、または、以下の処理のうち１または複数の実行を停止することを意味する。
１．セルサーチ
２．セル測定
３．セル選択／セル再選択
４．セルシステム情報リスニング
５．セルページングメッセージリスニング
【０２５９】
さらに、移動プロセスにおいて、ＵＥは従来のセル測定、セル選択および再選択、セルシステム情報受信およびセルページングメッセージ受信を実行する。ＵＥがセル再選択を実行する必要がある場合、または、ＵＥがセル再選択を実行した後、ＵＥは、新しく再選択されたセルに関する情報（例えば、セル識別子情報、セル周波数情報、または、セルシステム情報）をＷＤに通知するとしてよい。ＷＤは、新しいセルに関する情報を受信した後、後にセルと通信することが必要になった場合に利用できるように情報を格納する。
【０２６０】
これに加えて、ＵＥが現在キャンプオンしているセルのシステム情報が変化したことをＵＥが発見した場合、ＵＥは、変化後の新しいシステム情報をＷＤに送信するとしてよい。これに代えて、ＷＤはサービスのためにネットワークに対する接続を構築する必要がある場合、ＵＥが、ＵＥが現在キャンプオンしているサービングセルに関する情報および当該サービングセルのシステム情報をＷＤに通知するとしてよい。具体的には、ＷＤがネットワークに対する接続を構築する必要性を能動的にトリガする必要がある場合、ＷＤは、ＵＥ側に、サービングセルに関する情報およびサービングセルのシステム情報を要求する必要があるとしてよい。これに代えて、ＷＤがネットワークに対する接続を構築する必要性を受動的にトリガする場合、ＵＥは、現在のサービングセルに関する情報および現在のサービングセルのシステム情報をＷＤに送信する。
【０２６１】
上述したようにＵＥとＷＤとの間で情報をやり取りするためには、任意の近距離通信方式を利用するとしてよい。
【０２６２】
５０８：ネットワークは、ＷＤをページングする必要があると決定する場合に、ページングメッセージをＵＥに送信する。ページングメッセージはページングオブジェクトがＷＤである旨を明示的に示している。具体的には、ページングオブジェクトがＷＤである旨を示す実施例は、明示的にＷＤのＩＤを示しているか、または、ページングオブジェクトがＵＥでない旨を示しているか、または、ページングオブジェクトがＷＤであるか否かを示している等であってよい。
【０２６３】
５０９：ＭＭＥが送信したページングメッセージを受信した後、ｅＮＢはページングメッセージをＵＥに送信する。
【０２６４】
５１０：ｅＮＢが送信したページングメッセージを受信した後、ＵＥはＷＤをページングするか否かを決定して、ＷＤをページングする場合、ＵＥはページングメッセージをＷＤに転送するか、または、専用メッセージをＷＤに送信してページングメッセージのコンテンツをＷＤに転送する。
【０２６５】
本発明の本実施形態では、ＭＭＥが専用シグナリングを利用してページングメッセージのページングオブジェクトがＷＤであるか否かをｅＮＢに通知するとしてもよいし、または、ｅＮＢはＭＭＥが送信したページングメッセージをパーシングしてページングオブジェクトがＷＤであるか否かを知るとしてもよいことに留意されたい。
【０２６６】
本発明の実施形態の具体的な実現プロセスにおいて、グループは特定の条件下で解除する必要がある。グループ解除とは、ＷＤが自身で第１のタスクを実行する必要があること、または、ＷＤからＵＥに第１のタスクの実行を切り替える必要があること、または、ＷＤが第１のタスクを実行する必要がなくなったことを意味するとしてよい。グループ解除については添付図面を参照しつつ以下で詳細に説明する。
【０２６７】
図６は、本発明の方法の実施形態に係るさらに別の概略通信図である。この方法は、図１に図示している通信システムに適用されるとしてよい。図６に示すように、当該方法は具体的に、以下のステップを含むとしてよい。
【０２６８】
６０１：ＷＤまたはＵＥがグループを解除する必要があると確認する場合、ＵＥはグループ解除指示情報をネットワークに報告する。
【０２６９】
具体的には、ＵＥが現在接続モードである場合、ＵＥはグループ解除指示情報をｅＮＢに直接送信して、グループを解除する必要がある旨を示すとしてよい。これに代えて、ＵＥが現在アイドルモードである場合、ＵＥはｅＮＢにランダムアクセスするようトリガされる。この後、ランダムアクセスプロセスにおいて、例えば、ＵＥがグループ解除指示情報をランダムアクセスメッセージ３に追加して、グループ解除指示情報をｅＮＢに送信するか、または、ＵＥは、ランダムアクセスを完了した後、グループ解除指示情報をｅＮＢに送信するとしてよい。これに代えて、ＵＥが現在アイドルモードである場合、ＵＥはロケーション更新（ＴＡＵ、Ｔｒａｃｋ  Ａｒｅａ  Ｕｐｄａｔｅ）プロセスを実行するようトリガされて、グループ解除指示情報をネットワーク側に報告する。
【０２７０】
本明細書において、グループ解除を決定する条件は、以下に記載する条件のうち１または複数であってよい。
【０２７１】
１．ＷＤが、ＷＤとＵＥとの間の信号の品質が特定のしきい値を下回っていることを検出し、ＷＤおよびＵＥがグループ形成条件を満たさなくなっている。
【０２７２】
２．ＵＥが、ＷＤとＵＥとの間の信号の品質が特定のしきい値を下回っていることを検出し、ＷＤおよびＵＥがグループ形成条件を満たさなくなっている。
【０２７３】
３．ＷＤが、ＷＤとＵＥとの間の距離が特定のしきい値を下回っていることを検出し、ＷＤおよびＵＥがグループ形成条件を満たさなくなっている。
【０２７４】
４．ＵＥが、ＷＤとＵＥとの間の距離が特定のしきい値を下回っていることを検出し、ＷＤおよびＵＥがグループ形成条件を満たさなくなっている。
【０２７５】
５．ＷＤが、アプリケーションプログラムの指示であって、グループの解除を必要とする指示を受信する。
【０２７６】
６．ＵＥが、アプリケーションプログラムの指示であって、グループの解除を必要とする指示を受信する。
【０２７７】
７．ＷＤまたはＵＥが、ｅＮＢまたはＭＭＥ等のネットワーク側デバイスが送信したグループ解除指示情報を受信する。
【０２７８】
６０２：ｅＮＢは、ＵＥが送信したグループ解除指示情報を受信した後、グループ解除報告メッセージをＭＭＥに送信してグループを解除する必要がある旨をＭＭＥに通知する。
【０２７９】
６０３：ＭＭＥは、ｅＮＢが送信したグループ解除報告メッセージを受信した後、グループ解除確認メッセージをフィードバックする。
【０２８０】
６０４：ｅＮＢはグループ解除確認メッセージをＵＥに送信する。
【０２８１】
ステップ６０４、ステップ６０２およびステップ６０３の間には必ずしも順番が決まっているわけではない。
【０２８２】
６０５：ネットワーク側がグループを解除したとＵＥが決定した後、ＷＤとＵＥとの間で依然として近距離通信を実行可能である場合、ＵＥはグループ解除確認メッセージをＷＤに送信してグループが解除したことを確認する。これに代えて、グループが解除された後に、ＷＤが通常動作モードを開始することを選択する場合（すなわち、全ての通信タスクにおける動作を実行する必要がある場合）、ｅＮＢ等のネットワーク側デバイスは、グループ解除確認メッセージをＷＤに送信するとしてよい。
【０２８３】
６０６：ＷＤとＵＥとの間のグループを解除したと決定した後、ＷＤは、現在のサービングセルにキャンプオンし続けるか、または、キャンプオンする別のセルを選択するべくセル再選択を実行するかを決定するとしてよい。
【０２８４】
６０７：グループを解除した後、ＷＤは、通常動作モードを選択するとしてもよい（すなわち、全ての通信タスクにおける動作を実行する必要がある）。
【０２８５】
これに加えて、本発明の本実施形態において、グループ解除指示情報をネットワーク側に報告する場合、ＵＥは、現在ＷＤおよびＵＥが依然として同じトラッキングエリア（Ｔｒａｃｋ  Ａｒｅａ、ＴＡ）内にいるか否かを指定する指示情報を報告するか、または、現在ＷＤおよびＵＥが依然として同じセルにいるか否かを指示する指示情報を報告するとしてよい。このため、ＷＤがグループ解除を能動的に要求する場合、ＷＤは、ＷＤがＵＥと同じセルまたは同じトラッキングエリアＴＡに引き続き位置するか否かをＵＥに通知する。
【０２８６】
別のケースを以下で説明する。
【０２８７】
第１のユーザ機器がネットワークデバイスに対する接続を確立する場合、すなわち、データ送信プロセスにおいて、第１のユーザ機器は、第２のユーザ機器を利用してネットワークデバイスとの間でデータ送信を間接的に実行するとしてよい。すなわち、第１のユーザ機器は、送信する必要があるデータを第２のユーザ機器に送信して、第２のユーザ機器はデータをネットワークデバイスに転送する。第２のユーザが送信したデータが第２のユーザ機器のデータであるか第１のユーザ機器のデータであるかをネットワークデバイスが区別することができるためには、対応する識別子をデータを保持するデータパケットに追加するとしてよい。言うまでもなく、データの機密性のために、第１のユーザ機器が自身でネットワークデバイスとの間でデータ送信を実行するとしてもよい。
【０２８８】
第１のユーザ機器とネットワークデバイスとの間のデータ送信プロセスは通常、チャネルステータス測定、無線リソース管理測定等が共に行われる。エネルギーを節約するべく、第１のユーザ機器は、第２のユーザ機器を利用して通信プロセスにおける測定を実行するとしてよい。方法は具体的には以下を含むとしてよい。第１のユーザ機器がネットワークデバイスに対する接続を確立して、第１のユーザ機器が、第２のユーザ機器を利用して、または、第２のユーザ機器の支援を受けて、第３のタスクを実行する。第３のタスクは、第１のユーザ機器とネットワークデバイスとの間の通信のために必要なタスクである。第３のタスクは、測定設定情報にしたがって測定を実行すること、ネットワークデバイスに測定結果を送信すること、または、ランダムアクセス方式でターゲットセルまたはターゲット基地局にハンドオーバーされること、のうち少なくとも１つを含む。第３のタスクを実行する前に、第２のユーザ機器は、ネットワークデバイスが送信した測定設定情報を受信する必要がある。測定設定情報を利用して第３のタスクを実行する。これに対応して、第２のユーザ機器が第３のタスクを実行すると決定する場合、ネットワークデバイスは、測定設定情報を第２のユーザ機器に送信する必要がある。本発明の実施形態については添付図面を参照しつつ以下で詳細に説明する。
【０２８９】
図７は、本発明の方法の実施形態に係るさらに別の概略通信図である。この方法は、図１に図示している通信システムに適用されるとしてよい。図７に示すように、当該方法は具体的に、以下のステップを含むとしてよい。
【０２９０】
７１０：第１のユーザ機器がネットワークデバイスに対する接続を確立する。
【０２９１】
第１のユーザ機器は、第２のユーザ機器を利用して、ネットワークに対する接続を確立するために必要なデータを取得するとしてよい。例えば、パラメータ情報は、アップリンク送信電力情報もしくはアップリンク送信電力調整情報、アップリンクタイミング事前情報もしくはアップリンク事前調整情報、および／または、設定情報パラメータを含む。設定パラメータは、本明細書において、両側のデバイスが、送信プロセスにおいて設定パラメータにしたがってデータが設定されている場合に限り、データを識別できることを意味する。これに代えて、第１のユーザ機器は自身でデータを取得するとしてもよい。第１のユーザ機器は、データを利用することで、ネットワークデバイスに対する接続を確立する。
【０２９２】
第１のユーザ機器がネットワークデバイスに対して接続を確立する場合、第１のユーザ機器は、ネットワークデバイスに指示情報を送信して、第１のユーザ機器が第２のユーザ機器を利用することで第３のタスクを実行する旨を示すとしてよい。第３のタスクは、測定設定情報にしたがって測定を実行すること、ネットワークデバイスに測定結果を送信すること、および、ランダムアクセス方式でターゲット基地局にハンドオーバーするプロセスを実行すること等を含むとしてよい。第３のタスクは、第１のユーザ機器とネットワークとの間のデータ送信のプロセスにおいて必要なタスクであってもよい。
【０２９３】
これに代えて、ネットワークデバイスは、第２のユーザ機器を利用して第３のタスクを実行する必要があると決定して、第３のタスクの実行の停止または省略を第１のユーザ機器に命令するとしてよい。言い換えると、第１のユーザ機器は、第３のタスク以外の通信タスクを実行する。
【０２９４】
これに代えて、第２のユーザ機器は、第３のタスクを実行する必要があると決定して、測定設定情報要求情報をネットワークデバイスに送信して、測定設定情報を要求するとしてよい。第２のユーザ機器は、測定設定情報要求メッセージをネットワークデバイスに送信する場合、第２のユーザ機器が第１のユーザ機器に代わって第３のタスクを実行する旨を特定するとしてよい。
【０２９５】
第３のタスクの実行を停止または省略するということは、ルールが定義され得る、すなわち、第１のユーザ機器はネットワークデバイスと通信する場合に第３のタスクを実行する必要がないことを意味し得ると、留意されたい。言い換えると、第１のユーザ機器は、第３のタスクの責任を負わない。しかし、ネットワークデバイスは第３のタスクで取得したデータが必要であるので、ネットワークデバイスまたは第２のユーザ機器は第３のタスクを自身で実行すると決定する。これに代えて、通信プロトコルにしたがって、第１のユーザ機器が第３のタスクを実行する必要がある。しかし、エネルギーを節約するためには、第１のユーザ機器は第３のタスクを自身で実行せず、第２のユーザ機器を利用して第３のタスクを実行する。この場合、第１のユーザ機器、第２のユーザ機器およびネットワークデバイスは全て、第２のユーザ機器が第３のタスクを実行すると決定してよい。これに代えて、プロトコルにしたがって、第１のユーザ機器が第２のタスクを実行する必要があり、第３のタスクを実行している。第１のユーザ機器は、特定の条件で、例えば、第２のユーザ機器もしくはネットワークデバイスからの命令がある場合、または、第１のユーザ機器にあるアプリケーションプログラムのコマンドがある場合、第３のタスクの実行を停止する。第３のタスクの実行の停止または省略という説明は、容易に理解していただくことのみを意図して記載されており、限定を構成するものではないと留意されたい。
【０２９６】
７２０：ネットワークデバイスは設定情報を第２のユーザ機器に送信し、ネットワークデバイスはアクセスネットワークデバイスまたはコアネットワークデバイスであってよい。
【０２９７】
測定設定情報は、無線リソース管理ＲＲＭ測定設定情報および／またはチャネル状態指示情報ＣＳＩ測定設定情報であってよい。
【０２９８】
測定設定情報は、第１の測定設定情報および／または第２の測定設定情報をさらに含むとしてよく、第１の測定設定情報は、第１のユーザ機器のためにネットワークデバイスによって設定され、第２の測定設定情報は第２のユーザのためにネットワークデバイスによって設定される。
【０２９９】
７３０：第２のユーザ機器は、測定設定情報にしたがって第３のタスクを実行する。
【０３００】
第２のユーザ機器は、ネットワークデバイスが送信した測定設定情報を受信して、測定設定情報にしたがって測定を実行して、測定結果をネットワークデバイスに送信する。ネットワークデバイスは測定結果を受信する。
【０３０１】
第２のユーザ機器は、以下の方式で測定結果を取得するとしてよい。
【０３０２】
方式１：ネットワークデバイスが送信して第２のユーザ機器が受信した設定情報が、第１の測定設定情報および第２の測定設定情報に分類される場合、第２のユーザ機器は、２つの設定情報にしたがって別箇に測定を実行して総合測定結果を取得するとしてよい。
【０３０３】
例えば、第１のＵＥ用に設定されている測定設定は１０ｍｓの間隔で２ｍｓにわたって測定を実行し、第２のＵＥ用に設定されている測定設定は、１０ｍｓの間隔で３ｍｓにわたって測定を実行する場合、第２のＵＥの測定動作は、第１のＵＥ用に設定された測定間隔にしたがって２ｍｓにわたって測定を実行すること、その後でさらに１ｍｓにわたって測定を実行することを含む。これは、合計で３ｍｓにわたって測定が実行されているので、第２のＵＥ用の測定設定にしたがって測定を完了することに等しい。この場合、測定結果の算出において、２ｍｓにわたる測定によって取得した１つの値を、第１のＵＥが実行した測定の測定結果として利用するべきであり、例えば、２ｍｓの測定で取得した複数の値の平均値を利用する。第２のＵＥのための測定結果を算出する場合、３ｍｓにわたる測定によって取得した値は全て利用する必要があり、例えば、３ｍｓの間に取得した複数の値の平均値を最終結果として利用する。
【０３０４】
具体的には、ＣＳＩ測定を実行する場合、１回の２ｍｓの測定または３ｍｓの測定が完了した後で、１つの値を取得するとしてよい。しかし、ＲＲＭ測定については、２ｍｓにわたる測定または３ｍｓにわたる測定を何度も実行した後で取得する値を複数測定する必要があり、その後、これらの値の平均をとってＲＲＭ測定結果を取得する。
【０３０５】
方式２：２つの設定情報が同じである場合、ネットワークデバイスは、第１の測定設定情報を第２のユーザ機器に利用可能であるか否か、または、第２の測定設定情報を第１のユーザ機器に利用可能であるか否かを指示するとしてよく、第２のユーザ機器はこの指示にしたがって測定を実行して測定結果を取得する。
【０３０６】
方式３：第２のユーザ機器は、第１の測定設定情報にしたがって測定を直接実行して測定結果を取得するとしてよい。
【０３０７】
７２０の部分および７３０の部分は主に、第２のユーザ機器によって第２のタスクを実行するプロセスを説明している。
【０３０８】
ネットワークデバイスは、ＲＲＭ測定結果を受信した後、第１のユーザ機器をセルにハンドオーバーする必要があると決定する。この場合、ネットワークデバイスは、第１のユーザ機器をハンドオーバーする必要があるターゲットセルに関する情報および／または第１のユーザ機器をハンドオーバーする必要があるターゲット基地局に関する情報を第２のユーザ機器に送信する。第２のユーザ機器は、この情報を受信した後、ターゲットセルにハンドオーバーされる。
【０３０９】
複数の異なる形態のセルハンドオーバーに基づき、ネットワークデバイスは、ハンドオーバー中のターゲットアクセスネットワークデバイスおよびソースアクセスネットワークデバイスを含むとしてよい。ターゲットアクセスネットワークデバイスおよびソースネットワークデバイスは別々に、以下で詳細を説明する。
【０３１０】
１．ハンドオーバーがアクセスネットワークデバイス内ハンドオーバーである場合、すなわち、セルハンドオーバーのみが実行される場合、アクセスネットワークデバイスは、ターゲットセルに関する情報およびハンドオーバーに必要な他の情報を第２のユーザ機器に送信する。第２のユーザ機器は、この情報にしたがって、ターゲットセルにハンドオーバーされる。
【０３１１】
２．ハンドオーバーがアクセスネットワークデバイス間ハンドオーバーである場合、すなわち、セルハンドオーバーおよび基地局ハンドオーバーの両方を実行する必要がある場合、ソースアクセスネットワークデバイスは、ターゲットアクセスネットワークデバイスに関する情報、ターゲットセルに関する情報、および、ハンドオーバーに必要なその他の情報を、第２のユーザ機器に送信する。第２のユーザ機器は、これらの情報にしたがってハンドオーバーされる。これに加えて、第１のユーザ機器は第２のユーザ機器を利用することで第３のタスクを実行するとターゲット基地局が知るためには、ハンドオーバープロセス中、または、ハンドオーバーが完了した後で、ソースアクセスネットワークデバイスがこの旨をターゲット基地局に通知するか、または、第２のアクセスネットワークデバイスがこの旨をターゲット基地局に通知するとしてよい。
【０３１２】
セルハンドオーバープロセスは関連する通信プロトコルにおいてより詳細に説明されており、セルハンドオーバープロセスについて理解するには、通信プロトコルを参照されたい。この点について留意されたい。本明細書では詳細な説明は省略する。
【０３１３】
第３のタスクを実行する際の第２のユーザ機器の信頼性を高めるべく、第２のユーザ機器の測定結果が正確であるか否かは定期的に検証されるとしてよい。具体的なプロセスは以下の通りである。
【０３１４】
７４０：第２のユーザ機器は設定情報を第１のユーザ機器に送信する。
【０３１５】
設定情報は、以下の目的を実現するべく、第１のユーザ機器に送信される。第１のユーザ機器が自身で第２のタスクを実行できること、または、第１のユーザ機器が以下で説明する検証のための測定を実行できること等である。
【０３１６】
７５０：設定情報にしたがって検証を実行する。
【０３１７】
検証方式としては以下のものが挙げられる。
【０３１８】
方式１：第２のユーザ機器は測定結果を、イベントトリガ方式で、または、特定の期間の間隔毎に、第１のユーザ機器に送信するとしてよい。第１のユーザ機器は、第２のユーザ機器が送信する測定結果を受信した後で、測定結果を、第１のユーザ機器が第２のユーザ機器と同じ期間にわたって自身で測定を実行することで取得した測定結果と比較して、これら２つの測定結果の差異が特定のしきい値を超えている場合には、第１のユーザ機器は第２のユーザ機器による第３のタスクの実行を中止する。
【０３１９】
方式２：第１のユーザ機器は、イベントトリガ方式で、または、特定の期間の間隔毎に、測定結果を第２のユーザ機器に送信するとしてよい。第２のユーザ機器は、第１のユーザ機器が送信した測定結果を受信した後で、測定結果を、第２のユーザ機器が第１のユーザ機器と同じ期間にわたって測定を実行することで取得した測定結果と比較して、これら２つの測定結果の差異が特定のしきい値を超えている場合には、第２のユーザ機器は第３のタスクの実行を中止して、この旨を第１のユーザ機器に通知するか、または、自律的に測定を実行するよう第１のユーザ機器に命令する。
【０３２０】
イベントトリガは、チャネル状態、２つのユーザ機器の間の距離または位置が条件を満たさないと第２のユーザ機器または第１のユーザ機器が検出すること、または、システムソフトウェアからトリガ命令を受信すること等を意味する。
【０３２１】
説明をより明確にするべく、ＲＲＭ測定およびＣＳＩ測定は、添付図面を参照しつつ、以下で別々に詳細な説明を行う。
【０３２２】
図８は、本発明の方法の実施形態に係るさらに別の概略通信図である。この方法は、図１に図示している通信システムに適用されるとしてよい。図８に示すように、当該方法は具体的に、以下のステップを含むとしてよい。
【０３２３】
８０１：ＷＤは、データ送信を実行するべくネットワークとの接続を確立するようネットワークがＷＤをトリガする場合、または、データ送信を実行するべくネットワークとの接続を確立する必要性をＷＤが能動的にトリガする場合、指示メッセージをＵＥに送信するとしてよい。指示メッセージの機能は、ネットワークにアクセスするために必要なパラメータ情報を、ＷＤのために、取得するようＵＥに要求することを含み、パラメータ情報は以下の情報のうち少なくとも１つを含む。
１．アップリンクタイミング事前（ＴＡ：タイミング事前）情報またはアップリンク事前調整情報
２．アップリンク送信電力情報またはアップリンク送信電力調整情報
３．設定情報、ここで設定情報は、物理層設定パラメータ、ＭＡＣ層設定パラメータ、ＲＬＣ層設定パラメータ、ＰＤＣＰ層設定パラメータ、または、ＲＲＣ設定パラメータのうち少なくとも１つを含むとしてよい。
【０３２４】
８０２：ＷＤはネットワークに対する接続を確立する必要があるとＵＥが知った後、または、ＷＤが送信した指示メッセージをＵＥが受信した後、ＵＥが現在、ｅＮＢに対する接続モードである場合、ＵＥは、現在利用されているＴＡ値およびアップリンク送信電力情報またはアップリンク送信電力調整情報（例えば、アップリンクＰＵＳＣＨチャネルのアップリンク送信電力情報またはアップリンク送信電力調整情報）を、ＷＤに送信するか、または、ＵＥが現在アイドルモードである場合、ＵＥは最初に、ランダムアクセスプロセスを利用してｅＮＢに対する接続を確立して、その後でＷＤに、取得したＴＡ値およびアップリンク送信電力情報またはアップリンク送信電力調整情報（例えば、アップリンクＰＵＳＣＨチャネルのアップリンク送信電力情報またはアップリンク送信電力調整情報）を送信する。
【０３２５】
８０３：アップリンクタイミング事前情報またはアップリンク事前調整情報および送信電力に加えて、ＵＥはさらに、最初にｅＮＢからＷＤが必要とする設定情報を取得して、その後で設定情報をＷＤに送信するとしてよい。
【０３２６】
８０４：ＵＥは、ＷＤが必要とする、アップリンクタイミング事前情報またはアップリンク事前調整情報、アップリンク送信電力情報またはアップリンク送信電力調整情報、および、設定パラメータ情報を、ＷＤに送信する。
【０３２７】
８０５：ＷＤは、取得した、アップリンクタイミング事前情報またはアップリンク事前調整情報、アップリンク送信電力情報またはアップリンク送信電力調整情報、および、設定パラメータ情報を利用して、ｅＮＢに対する接続を確立して、データ送信を実行する。
【０３２８】
具体的には、ＷＤは、設定パラメータ情報を利用して複数の層に対する設定を実行した後で、取得したＴＡおよびアップリンク送信電力情報またはアップリンク送信電力調整情報、および、設定パラメータ情報を利用して、アップリンクデータをｅＮＢに送信し始め、ｅＮＢが送信したダウンリンクデータを受信する。
【０３２９】
８０６：データ送信プロセスにおいて、ＷＤは、サービングセルのスケジューリング情報のみをリスニングし、ｅＮＢが送信したダウンリンクデータを受信した場合、ダウンリンクデータについてのＨＡＲＱをフィードバックする。
【０３３０】
８０７：ＷＤとｅＮＢとの間で実行されるデータ送信プロセスにおいて、ＵＥは、ＷＤに代わって、ＣＳＩ測定およびフィードバックを実行する。具体的には、ｅＮＢは、ＵＥのために、ＷＤに代わってＵＥによるＣＳＩ測定を実行するための測定設定情報を設定するとしてよい。または、ｅＮＢは、ＵＥのためにステップ３において、ＷＤに代わってＵＥによるＣＳＩ測定を実行するための設定情報を設定するとしてよい。
【０３３１】
８０８：ＵＥは、ＣＳＩ測定結果にしたがって、ＣＳＩ測定結果をフィードバックする。
【０３３２】
これに加えて、プロキシ測定が正確であるように保証するべく、ＵＥおよびＷＤは、プロキシ測定プロセスにおいて不定期に測定キャリブレーションプロセスを実行するとしてよい。
【０３３３】
具体的には、特定の期間の間隔毎に、ＵＥがＣＳＩ測定結果をＷＤに送信するとしてよい。これに加えて、ＷＤも、特定の期間の間隔毎に、ＣＳＩ測定を実行し、その後でＵＥが送信したＣＳＩ測定結果と、測定によってＷＤが取得したＣＳＩ測定結果とを比較するとしてよい。これらの測定結果の差異が特定のしきい値を超える場合、プロキシ測定プロセスの中止がトリガされる。ＷＤがプロキシ測定プロセスを中止する必要がある場合、ＷＤは、プロキシ測定中止指示情報をＵＥに送信するとしてよい。
【０３３４】
これに代えて、ＷＤは、特定の期間の間隔毎にＣＳＩ測定を実行して、ＣＳＩ測定結果をＵＥに送信するとしてよい。この後、ＵＥは、同じ期間における測定結果にしたがって、ＷＤおよびＵＥの測定結果の差異が特定のしきい値を超えているとＵＥが決定する場合、プロキシ測定プロセスの中止をトリガする。プロキシ測定を中止する必要がある場合、ＵＥはプロキシ測定中止指示情報をＷＤに送信してＣＳＩ測定を自身で実行するようＷＤに命令する。
【０３３５】
図９は、本発明の方法の実施形態に係るさらに別の概略通信図である。この方法は、図１に図示している通信システムに適用されるとしてよい。図９に示すように、当該方法は具体的には、以下のステップを含むとしてよい。
【０３３６】
９０１：ＷＤがｅＮＢとの間のデータ送信を確立した後、サービスの継続性を保証すると共に、移動プロセスにおいて適切なターゲットセルに対して適切なタイミングで動作のためにＷＤがハンドオーバー可能であることを保証するべく、ＷＤまたはｅＮＢは、ＷＤのためにプロキシＲＲＭ測定を実行するようＵＥに要求してＷＤの消費電力を少なくするとしてよい。
【０３３７】
具体的には、ＷＤは、ＷＤのためにプロキシＲＲＭ測定を実行するようＵＥに要求するべく、要求メッセージをＵＥに送信するとしてもよいし、または、ＵＥは、ＷＤがデータ送信の実行を必要としているとは決定する場合に、能動的にプロキシＲＲＭ測定を実行するとしてもよいし、または、ｅＮＢが、ＷＤに代わってＲＲＭ測定を実行するようＵＥに命令するとしてもよい。
【０３３８】
９０２：ｅＮＢは、ＵＥのために、プロキシ測定を実行するための測定設定情報を設定する。
【０３３９】
９０３：ＵＥは、プロキシ測定のための設定情報にしたがって周波数内または周波数間ＲＲＭ測定を実行して、測定結果をｅＮＢに報告する。
【０３４０】
９０４： これに加えて、プロキシ測定が正確であるように保証するべく、ＵＥおよびＷＤは、プロキシ測定プロセスにおいて不定期に測定キャリブレーションプロセスを実行するとしてよい。
【０３４１】
具体的には、特定の期間の間隔毎に、ＵＥがＲＲＭ測定結果をＷＤに送信するとしてよい。これに加えて、ＷＤも、特定の期間の間隔毎に、ＲＲＭ測定を実行し、その後でＵＥが送信したＲＲＭ測定結果と、測定によってＷＤが取得したＲＲＭ測定結果とを比較するとしてよい。これらの測定結果の差異が特定のしきい値を超える場合、プロキシ測定プロセスの中止がトリガされる。ＷＤがプロキシ測定プロセスを中止する必要がある場合、ＷＤは、プロキシ測定中止指示情報をＵＥに送信するとしてよい。
【０３４２】
これに代えて、ＷＤは、特定の期間の間隔毎にＲＲＭ測定を実行して、ＲＲＭ測定結果をＵＥに送信するとしてよい。この後、ＵＥは、同じ期間における測定結果にしたがって、ＷＤおよびＵＥの測定結果の差異が特定のしきい値を超えているとＵＥが決定する場合、プロキシ測定プロセスの中止をトリガする。プロキシ測定を中止する必要がある場合、ＵＥはプロキシ測定中止指示情報をＷＤに送信してＲＲＭ測定を自身で実行するようＷＤに命令する。
【０３４３】
９０５：ＵＥは、プロキシ測定を実行して測定結果を報告し、ｅＮＢは、測定結果に基づいて、ハンドオーバーを実行する必要があると決定する場合にハンドオーバーコマンドメッセージをＵＥに送信し、ハンドオーバーコマンドメッセージは、ＵＥをハンドオーバーする必要があるターゲットセルに関する情報を含む。
【０３４４】
９０６：ＵＥは、ｅＮＢが送信したハンドオーバーコマンドメッセージを受信した後、ターゲットセルにハンドオーバーされる。具体的には、ＵＥは、ターゲットセルのアップリンクタイミング事前情報またはアップリンク事前調整情報値、および、ターゲットセルのアップリンク送信電力情報またはアップリンク送信電力調整情報を取得するべく、ターゲットセルにおいてランダムアクセスプロセスを実行する必要がある。ＵＥは、ターゲットセルへのアクセスに成功した後、ハンドオーバー完了メッセージをターゲットセルに送信する。
【０３４５】
これに加えて、ＵＥをターゲットセルにハンドオーバーするプロセスにおいて、ＷＤはソースセルとの通信を継続するとしてよい。
【０３４６】
９０７：ＵＥのハンドオーバーが成功した後、ＵＥは、ＵＥをハンドオーバーする必要があるターゲットセルに関する情報、ターゲットセルで利用されるＴＡ値およびターゲットセルで利用されるアップリンク送信電力情報またはアップリンク送信電力調整情報を、ＷＤに通知する。これに加えて、ＵＥはさらに、複数の層におけるＷＤのために構成されているパラメータ情報をＷＤに通知するとしてよい。このため、ハンドオーバープロセスにおいて、ターゲットｅＮＢは、ＵＥとＷＤとの間のグループに関する情報を知る必要がある。ターゲットｅＮＢがＵＥとＷＤとの間のグループに関する情報を知ってＷＤのために適切なパラメータを設定することができるようにするためには、以下の２つの方式を利用して、ＵＥとＷＤとの間のグループに関する情報をターゲットｅＮＢに通知するとしてよい。
【０３４７】
方式１：ハンドオーバー準備フェーズにおいて、ソースｅＮＢがＵＥとＷＤとの間のグループに関する情報をターゲットｅＮＢに送信することにより、実際にはＷＤに代えてＵＥがハンドオーバーされる旨をターゲットｅＮＢが知ることとなる。
【０３４８】
方式２：ターゲットｅＮＢにアクセスするプロセスにおいて、または、ターゲットｅＮＢへのハンドオーバーが成功した後で、ＵＥは、メッセージを利用して、ＵＥとＷＤとの間のグループに関する情報をターゲットｅＮＢに通知する。これにより、ターゲットｅＮＢは、実際にはＷＤに代えてＵＥがハンドオーバーされたことを知ることとなる。
【０３４９】
ターゲットｅＮＢがＷＤとＵＥとの間のグループ関係を知った後、ターゲットｅＮＢは、ハンドオーバーコマンドにおいてＷＤのために、ＷＤがターゲットｅＮＢに対する接続を確立する場合に必要になる設定パラメータを設定するとしてよいし、または、ＵＥのハンドオーバーが成功した後で、ターゲットｅＮＢは、専用シグナリングを利用してＷＤのために、ＷＤがターゲットｅＮＢに対する接続を確立する場合に必要になる設定パラメータを設定する。
【０３５０】
９０８：さらに、これに代えて、ＵＥがターゲットｅＮＢへのアクセスに成功したとソースｅＮＢが知った後、ソースｅＮＢは、データ送信を実行するべくターゲットｅＮＢにアクセスするようＷＤに命令することを目的として、高速ハンドオーバーコマンドをＷＤに直接送信するとしてよい。具体的には、ソースｅＮＢは、物理層シグナリングまたはＭＡＣシグナリングを利用して、ハンドオーバーするようＷＤに命令するとしてよい。
【０３５１】
９０９：ターゲットセルまたはターゲットｅＮＢへのハンドオーバーを指示するハンドオーバー指示であって、ＵＥまたはソースｅＮＢが送信するハンドオーバー指示を受信した後で、ＷＥは、ＵＥが提供するＴＡおよびアップリンク送信電力情報またはアップリンク送信電力調整情報を利用してターゲットセルにおいて通信を実行する。
【０３５２】
本発明の実施形態の具体的な実現プロセスにおいて、第１のユーザ機器が第２のユーザ機器を利用してタスクを実行する場合、情報のセキュリティのためにセキュリティメカニズムを構成するとしてよい。第１のユーザ機器は、ネットワークデバイスに対する接続を確立する。第１のユーザ機器は、ネットワークデバイスが送信したセキュリティモードアクティブ化コマンドを直接受信する。 第１のユーザ機器は、セキュリティコンテキスト情報にしたがって、コントロールプレーンにおけるデータ送信のための暗号鍵およびインテグリティ保護鍵および／またはユーザプレーンにおけるデータ送信のための暗号鍵を生成し、ネットワークデバイスとの間でデータ送信を実行する場合、第１のユーザ機器は、コントロールプレーンにおけるデータ送信のために生成された暗号鍵およびインテグリティ保護鍵および／またはユーザプレーンにおけるデータ送信のために生成された暗号鍵を利用する。第１のユーザ機器は、第２のユーザ機器が送信する鍵更新メッセージを受信して、鍵更新メッセージはネットワークデバイスが暗号鍵およびインテグリティ保護鍵を利用して鍵更新メッセージに対して暗号化およびインテグリティ保護を実行した後で、ネットワークデバイスから第２のユーザ機器に送信される。第１のユーザ機器は、鍵更新メッセージにしたがって、コントロールプレーンにおけるデータ送信のための暗号鍵およびインテグリティ保護鍵またはユーザプレーンにおけるデータ送信のための暗号鍵のうち任意の１または複数を更新する。本発明の本実施形態を利用することで、第１のユーザ機器とネットワークデバイスとの間のセキュリティ鍵、および、第２のユーザ機器とネットワークデバイスとの間のセキュリティ鍵は、互いに独立したものであるとしてよく、互いに不可視である。これによって、第１のユーザ機器とネットワークデバイスとの間の直接データ送信の機密性が保証される。これに加えて、鍵更新プロセスは第２のユーザ機器を利用して更新されるとしてよい。これによって、第１のユーザ機器の消費エネルギーが少なくなり、スタンバイ時間が長くなる。本発明の本実施形態で提供されるセキュリティメカニズムについては、添付図面を参照しつつ以下で詳細に説明する。
【０３５３】
図１０は、本発明の方法の実施形態に係るさらに別の概略通信図である。この方法は、図１に図示している通信システムに適用されるとしてよい。図１０に示すように、本発明の本実施形態の主旨は、第１のユーザ機器がネットワークデバイスと通信する場合に、初期鍵は第１のユーザ機器とネットワークデバイスとの間でのみ送信される点である。すなわち、第１のユーザ機器およびネットワークデバイスのみが初期鍵を知っている。鍵を更新する必要がある場合、ネットワークデバイスは、第２のユーザ機器を利用して第１のユーザ機器に通知するとしてよい。この方法は具体的には以下のステップを含むとしてよい。
【０３５４】
最初に、ステップ１００１から１００４は、図８のステップ８０１から８０４と同じである。この方法はさらに以下のステップを含むとしてよい。
【０３５５】
１００５：ｅＮＢは、セキュリティモードアクティブ化コマンドをＷＤに送信して、ＷＤとｅＮＢとの間のセキュリティ鍵をアクティブ化する。具体的には、ＷＤがセキュリティモードアクティブ化コマンドを受信した後、ＷＤは最初に、格納されているセキュリティコンテキスト情報に基づいてＫＡＳＭＥを生成した後、ＭＭＥおよびＵＥは、生成されたＫＡＳＭＥに基づいてセキュリティ鍵ＫｅＮＢを生成するとしてよい。ＫｅＮＢが生成された後、ＷＤは、ｅＮＢのためのセキュリティアルゴリズムにしたがってＫｅＮＢから、コントロールプレーンにおけるデータ送信のための暗号鍵およびインテグリティ保護鍵およびユーザプレーンにおけるデータ送信のための暗号鍵を導出するとしてよい。
【０３５６】
例えば、ＷＤは、セキュリティコンテキスト情報にしたがって第１の鍵を生成する。ＷＤは、第１の鍵、ＮＡＳ  ＣＯＵＮＴ情報（Ｎｏｎ  Ａｃｃｅｓｓ  Ｓｔｒａｔｕｍ  ｃｏｕｎｔ、非アクセス層カウント情報）、ネットワークデバイスの識別子、または、ＵＥの識別子のうち１または複数にしたがって、第２の鍵を生成する。ＷＤは、コントロールプレーン上のデータ送信のための暗号鍵およびインテグリティ保護鍵ならびに／またはユーザプレーン上でのデータ送信のための暗号鍵を、ネットワークデバイスのためのセキュリティアルゴリズムにしたがって第２の鍵から算出し、第１のユーザ機器がネットワークデバイスとの間でデータ送信を実行する場合、暗号鍵を利用してコントロールプレーン上でデータを暗号化もしくは復号化し、インテグリティ保護鍵を利用してコントロールプレーン上でデータに対してインテグリティ保護を実行するかもしくはインテグリティ保護鍵を利用してコントロールプレーン上でデータのインテグリティを検証し、ならびに／または、暗号鍵を利用してユーザプレーン上でデータを復号化もしくは暗号化する。
【０３５７】
１００６：さらに、ＷＤとｅＮＢとの間のデータ送信プロセスにおいて、条件が満たされれば、ｅＮＢは鍵更新プロセスの実行をトリガする必要がある。ＷＤの鍵更新プロセスは以下のように設計される。
【０３５８】
ＷＤとｅＮＢとの間の鍵を更新する必要がある場合、ｅＮＢは専用メッセージをＵＥに送信する。専用メッセージは、ＷＤによるセキュリティ鍵更新の実行のための関連情報を含み、暗号化および／またはインテグリティ保護は、ＷＤとｅＮＢとの間の現在の鍵を利用して専用メッセージに対して実行される。これに代えて、ｅＮＢはＨＯコマンドメッセージをＵＥに送信するとしてもよい。ＨＯコマンドメッセージもまた、ＷＥによる鍵更新の実行のための関連情報を含み、暗号化および／またはインテグリティ保護は、ＷＤとｅＮＢとの間の現在の鍵を利用して鍵更新のための関連情報に対して実行される。
【０３５９】
１００７：ＵＥは、ｅＮＢがＷＤに送信する鍵更新メッセージをＷＤに転送する。
【０３６０】
１００８：ＷＤは、鍵更新メッセージに保持されている情報にしたがって、新しい暗号鍵および／または新しいインテグリティ保護鍵を生成し、ＷＤは、更新を完了した後、鍵更新完了メッセージをＵＥに送信する。
【０３６１】
１０９：ＵＥは、鍵更新完了メッセージをｅＮＢに送信して、ＷＤが鍵更新を完了した旨をｅＮＢに通知する。
【０３６２】
上記では、本発明の実施形態で提供される解決手段について主にネットワーク素子間のやり取りの観点から説明している。前述した機能を実現するためには、各ネットワーク素子、例えば、第１のユーザ機器、第２のユーザ機器、アクセスネットワークデバイスまたはコアネットワークデバイスが、さまざまな機能を実行するために利用される対応するハードウェア構造および／またはソフトウェアモジュールを含むと理解されたい。本明細書で開示した実施形態を参照しつつ説明した例のそれぞれにおけるユニットおよびアルゴリズムのステップは、本発明において、ハードウェアの形態で、または、ハードウェアおよびコンピュータソフトウェアの組み合わせの形態で実現され得ることは、当業者であれば容易に認めるはずである。ハードウェアで機能を実現するか、または、コンピュータソフトウェアがハードウェアを駆動する方式で機能を実現するかは、具体的な用途および技術的解決手段の設計上の制約および要件に応じて決まる。当業者であれば、具体的な用途毎に、説明した機能を実装する際に利用する方法を変更し得るが、このような実装が本発明の範囲を超えるものとみなされるべきではない。
【０３６３】
図１１は、前述した実施形態におけるアクセスネットワークデバイスがとり得る構造を示す概略図である。
【０３６４】
アクセスネットワークデバイスは、送信機（ｔｒａｎｓｍｉｔｔｅｒ）／受信機１１０１、コントローラ／プロセッサ１１０２、メモリ１１０３および通信部１１０４を備える。送信機／受信機１１０１は、前述した実施形態においてＵＥから／への情報の受信／送信の際にアクセスネットワークデバイスをサポートするよう構成されており、他のＵＥとの間で無線通信を実行する際にＵＥをサポートするよう構成されている。コントローラ／プロセッサ１１０２は、ＵＥと通信するためのさまざまな機能を実行する。アップリンクにおいて、ＵＥからのアップリンク信号は、アンテナによって受信され、受信機１１０１によって復調され、さらにコントローラ／プロセッサ１１０２によって処理されることにより、ＵＥが送信するサービスデータおよびシグナリング情報が復元される。ダウンリンクにおいて、サービスデータおよびシグナリングメッセージは、コントローラ／プロセッサ１１０２によって処理され、送信機１１０１によって復調されてダウンリンク信号を生成し、ダウンリンク信号はアンテナによってＵＥに送信される。コントローラ／プロセッサ１１０２はさらに、アクセスネットワークデバイスに関する図３から図１０における処理プロセスを実行し、および／または、本願で説明する技術の別のプロセスを実行するよう構成されている。メモリ１１０３は、基地局のプログラムコードおよびデータを格納するよう構成されている。 通信部１１０４は、別のネットワークエンティティと通信する際にアクセスネットワークデバイスをサポートするよう構成されている。例えば、通信部１１０４は、図２に示す別の通信ネットワークエンティティ、例えば、コアネットワークＥＰＣにおけるＭＭＥ，ＳＧＷおよび／またはＰＧＷと通信する際にアクセスネットワークデバイスをサポートするよう構成されている。
【０３６５】
図１１はアクセスネットワークデバイスの設計を簡略化して図示しているに過ぎないと理解されたい。実際に適用する場合には、基地局は、任意の数の送信機（ｔｒａｎｓｍｉｔｔｅｒｓ）、受信機、プロセッサ、コントローラ、メモリ、通信部等を含むとしてよく、本発明を実現可能なアクセスネットワークデバイスは全て、本発明の保護範囲に含まれる。
【０３６６】
図１２は、前述した実施形態における第２のユーザ機器がとり得る設計構造を示す簡略概略図である。第２のユーザ機器は、送信機１２０１、受信機１２０２、コントローラ／プロセッサ１２０３、メモリ１２０４、モデムプロセッサ１２０５、ＷｉＦｉ（登録商標）および／またはＢｌｕｅｔｏｏｔｈ（登録商標）モジュール１２１０、電源１２１１等を備える。
【０３６７】
送信機１２０１は、（例えば、アナログ変換、フィルタリング、増幅およびアップコンバートによって）出力サンプルを調整して、アップリンク信号を生成する。アップリンク信号は、前述した実施形態においてアンテナによって基地局に送信される。ダウンリンクにおいて、アンテナは、前述した実施形態において基地局が送信したダウンリンク信号を受信する。受信機１２０２は、アンテナから受信した信号を（例えば、フィルタリング、増幅、ダウンコンバートおよびデジタル化によって）調整して、入力サンプルを提供する。モデムプロセッサ１２０５において、エンコーダ１２０６は、アップリンクで送信される予定のシグナリングメッセージおよびサービスデータを受信して、サービスデータおよびシグナリングメッセージを（例えば、フォーマッティング、コーディングおよびインターリーブによって）処理する。変調器１２０７はさらに、エンコードされるシグナリングメッセージおよびサービスデータを（例えば、シンボルマッピングおよび変調によって）処理して、出力サンプルを提供する。復調器１２０９は、入力サンプルを（例えば、復調によって）処理して、シンボル推定を提供する。デコーダ１２０８は、シンボル推定を（例えば、デインターリーブおよびデコーディングによって）処理して、第２のユーザ機器に送信される、デコード済みデータおよびデコード済みシグナリングメッセージを提供する。エンコーダ１２０６、変調器１２０７、復調器１２０９およびデコーダ１２０８は、複合モデムプロセッサ１２０５によって実現されるとしてよい。これらのユニットは、無線アクセスネットワークが利用する無線アクセス技術（ＬＴＥまたは他の最新型システムにおけるアクセス技術等）にしたがって処理を実行する。
【０３６８】
ＷｉＦｉ（登録商標）および／またはＢｌｕｅｔｏｏｔｈ（登録商標）モジュール１２１０は、ＷｉＦｉ（登録商標）および／またはＢｌｕｅｔｏｏｔｈ（登録商標）信号受信機および送信機を有するとしてよく、受信機および送信機を利用して、ＷｉＦｉ（登録商標）および／またはＢｌｕｅｔｏｏｔｈ（登録商標）機能を持つ第１のユーザ機器等の別のデバイスとの間でデータ通信を実行するとしてよい。
【０３６９】
電源１２１１（電池等）は、各部への電力の供給を担当する。好ましくは、電源は、電源管理システムを利用して論理的にコントローラ／プロセッサ１２０３に接続されているとしてよく、これによって、電源管理システムを利用することで、充電、放電および消費電力の管理等の機能を実現する。
【０３７０】
コントローラ／プロセッサ１２０３は、第２のユーザ機器の動作を制御および管理し、前述した実施形態において第２のユーザ機器が実行する処理を実行するよう構成されている。例えば、コントローラ／プロセッサ１２０３は、第１のタスクおよび／または本発明で説明する技術の別のプロセスを実行するようユーザ機器を制御するように構成されている。例えば、コントローラ／プロセッサ１２０３はさらに、第２のユーザ機器に関する、図３から図１０に図示している処理プロセスを実行するように構成されており、および／または、本願で説明している技術の別のプロセスを実行するように構成されている。メモリ１２０４は、第２のユーザ機器のために利用されるプログラムコードおよびデータを格納するよう構成されている。
【０３７１】
図１３は、前述した実施形態における第１のユーザ機器がとり得る設計構造を示す簡略概略図である。第１のユーザ機器は、送信機１３０１、受信機１３０２、コントローラ／プロセッサ１３０３、メモリ１３０４、モデムプロセッサ１３０５、ＷｉＦｉ（登録商標）および／またはＢｌｕｅｔｏｏｔｈ（登録商標）モジュール１３１０、電源１３１１等を備えるとしてよい。
【０３７２】
送信機１３０１は、（例えば、アナログ変換、フィルタリング、増幅およびアップコンバートによって）出力サンプルを調整して、アップリンク信号を生成する。アップリンク信号は、前述した実施形態においてアンテナによって基地局に送信される。ダウンリンクにおいて、アンテナは、前述した実施形態において基地局が送信したダウンリンク信号を受信する。受信機１３０２は、アンテナから受信した信号を（例えば、フィルタリング、増幅、ダウンコンバートおよびデジタル化によって）調整して、入力サンプルを提供する。モデムプロセッサ１３０５において、エンコーダ１３０６は、アップリンクで送信される予定のシグナリングメッセージおよびサービスデータを受信して、サービスデータおよびシグナリングメッセージを（例えば、フォーマッティング、コーディングおよびインターリーブによって）処理する。変調器１３０７はさらに、エンコードされるシグナリングメッセージおよびサービスデータを（例えば、シンボルマッピングおよび変調によって）処理して、出力サンプルを提供する。復調器１３０９は、入力サンプルを（例えば、復調によって）処理して、シンボル推定を提供する。デコーダ１３０８は、シンボル推定を（例えば、デインターリーブおよびデコーディングによって）処理して、第１のユーザ機器に送信される、デコード済みデータおよびデコード済みシグナリングメッセージを提供する。エンコーダ１３０６、変調器１３０７、復調器１３０９およびデコーダ１３０８は、複合モデムプロセッサ１３０５によって実現されるとしてよい。これらのユニットは、無線アクセスネットワークが利用する無線アクセス技術（ＬＴＥまたは他の最新型システムにおけるアクセス技術等）にしたがって処理を実行する。
【０３７３】
ＷｉＦｉ（登録商標）および／またはＢｌｕｅｔｏｏｔｈ（登録商標）モジュール１３１０は、ＷｉＦｉ（登録商標）および／またはＢｌｕｅｔｏｏｔｈ（登録商標）信号受信機および送信機を有するとしてよく、受信機および送信機を利用して、ＷｉＦｉ（登録商標）および／またはＢｌｕｅｔｏｏｔｈ（登録商標）機能を持つ第２のユーザ機器等の別のデバイスとの間でデータ通信を実行するとしてよい。
【０３７４】
本発明の本実施形態において、ネットワークデバイスと直接のやり取りするタスクが全て第２のユーザ機器によって実行される場合、第１のユーザ機器は、送信機１３０１、受信機１３０２、モデムプロセッサ１３０５およびモデムプロセッサ１３０５の内部構成要素を含まないとしてよい。
【０３７５】
電源１３１１（電池等）は、各部への電力の供給を担当する。好ましくは、電源は、電源管理システムを利用して論理的にコントローラ／プロセッサ１３０３に接続されているとしてよく、これによって、電源管理システムを利用することで、充電、放電および消費電力の管理等の機能を実現する。
【０３７６】
コントローラ／プロセッサ１３０３は、第１のユーザ機器の動作を制御および管理し、前述した実施形態において第１のユーザ機器が実行する処理を実行するよう構成されている。例えば、コントローラ／プロセッサ１３０３は、本発明で説明する技術の第２のタスクおよび／または別のプロセスを実行するようユーザ機器を制御するよう構成されている。例えば、コントローラ／プロセッサ１３０３はさらに、第１のユーザ機器に関する、図３から図１０に図示している処理プロセスを実行するように構成されており、および／または、本願で説明している技術の別のプロセスを実行するように構成されている。メモリ１３０４は、第１のユーザ機器のために利用されるプログラムコードおよびデータを格納するよう構成されている。
【０３７７】
図１４は、前述した実施形態におけるコアネットワークデバイスの設計を示すブロック図である。コアネットワークは、ＥＰＣネットワークであってよく、コアネットワーク装置は、ＭＭＥ、ＳＧＷ、ＰＧＷまたはこれらの組み合わせであってよい。
【０３７８】
コアネットワークデバイスはコントローラ／プロセッサ１４０２を有する。コントローラ／プロセッサ１４０２は、コアネットワーク装置の動作を制御および管理するよう構成されており、ＵＥの通信サービスをサポートするためのさまざまな機能を実行するよう構成されている。例えば、コントローラ／プロセッサ１４０２は、ネットワークデバイスおよびコアネットワークデバイスに関する、図３から図１０に図示している処理プロセスを実行する上で、および／または、本明細書で説明している技術の別のプロセスを実行する上で、コアネットワークデバイスをサポートするように構成されている。メモリ１４０１は、コアネットワーク装置のために利用されるプログラムコードおよびデータを格納するよう構成されている。通信部１４０３は、別のネットワークエンティティとの通信、例えば、図１１におけるアクセスネットワークデバイスにおける通信部１１０４との通信、図１２における第２のユーザ機器との通信、および／または、図１３における第１のユーザ機器との通信をサポートするよう構成されている。別の例を挙げると、通信部１４０３は図２に示すネットワークエンティティとの通信をサポートする。
【０３７９】
本発明におけるアクセスネットワークデバイス、ユーザ機器またはコアネットワークデバイスの機能を実行するよう構成されているコントローラ／プロセッサは、中央演算処理装置（ＣＰＵ）、汎用プロセッサ、デジタルシグナルプロセッサ（ＤＳＰ）、特定用途向け集積回路（ＡＳＩＣ）、フィールドプログラマブルゲートアレイ（ＦＰＧＡ）または別のプログラマブルロジカルデバイス、トランジスタロジカルデバイス、ハードウェアコンポーネント、または、これらの任意の組み合わせであってよい。コントローラ／プロセッサは、本発明で開示した内容を参照しつつ説明したさまざまなロジカルブロック、モジュールおよび回路の例を実現または実行するとしてよい。これに代えて、プロセッサは、算出機能を実現する複数のプロセッサの組み合わせ、例えば、１または複数のマイクロプロセッサの組み合わせ、または、ＤＳＰおよびマイクロプロセッサの組み合わせであってよい。
【０３８０】
「第１」、「第２」、「第３」等の説明は単に、読み手が区別し易くなることを意図しているに過ぎず、名詞に対する限定を構成するものではないと留意されたい。
【０３８１】
当業者はさらに、本明細書で開示した実施形態で説明した例と組み合わせて、ユニットおよびアルゴリズムのステップは電子ハードウェア、コンピュータソフトウェアまたはこれらの組み合わせによって実現され得るものと認めるとしてよい。ハードウェアとソフトウェアとの間の相互互換性を明確に説明するべく、上記では概して、機能に応じて各例の構成およびステップを説明している。機能をハードウェアまたはソフトウェアのどちらで実行するかは、具体的な用途および技術的解決手段の設計上の制約条件に応じて決まる。当業者であれば、具体的な用途毎に、説明した機能を実装する際に利用する方法を変更し得るが、このような実装が本発明の範囲を超えるものとみなされるべきではない。
【０３８２】
本明細書で開示した実施形態で説明する方法またはアルゴリズムのステップは、ハードウェア、プロセッサで実行するソフトウェアモジュールまたはこれらの組み合わせで実現されるとしてよい。ソフトウェアモジュールは、ランダムアクセスメモリ（ＲＡＭ）、メモリ、リードオンリーメモリ（ＲＯＭ）、電気的にプログラム可能なＲＯＭ、電気的に消去可能でプログラム可能なＲＯＭ、レジスタ、ハードディスク、取り外し可能なディスク、ＣＤ−ＲＯＭ、または、関連技術分野で公知である任意の別の形態の格納媒体にあるとしてよい。
【０３８３】
前述した具体的な実現例では、本発明の目的、技術的解決手段および恩恵をさらに詳細に説明している。前述した説明は単に本発明の具体的な実現例であるが、本発明の保護範囲を限定することを意図しているわけではないと理解されたい。本発明の意図および原理を逸脱することなくなされた任意の修正、均等物による置き換え、または、改善は、本発明の保護範囲に含まれるものとする。
【図１】
2019500810.tif 000003
【図２】
2019500810.tif 000004
【図３】
2019500810.tif 000005
【図４】
2019500810.tif 000006
【図５】
2019500810.tif 000007
【図６】
2019500810.tif 000008
【図７】
2019500810.tif 000009
【図８】
2019500810.tif 000010
【図９】
2019500810.tif 000011
【図１０】
2019500810.tif 000012
【図１１】
2019500810.tif 000013
【図１２】
2019500810.tif 000014
【図１３】
2019500810.tif 000015
【図１４】
2019500810.tif 000016
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
ユーザ機器であって、前記ユーザ機器は第１のユーザ機器であり、
プロセッサであって、第２のユーザ機器を利用して第１のタスクを実行することによって、ネットワークデバイスとの通信に必要とされる第１の結果を取得すると決定するよう構成されており、前記第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含む、プロセッサと、
前記第２のユーザ機器が送信する前記第１の結果を受信するよう構成されている受信機であって、前記第１の結果は前記第１のタスクを実行することによって前記第２のユーザ機器によって取得される、受信機と
を備え、
前記プロセッサはさらに、前記第１の結果を利用して前記ネットワークデバイスと通信するよう構成されている
ユーザ機器。
【請求項２】
前記第１のタスクは、セルサーチ、セル測定、セル選択、セル再選択、セルシステム情報リスニング、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定することのうち１または複数のタスクを含む
請求項１に記載のユーザ機器。
【請求項３】
前記プロセッサはさらに、第２のタスクのみを実行するよう構成されており、前記第２のタスクは、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報またはアップリンク送信電力調整情報を決定すること、サービングセルで利用するアップリンクタイミング事前情報またはアップリンク事前調整情報を決定すること、トラッキングエリアを決定すること、および、トラッキングエリアを更新すると決定することのうち、前記第１のタスク以外のタスクを含む
請求項１または２に記載のユーザ機器。
【請求項４】
前記受信機はさらに、
前記第２のユーザ機器が送信するページングメッセージを受信するよう構成されており、前記ページングメッセージのページングオブジェクトは前記第１のユーザ機器であり、または、
前記第２のユーザ機器が送信するページングメッセージのコンテンツの一部または全てを受信するよう構成されており、前記ページングメッセージは、前記ネットワークデバイスが送信して、前記第２のユーザ機器が受信し、または、
前記第２のユーザ機器が送信するサービス通知メッセージを受信するよう構成されており、前記サービス通知メッセージは、前記ネットワークデバイスが送信した受信ページングメッセージにしたがって前記第２のユーザ機器が決定する
請求項１から３のいずれか一項に記載のユーザ機器。
【請求項５】
前記プロセッサはさらに、予め設定された条件が満たされる場合に、グループを解除するよう決定するよう構成されている
請求項４に記載のユーザ機器。
【請求項６】
前記予め設定された条件が満たされることは、
前記第１のユーザ機器と前記第２のユーザ機器との間の距離もしくは信号の品質がしきい値に到達すること、または、
前記第１のユーザ機器が、前記第２のユーザ機器もしくは前記ネットワークデバイスが送信するグループ解除指示情報を受信すること、または、
前記第１のユーザ機器が、人間−機械インターフェースを利用することで、または、アプリケーション層から、グループ解除指示情報を受信すること
を含む
請求項５に記載のユーザ機器。
【請求項７】
ユーザ機器であって、前記ユーザ機器は第２のユーザ機器であり、
ネットワークデバイスとの通信に必要な第１の結果を取得するべく第１のタスクを実行するよう構成されているプロセッサであって、前記第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む、プロセッサと、
第１のユーザ機器が前記第１の結果を利用して前記ネットワークデバイスと通信するように、前記第１の結果を前記第１のユーザ機器に送信するよう構成されている送信機と
を備える、ユーザ機器。
【請求項８】
前記プロセッサはさらに、
セル測定を実行して、サービングセル測定結果および／もしくは隣接セル測定結果を取得すること、
セル選択もしくはセル再選択を実行し、選択もしくは再選択されたセルに関する情報を決定すること、
キャンプオンする予定のセルもしくはサービングセルのシステム情報をリスニングして、前記キャンプオンする予定のセルもしくは前記サービングセルの前記システム情報が変化する場合に前記キャンプオンする予定のセルもしくは前記サービングセルの変化後のシステム情報を決定すること、または、
ページングメッセージをリスニングして、ページングオブジェクトが前記第１のユーザ機器であるページングメッセージがリスニングによって取得されると決定すること、
のうち少なくとも１つを実行するよう構成されており、
前記送信機はさらに、第４の要求メッセージを前記ネットワークデバイスに送信するよう構成されており、前記第４の要求メッセージは、前記ネットワークデバイスが提供するサービスについて必要なパラメータ情報を取得するために利用され、前記ユーザ機器はさらに、
前記ネットワークデバイスが送信する第１の応答メッセージを受信するよう構成されている受信機であって、前記第１の応答メッセージは、前記パラメータ情報を含み、前記パラメータ情報は、アップリンク送信電力情報もしくはアップリンク送信電力調整情報、アップリンクタイミング事前情報もしくはアップリンク事前調整情報、または、設定パラメータのうち少なくとも１つを含み、前記設定パラメータは、物理層設定パラメータ、媒体アクセス制御（ＭＡＣ）層設定パラメータ、無線リンク制御（ＲＬＣ）層設定パラメータ、パケットデータコンバーゼンスプロトコル（ＰＤＣＰ）層設定パラメータ、または、無線リソース制御（ＲＲＣ）設定パラメータのうち少なくとも１つのパラメータを含む、受信機を備える
請求項７に記載のユーザ機器。
【請求項９】
前記第１のユーザ機器が送信する第１の要求メッセージを受信するよう構成されている受信機であって、前記第１の要求メッセージは前記第１の結果を要求するために利用される、受信機をさらに備える
請求項８に記載のユーザ機器。
【請求項１０】
前記プロセッサはさらに、前記第１のユーザ機器と前記第２のユーザ機器との間にグループを構築するよう決定するよう構成されており、前記グループは、前記第１のユーザ機器および前記第２のユーザ機器が前記ネットワークデバイスとの通信のために利用される少なくとも１つの情報を共有する旨を示し、
前記送信機はさらに、前記グループが前記第１のユーザ機器と前記第２のユーザ機器との間に構築されている旨を示すべく、前記第１のユーザ機器にグループ構築確認メッセージを送信するよう構成されている
請求項９に記載のユーザ機器。
【請求項１１】
前記受信機はさらに、前記ネットワークデバイスが送信するページングメッセージを受信するよう構成されており、
前記ページングメッセージは
前記グループのグループ情報、
前記第１のユーザ機器の識別子、
前記第１のユーザ機器の前記識別子およびグループ処理を実行するか否かを示す指示、
前記第１のユーザ機器の前記識別子および前記ページングメッセージを前記第１のユーザ機器に転送するか否かを示す指示、または、
前記第１のユーザ機器の前記識別子および前記第２のユーザ機器の識別子
のうち１つを含む
請求項１０に記載のユーザ機器。
【請求項１２】
前記送信機はさらに、前記ページングメッセージを前記第１のユーザ機器に転送するか、または、前記ページングメッセージのコンテンツの一部または全てを前記第１のユーザ機器に送信するか、または、サービス通知メッセージを前記第１のユーザ機器に送信するよう構成されており、前記サービス通知メッセージは、前記ネットワークデバイスが送信する受信した前記ページングメッセージにしたがって前記第２のユーザ機器が決定する
請求項８から１１のいずれか一項に記載のユーザ機器。
【請求項１３】
前記プロセッサはさらに、予め設定された条件が満たされる場合に、前記グループを前記第２のユーザ機器によって解除するよう構成されている
請求項１０に記載のユーザ機器。
【請求項１４】
前記予め設定された条件が満たされることは、
前記第１のユーザ機器と前記第２のユーザ機器との間の距離もしくは信号の品質がしきい値に到達すること、または、
前記第２のユーザ機器が、前記第１のユーザ機器もしくは前記ネットワークデバイスが送信するグループ解除指示情報を受信すること、または、
前記第２のユーザ機器が、人間−機械インターフェースを利用することで、または、アプリケーション層から、グループ解除指示情報を受信すること
を含む
請求項１３に記載のユーザ機器。
【請求項１５】
前記送信機はさらに、グループ解除指示情報を前記ネットワークデバイスに送信するよう構成されており、前記グループ解除指示情報は、前記第１のユーザ機器と前記第２のユーザ機器との間の前記グループを解除するよう命令するために利用される
請求項１３または１４に記載のユーザ機器。
【請求項１６】
前記プロセッサはさらに、前記ネットワークデバイスへのランダムアクセスプロセスまたはロケーション更新プロセスを実行するよう構成されており、前記送信機はさらに、前記ランダムアクセスプロセスまたは前記ロケーション更新プロセスにおいて、前記グループ解除指示情報を前記ネットワークデバイスに、送信するよう構成されている
請求項１５に記載のユーザ機器。
【請求項１７】
第２のユーザ機器を利用して第１のタスクを実行することによって、ネットワークデバイスとの通信に必要とされる第１の結果を取得すると決定する段階であって、前記第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含む、段階と、
前記第２のユーザ機器が送信する前記第１の結果を受信する段階であって、前記第１の結果は、前記第１のタスクを実行することによって前記第２のユーザ機器によって取得される、段階と、
前記第１の結果を利用して前記ネットワークデバイスと通信する段階と
を備える方法。
【請求項１８】
ネットワークデバイスとの通信に必要な第１の結果を取得するべく第１のタスクを実行する段階であって、前記第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む、段階と、
第１のユーザ機器が前記第１の結果を利用して前記ネットワークデバイスと通信するように、前記第１の結果を前記第１のユーザ機器に送信する段階と
を備える方法。
【請求項１９】
請求項１７または１８に記載の方法をコンピュータに実行させるプログラム。
【請求項２０】
プログラムを格納しているコンピュータ可読記憶媒体であって、前記プログラムがプロセッサによって実行されると、請求項１７または１８に記載の方法が実行される、コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本発明は、通信技術の分野に関し、特に通信方法およびデバイスに関する。
【背景技術】
【０００２】
通信技術の発展に伴い、さまざまな種類のユーザ端末が登場している。ウェアラブルデバイスは、サイズが小型で持ち運びに便利なため、広く利用されている。例えば、手首で支持される腕時計およびリストストラップ等の製品、足で支持される靴および靴下もしくは足に装着するその他の製品、メガネ、ヘルメット、ヘッドバンド等頭で支持されるもの、ならびに、スマート服、スマートスクールバッグ、スマート杖およびスマートアクセサリー等のさまざまな形態の製品が挙げられる。
【０００３】
ウェアラブルデバイスは、多機能化およびポータブル化が進んでいる。このため、大半のウェアラブルデバイスではアプリケーションソフトウェアおよびモバイル通信機能をサポートすることができる。例えば、一部のウェアラブルデバイスは、加入者識別モジュール（ＳＩＭ）カードをサポートしている。
【０００４】
しかし、大半のウェアラブルデバイスは、サイズが比較的小型で保持可能なバッテリーのサイズは限られる。このため、ウェアラブルデバイスは、バッテリスタンバイ時間が比較的短い場合が多い。しかし、アプリケーションソフトウェアおよび通信機能は両方とも、比較的大量の電気でサポートする必要がある。この結果、これらの機能を開始すれば、消費電力が増加する。このため、ウェアラブルデバイスのバッテリスタンバイ時間が短くなり、実用性が低くなる。
【発明の概要】
【０００５】
本発明の実施形態は通信方法およびデバイスを提供する。本発明の実施形態によると、ユーザ機器のスタンバイ時間を長くすることができ、実用性が高くなる。
【０００６】
ある態様によると、本願の実施形態は、通信方法提供する。当該方法は、第２のユーザ機器を利用して第１のタスクを実行することによって、ネットワークデバイスとの通信に必要とされる第１の結果を取得すると第１のユーザ機器が決定する段階であって、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含み得る、段階と、第２のユーザ機器が送信する第１の結果を第１のユーザ機器が受信する段階であって、第１の結果は、第１のタスクを実行することによって第２のユーザ機器が取得する、段階と、第２のユーザ機器から取得した第１の結果を利用してネットワークデバイスと第１のユーザ機器が通信する段階を備える。本発明の本実施形態を利用することで、第１のユーザ機器は、ネットワークデバイスとの通信に必要となる情報を、第２のユーザ機器を利用することで取得するとしてよく、第１のタスクを常に実行する必要がないので、消費エネルギーが少なくなる。さらに、第１のユーザ機器が第２のユーザ機器と通信する場合に消費するエネルギーは第１のユーザ機器がネットワークデバイスと通信する場合に必要なエネルギーよりも少ないので、エネルギーをさらに節約することができる。
【０００７】
可能な設計において、第１のタスクは、セルサーチ、セル測定、セル選択、セル再選択、セルシステム情報リスニング、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定すること等のうち１または複数のタスクを含むとしてよい。このように、第１のユーザ機器は前述のタスクを実行しないので、エネルギーが節約されるとしてよい。
【０００８】
可能な設計において、上記の方法はさらに、第１のユーザ機器が第２のタスクのみを実行する段階を備え、第２のタスクは、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報またはアップリンク送信電力調整情報を決定すること、サービングセルで利用するアップリンクタイミング事前情報またはアップリンク事前調整情報を決定すること、トラッキングエリアを決定すること、および、トラッキングエリアを更新すると決定することのうち、前記第１のタスク以外のタスクを含むとしてよい。前述のタスクは全て第１のユーザ機器とネットワークデバイスとの間の通信のプロセスにおいて実行する必要があるので、一部のタスクの実行を第２のユーザ機器に任せると消費エネルギーが少なくなるとしてよい。
【０００９】
可能な設計において、第１のユーザ機器が第２のユーザ機器を利用して第１のタスクを実行する前に、上記の方法はさらに、第２のユーザ機器またはネットワークデバイスが送信する第１の指示情報を第１のユーザ機器が受信する段階を備えるとしてよい。第１の指示情報は第２のタスクを実行するよう命令するために利用される。本発明の本実施形態を利用することで、第１のユーザ機器は、特定の命令を受けた場合に限り第１のタスクの実行を停止または省略するとしてよい。これによって、タスクを繰り返し実行しないようにしたり、または、第１のユーザ機器がアイドル状態にならないようにしたりして、通常の通信が確実に行われるようにする。
【００１０】
可能な設計において、上記の方法はさらに、第１のユーザ機器によって第１の結果を格納する段階を備える。この結果、第１のユーザ機器は、第１のユーザ機器がネットワークデバイスと通信する必要がある場合に、格納された第１の結果を取得する。第１のユーザ機器が第２のユーザ機器が送信する第１の結果を受信する場合、第１のユーザ機器は、ネットワークデバイスと通信する必要はないとしてよい。このため、第１のユーザ機器は最初に、第１の結果を格納するとしてよく、第１のユーザ機器が通信を実行する必要がある場合に、格納されている第１の結果を利用して通信を実行する。
【００１１】
可能な設計において、上記の方法はさらに、第１の結果を受信する段階の前に、第１のユーザ機器によって第１の要求メッセージを第２のユーザ機器に送信する段階を備えるとしてよい。第１の要求メッセージは第１の結果を要求するために利用される。第１のユーザ機器は、第１のユーザ機器が通信を実行する必要がある場合に、第２のユーザ機器から第１の結果を取得するとしてよい。このようにして、不要な通信を回避するとしてよく、通信効率が改善されるとしてよく、消費エネルギーが少なくなるとしてよい。
【００１２】
可能な設計において、第１の結果を利用してネットワークデバイスと第１のユーザ機器が通信する段階は、第１のユーザ機器が、第１の結果を利用してネットワークデバイスに対して直接接続を構築して、通信を実行する段階、または、第１の結果および第２のユーザ機器を利用してネットワークデバイスと第１のユーザ機器が間接的に通信する段階を含む。第１のユーザ機器とネットワークデバイスとの間の直接通信を回避して消費エネルギーを低減するべく、通信プロセスのデータも第２のユーザ機器を利用して送信するとしてよい。
【００１３】
可能な設計において、上記の方法はさらに、第２のユーザ機器が送信するグループ構築確認メッセージを第１のユーザ機器が受信する段階を備える。グループ構築確認メッセージは、第１のユーザ機器と第２のユーザ機器との間にグループが構築されている旨を示すために利用される。上記の方法は、グループを構築することによって実施されるとしてよい。このようにして、第１のユーザ機器、第２のユーザ機器およびネットワークデバイスの間の通信は、グループに基づいて実行されるとしてよい。これによって、タスクはより明示的になる。
【００１４】
可能な設計において、上記の方法はさらに、グループが構築される前に、第２の要求メッセージを第２のユーザ機器に第１のユーザ機器が送信する段階を備える。第２の要求メッセージは、第１のユーザ機器と第２のユーザ機器との間にグループを構築するよう要求するために利用される。グループ構築要求は、第１のユーザ機器によってトリガされるとしてよい。例えば、第１のユーザ機器のアプリケーションによってトリガされるとしてもよいし、または、グループを構築する必要がある場合にトリガされるとしてよい。このようにして、必要があればグループを構築するので、リソースが節約されるとしてよい。
【００１５】
可能な設計において、上記の方法はさらに、第２のユーザ機器が送信するページングメッセージを第１のユーザ機器が受信する段階を備え、ページングメッセージのページングオブジェクトは第１のユーザ機器であり、または、第２のユーザ機器が送信するページングメッセージのコンテンツの一部または全てを第１のユーザ機器が受信する段階を備え、ページングメッセージは、ネットワークデバイスが送信して、第２のユーザ機器が受信し、または、第２のユーザ機器が送信するサービス通知メッセージを第１のユーザ機器が受信する段階を備え、サービス通知メッセージは、ネットワークデバイスが送信した受信ページングメッセージにしたがって第２のユーザ機器が決定する。本発明の本実施形態を利用することで、ネットワークデバイスが実行する第１のユーザ機器のページングもまた、第２のユーザ機器が受信するとしてよい。このようにして、消費エネルギーがさらに少なくなるとしてよい。
【００１６】
可能な設計において、上記の方法はさらに、予め設定された条件が満たされる場合に、グループを解除するよう第１のユーザ機器が決定する段階を備える。グループは、第１のユーザ機器と第２のユーザ機器との間で近距離通信が実行可能であること、または、グループを構築する必要があること、を基準に構築される。このため、予め設定された条件が満たされる場合にグループを解除するとしてよく、当該グループが占有していたリソースが解放されるので、グループ構築の自由度が高くなる。
【００１７】
可能な設計において、予め設定された条件が満たされることは、第１のユーザ機器と第２のユーザ機器との間の距離もしくは信号の品質がしきい値に到達すること、または、第１のユーザ機器が、第２のユーザ機器もしくはネットワークデバイスが送信するグループ解除指示情報を受信すること、または、第１のユーザ機器が、人間−機械インターフェースを利用することで、または、アプリケーション層から、グループ解除指示情報を受信することを含む。本発明を利用することで、第１のユーザ機器、第２のユーザ機器およびネットワークデバイスは全て、グループ解除をトリガすることができるので、グループの構築および解除は自由度が高くなり、ユーザ使用感も改善される。
【００１８】
可能な設計において、上記の方法はさらに、グループを解除した後、第１のタスクの実行を第１のユーザ機器が開始もしくは再開する段階、または、第１のユーザ機器が現在のサービングセルに継続してキャンプオンする段階を備える。グループを解除した後、すなわち、第２のユーザ機器が第１のユーザ機器に代わって第１のタスクを実行しなくなった後、第１のユーザ機器はさらに、他のユーザ機器との間でグループを構築するとしてもよいし、または、第１のタスクを自身で実行するとしてもよい。第１のユーザ機器がキャンプ状態の場合、第１のユーザ機器は第２のユーザ機器を利用して選択または再選択されたセルに継続してキャンプオンするとしてよい。このため、グループ構築は、自由度が高くなり、さまざまなケースに応じて適応させることも可能になるので、実施可能性が高くなる。
【００１９】
可能な設計において、上記の方法はさらに、グループを解除する前に、第３の要求メッセージを第２のユーザ機器に第１のユーザ機器が送信する段階を備えるとしてよい。第３の要求メッセージは、第１のユーザ機器と第２のユーザ機器との間のグループを解除するよう命令するために利用される。本発明の本実施形態を利用することで、グループ解除は第１のユーザ機器によってトリガされるとしてよい。
【００２０】
可能な設計において、グループ解除プロセスにおいて、上記の方法はさらに、第１のユーザ機器がグループ解除後も第２のユーザ機器と同じセルまたは同じトラッキングエリアに継続して存在するか否かを、第１のユーザ機器が第２のユーザ機器に通知する段階を備える。グループを解除した後、セルおよびトラッキングエリア等の情報は決定し直すとしてよい。この場合、第１のユーザ機器は指示を与えるとしてよい。このため、グループを解除した後、ネットワークデバイスは、第１のユーザ機器の位置および第１のユーザ機器に関する情報を把握しているので、通常の通信が確実に行われる。
【００２１】
別の態様によると、本願の実施形態は通信方法を提供する。当該方法は、ネットワークデバイスとの通信に必要な第１の結果を取得するべく第１のタスクを第２のユーザ機器が実行する段階であって、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む、段階と、第２のユーザ機器が第１の結果を第１のユーザ機器に送信する段階とを備えるとしてよい。第１のユーザ機器は、第１の結果を利用してネットワークデバイスと通信するとしてよい。本発明の本実施形態を利用することで、第１のユーザ機器は、ネットワークデバイスとの通信に必要となる情報を、第２のユーザ機器を利用することで取得するとしてよく、第１のタスクを常に実行する必要がないので、消費エネルギーが少なくなる。これに加えて、第１のユーザ機器が第２のユーザ機器と通信する場合に消費するエネルギーは第１のユーザ機器がネットワークデバイスと通信する場合に必要なエネルギーよりも少ないので、エネルギーをさらに節約することができる。
【００２２】
可能な設計において、第１の結果を取得するべく第１のタスクを第２のユーザ機器が実行する段階は、セル測定を第２のユーザ機器が実行して、サービングセル測定結果および／もしくは隣接セル測定結果を取得する段階、セル選択もしくはセル再選択を第２のユーザ機器が実行し、選択もしくは再選択されたセルに関する情報を決定する段階、キャンプオンする予定のセルもしくはサービングセルのシステム情報を第２のユーザ機器がリスニングして、キャンプオンする予定のセルもしくはサービングセルのシステム情報が変化する場合にキャンプオンする予定のセルもしくはサービングセルの変化後のシステム情報を決定すること、または、ページングメッセージを第２のユーザ機器がリスニングして、ページングオブジェクトが第１のユーザ機器であるページングメッセージがリスニングによって取得されると決定する段階のうち少なくとも１つを含む。上記の方法はさらに、第４の要求メッセージをネットワークデバイスに第２のユーザ機器が送信する段階であって、第４の要求メッセージは、ネットワークデバイスが提供するサービスについて必要なパラメータ情報を取得するために利用される、段階と、ネットワークデバイスが送信する第１の応答メッセージを第２のユーザ機器が受信する段階であって、第１の応答メッセージは、パラメータ情報を含み、パラメータ情報は、アップリンク送信電力情報もしくはアップリンク送信電力調整情報、アップリンクタイミング事前情報もしくはアップリンク事前調整情報、または、設定パラメータのうち少なくとも１つを含み、設定パラメータは、物理層設定パラメータ、媒体アクセス制御（ＭＡＣ）層設定パラメータ、無線リンク制御（ＲＬＣ）層設定パラメータ、パケットデータコンバーゼンスプロトコル（ＰＤＣＰ）層設定パラメータ、または、無線リソース制御（ＲＲＣ）設定パラメータのうち少なくとも１つのパラメータを含む、段階とを備える。第２のユーザ機器は、第１のユーザ機器に代わって前述のタスクのうち任意の１または複数を実行するので、第１のユーザ機器がこれらのタスクを自身で実行するために必要とする消費エネルギーを低減することが出来、その結果としてスタンバイ時間が長くなる。
【００２３】
可能な設計において、上記の方法はさらに、第１の結果を第２のユーザ機器が第１のユーザ機器に送信する段階の前に、第１のユーザ機器が送信する第１の要求メッセージを第２のユーザ機器が受信する段階であって、第１の要求メッセージは第１の結果を要求するために利用される、段階を備えるとしてよい。このため、第１のユーザ機器は、第１のユーザ機器が通信を実行する必要がある場合に、第２のユーザ機器から第１の結果を取得するとしてよい。このようにして、不要な通信を回避するとしてよく、通信効率が改善されるとしてよく、消費エネルギーが少なくなるとしてよい。
【００２４】
可能な設計において、上記の方法はさらに、第１のユーザ機器と第２のユーザ機器との間にグループを構築するよう第２のユーザ機器が決定する段階であって、グループは、第１のユーザ機器および第２のユーザ機器がネットワークデバイスとの通信のために利用される少なくとも１つの情報を共有し得る旨を示す、段階と、グループが第１のユーザ機器と第２のユーザ機器との間に構築されている旨を示すべく、第１のユーザ機器にグループ構築確認メッセージを第２のユーザ機器が送信する段階とを備える。上記の方法は、グループを構築することで実現されるとしてよい。このようにして、第１のユーザ機器、第２のユーザ機器およびネットワークデバイスの間の通信は、グループに基づいて実行されるとしてよく、これによってタスクがより明示的になる。
【００２５】
可能な設計において、第１のユーザ機器と第２のユーザ機器との間にグループを構築するよう第２のユーザ機器が決定する段階は、グループ構築要求メッセージをネットワークデバイスに第２のユーザ機器が送信する段階であって、グループ構築要求メッセージがグループに関する情報を含むことにより、ネットワークデバイスはグループ構築要求メッセージにしたがってグループを構築する、段階と、ネットワークデバイスが送信するグループ構築確認メッセージを第２のユーザ機器が受信する段階とを備えるとしてよい。特定のグループがネットワークデバイスによって構築されるとしてよい。このようにして、第１のユーザ機器、第２のユーザ機器およびネットワークデバイスの全てがグループ関係を把握することが確実になるとしてよい。
【００２６】
可能な設計において、グループは、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を、第１のユーザ機器および第２のユーザ機器が共有し得る旨を示す。前述した情報を共有することで、第１のユーザ機器は、第２のユーザ機器を利用して上述した共有情報を取得し得るので、エネルギー節約につながる。
【００２７】
可能な設計において、上記の方法はさらに、第１のユーザ機器および第２のユーザ機器が１つのグループに含まれている旨をネットワークデバイスに通知するべく、グループに関する情報をネットワークデバイスに第２のユーザ機器が送信する段階を備える。これに代えて、グループは第２のユーザ機器によって構築されるとしてもよく、第２のユーザ機器は、グループを構築した後に、グループをネットワークデバイスに通知する。
【００２８】
可能な設計において、上記の方法はさらに、第１のユーザ機器が送信するグループ構築要求メッセージを第２のユーザ機器が受信する段階、または、第１のユーザ機器と第２のユーザ機器との間にグループを構築する必要があると第２のユーザ機器が決定する段階を備えるとしてよい。第２のユーザ機器は、グループを構築する場合、第１のユーザ機器またはネットワークデバイスの命令のもとでグループを構築するとしてよい。
【００２９】
可能な設計において、グループに関する情報は、グループ固有識別子、第１のユーザ機器の識別子、または、第２のユーザ機器の識別子のうち任意の１または複数を含むとしてよい。グループ固有識別子は、第２のユーザ機器またはネットワークデバイスによって生成されるとしてよい。このようにして、対応するデバイスまたはグループは、対応する識別子に基づいて発見されるとしてよい。
【００３０】
可能な設計において、ページングメッセージを第２のユーザ機器がリスニングして、ページングオブジェクトが第１のユーザ機器であるページングメッセージがリスニングによって取得されると決定する段階は、ネットワークデバイスが送信するページングメッセージを第２のユーザ機器が受信する段階を含むとしてよく、ページングメッセージはグループのグループ情報を含み、または、ページングメッセージは第１のユーザ機器の識別子を含み、または、ページングメッセージは第１のユーザ機器の識別子およびグループ処理を実行するか否かを示す指示を含み、または、ページングメッセージは第１のユーザ機器の識別子およびページングメッセージを第１のユーザ機器に転送するか否かを示す指示を含み、または、ページングメッセージは、第１のユーザ機器の識別子および第２のユーザ機器の識別子を含む。前述した方式では、ページングメッセージが、ページングオブジェクトがグループであるページングであるか否かが決定されるとしてよく、これによって第２のユーザ機器が第１のユーザ機器に代わってページングメッセージを受信することが可能になる。このため、第１のユーザ機器の消費エネルギーがさらに少なくなる。
【００３１】
可能な設計において、ページングオブジェクトが第１のユーザ機器であるページングメッセージがリスニングによって取得されると第２のユーザ機器が決定する段階はさらに、ページングメッセージを第１のユーザ機器に第２のユーザ機器が転送する段階、または、ページングメッセージのコンテンツの一部または全てを第１のユーザ機器に第２のユーザ機器が送信する段階、または、サービス通知メッセージを第１のユーザ機器に第２のユーザ機器が送信する段階を含み、サービス通知メッセージは、ネットワークデバイスが送信する受信したページングメッセージにしたがって第２のユーザ機器が決定する。第２のユーザ機器が受信したページングメッセージのコンテンツの一部は第２のユーザ機器専用である場合があるので、前述した方式によれば、データ送信時に必要となるリソースが少なくなるとしてよい。
【００３２】
可能な設計において、上記の方法はさらに、予め設定された条件が満たされる場合に、グループを第２のユーザ機器が解除する段階を備える。グループは、第１のユーザ機器と第２のユーザ機器との間で近距離通信が実行可能であること、または、グループを構築する必要があること、を基準に構築される。このため、予め設定された条件が満たされる場合にグループを解除するとしてよく、当該グループが占有していたリソースが解放されるので、グループ構築の自由度が高くなる。
【００３３】
可能な設計において、予め設定された条件が満たされることは、第１のユーザ機器と第２のユーザ機器との間の距離もしくは信号の品質がしきい値に到達すること、または、第２のユーザ機器が、第１のユーザ機器もしくはネットワークデバイスが送信するグループ解除指示情報を受信すること、または、第２のユーザ機器が、人間−機械インターフェースを利用することで、または、アプリケーション層から、グループ解除指示情報を受信することを含むとしてよい。本発明を利用することで、第１のユーザ機器、第２のユーザ機器およびネットワークデバイスは全て、グループ解除をトリガすることができるように適切に実施され得るので、グループの構築および解除は自由度が高くなり、ユーザ使用感も改善される。
【００３４】
可能な設計において、グループを第２のユーザ機器が解除する段階は、グループ解除指示情報をネットワークデバイスに第２のユーザ機器が送信する段階であって、グループ解除指示情報は、第１のユーザ機器と第２のユーザ機器との間のグループを解除するよう命令するために利用される、段階を含む。本発明の本実施形態を利用することで、ネットワークデバイスはさらに、対応するグループを解除するとしてよく、グループに関する情報が格納されている場合に限りグループに関する情報を削除するとしてよい。
【００３５】
可能な設計において、グループ解除指示情報をネットワークデバイスに第２のユーザ機器が送信する段階は、
ネットワークデバイスへのランダムアクセスプロセスまたはロケーション更新プロセスを第２のユーザ機器が実行する段階、および、ランダムアクセスプロセスまたはロケーション更新プロセスにおいて、グループ解除指示情報をネットワークデバイスに、第２のユーザ機器が送信する段階を含むとしてよい。
【００３６】
可能な設計において、第２のユーザ機器がネットワークデバイスに送信するグループ解除指示情報は、第１のユーザ機器および第２のユーザ機器が継続して同じセルおよび／または同じトラッキングエリアに存在するか否かを示す指示情報を含む。グループを解除した後、すなわち、第２のユーザ機器が第１のユーザ機器に代わって第１のタスクを実行しなくなった後、第１のユーザ機器はさらに、他のユーザ機器との間でグループを構築するとしてもよいし、または、第１のタスクを自身で実行するとしてもよい。第１のユーザ機器がキャンプ状態の場合、第１のユーザ機器は第２のユーザ機器を利用して選択または再選択されたセルに継続してキャンプオンするとしてよい。このため、グループ構築は、自由度が高くなり、さまざまなケースに応じて適応させることも可能になるので、実施可能性が高くなる。
【００３７】
可能な設計において、第２のユーザ機器は第１のユーザ機器が送信するグループ解除指示情報を受信する。グループ解除指示情報は、第１のユーザ機器および第２のユーザ機器が継続して同じセルおよび／または同じトラッキングエリアに存在するか否かを示す指示情報を含む。
【００３８】
さらに別の態様によると、本願の実施形態は通信方法を提供する。当該方法は、第１のユーザ機器と第２のユーザ機器との間の対応関係に関する指示情報であって、第２のユーザ機器が送信する指示情報をアクセスネットワークデバイスが受信する段階であって、対応関係は、第１のユーザ機器が、第２のユーザ機器を利用して第１のタスクを実行することで、ネットワークデバイスとの通信に必要な第１の結果を取得することを意味し、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含み得る、段階と、第２のユーザ機器が第１のタスクを実行すると、対応関係に基づいて、アクセスネットワークデバイスが決定する段階とを備えるとしてよい。本発明の本実施形態を利用することで、第１のユーザ機器は、ネットワークデバイスとの通信に必要となる情報を、第２のユーザ機器を利用することで取得するとしてよく、第１のタスクを常に実行する必要がないので、消費エネルギーが少なくなる。これに加えて、第１のユーザ機器が第２のユーザ機器と通信する場合に消費するエネルギーは第１のユーザ機器がネットワークデバイスと通信する場合に必要なエネルギーよりも少ないので、エネルギーをさらに節約することができる。ネットワークデバイスはアクセスネットワークデバイスを含む。
【００３９】
可能な設計において、対応関係の指示情報は、グループに関する情報を含み、グループに関する情報は、第１のユーザ機器と第２のユーザ機器との間にグループが構築される旨を示すために利用される。グループは、第１のユーザ機器が、第２のユーザ機器を利用して第１のタスクを実行することで、ネットワークデバイスとの通信に必要な第１の結果を取得する旨を示す。上記の方法は、グループを構築することによって実現されるとしてよい。このようにして、第１のユーザ機器、第２のユーザ機器およびネットワークデバイスの間の通信は、グループに基づいて実行されるとしてよい。これによって、タスクはより明示的になる。
【００４０】
可能な設計において、アクセスネットワークデバイスが第１のユーザ機器と第２のユーザ機器との間の対応関係を決定することは、第２のユーザ機器が送信するグループ構築要求メッセージをアクセスネットワークデバイスが受信することを含む。グループ構築要求メッセージは、グループに関する情報を保持し、グループに関する情報は、第１のユーザ機器の識別子および第２のユーザ機器の識別子を含み、グループ構築要求メッセージは、第１のユーザ機器と第２のユーザ機器との間にグループを構築するよう命令するために利用される。グループはネットワークデバイスによって構築されるとしてよく、具体的には、アクセスネットワークデバイスによって構築されるとしてよい。グループを構築するために必要なデータは、第２のユーザ機器によって提供されるとしてよい。
【００４１】
可能な設計において、上記の方法はさらに、グループが構築される前に、グループ構築要求メッセージにしたがって第１のユーザ機器と第２のユーザ機器との間にグループをアクセスネットワークデバイスによって構築する段階と、グループの識別子を生成する段階とを備えるとしてよい。
【００４２】
可能な設計において、上記の方法はさらに、グループ構築確認メッセージを第２のユーザ機器にアクセスネットワークデバイスが送信する段階を備え、グループ構築確認メッセージはアクセスネットワークデバイスがグループ構築に同意している旨を示すべく利用される。
【００４３】
可能な設計において、対応関係に基づいて第２のユーザ機器が第１のタスクを実行するとアクセスネットワークデバイスが決定する段階は、ページングオブジェクトが第１のユーザ機器であるページングメッセージをアクセスネットワークデバイスが送信する必要がある場合に、対応関係の情報にしたがって当該ページングメッセージを第２のユーザ機器にアクセスネットワークデバイスが送信する段階を含むとしてよい。前述した方式では、ページングメッセージが、ページングオブジェクトがグループであるページングであるか否かが決定されるとしてよく、これによって第２のユーザ機器が第１のユーザ機器に代わってページングメッセージを受信することが可能になる。このため、第１のユーザ機器の消費エネルギーがさらに少なくなる。
【００４４】
可能な設計において、第２のユーザ機器に送信されるページングメッセージはグループに関する情報を含み、または、ページングメッセージは第１のユーザ機器の識別子を含み、または、第２のユーザ機器に送信されるページングメッセージは第１のユーザ機器の識別子およびグループ処理を実行するか否かを示す指示を含み、または、ページングメッセージは第１のユーザ機器の識別子およびページングメッセージを第１のユーザ機器に転送するか否かを示す指示を含み、または、ページングメッセージは、第１のユーザ機器の識別子および第２のユーザ機器の識別子を含む。
【００４５】
可能な設計において、上記の方法はさらに、グループに関する情報をコアネットワークデバイスにアクセスネットワークデバイスが送信する段階を備える。ネットワークデバイスは、アクセスネットワークデバイスおよびコアネットワークデバイスを含むとしてよく、グループは、コアネットワークデバイスが構築するとしてもよく、または、コアネットワークデバイスに通知されるとしてもよい。
【００４６】
さらに別の態様によると、本願の実施形態は通信方法を提供する。当該方法は、第１のユーザ機器と第２のユーザ機器との間の対応関係をコアネットワークデバイスが決定する段階であって、対応関係は、第２のユーザ機器を利用して第１のタスクを実行することで、ネットワークデバイスとの通信に必要な第１の結果を第１のユーザ機器が取得することを意味し、ネットワークデバイスはコアネットワークデバイスおよびアクセスネットワークデバイスを含む、段階と、対応関係に基づいて第１のユーザ機器とコアネットワークデバイスが通信する段階とを備えるとしてよい。当該方法を利用することで、通信プロセスにおいて、第１のユーザ機器は、ネットワークデバイスとの通信に必要となる情報を、第２のユーザ機器を利用することで取得するとしてよく、第１のタスクを常に実行する必要がないので、消費エネルギーが少なくなる。これに加えて、第１のユーザ機器が第２のユーザ機器と通信する場合に消費するエネルギーは第１のユーザ機器がネットワークデバイスと通信する場合に必要なエネルギーよりも少ないので、エネルギーをさらに節約することができる。ネットワークデバイスはコアネットワークデバイスを含むとしてよい。
【００４７】
可能な設計において、第１のユーザ機器と第２のユーザ機器との間の対応関係をコアネットワークデバイスが決定する段階は、アクセスネットワークデバイスが送信するグループ構築要求メッセージをコアネットワークデバイスが受信する段階であって、グループ構築要求メッセージは、グループに関する情報を保持し、グループに関する情報は、第１のユーザ機器の識別子および第２のユーザ機器の識別子を含む、段階と、グループ構築要求メッセージにしたがって第１のユーザ機器と第２のユーザ機器との間にグループをコアネットワークデバイスが構築する段階と、グループの識別子を生成する段階とを含む。コアネットワークデバイスがグループを構築するプロセスは、当該方法を利用して実現するとしてよい。
【００４８】
可能な設計において、上記の方法はさらに、グループ構築確認メッセージをアクセスネットワークデバイスにコアネットワークデバイスが送信する段階を備え、グループ構築確認メッセージは、グループの識別子を含む。コアネットワークデバイスは、グループを構築した後、アクセスネットワークデバイスを利用して、第１のユーザ機器および第２のユーザ機器にグループを通知するとしてよい。これによって、第１のユーザ機器および第２のユーザ機器はグループにしたがって動作する。このため、第１のユーザ機器のエネルギーがさらに節約される。
【００４９】
可能な設計において、対応関係に基づいて第１のユーザ機器とコアネットワークデバイスが通信する段階は、ページングオブジェクトが第１のユーザ機器であるページングメッセージをコアネットワークデバイスが送信する必要がある場合に、対応関係にしたがって当該ページングメッセージをアクセスネットワークデバイスにコアネットワークデバイスが送信する段階と、ページングメッセージを第２のユーザ機器に送信するようアクセスネットワークデバイスに命令する段階とを含む。前述した方式では、ページングメッセージが、ページングオブジェクトがグループであるページングであるか否かが決定されるとしてよく、これによって第２のユーザ機器が第１のユーザ機器に代わってページングメッセージを受信することが可能になる。このため、第１のユーザ機器の消費エネルギーがさらに少なくなる。
【００５０】
さらに別の態様によると、本願の実施形態は通信方法を提供する。当該方法は、ネットワークデバイスに対する接続を第１のユーザ機器が構築する段階と、第２のユーザ機器を利用して、または、第２のユーザ機器の支援を受けて、第３のタスクを第１のユーザ機器が実行する段階であって、第３のタスクは、第１のユーザ機器とネットワークデバイスとの間の通信のために必要なタスクであり、第３のタスクは、測定設定情報にしたがって測定を実行すること、ネットワークデバイスに測定結果を送信すること、または、ランダムアクセス方式でターゲットセルまたはターゲット基地局にハンドオーバーされること、のうち少なくとも１つを含む、段階とを備えるとしてよい。本発明の本実施形態を利用することで、第１のユーザ機器は通信プロセスにおいて第２のユーザ機器を利用して測定タスクを実行するとしてよく、これによって、第１のユーザ機器の消費エネルギーを少なくすることができ、スタンバイ時間を長くすることができる。
【００５１】
可能な設計において、測定設定情報は、無線リソース管理（ＲＲＭ）測定設定情報および／またはチャネル状態指示情報（ＣＳＩ）測定設定情報を含む。ＲＲＭ測定および／またはＣＳＩ測定のプロキシ測定は、当該方法を利用して実現されるとしてよい。これによって、第１のユーザ機器の消費エネルギーが少なくなる。
【００５２】
可能な設計において、測定設定情報は、第１の測定設定情報および／または第２の測定設定情報を含み、第１の測定設定情報は、第１のユーザ機器のためにネットワークデバイスによって設定され、第２の測定設定情報は第２のユーザ機器のためにネットワークデバイスによって設定される。
【００５３】
可能な設計において、上記の方法はさらに、第２のユーザ機器が送信する第１の測定設定情報および／または第２の測定設定情報を第１のユーザ機器が受信する段階を備える。第２のユーザ機器は、測定設定情報を受信した後、測定設定情報を第１のユーザ機器に送信するとしてよい。これによって、第１のユーザ機器は、第１のユーザ機器が自身で測定または検証を実行する必要がある場合に、測定設定情報にしたがって測定を実行する。
【００５４】
可能な設計において、上記の方法はさらに、第２のユーザ機器が送信する第１の測定結果を第１のユーザ機器が受信する段階であって、第１の測定結果は第１の測定設定情報および／または第２の測定設定情報にしたがって測定を実行することによって第２のユーザ機器によって取得される、段階を備える。
【００５５】
可能な設計において、上記の方法はさらに、第２の測定結果を取得するべく第１の測定設定情報および／または第２の測定設定情報にしたがって第１のユーザ機器が測定を実行する段階と、第１の測定結果と第２の測定結果との間の差分が予め設定されたしきい値を超える場合、第１の測定結果と第２の測定結果との間の差分が予め設定されたしきい値を超えている旨を、第１のユーザ機器が第２のユーザ機器に通知する段階、または、測定設定情報にしたがって実行される測定を中止するよう第２のユーザ機器に命令する段階、または、第１のユーザ機器が自律的に測定を実行し始める旨を第２のユーザ機器に通知する段階、または、定期的またはイベントトリガ方式で第２の測定結果を第２のユーザ機器に第１のユーザ機器が送信して、第２のユーザ機器は第２の測定結果にしたがって検証を実行する、段階を備える。本発明の本実施形態を利用することで、プロキシ測定の検証が実現されるとしてよく、これによって、測定を実行することによって第２のユーザ機器が取得する結果が、第１のユーザ機器が自身で測定を実行することで取得する結果に近くなることが確実になり、第１のユーザ機器が通常の通信を実行できることが確実になる。
【００５６】
可能な設計において、上記の方法はさらに、第２のユーザ機器が送信するハンドオーバー情報を第１のユーザ機器が受信する段階であって、ハンドオーバー情報は、ターゲットセルに関する情報、ターゲットセルで利用されるアップリンクタイミング事前情報もしくはアップリンク事前調整情報、および／または、ターゲットセルで利用されるアップリンク送信電力情報もしくはアップリンク送信電力調整情報を含む、段階と、ハンドオーバー情報を利用してネットワークデバイスと第１のユーザ機器が通信する段階とを備える。本発明の本実施形態を利用することで、ハンドオーバー処理は、第１のユーザ機器の代わりに第２のユーザ機器において実行されるとしてよい。これによって、第１のユーザ機器の消費エネルギーが少なくなり、第１のユーザ機器が通常の通信を実行できることが確実になり得る。
【００５７】
可能な設計において、上記の方法はさらに、ネットワークデバイスまたは第２のユーザ機器が送信するハンドオーバー指示シグナリングを第１のユーザ機器が受信する段階であって、ハンドオーバー指示シグナリングは、物理層制御シグナリング、ＭＡＣシグナリングまたはＲＲＣシグナリングであってよい、段階と、ハンドオーバー情報を利用して、ハンドオーバー指示シグナリングにしたがって、ターゲットセルまたはターゲット基地局に第１のユーザ機器が直接アクセスする段階とを備える。上記の方法を利用することで、第１のユーザ機器の高速ハンドオーバーが実現するとしてよい。
【００５８】
可能な設計において、上記の方法はさらに、第４のタスクを第１のユーザ機器が実行する段階を備え、第４のタスクは、ネットワークデバイスが直接送信するダウンリンクデータを受信すること、ネットワークデバイスが直接送信するダウンリンク制御シグナリングを受信すること、ネットワークデバイスにスケジューリング要求シグナリングを直接送信すること、ネットワーク側デバイスからセキュアアクティブ化に関連するシグナリングを直接受信すること、セキュアアクティブ化に関連するシグナリングをネットワークデバイスに直接送信すること、または、ネットワークデバイスにＣＳＩ測定結果情報を直接フィードバックすること、のうち少なくとも１つを含むとしてよい。セキュリティを考慮して、第１のユーザ機器は、データ通信セキュリティを改善するべく、前述したタスクを自身で実行するとしてよい。
【００５９】
可能な設計において、第４のタスクを第１のユーザ機器が実行する段階は、第２の結果を取得するべく第４のタスクを第１のユーザ機器が実行する段階であって、第２の結果は、ダウンリンクデータまたはダウンリンク制御シグナリングをデコードすることによって第１のユーザ機器が取得するＨＡＲＱ情報を含み、ＨＡＲＱ情報は、ダウンリンクデータが正しくデコードされているか否かを示している情報である、段階、および、ＨＡＲＱ情報をネットワークデバイスに第１のユーザ機器が直接フィードバックする段階を含むか、または、第２の結果を取得するべく第４のタスクを第１のユーザ機器が実行する段階であって、第２の結果は、ダウンリンク制御シグナリングの処理またはセキュアアクティブ化に関連するシグナリングの処理が正しく完了したと第１のユーザ機器が決定することを含む、段階、および、ネットワークデバイスに、ダウンリンク制御シグナリングの処理が完了しているか否かを示すフィードバック情報を第１のユーザ機器が直接フィードバックする段階を含む。第１のユーザ機器は自身で前述したタスクを実行するので、通信プロセスにおけるセキュリティが改善するとしてよく、通信もより確実になるとしてよい。
【００６０】
さらに別の態様によると、本願の実施形態は通信方法を提供する。当該方法は、ネットワークデバイスが送信する測定設定情報を第２のユーザ機器が受信する段階であって、測定設定情報は第３のタスクを実行するために利用され、第３のタスクは、第１のユーザ機器に代えて第２のユーザ機器によって実行されるタスクであって、ネットワークデバイスとの通信に必要なタスクである、段階と、第３のタスクを第２のユーザ機器が実行する段階であって、第３のタスクは、測定設定情報にしたがって測定を実行すること、ネットワークデバイスに測定結果を送信すること、または、ランダムアクセス方式でターゲット基地局にハンドオーバーされるプロセスを実行すること、のうち少なくとも１つを含み得る、段階とを備えるとしてよい。本発明の本実施形態を利用することで、第１のユーザ機器は通信プロセスにおいて第２のユーザ機器を利用して測定タスクを実行するとしてよく、これによって、第１のユーザ機器の消費エネルギーを少なくすることができ、スタンバイ時間を長くすることができる。
【００６１】
可能な設計において、上記の方法はさらに、ネットワークデバイスに対する接続を第１のユーザ機器が構築すると第２のユーザ機器が決定する段階、または、第１のユーザ機器またはネットワークデバイスが送信する第１の指示情報を第２のユーザ機器が受信する段階であって、第１の指示情報は第３のタスクを実行するよう第２のユーザ機器に要求または命令するために利用される、段階を備えるとしてよい。可能な設計において、ネットワークデバイスが送信する測定設定情報を第２のユーザ機器が受信する段階はさらに、ネットワークデバイスに測定設定情報取得要求を第２のユーザ機器が送信する段階と、ネットワークデバイスが送信する測定設定情報を第２のユーザ機器が受信する段階とを含む。本発明の本実施形態を利用することで、測定設定情報を取得するとしてよい。
【００６２】
可能な設計において、測定設定情報は、無線リソース管理（ＲＲＭ）測定設定情報および／またはチャネル状態指示情報（ＣＳＩ）測定設定情報を含むとしてよい。ＲＲＭ測定および／またはＣＳＩ測定のプロキシ測定は、当該方法を利用して実現するとしてよい。これによって、第１のユーザ機器の消費エネルギーが少なくなる。
【００６３】
可能な設計において、測定設定情報は、第１の測定設定情報および／または第２の測定設定情報を含み、第１の測定設定情報は、第１のユーザ機器のためにネットワークデバイスによって設定され、第２の測定設定情報は第２のユーザ機器のためにネットワークデバイスによって設定される。
【００６４】
可能な設計において、測定設定情報はさらに、第２の指示情報を含み、第２の指示情報は、第１の測定設定情報を第２のユーザ機器のために利用可能であるか否かを示すために、または、測定設定情報が第２の測定設定情報を含む旨を示すために、そして、第２の測定設定情報を第１のユーザ機器のために利用可能であるか否かを示すために利用される。第２のユーザ機器は、命令にしたがって動作するとしてよく、これによって第１のユーザ機器はネットワークデバイスと通常通りに通信することができる。
【００６５】
可能な設計において、測定設定情報にしたがって測定を実行する段階および／またはネットワークデバイスに測定結果を送信する段階は、第１の測定結果を取得するべく、第１の測定設定情報および／または第２の測定設定情報にしたがって測定を第２のユーザ機器が実行する段階と、第１の測定結果をネットワークデバイスに第２のユーザ機器が送信する段階とを含む。本発明の本実施形態を利用することで、プロキシによる測定およびフィードバックのプロセスが実現するとしてよい。これによって、第１のユーザ機器の通信プロセスで必要な電力が少なくなり、スタンバイ時間が長くなる。
【００６６】
可能な設計において、第１の測定結果を取得するべく、第１の測定設定情報および／または第２の測定設定情報にしたがって測定を第２のユーザ機器が実行する段階は、第１の測定結果を取得するべく、第１の測定設定情報および第２の測定設定情報にしたがって総合測定を第２のユーザ機器が実行する段階、または、第１の測定結果を取得するべく第１の測定設定情報にしたがって測定を第２のユーザ機器が実行する段階を含むとしてよい。
【００６７】
可能な設計において、上記の方法はさらに、測定設定情報を第１のユーザ機器に第２のユーザ機器が送信する段階を備える。第２のユーザ機器は、測定設定情報を受信した後、測定設定情報を第１のユーザ機器に送信するとしてよい。これによって、第１のユーザ機器は、第１のユーザ機器が自身で測定または検証を実行する必要がある場合に、測定設定情報にしたがって測定を実行する。 
【００６８】
可能な設計において、上記の方法はさらに、プロキシ測定プロセスにおいて、第１の測定結果が特定のしきい値を満たす場合に、第１の測定結果を第１のユーザ機器に第２のユーザ機器が送信する段階、または、第１の測定結果を第１のユーザ機器に第２のユーザ機器が、定期的またはイベントトリガ方式で、送信する段階を備えるとしてよい。
【００６９】
可能な設計において、上記の方法はさらに、プロキシ測定プロセスにおいて、第１のユーザ機器が送信する第２の測定結果を第２のユーザ機器が受信する段階であって、第２の測定結果は、第１の測定設定情報および／または第２の測定設定情報にしたがって測定を第１のユーザ機器が実行することによって取得される、段階と、第１の測定結果と第２の測定結果との間の差分が予め設定されたしきい値を超える場合、第１のユーザ機器に代わって測定設定情報にしたがって実行している測定を第２のユーザ機器が中止する段階、または、第１の測定結果と第２の測定結果との間の差分が予め設定されたしきい値を超える場合、第１の測定結果と第２の測定結果との間の差分が予め設定されたしきい値を超える旨を第１のユーザ機器に第２のユーザ機器が通知する段階、または、第１のユーザ機器に測定を自律的に実行するよう命令する段階を備えるとしてよい。本発明の本実施形態を利用することで、プロキシ測定の検証が実現するとしてよく、これによって、測定を実行することによって第２のユーザ機器が取得する結果が、第１のユーザ機器が自身で測定を実行することで取得する結果に近くなることが確実になり、第１のユーザ機器が通常の通信を実行できることが確実になる。
【００７０】
可能な設計において、第１の測定結果と第２の測定結果との間の差分が予め設定されたしきい値を超えることは、第１の測定結果と第２の測定結果との間の差分が予め設定された期間内に予め設定されたしきい値を超えるという実施例を含むとしてよい。
【００７１】
可能な設計において、第３のタスクを第２のユーザ機器が実行する段階であって、第３のタスクは、測定設定情報にしたがって測定を実行すること、ネットワークデバイスに測定結果を送信すること、または、ランダムアクセス方式でターゲット基地局にハンドオーバーされるプロセスを実行すること、のうち少なくとも１つを含む、段階は、ネットワークデバイスが送信するハンドオーバーコマンドを第２のユーザ機器が受信する段階であって、ハンドオーバーコマンドはターゲットセルに関する情報を含む、段階と、ターゲットセルに関する情報にしたがって第２のユーザ機器によってターゲットセルにハンドオーバーされる段階を含む。本発明の本実施形態を利用することで、ハンドオーバー処理は、第１のユーザ機器の代わりに第２のユーザ機器において実行されるとしてよい。これによって、第１のユーザ機器の消費エネルギーが少なくなり、第１のユーザ機器が通常の通信を実行できることが確実になり得る。
【００７２】
可能な設計において、ネットワークデバイスはターゲットアクセスネットワークデバイスを含み、ハンドオーバーコマンドはさらに、ターゲットアクセスネットワークデバイスに関する情報を含み、ターゲットセルに関する情報にしたがって第２のユーザ機器によってターゲットセルにハンドオーバーされる段階は、ターゲットアクセスネットワークデバイスに関する情報およびターゲットセルに関する情報にしたがって第２のユーザ機器によってターゲットアクセスネットワークデバイスにハンドオーバーされる段階を含む。
【００７３】
可能な設計において、上記の方法はさらに、第１のユーザ機器と第２のユーザ機器との間のグループに関する情報または第１のユーザ機器と第２のユーザ機器との間の対応関係に関する情報を、第２のユーザ機器がターゲットアクセスネットワークデバイスに送信する段階であって、グループまたは対応関係は、第１のユーザ機器が、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定することのうち少なくとも１つのタスクを第２のユーザ機器を利用して実行することを意味する、段階を備える。本発明の本実施形態を利用することで、ターゲットアクセスネットワークデバイスは第２のユーザ機器を利用して第１のユーザ機器との通信を継続するとしてよく、これによって、第１のユーザ機器の消費エネルギーが少なくなり、スタンバイ時間が長くなる。
【００７４】
可能な設計において、上記の方法はさらに、ターゲットセルに関する情報および／またはターゲット基地局に関する情報、ターゲットセルで利用されるアップリンクタイミング事前情報もしくはアップリンク事前調整情報、および／または、ターゲットセルで利用されるアップリンク送信電力情報もしくはアップリンク送信電力調整情報を、第２のユーザ機器が取得する段階と、ハンドオーバー情報を第１のユーザ機器に第２のユーザ機器が送信する段階であって、ハンドオーバー情報は、ターゲットセルに関する情報および／またはターゲット基地局に関する情報、ターゲットセルで利用されるアップリンクタイミング事前情報もしくはアップリンク事前調整情報、および／または、ターゲットセルで利用されるアップリンク送信電力情報もしくはアップリンク送信電力調整情報を含む、段階とを備えるとしてよい。本発明の本実施形態を利用することで、ハンドオーバー処理は、第１のユーザ機器の代わりに第２のユーザ機器において実行されるとしてよい。これによって、第１のユーザ機器の消費エネルギーが少なくなり、第１のユーザ機器が通常の通信を実行できることが確実になり得る。
【００７５】
可能な設計において、ハンドオーバー情報を第１のユーザ機器に第２のユーザ機器が送信する段階は、第１のユーザ機器に対してハンドオーバー指示シグナリングを第２のユーザ機器が送信する段階であって、ハンドオーバー指示シグナリングはハンドオーバー情報を保持しており、ハンドオーバー情報を利用してターゲットセルまたはターゲット基地局に直接アクセスするよう第１のユーザ機器に命令する、段階を含む。上記の方法を利用することで、第１のユーザ機器の高速ハンドオーバーを実現するとしてよい。
【００７６】
さらに別の態様によると、本願の実施形態は通信方法を提供する。当該方法は、アクセスネットワークデバイスが第１のユーザ機器に対して接続を構築した後、第３のタスクを実行するために第２のユーザ機器が必要とする測定設定情報をアクセスネットワークデバイスが設定する段階であって、第３のタスクは、第１のユーザ機器に代わって第２のユーザ機器が実行するタスクであり、ネットワークデバイスと通信するために第１のユーザ機器が必要とするタスクである、段階と、第２のユーザ機器に測定設定情報をアクセスネットワークデバイスが送信する段階であって、第２のユーザ機器が測定設定情報にしたがって第３のタスクを実行することになり、第３のタスクは、測定設定情報にしたがって測定を実行すること、ネットワークデバイスに測定結果を送信すること、または、ランダムアクセス方式でターゲットアクセスネットワークデバイスにハンドオーバーされるプロセスを実行すること、のうち少なくとも１つを含み得る、段階とを備えるとしてよい。本発明の本実施形態を利用することで、第１のユーザ機器は通信プロセスにおいて第２のユーザ機器を利用して測定タスクを実行するとしてよく、これによって、第１のユーザ機器の消費エネルギーを少なくすることができ、スタンバイ時間を長くすることができる。
【００７７】
可能な設計において、第２のユーザ機器に測定設定情報をアクセスネットワークデバイスが送信する段階は、指示情報を第２のユーザ機器にアクセスネットワークデバイスが送信する段階であって、指示情報は第３のタスクを実行するよう第２のユーザ機器に命令するために利用され、指示情報はさらに測定設定情報を保持し得る、段階を含むとしてよい。本発明の本実施形態を利用することで、第２のユーザ機器には測定設定情報が通知されるとしてよく、第２のユーザ機器はプロキシ測定プロセスを開始するよう命じられる。
【００７８】
可能な設計において、上記の方法はさらに、第２のユーザ機器に指示情報をアクセスネットワークデバイスが送信する段階を備え、指示情報は、測定設定情報にしたがって、第３のタスクを実行するよう第２のユーザ機器に命令するために利用される。本発明の本実施形態において、指示情報は自身で送信されるとしてよく、測定設定情報は、プロキシ測定プロセスを開始すると第２のユーザ機器が決定した後で、第２のユーザ機器に送信される。
【００７９】
可能な設計において、設定情報は、ＲＲＭ測定設定情報および／またはＣＳＩ測定設定情報を含むとしてよい。ＲＲＭ測定および／またはＣＳＩ測定のプロキシ測定は、上記の方法を利用して実現するとしてよく、これによって第１のユーザ機器の消費エネルギーが少なくなる。
【００８０】
可能な設計において、上記の方法はさらに、ターゲットアクセスネットワークデバイスまたはターゲットセルに第１のユーザ機器をハンドオーバーする必要があると決定する場合に、第２のユーザ機器に第１のハンドオーバーコマンドをアクセスネットワークデバイスが送信する段階を備え、第１のハンドオーバーコマンドはターゲットアクセスネットワークデバイスまたはターゲットセルに関する情報を含む。本発明の本実施形態を利用することで、ハンドオーバー処理は、第１のユーザ機器の代わりに第２のユーザ機器において実行されるとしてよい。これによって、第１のユーザ機器の消費エネルギーが少なくなり、第１のユーザ機器が通常の通信を実行できることが確実になり得る。
【００８１】
可能な設計において、上記の方法はさらに、第２のユーザ機器をターゲットアクセスネットワークデバイスまたはターゲットセルにハンドオーバーすると決定した後で、ハンドオーバー指示シグナリングを第１のユーザ機器にアクセスネットワークデバイスが送信する段階を備え、ハンドオーバー指示シグナリングは、物理層情報、ＭＡＣシグナリングまたはＲＲＣシグナリングである。本発明の本実施形態を利用することで、第１のユーザ機器の高速ハンドオーバーを実現するとしてよい。
【００８２】
可能な設計において、ハンドオーバー指示シグナリングはさらに、ターゲットアクセスネットワークデバイスに対して、もしくは、ターゲットセル内で第１のユーザ機器が利用する必要があるアップリンクタイミング事前情報もしくはアップリンク事前調整情報、または、ターゲットアクセスネットワークデバイスに対して、もしくは、ターゲットセル内で第１のユーザ機器が利用する必要があるアップリンク送信電力情報もしくはアップリンク送信電力調整情報のうち任意の１または複数を含むとしてよい。
【００８３】
可能な設計において、上記の方法はさらに、第１のユーザ機器と第２のユーザ機器との間のグループに関する情報または第１のユーザ機器と第２のユーザ機器との間の対応関係に関する情報を、アクセスネットワークデバイスがターゲットアクセスネットワークデバイスに送信する段階であって、グループまたは対応関係は、第１のユーザ機器が、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定することのうち少なくとも１つのタスクを第２のユーザ機器を利用して実行することを意味する、段階を備える。上記の方法を利用することで、第１のユーザ機器の高速ハンドオーバーを実現するとしてよい。
【００８４】
さらに別の態様によると、本願の実施形態は通信方法を提供する。当該方法は、ネットワークデバイスに対する接続を第１のユーザ機器が構築する段階と、ネットワークデバイスが送信するセキュリティモードアクティブ化コマンドを第１のユーザ機器が直接受信する段階と、コントロールプレーン上でのデータ送信のための暗号鍵およびインテグリティ保護鍵、ならびに／または、ユーザプレーン上でのデータ送信のための暗号鍵をセキュリティコンテキスト情報にしたがって第１のユーザ機器が生成する段階と、第１のユーザ機器がネットワークデバイスとの間でデータ送信を実行する場合、コントロールプレーン上でのデータ送信のために生成された暗号鍵およびインテグリティ保護鍵を、ならびに／または、ユーザプレーン上でのデータ送信のために生成された暗号鍵を利用する段階と、第２のユーザ機器が送信する鍵更新メッセージを第１のユーザ機器が受信する段階であって、鍵更新メッセージは、ネットワークデバイスが、暗号鍵およびインテグリティ保護鍵を利用して鍵更新メッセージに対して暗号化およびインテグリティ保護を実行した後で、ネットワークデバイスによって第２のユーザ機器に対して送信される、段階と、鍵更新メッセージにしたがって、コントロールプレーン上でのデータ送信のための暗号鍵およびインテグリティ保護鍵、または、ユーザプレーン上でのデータ送信のための暗号鍵のうち任意の１または複数を第１のユーザ機器が更新する段階とを備えるとしてよい。本発明の本実施形態を利用することで、第１のユーザ機器とネットワークデバイスとの間のセキュリティ鍵、および、第２のユーザ機器とネットワークデバイスとの間のセキュリティ鍵は、互いに独立したものであるとしてよく、互いに不可視である。これによって、第１のユーザ機器とネットワークデバイスとの間の直接データ送信の機密性が保証される。これに加えて、鍵更新プロセスは第２のユーザ機器を利用して更新されるとしてよい。これによって、第１のユーザ機器の消費エネルギーが少なくなり、スタンバイ時間が長くなる。
【００８５】
可能な設計において、コントロールプレーン上でのデータ送信のための暗号鍵およびインテグリティ保護鍵、ならびに／または、ユーザプレーン上でのデータ送信のための暗号鍵をセキュリティコンテキスト情報にしたがって第１のユーザ機器が生成する段階は、セキュリティコンテキスト情報にしたがって第１のユーザ機器が第１の鍵を生成する段階、第１の鍵、ＮＡＳ  ＣＯＵＮＴ情報、ネットワークデバイスの識別子、または、第２のユーザ機器の識別子のうち１または複数にしたがって第２の鍵を第１のユーザ機器が生成する段階、コントロールプレーン上のデータ送信のための暗号鍵およびインテグリティ保護鍵、ならびに／または、ユーザプレーン上でのデータ送信のための暗号鍵を、ネットワークデバイスのためのセキュリティアルゴリズムにしたがって第２の鍵から第１のユーザ機器が算出する段階、第１のユーザ機器がネットワークデバイスとの間でデータ送信を実行する場合、暗号鍵を利用してコントロールプレーン上でデータを暗号化もしくは復号化する段階、インテグリティ保護鍵を利用してコントロールプレーン上でデータに対してインテグリティ保護を実行するかもしくはインテグリティ保護鍵を利用してコントロールプレーン上でデータのインテグリティを検証する段階、および／または、暗号鍵を利用してユーザプレーン上でデータを復号化もしくは暗号化する段階を含むとしてよい。
【００８６】
さらに別の態様によると、本願の実施形態は通信方法を提供する。当該方法は、第１のユーザ機器に対する接続をネットワークデバイスが構築する段階と、第１のユーザ機器がセキュリティコンテキスト情報にしたがってコントロールプレーン上のデータ送信のための暗号鍵およびインテグリティ保護鍵および／またはユーザプレーン上のデータ送信のための暗号鍵を生成するように、第１のユーザ機器に対してセキュリティモードアクティブ化コマンドをネットワークデバイスが送信する段階と、ネットワークデバイスがネットワークデバイスと第１のユーザ機器との間の鍵を更新する必要があると決定する場合に、専用メッセージを利用して第２のユーザ機器に対して鍵更新メッセージをネットワークデバイスが送信する段階であって、第２のユーザ機器が鍵更新メッセージを第１のユーザ機器に対して送信することになり、鍵更新メッセージは、ネットワークデバイスが暗号鍵およびインテグリティ保護鍵を利用して暗号化およびインテグリティ保護を鍵更新メッセージに実行した後、第２のユーザ機器に対してネットワークデバイスによって送信される、段階とを備えるとしてよい。本発明の本実施形態を利用することで、第１のユーザ機器とネットワークデバイスとの間のセキュリティ鍵、および、第２のユーザ機器とネットワークデバイスとの間のセキュリティ鍵は、互いに独立したものであるとしてよく、互いに不可視である。これによって、第１のユーザ機器とネットワークデバイスとの間の直接データ送信の機密性が保証される。これに加えて、鍵更新プロセスは第２のユーザ機器を利用して更新されるとしてよい。これによって、第１のユーザ機器の消費エネルギーが少なくなり、スタンバイ時間が長くなる。
【００８７】
可能な設計において、上記の方法はさらに、鍵更新メッセージを第１のユーザ機器に転送するよう第２のユーザ機器に命令する指示情報を、第２のユーザ機器に対してネットワークデバイスが送信する段階を備える。
【００８８】
さらに別の態様によると、本願の実施形態はユーザ機器を提供する。当該ユーザ機器は、第１のユーザ機器であってよく、
プロセッサであって、第２のユーザ機器を利用して第１のタスクを実行することによって、ネットワークデバイスとの通信に必要とされる第１の結果を取得すると決定するよう構成されており、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含む、プロセッサと、
第２のユーザ機器が送信する第１の結果を受信するよう構成されている受信機であって、第１の結果は第１のタスクを実行することによって第２のユーザ機器によって取得される、受信機と
を備え、
プロセッサはさらに、第１の結果を利用してネットワークデバイスと通信するよう構成されている。
【００８９】
可能な設計において、第１のタスクは、セルサーチ、セル測定、セル選択、セル再選択、セルシステム情報リスニング、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定することのうち１または複数のタスクを含む。
【００９０】
可能な設計において、プロセッサはさらに、第２のタスクのみを実行するよう構成されており、第２のタスクは、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報またはアップリンク送信電力調整情報を決定すること、サービングセルで利用するアップリンクタイミング事前情報またはアップリンク事前調整情報を決定すること、トラッキングエリアを決定すること、および、トラッキングエリアを更新すると決定することのうち、第１のタスク以外のタスクを含む。
【００９１】
可能な設計において、受信機はさらに、第２のユーザ機器またはネットワークデバイスが送信する第１の指示情報を受信するよう構成されており、第１の指示情報は第２のタスクを実行するよう命令するために利用される。
【００９２】
可能な設計において、ユーザ機器はさらに、第１の結果を格納するよう構成されているメモリを備える。これにより、プロセッサはさらに、第１のユーザ機器がネットワークデバイスと通信する必要がある場合に、格納されている第１の結果を取得するよう構成されている。
【００９３】
可能な設計において、ユーザ機器はさらに、第１の要求メッセージを第２のユーザ機器に送信するよう構成されている送信機を備え、第１の要求メッセージは第１の結果を要求するために利用される。
【００９４】
可能な設計において、プロセッサはさらに、通信を実行するべく、第１の結果を利用してネットワークデバイスに対して直接接続を構築するよう、または、第１の結果および第２のユーザ機器を利用してネットワークデバイスと間接的に通信するよう構成されている。
【００９５】
可能な設計において、受信機はさらに、第２のユーザ機器が送信するグループ構築確認メッセージを受信するよう構成されており、グループ構築確認メッセージは、第１のユーザ機器と第２のユーザ機器との間にグループが構築されている旨を示すために利用される。
【００９６】
可能な設計において、送信機はさらに、第２の要求メッセージを第２のユーザ機器に送信するよう構成されており、第２の要求メッセージは、第１のユーザ機器と第２のユーザ機器との間にグループを構築するよう要求するために利用される。
【００９７】
可能な設計において、受信機はさらに、第２のユーザ機器が送信するページングメッセージを受信するよう構成されており、ページングメッセージのページングオブジェクトは第１のユーザ機器であり、または、第２のユーザ機器が送信するページングメッセージのコンテンツの一部または全てを第１のユーザ機器によって受信するよう構成されており、ページングメッセージは、ネットワークデバイスが送信して、第２のユーザ機器が受信し、または、第２のユーザ機器が送信するサービス通知メッセージを第１のユーザ機器によって受信するよう構成されており、サービス通知メッセージは、ネットワークデバイスが送信した受信ページングメッセージにしたがって第２のユーザ機器が決定する。
【００９８】
可能な設計において、プロセッサはさらに、予め設定された条件が満たされる場合に、グループを解除するよう決定するよう構成されている。
【００９９】
可能な設計において、予め設定された条件が満たされることは、
第１のユーザ機器と第２のユーザ機器との間の距離もしくは信号の品質がしきい値に到達すること、または、
第１のユーザ機器が、第２のユーザ機器もしくはネットワークデバイスが送信するグループ解除指示情報を受信すること、または、
第１のユーザ機器が、人間−機械インターフェースを利用することで、または、アプリケーション層から、グループ解除指示情報を受信すること
を含む。
【０１００】
可能な設計において、プロセッサはさらに、グループを解除した後、第１のタスクの実行を第１のユーザ機器によって開始もしくは再開するよう構成されているか、または、第１のユーザ機器によって現在のサービングセルに継続してキャンプオンするよう構成されている。
【０１０１】
可能な設計において、送信機はさらに、第３の要求メッセージを第２のユーザ機器に送信するよう構成されており、第３の要求メッセージは、第１のユーザ機器と第２のユーザ機器との間のグループを解除するよう命令するために利用される。
【０１０２】
可能な設計において、送信機はさらに、グループを解除した後で第１のユーザ機器が第２のユーザ機器と同じセルまたは同じトラッキングエリアに継続して存在するか否かを第２のユーザ機器に第１のユーザ機器によって通知するよう構成されている。
【０１０３】
さらに別の態様によると、本願の実施形態は、ユーザ機器を提供する。当該ユーザ機器は第２のユーザ機器であってよく、
ネットワークデバイスとの通信に必要な第１の結果を取得するべく第１のタスクを実行するよう構成されているプロセッサであって、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、または、サービングセルのアップリンクタイミング事前情報もしくはアップリンク事前調整情報のうち少なくとも１つの情報を含む、プロセッサと、
第１のユーザ機器が第１の結果を利用してネットワークデバイスと通信するように、第１の結果を第１のユーザ機器に送信するよう構成されている送信機とを備える。
【０１０４】
可能な設計において、プロセッサはさらに、
セル測定を実行して、サービングセル測定結果および／もしくは隣接セル測定結果を取得すること、
セル選択もしくはセル再選択を実行し、選択もしくは再選択されたセルに関する情報を決定すること、
キャンプオンする予定のセルもしくはサービングセルのシステム情報をリスニングして、キャンプオンする予定のセルもしくはサービングセルのシステム情報が変化する場合にキャンプオンする予定のセルもしくはサービングセルの変化後のシステム情報を決定すること、または、
ページングメッセージをリスニングして、ページングオブジェクトが第１のユーザ機器であるページングメッセージがリスニングによって取得されると決定すること、
のうち少なくとも１つを実行するよう構成されており、
送信機はさらに、第４の要求メッセージをネットワークデバイスに送信するよう構成されており、第４の要求メッセージは、ネットワークデバイスが提供するサービスについて必要なパラメータ情報を取得するために利用され、ユーザ機器はさらに、
ネットワークデバイスが送信する第１の応答メッセージを受信するよう構成されている受信機であって、第１の応答メッセージは、パラメータ情報を含み、パラメータ情報は、アップリンク送信電力情報もしくはアップリンク送信電力調整情報、アップリンクタイミング事前情報もしくはアップリンク事前調整情報、または、設定パラメータのうち少なくとも１つを含み、設定パラメータは、物理層設定パラメータ、媒体アクセス制御（ＭＡＣ）層設定パラメータ、無線リンク制御（ＲＬＣ）層設定パラメータ、パケットデータコンバーゼンスプロトコル（ＰＤＣＰ）層設定パラメータ、または、無線リソース制御（ＲＲＣ）設定パラメータのうち少なくとも１つのパラメータを含む、受信機を備える。
【０１０５】
可能な設計において、上記のユーザ機器はさらに、第１のユーザ機器が送信する第１の要求メッセージを受信するよう構成されている受信機であって、第１の要求メッセージは第１の結果を要求するために利用される、受信機を備える。
【０１０６】
可能な設計において、プロセッサはさらに、第１のユーザ機器と第２のユーザ機器との間にグループを構築するよう決定するよう構成されており、グループは、第１のユーザ機器および第２のユーザ機器がネットワークデバイスとの通信のために利用される少なくとも１つの情報を共有する旨を示し、
送信機はさらに、グループが第１のユーザ機器と第２のユーザ機器との間に構築されている旨を示すべく、第１のユーザ機器にグループ構築確認メッセージを送信するよう構成されている。
【０１０７】
可能な設計において、送信機はさらに、グループ構築要求メッセージをネットワークデバイスに送信するよう構成されており、グループ構築要求メッセージがグループに関する情報を含むことにより、ネットワークデバイスはグループ構築要求メッセージにしたがってグループを構築し、
受信機はさらに、ネットワークデバイスが送信するグループ構築確認メッセージを受信するよう構成されている。
【０１０８】
可能な設計において、グループは、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を、第１のユーザ機器および第２のユーザ機器が共有する旨を示す。
【０１０９】
可能な設計において、送信機はさらに、第１のユーザ機器および第２のユーザ機器が１つのグループに含まれている旨をネットワークデバイスに通知するべく、グループに関する情報をネットワークデバイスに送信するよう構成されている。
【０１１０】
可能な設計において、受信機はさらに、第１のユーザ機器が送信するグループ構築要求メッセージを受信するよう構成されているか、または
プロセッサはさらに、第１のユーザ機器と第２のユーザ機器との間にグループを構築する必要があると決定するよう構成されている。
【０１１１】
可能な設計において、グループに関する情報は、グループ固有識別子、第１のユーザ機器の識別子、または、第２のユーザ機器の識別子のうち任意の１または複数を含む。
【０１１２】
可能な設計において、受信機はさらに、ネットワークデバイスが送信するページングメッセージを受信するよう構成されており、ページングメッセージはグループのグループ情報を含み、または、ページングメッセージは第１のユーザ機器の識別子を含み、または、ページングメッセージは第１のユーザ機器の識別子およびグループ処理を実行するか否かを示す指示を含み、または、ページングメッセージは第１のユーザ機器の識別子およびページングメッセージを第１のユーザ機器に転送するか否かを示す指示を含み、または、ページングメッセージは、第１のユーザ機器の識別子および第２のユーザ機器の識別子を含む。
【０１１３】
可能な設計において、送信機はさらに、ページングメッセージを第１のユーザ機器に転送するか、または、ページングメッセージのコンテンツの一部または全てを第１のユーザ機器に送信するか、または、サービス通知メッセージを第１のユーザ機器に送信するよう構成されており、サービス通知メッセージは、ネットワークデバイスが送信する受信したページングメッセージにしたがって第２のユーザ機器が決定する。
【０１１４】
可能な設計において、プロセッサはさらに、予め設定された条件が満たされる場合に、グループを第２のユーザ機器によって解除するよう構成されている。
【０１１５】
可能な設計において、予め設定された条件が満たされることは、
第１のユーザ機器と第２のユーザ機器との間の距離もしくは信号の品質がしきい値に到達すること、または、
第２のユーザ機器が、第１のユーザ機器もしくはネットワークデバイスが送信するグループ解除指示情報を受信すること、または、
第２のユーザ機器が、人間−機械インターフェースを利用することで、または、アプリケーション層から、グループ解除指示情報を受信すること
を含む。
【０１１６】
可能な設計において、送信機はさらに、グループ解除指示情報をネットワークデバイスに送信するよう構成されており、グループ解除指示情報は、第１のユーザ機器と第２のユーザ機器との間のグループを解除するよう命令するために利用される。
【０１１７】
可能な設計において、プロセッサはさらに、ネットワークデバイスへのランダムアクセスプロセスまたはロケーション更新プロセスを実行するよう構成されており、および、送信機はさらに、ランダムアクセスプロセスまたはロケーション更新プロセスにおいて、グループ解除指示情報をネットワークデバイスに送信するよう構成されている。
【０１１８】
可能な設計において、第２のユーザ機器がネットワークデバイスに送信するグループ解除指示情報は、
第１のユーザ機器および第２のユーザ機器が継続して同じセルおよび／または同じトラッキングエリアに存在するか否かを示す指示情報を含む。
【０１１９】
可能な設計において、受信機はさらに、第１のユーザ機器が送信するグループ解除指示情報を受信するよう構成されている。グループ解除指示情報は、第１のユーザ機器および第２のユーザ機器が継続して同じセルおよび／または同じトラッキングエリアに存在するか否かを示す指示情報を含む。
【０１２０】
さらに別の態様によると、本願の実施形態はアクセスネットワークデバイスを提供する。当該アクセスネットワークデバイスは、
第１のユーザ機器と第２のユーザ機器との間の対応関係に関する指示情報であって、第２のユーザ機器が送信する指示情報を受信するよう構成されている受信機であって、対応関係は、第１のユーザ機器が、第２のユーザ機器を利用して第１のタスクを実行することでネットワークデバイスとの通信に必要な第１の結果を取得することを意味し、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報のうち少なくとも１つの情報を含む、受信機と、
第２のユーザ機器が第１のタスクを実行すると、対応関係に基づいて、決定するよう構成されているプロセッサと
を備える。
【０１２１】
可能な設計において、対応関係の指示情報は、グループに関する情報を含み、グループに関する情報は、第１のユーザ機器と第２のユーザ機器との間にグループが構築される旨を示すために利用される。グループは、第１のユーザ機器が、第２のユーザ機器を利用して第１のタスクを実行することで、ネットワークデバイスとの通信に必要な第１の結果を取得する旨を示す。
【０１２２】
可能な設計において、受信機はさらに、第２のユーザ機器が送信するグループ構築要求メッセージを受信するよう構成されており、グループ構築要求メッセージは、グループに関する情報を保持し、グループに関する情報は、第１のユーザ機器の識別子および第２のユーザ機器の識別子を含み、グループ構築要求メッセージは、第１のユーザ機器と第２のユーザ機器との間にグループを構築するよう命令するために利用される。
【０１２３】
可能な設計において、プロセッサはさらに、グループ構築要求メッセージにしたがって第１のユーザ機器と第２のユーザ機器との間にグループを構築するよう構成されており、グループの識別子を生成するよう構成されている。
【０１２４】
可能な設計において、アクセスネットワークデバイスはさらに、グループ構築確認メッセージを第２のユーザ機器に送信するよう構成されている送信機を備え、グループ構築確認メッセージはアクセスネットワークデバイスがグループ構築に同意している旨を示すべく利用される。
【０１２５】
可能な設計において、プロセッサはさらに、ページングオブジェクトが第１のユーザ機器であるページングメッセージをプロセッサが送信する必要がある場合に、対応関係の情報にしたがって当該ページングメッセージを第２のユーザ機器に送信するよう構成されている。
【０１２６】
可能な設計において、第２のユーザ機器に送信されるページングメッセージはグループに関する情報を含み、または、ページングメッセージは第１のユーザ機器の識別子を含み、または、第２のユーザ機器に送信されるページングメッセージは第１のユーザ機器の識別子およびグループ処理を実行するか否かを示す指示を含み、または、ページングメッセージは第１のユーザ機器の識別子およびページングメッセージを第１のユーザ機器に転送するか否かを示す指示を含み、または、ページングメッセージは、第１のユーザ機器の識別子および第２のユーザ機器の識別子を含む。
【０１２７】
可能な設計において、送信機はさらに、グループに関する情報をコアネットワークデバイスに送信するよう構成されている。
【０１２８】
さらに別の態様によると、本願の実施形態はコアネットワークデバイスを提供する。当該コアネットワークデバイスは、
第１のユーザ機器と第２のユーザ機器との間の対応関係に関する指示情報であって、アクセスネットワークデバイスが送信する指示情報を受信するよう構成されている受信機であって、対応関係は、第１のユーザ機器が、第２のユーザ機器を利用して第１のタスクを実行することでネットワークデバイスとの通信に必要な第１の結果を取得することを意味し、ネットワークデバイスはコアネットワークデバイスおよびアクセスネットワークデバイスを含む、受信機と、
対応関係に基づいて第１のユーザ機器と通信するよう構成されているプロセッサと
を備える。
【０１２９】
可能な設計において、受信機はさらに、アクセスネットワークデバイスが送信するグループ構築要求メッセージを受信するよう構成されており、グループ構築要求メッセージは、グループに関する情報を保持し、グループに関する情報は、第１のユーザ機器の識別子および第２のユーザ機器の識別子を含み、
プロセッサはさらに、グループ構築要求メッセージにしたがって第１のユーザ機器と第２のユーザ機器との間にグループを構築するよう構成されており、グループの識別子を生成するよう構成されている。
【０１３０】
可能な設計において、コアネットワークデバイスはさらに、グループ構築確認メッセージをアクセスネットワークデバイスに送信するよう構成されている送信機を備え、グループ構築確認メッセージはグループの識別子を含む。
【０１３１】
可能な設計において、送信機はさらに、ページングオブジェクトが第１のユーザ機器であるページングメッセージを送信機が送信する必要がある場合に、対応関係にしたがって当該ページングメッセージをアクセスネットワークデバイスに送信するよう構成されており、当該ページングメッセージを第２のユーザ機器に送信するようアクセスネットワークデバイスに命令するよう構成されている。
【０１３２】
さらに別の態様によると、本願の実施形態はユーザ機器を提供する。当該ユーザ機器は第１のユーザ機器であり、
ネットワークデバイスに対する接続を構築するよう構成されているプロセッサであって、
第２のユーザ機器を利用して、または、第２のユーザ機器の支援を受けて、第３のタスクを第１のユーザ機器によって実行するよう構成されている
プロセッサを備え、
第３のタスクは、第１のユーザ機器とネットワークデバイスとの間の通信のために必要なタスクであり、第３のタスクは、測定設定情報にしたがって測定を実行すること、ネットワークデバイスに測定結果を送信すること、または、ランダムアクセス方式でターゲットセルまたはターゲット基地局にハンドオーバーされること、のうち少なくとも１つを含む。
【０１３３】
可能な設計において、測定設定情報は、無線リソース管理（ＲＲＭ）測定設定情報および／またはチャネル状態指示情報（ＣＳＩ）測定設定情報を含む。
【０１３４】
可能な設計において、測定設定情報は、第１の測定設定情報および／または第２の測定設定情報を含み、第１の測定設定情報は、第１のユーザ機器のためにネットワークデバイスによって設定され、第２の測定設定情報は第２のユーザ機器のためにネットワークデバイスによって設定される。
【０１３５】
可能な設計において、ユーザ機器はさらに、第２のユーザ機器が送信する第１の測定設定情報および／または第２の測定設定情報を受信するよう構成されている受信機を備える。
【０１３６】
可能な設計において、受信機はさらに、第２のユーザ機器が送信する第１の測定結果を受信するよう構成されており、第１の測定結果は第１の測定設定情報および／または第２の測定設定情報にしたがって測定を実行することによって第２のユーザ機器によって取得される。
【０１３７】
可能な設計において、プロセッサはさらに、第２の測定結果を取得するべく第１の測定設定情報および／または第２の測定設定情報にしたがって測定を実行するよう構成されており、
ユーザ機器はさらに送信機を備え、当該送信機は、第１の測定結果と第２の測定結果との間の差分が予め設定されたしきい値を超える場合、第１の測定結果と第２の測定結果との間の差分が予め設定されたしきい値を超えている旨を、第２のユーザ機器に通知するよう構成されているか、または、測定設定情報にしたがって実行される測定を中止するよう第２のユーザ機器に命令するよう構成されているか、または、第１のユーザ機器が自律的に測定を実行し始める旨を第２のユーザ機器に通知するよう構成されているか、または、第２のユーザ機器が第２の測定結果にしたがって検証を実行するように、定期的またはイベントトリガ方式で第２の測定結果を第２のユーザ機器に第１のユーザ機器が送信するよう構成されている。
【０１３８】
可能な設計において、受信機はさらに、第２のユーザ機器が送信するハンドオーバー情報を受信するよう構成されており、ハンドオーバー情報は、ターゲットセルに関する情報、ターゲットセルで利用されるアップリンクタイミング事前情報もしくはアップリンク事前調整情報、および／または、ターゲットセルで利用されるアップリンク送信電力情報もしくはアップリンク送信電力調整情報を含み、
プロセッサはさらに、ハンドオーバー情報を利用してネットワークデバイスと通信するよう構成されている。
【０１３９】
可能な設計において、受信機はさらに、ネットワークデバイスまたは第２のユーザ機器が送信するハンドオーバー指示シグナリングを受信するよう構成されており、ハンドオーバー指示シグナリングは、物理層制御シグナリング、ＭＡＣシグナリングまたはＲＲＣシグナリングであってよく、
プロセッサはさらに、ハンドオーバー情報を利用して、ハンドオーバー指示シグナリングにしたがって、ターゲットセルまたはターゲット基地局に直接アクセスするように構成されている。
【０１４０】
可能な設計において、プロセッサはさらに、第４のタスクを実行するように構成されており、第４のタスクは、ネットワークデバイスが直接送信するダウンリンクデータを受信すること、ネットワークデバイスが直接送信するダウンリンク制御シグナリングを受信すること、ネットワークデバイスにスケジューリング要求シグナリングを直接送信すること、ネットワーク側デバイスからセキュアアクティブ化に関連するシグナリングを直接受信すること、セキュアアクティブ化に関連するシグナリングをネットワークデバイスに直接送信すること、または、ネットワークデバイスにＣＳＩ測定結果情報を直接フィードバックすること、のうち少なくとも１つを含む。
【０１４１】
可能な設計において、プロセッサはさらに、第２の結果を取得するべく第４のタスクを実行するよう構成されており、第２の結果は、ダウンリンクデータまたはダウンリンク制御シグナリングをデコードすることによって第１のユーザ機器が取得するＨＡＲＱ情報を含み、ＨＡＲＱ情報は、ダウンリンクデータが正しくデコードされているか否かを示している情報であり、そして、
送信機はさらに、ＨＡＲＱ情報をネットワークデバイスに直接フィードバックするよう構成されており、または、
プロセッサはさらに、第２の結果を取得するべく第４のタスクを実行するよう構成されており、第２の結果は、ダウンリンク制御シグナリングの処理またはセキュアアクティブ化に関連するシグナリングの処理が正しく完了したと第１のユーザ機器が決定することを含み、そして、
送信機はさらに、ネットワークデバイスに、ダウンリンク制御シグナリングの処理が完了しているか否かを示すフィードバック情報を直接フィードバックするよう構成されている。
【０１４２】
さらに別の態様によると、本願の実施形態はユーザ機器を提供する。ユーザ機器は、第２のユーザ機器であってよく、
ネットワークデバイスが送信する測定設定情報を受信するよう構成されている受信機であって、測定設定情報は第３のタスクを実行するために利用され、第３のタスクは、第１のユーザ機器に代えて第２のユーザ機器によって実行されるタスクであって、ネットワークデバイスとの通信に必要なタスクである、受信機と、
第３のタスクを実行するよう構成されているプロセッサであって、第３のタスクは、測定設定情報にしたがって測定を実行すること、ネットワークデバイスに測定結果を送信すること、または、ランダムアクセス方式でターゲット基地局にハンドオーバーされるプロセスを実行すること、のうち少なくとも１つを含む、プロセッサと
を備える。
【０１４３】
可能な設計において、プロセッサはさらに、第１のユーザ機器がネットワークデバイスに対する接続を構築すると決定するよう構成されており、または、
受信機はさらに、第１のユーザ機器またはネットワークデバイスが送信する第１の指示情報を受信するよう構成されており、第１の指示情報は第３のタスクを実行するよう第２のユーザ機器に要求または命令するために利用される。
【０１４４】
可能な設計において、ユーザ機器はさらに、ネットワークデバイスに測定設定情報取得要求を送信するよう構成されている送信機を備え、
受信機はさらに、ネットワークデバイスが送信する測定設定情報を受信するよう構成されている。
【０１４５】
可能な設計において、測定設定情報は、無線リソース管理（ＲＲＭ）測定設定情報および／またはチャネル状態指示情報（ＣＳＩ）測定設定情報を含む。
【０１４６】
可能な設計において、測定設定情報は、第１の測定設定情報および／または第２の測定設定情報を含み、第１の測定設定情報は、第１のユーザ機器のためにネットワークデバイスによって設定され、第２の測定設定情報は第２のユーザ機器のためにネットワークデバイスによって設定される。
【０１４７】
可能な設計において、測定設定情報はさらに、第２の指示情報を含み、第２の指示情報は、第１の測定設定情報を第２のユーザ機器のために利用可能であるか否かを示すために、または、測定設定情報が第２の測定設定情報を含む旨を示すために、そして、第２の測定設定情報を第１のユーザ機器のために利用可能であるか否かを示すために利用される。
【０１４８】
可能な設計において、プロセッサはさらに、第１の測定結果を取得するべく第１の測定設定情報および／または第２の測定設定情報にしたがって測定を実行するように構成されており、
送信機はさらに、第１の測定結果をネットワークデバイスに送信するよう構成されている。
【０１４９】
可能な設計において、プロセッサはさらに、第１の測定結果を取得するべく、第１の測定設定情報および第２の測定設定情報にしたがって総合測定を実行するよう構成されているか、または、第１の測定結果を取得するべく第１の測定設定情報にしたがって測定を実行するよう構成されている。
【０１５０】
可能な設計において、送信機はさらに、測定設定情報を第１のユーザ機器に送信するよう構成されている。
【０１５１】
可能な設計において、送信機はさらに、第１の測定結果が特定のしきい値を満たす場合に、第１の測定結果を第１のユーザ機器に送信するよう構成されているか、または、第１の測定結果を第１のユーザ機器に、定期的またはイベントトリガ方式で、送信するよう構成されている。
【０１５２】
可能な設計において、受信機はさらに、第１のユーザ機器が送信する第２の測定結果を受信するよう構成されており、第２の測定結果は、第１の測定設定情報および／または第２の測定設定情報にしたがって測定を第１のユーザ機器が実行することによって取得され、
プロセッサはさらに、第１の測定結果と第２の測定結果との間の差分が予め設定されたしきい値を超える場合、第１のユーザ機器に代わって測定設定情報にしたがって実行している測定を中止するよう構成されており、または、
送信機はさらに、第１の測定結果と第２の測定結果との間の差分が予め設定されたしきい値を超える場合、第１の測定結果と第２の測定結果との間の差分が予め設定されたしきい値を超える旨を第１のユーザ機器に通知するよう構成されているか、または、第１のユーザ機器に測定を自律的に実行するよう命令するよう構成されている。
【０１５３】
可能な設計において、第１の測定結果と第２の測定結果との間の差分が予め設定されたしきい値を超えることは、
第１の測定結果と第２の測定結果との間の差分が予め設定された期間内に予め設定されたしきい値を超えることを含む。
【０１５４】
可能な設計において、
受信機はさらに、ネットワークデバイスが送信するハンドオーバーコマンドを受信するよう構成されており、ハンドオーバーコマンドはターゲットセルに関する情報を含み、
プロセッサはさらに、ターゲットセルに関する情報にしたがってターゲットセルにハンドオーバーされるよう構成されている。
【０１５５】
可能な設計において、ネットワークデバイスはターゲットアクセスネットワークデバイスを含み、ハンドオーバーコマンドはさらに、ターゲットアクセスネットワークデバイスに関する情報を含み、プロセッサはさらに、ターゲットアクセスネットワークデバイスに関する情報およびターゲットセルに関する情報にしたがってターゲットアクセスネットワークデバイスにハンドオーバーされるよう構成されている。
【０１５６】
可能な設計において、送信機はさらに、ターゲットアクセスネットワークデバイスに対して、第１のユーザ機器と第２のユーザ機器との間のグループに関する情報、または、第１のユーザ機器と第２のユーザ機器との間の対応関係に関する情報を送信するよう構成されており、対応関係は、第１のユーザ機器が第２のユーザ機器を利用して、セルサーチ、セル測定、セル選択、セル再選択、セルシステム情報変化リスニング、セルシステム情報受信、セルページングメッセージリスニング、セルページングメッセージ受信、サービングセルで利用されるアップリンク送信電力情報もしくはアップリンク送信電力調整情報を決定すること、サービングセルで利用されるアップリンクタイミング事前情報もしくはアップリンク事前調整情報を決定すること、トラッキングエリアを決定すること、または、トラッキングエリアを更新すると決定すること、のうち少なくとも１つのタスクを実行する旨を意味する。
【０１５７】
可能な設計において、プロセッサはさらに、ターゲットセルに関する情報および／もしくはターゲット基地局に関する情報、ターゲットセルで利用されるアップリンクタイミング事前情報もしくはアップリンク事前調整情報、ならびに／または、ターゲットセルで利用されるアップリンク送信電力情報もしくはアップリンク送信電力調整情報を取得するように構成されており、送信機はさらに、第１のユーザ機器に対してハンドオーバー情報を送信するように構成されており、ハンドオーバー情報は、ターゲットセルに関する情報および／もしくはターゲット基地局に関する情報、ターゲットセルで利用されるアップリンクタイミング事前情報もしくはアップリンク事前調整情報、ならびに／または、ターゲットセルで利用されるアップリンク送信電力情報もしくはアップリンク送信電力調整情報を含む。
【０１５８】
可能な設計において、送信機はさらに、第１のユーザ機器に対してハンドオーバー指示シグナリングを送信するよう構成されており、ハンドオーバー指示シグナリングは、ハンドオーバー情報を利用してターゲットセルまたはターゲット基地局に直接アクセスするよう第１のユーザ機器に命令するべく、ハンドオーバー情報を保持している。
【０１５９】
さらに別の態様によると、本願の実施形態はアクセスネットワークデバイスを提供する。当該アクセスネットワークデバイスは、
アクセスネットワークデバイスが第１のユーザ機器に対する接続を構築した後、第３のタスクを実行するために第２のユーザ機器が必要とする測定設定情報を設定するよう構成されているプロセッサであって、第３のタスクは、第１のユーザ機器に代えて第２のユーザ機器によって実行されるタスクであって、アクセスネットワークデバイスと通信するために第１のユーザ機器が必要とするタスクである、プロセッサと、
測定設定情報にしたがって第３のタスクを第２のユーザ機器が実行するべく、第２のユーザ機器に対して測定設定情報を送信するよう構成されている送信機であって、第３のタスクは、測定設定情報にしたがって測定を実行すること、アクセスネットワークデバイスに測定結果を送信すること、または、ランダムアクセス方式でターゲットアクセスネットワークデバイスにハンドオーバーされるプロセスを実行することのうち少なくとも１つを含む、送信機と
を備える。
【０１６０】
可能な設計において、送信機は、指示情報を第２のユーザ機器に送信するよう構成されており、指示情報は、第３のタスクを実行するよう第２のユーザ機器に命令するために利用され、指示情報は測定設定情報を保持する。
【０１６１】
可能な設計において、送信機は、指示情報を第２のユーザ機器に送信するよう構成されており、指示情報は、測定設定情報にしたがって第３のタスクを実行するよう第２のユーザ機器に命令するために利用される。
【０１６２】
可能な設計において、設定情報は、ＲＲＭ測定設定情報および／またはＣＳＩ測定設定情報を含む。
【０１６３】
可能な設計において、プロセッサはさらに、第１のユーザ機器がターゲットアクセスネットワークデバイスまたはターゲットセルにハンドオーバーされる必要があると決定する場合に、第１のハンドオーバーコマンドを第２のユーザ機器に送信するよう構成されており、第１のハンドオーバーコマンドは、ターゲットアクセスネットワークデバイスまたはターゲットセルに関する情報を含む。
【０１６４】
可能な設計において、送信機はさらに、第２のユーザ機器をターゲットアクセスネットワークデバイスまたはターゲットセルにハンドオーバーすると決定した後で、ハンドオーバー指示シグナリングを第１のユーザ機器に送信するよう構成されており、ハンドオーバー指示シグナリングは、物理層情報、ＭＡＣシグナリングまたはＲＲＣシグナリングである。
【０１６５】
可能な設計において、ハンドオーバー指示シグナリングはさらに、ターゲットアクセスネットワークデバイスに対して、もしくは、ターゲットセル内で第１のユーザ機器が利用する必要があるアップリンクタイミング事前情報もしくはアップリンク事前調整情報、または、ターゲットアクセスネットワークデバイスに対して、もしくは、ターゲットセル内で第１のユーザ機器が利用する必要があるアップリンク送信電力情報もしくはアップリンク送信電力調整情報のうち任意の１または複数を含む。
【０１６６】
可能な設計において、送信機はさらに、ターゲットアクセスネットワークデバイスに対して、第１のユーザ機器と第２のユーザ機器との間のグループに関する情報、または、第１のユーザ機器と第２のユーザ機器との間の対応関係に関する情報を送信するよう構成されており、対応関係は、第１のユーザ機器が第２のユーザ機器を利用して、セルサーチ、セル測定、セル選択、セル再選択、セルシステム情報変化リスニング、セルシステム情報受信、セルページングメッセージリスニング、セルページングメッセージ受信、サービングセルで利用されるアップリンク送信電力情報もしくはアップリンク送信電力調整情報を決定すること、サービングセルで利用されるアップリンクタイミング事前情報もしくはアップリンク事前調整情報を決定すること、トラッキングエリアを決定すること、または、トラッキングエリアを更新すると決定することのうち少なくとも１つのタスクを実行する旨を意味する。
【０１６７】
さらに別の態様によると、本願の実施形態はユーザ機器を提供する。当該ユーザ機器は、
ネットワークデバイスに対する接続を構築するよう構成されているプロセッサと、
ネットワークデバイスが送信するセキュリティモードアクティブ化コマンドを直接受信するよう構成されている受信機と
を備え、
プロセッサはさらに、
コントロールプレーン上でのデータ送信のための暗号鍵およびインテグリティ保護鍵、ならびに／または、ユーザプレーン上でのデータ送信のための暗号鍵をセキュリティコンテキスト情報にしたがって生成するよう構成されており、第１のユーザ機器がネットワークデバイスとの間でデータ送信を実行する場合、コントロールプレーン上でのデータ送信のために生成された暗号鍵およびインテグリティ保護鍵を、ならびに／または、ユーザプレーン上でのデータ送信のために生成された暗号鍵を利用するよう構成されており、
受信機は、第２のユーザ機器が送信する鍵更新メッセージを受信するよう構成されており、鍵更新メッセージは、ネットワークデバイスが、暗号鍵およびインテグリティ保護鍵を利用して鍵更新メッセージに対して暗号化およびインテグリティ保護を実行した後で、ネットワークデバイスによって第２のユーザ機器に対して送信され、
プロセッサはさらに、鍵更新メッセージにしたがって、コントロールプレーン上でのデータ送信のための暗号鍵およびインテグリティ保護鍵、または、ユーザプレーン上でのデータ送信のための暗号鍵のうち任意の１または複数を更新するよう構成されている。
【０１６８】
可能な設計において、プロセッサはさらに、セキュリティコンテキスト情報にしたがって第１の鍵を生成するよう構成されており、
プロセッサはさらに、第１の鍵、ＮＡＳ  ＣＯＵＮＴ情報、ネットワークデバイスの識別子、または、第２のユーザ機器の識別子のうち１または複数にしたがって第２の鍵を生成するよう構成されており、
プロセッサはさらに、コントロールプレーン上のデータ送信のための暗号鍵およびインテグリティ保護鍵、ならびに／または、ユーザプレーン上でのデータ送信のための暗号鍵を、ネットワークデバイスのためのセキュリティアルゴリズムにしたがって第２の鍵から算出するよう構成されており、第１のユーザ機器がネットワークデバイスとの間でデータ送信を実行する場合、暗号鍵を利用してコントロールプレーン上でデータを暗号化もしくは復号化し、インテグリティ保護鍵を利用してコントロールプレーン上でデータに対してインテグリティ保護を実行するかもしくはインテグリティ保護鍵を利用してコントロールプレーン上でデータのインテグリティを検証し、および／または、暗号鍵を利用してユーザプレーン上でデータを復号化もしくは暗号化するよう構成されている。
【０１６９】
さらに別の態様によると、本願の実施形態はネットワークデバイスを提供する。当該ネットワークデバイスは、
第１のユーザ機器に対する接続を構築するよう構成されているプロセッサと、
第１のユーザ機器が、セキュリティコンテキスト情報にしたがって、コントロールプレーン上のデータ送信のための暗号鍵およびインテグリティ保護鍵ならびに／またはユーザプレーン上のデータ送信のための暗号鍵を生成するように、第１のユーザ機器に対してセキュリティモードアクティブ化コマンドを送信するよう構成されている送信機と
を備え、
送信機はさらに、ネットワークデバイスがネットワークデバイスと第１のユーザ機器との間の鍵を更新する必要があると決定する場合に、専用メッセージを利用して第２のユーザ機器に対して鍵更新メッセージを送信するよう構成されているので、第２のユーザ機器が鍵更新メッセージを第１のユーザ機器に対して送信し、鍵更新メッセージは、ネットワークデバイスが暗号鍵およびインテグリティ保護鍵を利用して暗号化およびインテグリティ保護を鍵更新メッセージに実行した後、第２のユーザ機器に対してネットワークデバイスによって送信される。
【０１７０】
可能な設計において、送信機はさらに、鍵更新メッセージを第１のユーザ機器に転送するよう第２のユーザ機器に命令する指示情報を、第２のユーザ機器に対して送信するよう構成されている。
【０１７１】
さらに別の態様によると、本発明の実施形態は通信システムを提供する。当該システムは、上述した態様に係るアクセスネットワークデバイス、第１のユーザ機器および第２のユーザ機器を備える。または、当該システムは、アクセスネットワークデバイス、コアネットワークデバイス、第１のユーザ機器および第２のユーザ機器を備える。
【０１７２】
さらに別の態様によると、本発明の実施形態は、ネットワークデバイスが利用するコンピュータソフトウェア命令を格納するよう構成されているコンピュータ記憶媒体を提供する。コンピュータ記憶媒体は、上述した態様を実行するよう設計されているプログラムを含む。
【０１７３】
さらに別の態様によると、本発明の実施形態は、第１のユーザ機器または第２のユーザ機器が利用するコンピュータソフトウェア命令を格納するよう構成されているコンピュータ記憶媒体を提供する。コンピュータ記憶媒体は、上述した態様を実行するよう設計されているプログラムを含む。
【０１７４】
本発明の実施形態では、第２のユーザ機器が、第１のユーザ機器とネットワークデバイスとの間の通信のために必要となる一部のタスクを実行する。第１のユーザ機器は適宜、第２のユーザ機器と通信する。このようにして、第１のユーザ機器の消費エネルギーが少なくなるとしてよい。このため、スタンバイ時間が長くなり、ユーザ使用感が改善する。
【図面の簡単な説明】
【０１７５】
【図１】本発明の一実施形態による通信システムを示す概略図である。
【０１７６】
【図２】ＬＴＥネットワークのアーキテクチャを示す概略図である。
【０１７７】
【図３】本発明の方法の実施形態に係る概略通信図である。
【０１７８】
【図４】本発明の方法の実施形態に係る別の概略通信図である。
【０１７９】
【図５】本発明の方法の実施形態に係るさらに別の概略通信図である。
【０１８０】
【図６】本発明の方法の実施形態に係るさらに別の概略通信図である。
【０１８１】
【図７】本発明の方法の実施形態に係るさらに別の概略通信図である。
【０１８２】
【図８】本発明の方法の実施形態に係るさらに別の概略通信図である。
【０１８３】
【図９】本発明の方法の実施形態に係るさらに別の概略通信図である。
【０１８４】
【図１０】本発明の方法の実施形態に係るさらに別の概略通信図である。
【０１８５】
【図１１】本発明の装置の実施形態に係るアクセスネットワークデバイスを示す概略構造図である。
【０１８６】
【図１２】本発明の装置の実施形態に係る第２のユーザ機器を示す概略構造図である。
【０１８７】
【図１３】本発明の装置の実施形態に係る第１のユーザ機器を示す概略構造図である。
【０１８８】
【図１４】本発明の装置の実施形態に係るコアネットワークデバイスの設計を示すブロック図である。
【発明を実施するための形態】
【０１８９】
以下では、添付図面および実施形態を参照しつつ本発明の技術的解決手段をさらに詳細に説明する。
【０１９０】
本発明の実施形態をより深く理解していただくべく、以下では具体的な実施形態に基づいて、添付図面を参照しつつ、さらに説明する。実施形態は本発明の実施形態の限定となるものではない。
【０１９１】
図１は本発明の一実施形態に係る通信システムを示す概略図である。図１は、本発明の本実施形態に関するシステムアーキテクチャの一部分の構造を示す概略図である。図１に示すように、システムアーキテクチャは具体的には、第１のユーザ機器１０１、第２のユーザ機器１０２およびアクセスネットワークデバイス１０３を備えるとしてよく、さらにコアネットワークデバイス１０４を備えるとしてもよい。第１のユーザ機器１０１と第２のユーザ機器１０２との間で近距離通信を実行することが可能であり、例えば、Ｂｌｕｅｔｏｏｔｈ（登録商標）、ＷｉＦｉ（登録商標）等を利用した通信を実行することが可能である。第１のユーザ機器１０１および第２のユーザ機器１０２は、通信を実行するべく、アクセスネットワークデバイス１０３を利用してコアネットワークデバイス１０４にアクセスするとしてよく、さらにインターネット通信を実行するべく、コアネットワークを利用してインターネットにアクセスするとしてよい。
【０１９２】
本発明で説明する技術は、ロングタームエボリューション（ＬＴＥ）システム、または、さまざまな無線アクセス技術を利用する他の無線通信システム、例えば、符号分割多元接続、周波数分割多元接続、時分割多元接続、直交周波数分割多元接続およびシングルキャリア周波数分割多元接続等のアクセス技術を利用するシステムに適用されるとしてよい。これに加えて、当該技術はさらに、ＬＴＥシステムの第５世代（５Ｇ）システム等の上記以降の最新型システムに適用されるとしてもよい。ＬＴＥシステムは、本明細書では分かりやすいように説明例として用いているに過ぎない。ＬＴＥシステムでは、エボルブドＵＭＴＳ地上波無線アクセスネットワーク（Ｅ−ＵＴＲＡＮ）が無線アクセスネットワークの役割を果たし、エボルブドパケットコア（ＥＰＣ）がコアネットワークの役割を果たす。ＵＥは、Ｅ−ＵＴＲＡＮおよびＥＰＣを利用してＩＭＳネットワークにアクセスする。
【０１９３】
第２のユーザ機器１０２は、無線通信機能を持つさまざまな手持ちデバイス、車載デバイス、ウェアラブルデバイスもしくはコンピューティングデバイス、または、無線モデムに接続されている別の処理デバイス、および、さまざまな形態のユーザ機器（ＵＥ）、移動局（ＭＳ）、端末および端末デバイスを含むとしてよい。説明を簡単にするべく、本願では、上述したデバイスは全て、第２のユーザ機器またはＵＥと総称する。
【０１９４】
第１のユーザ機器１０１は、無線通信機能を持つさまざまなウェアラブルデバイス（ＷＤ）、例えば、手首で支持される腕時計およびリストストラップ等の製品、足で支持される靴および靴下もしくは脚に装着するその他の製品、メガネ、ヘルメット、ヘッドバンド等頭で支持されるもの、ならびに、スマート服、スマートスクールバッグ、スマート杖およびスマートアクセサリー等のさまざまな形態の製品を含むとしてよい。第１のユーザ機器１０１はさらに、エネルギーを節約する必要があるユーザ機器、例えば、手持ちデバイス、車載デバイス、ウェアラブルデバイス、コンピューティングデバイス、または、無線モデムに接続されている別の処理デバイス、および、さまざまな形態のユーザ機器（ＵＥ）、移動局（ＭＳ）、端末および端末デバイスであってよい。説明を簡単にして第２のユーザ機器と区別することを目的として、本願では、上述したデバイスは全て、第１のユーザ機器またはＷＤと総称する。
【０１９５】
アクセスネットワークデバイス１０３は、無線アクセスネットワークに配備されている装置であって、ＵＥまたはＷＤに対して無線通信機能を提供するために利用される装置であってよい。当該装置は、マクロ基地局、ミクロ基地局、中継ノード、アクセスポイント、およびさまざまな形態の同等のものを含むとしてよい。利用する無線アクセス技術が異なるシステム毎に、基地局機能を持つデバイスの名称が異なるとしてよい。例えば、ＬＴＥネットワークでは、このデバイスは、エボルブドノードＢ（ｅＮＢまたはｅＮｏｄｅＢ）と呼ばれ、第３世代（３Ｇ）ネットワークでは、このデバイスはＮｏｄｅＢと呼ばれる。説明を簡単にするべく、本願では、ＵＥに対して無線通信機能を提供する装置は全て、基地局またはｅＮＢと総称する。
【０１９６】
コアネットワークデバイス１０４は、ユーザ接続を提供し、ユーザを管理し、サービスの伝送を完了するデバイスであって、外部ネットワークに対するインターフェースを提供するベアラネットワークとして利用されるデバイスであってよい。ユーザ接続の確立は、モビリティ管理（ＭＭ）、コール管理（ＣＭ）、交換／ルーティング、および、レコーディング通知（インテリジェントネットワークサービスを参照しつつインテリジェントネットワークの周辺デバイスに対する接続を完了すること）等の機能を含む。ユーザ管理は、ユーザ記述、ＱｏＳ（サービス品質）、ユーザ通信記録（Ａｃｃｏｕｎｔｉｎｇ（アカウンティング））、インテリジェントネットワークプラットフォームとの対話による仮想家庭環境の提供、および、セキュリティ（認証センターが提供する対応するセキュリティ対策は、モバイルサービスに対するセキュリティ管理および外部ネットワークアクセスについてのセキュリティ処理を含む）を含む。ベアラ接続（Ａｃｃｅｓｓ  ｔｏ）は、外部ＰＳＴＮ、外部回路データネットワーク、パケットデータネットワーク、インターネットおよびイントラネット、携帯電話事業者のＳＭＳサーバ等へ接続することを含む。コアネットワークが提供し得る基本サービスは、モバイルオフィス、電子商取引、通信、娯楽サービス、旅行サービス、位置に基づくサービス、テレメトリサービス、簡単なメッセージ転送サービス（リスニング制御）等を含む。例えば、コアネットワークデバイス１０４は、ＬＴＥネットワークにおけるＭＭＥ（Ｍｏｂｉｌｉｔｙ  Ｍａｎａｇｅｍｅｎｔ  Ｅｎｔｉｔｙ、モビリティ管理エンティティ）およびＳＧＷ（サービングゲートウェイ）である。説明を簡単にするべく、本願では、ユーザ接続を提供し、ユーザを管理し、サービスの伝送を完了する上述のデバイスであって、外部ネットワークに対するインターフェースを提供するベアラネットワークとして利用されるデバイスは、コアネットワークデバイスＭＭＥまたはＳＧＷと総称する。
【０１９７】
第１のユーザ機器１０１と第２のユーザ機器１０２との間では近距離通信を実行するとしてよい。例えば、第１のユーザ機器および第２のユーザ機器の両方がＢｌｕｅｔｏｏｔｈ（登録商標）機能をサポートしており、Ｂｌｕｅｔｏｏｔｈ（登録商標）接続が、第１のユーザ機器と第２のユーザ機器との間で前もって確立されるとしてよい。別の例を挙げると、第１のユーザ機器および第２のユーザ機器の両方がＷｉＦｉ（登録商標）（ワイヤレスフィデリティ）機能をサポートしており、第１のユーザ機器および第２のユーザ機器が同じ無線ルータに前もってアクセスするとしてもよいし、または、第１のユーザ機器および第２のユーザ機器の一方がＷｉＦｉ（登録商標）ホットスポットとして機能してこれら２つのユーザ機器の間に接続を確立する。これに代えて、第１のユーザ機器１０１と第２のユーザ機器１０２との間では非接続方式で近距離通信を実行するとしてもよい。例えば、４．０より後のバージョンのＢｌｕｅｔｏｏｔｈ（登録商標）を持つユーザ機器は、接続することなくデータを送信するとしてよい。本明細書において、Ｂｌｕｅｔｏｏｔｈ（登録商標）またはＷｉＦｉ（登録商標）を利用して実行する近距離通信の具体的な実施例は一例に過ぎず、２つのユーザ機器の間で近距離通信を実現可能な別の実施例も含まれるべきであることに留意されたい。本明細書では詳細な説明は省略する。
【０１９８】
これに加えて、本願におけるネットワークデバイスは、アクセスネットワークデバイス１０３およびコアネットワークデバイス１０４を含むとしてよい。
【０１９９】
ロングタームエボリューション（ＬＴＥ）またはＵＭＴＳ（ユニバーサルモバイルテレコミュニケーションズシステム）等のシステムが特に、ＬＴＥにおけるＥＰＳ（エボルブドパケットシステム）に適用可能である。ＥＰＳは、第４世代モバイル通信における３ＧＰＰ（第３世代パートナーシッププロジェクト）規格委員会が提唱した概念である。
【０２００】
図２は、ＬＴＥネットワークのアーキテクチャを示す概略図である。ＬＴＥネットワークは主に、ＵＥ（ユーザ機器）、Ｅ−ＵＴＲＡＮ（エボルブドユニバーサル地上波無線アクセスネットワーク）、ＥＰＣ（エボルブドパケットコア）等を含む。ＵＥは、第１のユーザ機器および第２のユーザ機器を含むとしてよい。ＥＰＣは主に、ＭＭＥ、Ｐ−ＧＷ（パケットデータネットワークゲートウェイ）およびＳＧＷを含み、モバイルネットワークの従来の機能、例えば、ユーザのために加入データを格納すること、モビリティ管理およびデータ交換を実現することができ、ユーザが超高速インターネットを体験できるようにする。これに加えて、Ｅ−ＵＴＲＡＮは複数のｅＮＢ（エボルブドＮｏｄｅＢ）を含むネットワークであってよく、無線物理層機能、リソーススケジューリングおよび無線リソース管理、無線アクセス制御およびモビリティ管理等の機能を実現する。
【０２０１】
ＵＭＴＳシステムは主に、ＵＴＲＡＮ（ユニバーサル地上波無線アクセスネットワーク）およびＣＮ（コアネットワーク）を含む。ＵＴＲＡＮは、主に複数の基地局および基地局コントローラまたはＲＮＣ（無線ネットワークコントローラ）を含むネットワークである。コアネットワーク（ＣＮ）は、ＳＧＳＮ（サービングＧＰＲＳサポートノード）を含み、ＳＧＳＮは基地局コントローラを利用して基地局と通信する。
【０２０２】
本願では、分析によって、第１のユーザ機器と第２のユーザ機器との間の通信の消費電力は、ネットワークデバイスと第１のユーザ機器との間の通信のための消費電力よりも少なく、第１のユーザ機器と第２のユーザ機器との間の通信は頻繁に測定する必要がないので、より多くのエネルギーを節約することができることが分かるとしてよい。本発明の本実施形態では、第２のユーザ機器が、第１のユーザ機器とネットワークデバイスとの間の通信のために必要となる一部のタスクを実行する。第１のユーザ機器は適宜、第２のユーザ機器と通信する。このようにして、第１のユーザ機器の消費エネルギーが少なくなるとしてよい。このため、スタンバイ時間が長くなり、ユーザ使用感が改善する。
【０２０３】
複数の異なるタスクおよびシナリオを参照しつつ、本発明を以下で詳細に説明する。
【０２０４】
第１のユーザ機器がネットワークデバイスと通信するプロセスにおいて、第１のユーザ機器は通常、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルのアップリンク送信電力情報もしくはアップリンク送信電力調整情報、および、サービングセルのアップリンクタイミング事前情報もしくはアップリンク事前調整情報等の情報を取得する必要がある。この情報を取得した場合に限り、第１のユーザ機器が通常通りにネットワークデバイスと通信することが保証され得る。本発明の実施形態では、この情報は第２のユーザ機器を利用して取得されるとしてよく、その後で第１のユーザ機器が第２のユーザ機器からデータを取得する。
【０２０５】
図３は、本発明の方法の実施形態に係る概略通信図である。この方法は、図１に図示している通信システムに適用されるとしてよい。図３に示すように、当該方法は以下のステップを含むとしてよい。
【０２０６】
３１０：第２のユーザ機器は第１のタスクを実行して第１の結果を取得する。ここで、第１のタスクは、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報もしくはアップリンク送信電力調整情報を決定すること、サービングセルで利用するアップリンクタイミング事前情報もしくはアップリンク事前調整情報を決定すること、トラッキングエリアを決定すること、または、トラッキングエリアを更新すると決定すること等のうち１または複数のタスクを含むとしてよく、第１の結果は、ページング情報、キャンプオンする予定のセルもしくはサービングセルに関する情報、サービングセル測定結果、隣接セル測定結果、キャンプオンする予定のセルもしくはサービングセルのシステム情報もしくは更新済みシステム情報、セル選択もしくはセル再選択の後に取得されるキャンプオンする予定のセルもしくはサービングセルに関する情報、サービングセルで利用されるアップリンク送信電力情報もしくはアップリンク送信電力調整情報、または、サービングセルで利用されるアップリンクタイミング事前情報もしくはアップリンク事前調整情報等のうち１または複数の結果を含み得る。
【０２０７】
第１のユーザ機器は第２のタスクを実行するとしてよい。第２のタスクは、セルサーチ、セル測定、セル選択、セル再選択、セルシステム情報変化リスニング、セルシステム情報受信、セルページングメッセージリスニング、セルページングメッセージ受信、サービングセルで利用するアップリンク送信電力情報またはアップリンク送信電力調整情報を決定すること、サービングセルで利用するアップリンクタイミング事前情報またはアップリンク事前調整情報を決定すること、トラッキングエリアを決定すること、および、トラッキングエリアを更新すると決定することのうち、第１のタスク以外のタスクを含むとしてよい。言い換えると、１セットの第１のタスクおよび第２のタスクは、ユーザ機器とネットワークデバイスとの間の通信に必要なタスク全てに含まれているとしてよい。本発明の本実施形態では、第１のユーザ機器の通信プロセスにおいて、第１のユーザ機器は自身で一部のタスクを実行して、他のタスクは実行するべく第２のユーザ機器（プロキシデバイス）に渡す。これによってエネルギーが節約され、スタンバイ時間が長くなる。
【０２０８】
第２のユーザ機器は具体的に、以下に説明する方式で第１のタスクの実行を開始すると決定するとしてよい。
【０２０９】
方式１：第２のユーザ機器は、第１のタスクの実行を能動的に要求して、第１のユーザ機器に通知するとしてよい。例えば、ユーザは通常、ＵＥおよびＷＤの両方を持っているとしてよい。この場合、ユーザは、第１のタスクの実行を求める要求をＵＥ側でトリガするとしてよく、ＵＥは要求を受信した後にＷＤに通知して、ＷＤは通知を受信した後に第１のタスクの実行を停止または省略する。このようにして、ＷＤは第１のタスクを実行するために必要な電力の一部を節約することができる。
【０２１０】
方式２：第２のユーザ機器は、第１のユーザ機器が送信した要求メッセージを受信した後で第１のタスクを実行するとしてよい。例えば、ＷＤは、ＷＤが電力を節約する必要があると決定した後、または、ユーザがトリガした要求を受信した後、ＵＥに要求メッセージを送信して、ＷＤに代わって第１のタスクを実行するようＵＥに要求する。
【０２１１】
方式３：第２のユーザ機器は、ネットワークデバイスが送信した要求メッセージまたは指示情報を受信するとしてよい。例えば、ネットワークデバイスがＷＤは電力を節約する必要があると決定する場合、または、ネットワークデバイスがＵＥまたはＷＤが送信した要求メッセージを受信する場合、ネットワークデバイスはＷＤと同じエリア内にいるＵＥを決定して、当該ＵＥに要求メッセージまたは実行情報を送信して、第１のタスクを実行するようＵＥに要求または命令するか、または、第１のタスクを実行するべきＵＥが、ＵＥまたはＷＤが送信した要求メッセージで指定されている場合、ネットワークデバイスは指定されているＵＥに要求メッセージまたは実行情報を直接送信する。
【０２１２】
これに加えて、第１のタスクは、第１のユーザ機器とネットワークデバイスとの間の通信のために実行する必要があるタスクであってよい。この場合、第１の結果もまた第１のユーザ機器のために取得される。第１のタスクは、第２のユーザ機器とネットワークデバイスとの間の通常の通信のために実行されるタスクであってもよい。この場合、取得した第１の結果は第１のユーザ機器によって利用されるとしてよく、第２のユーザ機器とネットワークデバイスとの間の通常の通信にも利用されるとしてもよい。言い換えると、第１の結果は、第２のユーザ機器によって特に第１のユーザ機器のために取得されるとしてもよいし、または、第２のユーザ機器によって第２のユーザ機器の通常の通信中に取得されるとしてもよいが、第１のユーザ機器が利用するように提供されるとしてもよい。
【０２１３】
ネットワークデバイスは、第１のユーザ機器と第２のユーザ機器との間の対応関係を決定する。対応関係とは、第１のユーザ機器が、第２のユーザ機器を利用して第１のタスクを実行することで、ネットワークデバイスとの通信に必要となる第１の結果を取得することを意味する。ネットワークデバイスは、第１のユーザ機器と第２のユーザ機器との間の対応関係にしたがって第２のユーザ機器と協働して第１のタスクを実行するとしてよい。言い換えると、第１のタスクを実行する場合、第２のユーザ機器はネットワークデバイスの協力を必要とするとしてよく、ネットワークデバイスは第２のユーザ機器が第１のユーザ機器のためにタスクを実行することを知っている。具体的には、第２のユーザ機器は、第１のタスクを実行する場合、ネットワークデバイスにデータまたは情報を送信して、第２のユーザ機器はネットワークデバイスの協力を必要としている旨を示すとしてよい。ネットワークデバイスは、データまたは命令を返送する場合、第１のユーザ機器が第２のユーザ機器を利用して第１のタスクを実行する旨をネットワークデバイスが知っていることを示す。
【０２１４】
第１のユーザ機器と第２のユーザ機器との間では近距離通信が実行可能であることに留意されたい。言い換えると、例えば、第１のユーザ機器および第２のユーザ機器は同じトラッキングエリア内にいる。
【０２１５】
３２０：第２のユーザ機器は、第１のユーザ機器に第１の結果を送信する。
【０２１６】
第１の結果は、以下の方式で送信されるとしてよい。
【０２１７】
方式１：第１のユーザ機器は、第１の結果のための要求メッセージを第２のユーザ機器に送信するとしてよい。第２のユーザ機器は、要求メッセージを受信した後で、取得した第１の結果を第１のユーザ機器に送信するとしてもよいし、または、要求メッセージを受信した後でステップ３１０を実行し、取得した第１の結果をその後で第１のユーザ機器に送信するとしてよい。
【０２１８】
方式２：第２のユーザ機器は、第１の結果が変化したことを発見した場合に、変化後の第１の結果を第１のユーザ機器に送信するとしてよい。
【０２１９】
第１のタスクおよび第１の結果をより直感的に理解できるよう、実際のタスクを以下で説明する。
【０２２０】
１．第２のユーザ機器は、セル測定を実行して、サービングセル測定結果および／または隣接セル測定結果を取得して、その後で測定結果を第１のユーザ機器に送信するとしてよい。
【０２２１】
２．第２のユーザ機器は、必要な場合にセル選択またはセル再選択を実行して、選択または再選択されたセルに関する情報を決定し、選択または再選択されたセルに関する情報を第１のユーザ機器に送信するとしてよい。
【０２２２】
３．第２のユーザ機器は、キャンプオンする予定のセルまたはサービングセルのシステム情報をリスニングして、キャンプオンする予定のセルまたはサービングセルのシステム情報が変化した場合にキャンプオンする予定のセルまたはサービングセルの変化後のシステム情報を決定し、変化後のシステム情報を第１のユーザ機器に送信する。
【０２２３】
４．第２のユーザ機器はページングメッセージをリスニングして、第２のユーザ機器がリスニングによって、ページングオブジェクトが第１のユーザ機器であるページングメッセージを取得する場合、第２のユーザ機器はページングメッセージを第１のユーザ機器に転送するか、または、第２のユーザ機器はページングメッセージのコンテンツの一部または全てを第１のユーザ機器に送信する。
【０２２４】
５．第２のユーザ機器は要求メッセージをネットワークデバイスに送信して、ネットワークデバイスが提供するサービスに必要なパラメータ情報を取得する。要求メッセージはランダムアクセスプリアンブルであってよい。ネットワークデバイスは、要求メッセージを受信した後、対応するパラメータ情報を応答メッセージに追加して、応答メッセージを第２のユーザ機器に送信する。第２のユーザ機器は、ネットワークデバイスが送信した応答メッセージを受信する。パラメータ情報は、アップリンク送信電力情報もしくはアップリンク送信電力調整情報、アップリンクタイミング事前情報もしくはアップリンク事前調整情報、および／または、設定パラメータを含むとしてよい。設定パラメータは、物理層設定パラメータ、ＭＡＣ（媒体アクセス制御）層設定パラメータ、ＲＬＣ（無線リンク制御）層設定パラメータ、ＰＤＣＰ（パケットデータコンバージェンスプロトコル）層設定パラメータ、または、無線リソース制御ＲＲＣ設定パラメータのうち少なくとも１つのパラメータを含む。第２のユーザ機器は、第１のユーザ機器にパラメータ情報を送信する。
【０２２５】
第２のユーザ機器が、第２のユーザ機器とネットワークデバイスとの間の通信のために現在利用されているパラメータ情報を決定して、パラメータ情報を第１のユーザ機器に送信する。
【０２２６】
前述したタスクの具体的な実行プロセスは全て、通信プロトコルに記述されており、プロセスについて理解するためには、通信プロトコルを参照されたい。本明細書では詳細の説明は省略する。
【０２２７】
３３０：第１のユーザ機器は、第２のユーザ機器が送信した第１の結果を受信した後、第１の結果を利用してネットワークデバイスと通信する。
【０２２８】
第１のユーザ機器は、第１の結果を受信した後、第１の結果を最初に格納するとしてよく、必要になった場合に、格納された第１の結果を取得してネットワークデバイスと通信する。例えば、第１のユーザ機器は、要求メッセージを第２のユーザ機器に送信して、第１の結果を要求するとしてよい。
【０２２９】
第１のユーザ機器は、第１の結果を利用してネットワークデバイスに対する直接接続を確立して通信を実行するとしてもよいし、または、第１のユーザ機器は、第１の結果および第２のユーザ機器を利用してネットワークデバイスと間接的に通信するとしてよい。
【０２３０】
別のケースを以下で説明する。
【０２３１】
本発明の本実施形態の具体的な実現プロセスにおいて、第１のユーザ機器と第２のユーザ機器との間にはグループが構築されるとしてよく、ネットワークデバイスにはグループが通知されるか、または、ネットワークデバイスがグループを構築する。このようにして、第１のユーザ機器、第２のユーザ機器およびネットワークデバイスは、第１のユーザ機器が第２のユーザ機器を利用して第１のタスクを実行することを把握しており、指向性要件がより高い第１のユーザ機器のタスクの一部もまた、第２のユーザ機器によって実行されるとしてよい。添付図面を参照しつつ以下でより詳細に説明する。
【０２３２】
図４は、本発明の方法の実施形態に係る別の概略通信図である。この方法は、図１に図示している通信システムに適用されるとしてよい。図４に示すように、当該方法は以下のステップを含むとしてよい。
【０２３３】
４１０：グループ構築要求をトリガする。
【０２３４】
第２のユーザ機器は、グループ構築要求をトリガするとしてもよいし、または、第１のユーザ機器がグループ構築要求をトリガするとしてもよく、第１のユーザ機器がグループ構築要求を第２のユーザ機器に送信する。
【０２３５】
４２０：グループに関する情報を報告する。
【０２３６】
第２のユーザ機器は、グループを構築する必要があると決定した後、グループを構築する必要がある第１のユーザ機器および第２のユーザ機器に関する情報、例えば、第１のユーザ機器の識別子および第２のユーザ機器の識別子を決定する必要がある。
【０２３７】
第２のユーザ機器は、第１のユーザ機器および第２のユーザ機器に関する情報にしたがってグループを構築するとしてよく、例えば、グループの番号を生成するとしてよく、グループの番号と第１のユーザ機器の識別子および第２のユーザ機器の識別子のそれぞれとを対応付けるとしてよい。
【０２３８】
これに代えて、第２のユーザ機器はグループ構築要求メッセージをネットワークデバイスに送信するとしてよく、要求メッセージは、グループを構築する必要がある第１のユーザ機器および第２のユーザ機器に関する情報を保持する。ネットワークデバイスは、グループ構築要求メッセージを受信した後、要求に保持されている情報にしたがってグループを構築し、グループ構築確認メッセージを第２のユーザ機器に返送する。例えば、ネットワークデバイスは、グループ構築要求メッセージにしたがってグループを構築するとしてよく、グループの番号を生成するとしてよく、グループの番号と第１のユーザ機器の識別子および第２のユーザ機器の識別子のそれぞれとを対応付けるとしてよい。この後、ネットワークデバイスは、グループ構築確認メッセージを第２のユーザ機器に送信する。
【０２３９】
４３０：グループが構築されていると決定する。
【０２４０】
第２のユーザ機器は、ネットワークデバイスが送信したグループ構築確認メッセージを第２のユーザ機器が受信した後で、または、第２のユーザ機器がグループを構築した後で、グループ構築確認メッセージを第１のユーザ機器に送信する。
【０２４１】
グループが意図するところは第１のユーザ機器、第２のユーザ機器およびネットワークデバイスが全て、第１のユーザ機器は第２のユーザ機器を利用して、ネットワークデバイスとの通信のプロセスにおいて、一部のタスクを実行することを知っていることを明確にすることのみであり、この目的を実現することができる他の方式は全て本発明の範囲に含まれ得ると留意されたい。
【０２４２】
これに加えて、ネットワークデバイスはアクセスネットワークデバイスおよびコアネットワークデバイスを含むとしてよく、アクセスネットワークデバイスおよびコアネットワークデバイスの両方がネットワークデバイスの機能を実現することができる。
【０２４３】
グループ構築プロセスにおいて、コアネットワークデバイスがグループを構築する必要がある場合、アクセスネットワークデバイスはグループに関する情報をコアネットワークデバイスに送信する必要があり、コアネットワークデバイスは、グループに関する情報を受信した後でグループ構築確認メッセージを返送し、グループ構築確認メッセージを受信した後で、アクセスネットワークデバイスは、グループ構築確認メッセージを第２のユーザ機器に送信する。
【０２４４】
アクセスネットワークデバイスによってグループが構築される場合、アクセスネットワークデバイスは、グループに関する情報をコアネットワークデバイスに報告するとしてよい。
【０２４５】
第１のユーザ機器と第２のユーザ機器との間のグループの構築が成功した後で、ネットワークデバイスは、第１のユーザ機器および第２のユーザ機器を１つのデバイスとみなすとしてよい。言い換えると、ネットワークデバイスが第１のユーザ機器または第２のユーザ機器に送信する必要があるデータを持っている場合、ネットワークデバイスは全てのデータを第２のユーザ機器に送信するとしてよい。データの混乱を回避するべく、ネットワークデバイスは、識別子をデータに付加するとしてよく、第２のユーザ機器に対して、当該データの持ち主であるデバイスを示す。これに代えて、グループ構築プロセスでは、第２のユーザ機器は第１のユーザ機器のためにタスクを実行することについてのみ責任を持つと規定されている。これに加えて、ネットワークデバイスも、第２のユーザ機器が実行する一部のタスクは第１のユーザ機器に代わって実行されたものであると知っているとしてよい。
【０２４６】
グループが構築された後、比較的明示的な指向性を持つ一部のタスクもまた、第２のユーザ機器を利用して実行されるとしてよい。
【０２４７】
例えば、ネットワークデバイスが第１のユーザ機器に対するページングメッセージを持っている場合、ネットワークデバイスは、グループに関する情報に基づいて、ページングメッセージを第２のユーザ機器に送信するとしてよい。ページングメッセージは、ページングオブジェクトがグループである旨、または、ページングオブジェクトが第２のユーザ機器でない旨、または、ページングオブジェクトが第１のユーザ機器である旨を示す指示情報を保持しているとしてよい。第２のユーザ機器は、ネットワークデバイスが送信したページングメッセージを受信する場合、ページングメッセージを第１のユーザ機器に直接転送するとしてもよいし、または、ページングメッセージのコンテンツを第１のユーザ機器に送信するとしてもよい。ページングメッセージのコンテンツを第１のユーザ機器に送信する場合、第２のユーザ機器は、第１のユーザ機器には無用のコンテンツをフィルタリングで除外するとしてよい。例えば、ページングメッセージは、第２のユーザ機器の識別子を保持しており、第２のユーザ機器はこの識別子を除去した後で、ページングメッセージを第１のユーザ機器に送信するとしてよい。本明細書において、オブジェクトは、第１のユーザ機器に送信されるサービス通知メッセージであってよい。サービス通知メッセージ受信プロセスはページングメッセージ受信プロセスと同様であり、サービス通知メッセージ受信プロセスについて理解するには、ページングメッセージ受信プロセスを参照されたい。
【０２４８】
ネットワークデバイスがアクセスネットワークデバイスおよびコアネットワークデバイスを含む場合、第１のユーザ機器に送信する必要があるデータをコアネットワークデバイスが持っていれば、コアネットワークデバイスはアクセスネットワークデバイスにデータを直接送信するとしてよい。アクセスネットワークデバイスは、グループに関する情報にしたがって第２のユーザ機器にデータを送信する。これに代えて、コアネットワークデバイスがグループに関する情報にしたがってアクセスネットワークデバイスにデータを送信し、データを第２のユーザ機器に送信するようアクセスネットワークデバイスに命令し、データが第１のユーザ機器のデータである旨を示す。アクセスネットワークデバイスは、データを受信した後、データを第２のユーザ機器に転送する。
【０２４９】
本発明の本実施形態の具体的な実現プロセスにおいて、より良い技術的解決手段は、図３および図４の解決手段を組み合わせることで得られるとしてよい。添付図面を参照しつつ以下でより詳細に説明する。
【０２５０】
図５は、本発明の方法の実施形態に係るさらに別の概略通信図である。この方法は、図１に図示している通信システムに適用されるとしてよい。図５に示すように、当該方法は具体的には以下のステップを含むとしてよい。
【０２５１】
５０１：ＷＤとＵＥとの間にグループを構築する。具体的には、ＷＤは、ＷＤがＵＥとの間にグループを構築する必要がある場合に、グループ構築要求メッセージをＵＥに送信するとしてよい。または、ＵＥはＵＥがＷＤとの間にグループを構築する必要があると決定するとしてよい。
【０２５２】
５０２：ＵＥがグループ構築要求メッセージをＷＤから受信する場合、または、ＵＥがＷＤとの間にグループを構築する必要性をトリガする場合、ＵＥは、ｅＮＢにアクセスして、グループ構築メッセージをｅＮＢに送信して、ＵＥとＷＤとの間にグループを構築する旨を示し、構築されたグループに関する情報、例えば、グループの番号を示す。
【０２５３】
５０３：ＵＥが送信したグループ構築メッセージをｅＮＢが受信した後、ｅＮＢは、ＭＭＥに対して、ＵＥとＷＤとの間に構築されたグループ（グループＩＤ（ｉｄｅｎｔｉｆｉｅｒ）、または、ＷＤおよびＵＥのＩＤ等）に関する情報を報告して、ＭＭＥに対してＷＤとＵＥとの間に構築されたグループを示すとしてよい。
【０２５４】
５０４：ｅＮＢが送信したグループ構築メッセージをＭＭＥが受信した後、ＭＭＥはグループ情報確認メッセージをｅＮＢに送信して、ＵＥとＷＤとの間のグループに関する情報の格納に成功した旨をｅＮＢに通知する。
【０２５５】
５０５：ｅＮＢはさらに、グループ情報確認メッセージをＵＥに送信して、ＷＤとＵＥとの間のグループに関する情報がネットワーク側に格納されている旨をＵＥに通知する。
【０２５６】
本発明の本実施形態において、ステップ５０３、ステップ５０４およびステップ５０５の間には必ずしも順番が決まっているわけではない旨に留意されたい。
【０２５７】
５０６：ＵＥがネットワーク側からのグループ構築確認情報の取得に成功した後、ＵＥはグループ構築確認情報をＷＤに送信して、ＵＥとＷＤとの間のグループの構築が成功した旨を示す。
【０２５８】
５０７：ＷＤとＵＥとの間のグループの構築に成功したとＷＤが決定した後、ＷＤは省電力モードを開始して消費電力を少なくする。ＷＤが省電力モードを開始するとは、ＷＤが以下の処理のうち１または複数を実行しないか、または、以下の処理のうち１または複数の実行を停止することを意味する。
１．セルサーチ
２．セル測定
３．セル選択／セル再選択
４．セルシステム情報リスニング
５．セルページングメッセージリスニング
【０２５９】
さらに、移動プロセスにおいて、ＵＥは従来のセル測定、セル選択および再選択、セルシステム情報受信およびセルページングメッセージ受信を実行する。ＵＥがセル再選択を実行する必要がある場合、または、ＵＥがセル再選択を実行した後、ＵＥは、新しく再選択されたセルに関する情報（例えば、セル識別子情報、セル周波数情報、または、セルシステム情報）をＷＤに通知するとしてよい。ＷＤは、新しいセルに関する情報を受信した後、後にセルと通信することが必要になった場合に利用できるように情報を格納する。
【０２６０】
これに加えて、ＵＥが現在キャンプオンしているセルのシステム情報が変化したことをＵＥが発見した場合、ＵＥは、変化後の新しいシステム情報をＷＤに送信するとしてよい。これに代えて、ＷＤはサービスのためにネットワークに対する接続を構築する必要がある場合、ＵＥが、ＵＥが現在キャンプオンしているサービングセルに関する情報および当該サービングセルのシステム情報をＷＤに通知するとしてよい。具体的には、ＷＤがネットワークに対する接続を構築する必要性を能動的にトリガする必要がある場合、ＷＤは、ＵＥ側に、サービングセルに関する情報およびサービングセルのシステム情報を要求する必要があるとしてよい。これに代えて、ＷＤがネットワークに対する接続を構築する必要性を受動的にトリガする場合、ＵＥは、現在のサービングセルに関する情報および現在のサービングセルのシステム情報をＷＤに送信する。
【０２６１】
上述したようにＵＥとＷＤとの間で情報をやり取りするためには、任意の近距離通信方式を利用するとしてよい。
【０２６２】
５０８：ネットワークは、ＷＤをページングする必要があると決定する場合に、ページングメッセージをＵＥに送信する。ページングメッセージはページングオブジェクトがＷＤである旨を明示的に示している。具体的には、ページングオブジェクトがＷＤである旨を示す実施例は、明示的にＷＤのＩＤを示しているか、または、ページングオブジェクトがＵＥでない旨を示しているか、または、ページングオブジェクトがＷＤであるか否かを示している等であってよい。
【０２６３】
５０９：ＭＭＥが送信したページングメッセージを受信した後、ｅＮＢはページングメッセージをＵＥに送信する。
【０２６４】
５１０：ｅＮＢが送信したページングメッセージを受信した後、ＵＥはＷＤをページングするか否かを決定して、ＷＤをページングする場合、ＵＥはページングメッセージをＷＤに転送するか、または、専用メッセージをＷＤに送信してページングメッセージのコンテンツをＷＤに転送する。
【０２６５】
本発明の本実施形態では、ＭＭＥが専用シグナリングを利用してページングメッセージのページングオブジェクトがＷＤであるか否かをｅＮＢに通知するとしてもよいし、または、ｅＮＢはＭＭＥが送信したページングメッセージをパーシングしてページングオブジェクトがＷＤであるか否かを知るとしてもよいことに留意されたい。
【０２６６】
本発明の実施形態の具体的な実現プロセスにおいて、グループは特定の条件下で解除する必要がある。グループ解除とは、ＷＤが自身で第１のタスクを実行する必要があること、または、ＷＤからＵＥに第１のタスクの実行を切り替える必要があること、または、ＷＤが第１のタスクを実行する必要がなくなったことを意味するとしてよい。グループ解除については添付図面を参照しつつ以下で詳細に説明する。
【０２６７】
図６は、本発明の方法の実施形態に係るさらに別の概略通信図である。この方法は、図１に図示している通信システムに適用されるとしてよい。図６に示すように、当該方法は具体的に、以下のステップを含むとしてよい。
【０２６８】
６０１：ＷＤまたはＵＥがグループを解除する必要があると確認する場合、ＵＥはグループ解除指示情報をネットワークに報告する。
【０２６９】
具体的には、ＵＥが現在接続モードである場合、ＵＥはグループ解除指示情報をｅＮＢに直接送信して、グループを解除する必要がある旨を示すとしてよい。これに代えて、ＵＥが現在アイドルモードである場合、ＵＥはｅＮＢにランダムアクセスするようトリガされる。この後、ランダムアクセスプロセスにおいて、例えば、ＵＥがグループ解除指示情報をランダムアクセスメッセージ３に追加して、グループ解除指示情報をｅＮＢに送信するか、または、ＵＥは、ランダムアクセスを完了した後、グループ解除指示情報をｅＮＢに送信するとしてよい。これに代えて、ＵＥが現在アイドルモードである場合、ＵＥはロケーション更新（ＴＡＵ、Ｔｒａｃｋｉｎｇ  Ａｒｅａ  Ｕｐｄａｔｅ）プロセスを実行するようトリガされて、グループ解除指示情報をネットワーク側に報告する。
【０２７０】
本明細書において、グループ解除を決定する条件は、以下に記載する条件のうち１または複数であってよい。
【０２７１】
１．ＷＤが、ＷＤとＵＥとの間の信号の品質が特定のしきい値を下回っていることを検出し、ＷＤおよびＵＥがグループ形成条件を満たさなくなっている。
【０２７２】
２．ＵＥが、ＷＤとＵＥとの間の信号の品質が特定のしきい値を下回っていることを検出し、ＷＤおよびＵＥがグループ形成条件を満たさなくなっている。
【０２７３】
３．ＷＤが、ＷＤとＵＥとの間の距離が特定のしきい値を下回っていることを検出し、ＷＤおよびＵＥがグループ形成条件を満たさなくなっている。
【０２７４】
４．ＵＥが、ＷＤとＵＥとの間の距離が特定のしきい値を下回っていることを検出し、ＷＤおよびＵＥがグループ形成条件を満たさなくなっている。
【０２７５】
５．ＷＤが、アプリケーションプログラムの指示であって、グループの解除を必要とする指示を受信する。
【０２７６】
６．ＵＥが、アプリケーションプログラムの指示であって、グループの解除を必要とする指示を受信する。
【０２７７】
７．ＷＤまたはＵＥが、ｅＮＢまたはＭＭＥ等のネットワーク側デバイスが送信したグループ解除指示情報を受信する。
【０２７８】
６０２：ｅＮＢは、ＵＥが送信したグループ解除指示情報を受信した後、グループ解除報告メッセージをＭＭＥに送信してグループを解除する必要がある旨をＭＭＥに通知する。
【０２７９】
６０３：ＭＭＥは、ｅＮＢが送信したグループ解除報告メッセージを受信した後、グループ解除確認メッセージをフィードバックする。
【０２８０】
６０４：ｅＮＢはグループ解除確認メッセージをＵＥに送信する。
【０２８１】
ステップ６０４、ステップ６０２およびステップ６０３の間には必ずしも順番が決まっているわけではない。
【０２８２】
６０５：ネットワーク側がグループを解除したとＵＥが決定した後、ＷＤとＵＥとの間で依然として近距離通信を実行可能である場合、ＵＥはグループ解除確認メッセージをＷＤに送信してグループが解除したことを確認する。これに代えて、グループが解除された後に、ＷＤが通常動作モードを開始することを選択する場合（すなわち、全ての通信タスクにおける動作を実行する必要がある場合）、ｅＮＢ等のネットワーク側デバイスは、グループ解除確認メッセージをＷＤに送信するとしてよい。
【０２８３】
６０６：ＷＤとＵＥとの間のグループを解除したと決定した後、ＷＤは、現在のサービングセルにキャンプオンし続けるか、または、キャンプオンする別のセルを選択するべくセル再選択を実行するかを決定するとしてよい。
【０２８４】
６０７：グループを解除した後、ＷＤは、通常動作モードを選択するとしてもよい（すなわち、全ての通信タスクにおける動作を実行する必要がある）。
【０２８５】
これに加えて、本発明の本実施形態において、グループ解除指示情報をネットワーク側に報告する場合、ＵＥは、現在ＷＤおよびＵＥが依然として同じトラッキングエリア（Ｔｒａｃｋｉｎｇ  Ａｒｅａ、ＴＡ）内にいるか否かを指定する指示情報を報告するか、または、現在ＷＤおよびＵＥが依然として同じセルにいるか否かを指示する指示情報を報告するとしてよい。このため、ＷＤがグループ解除を能動的に要求する場合、ＷＤは、ＷＤがＵＥと同じセルまたは同じトラッキングエリア（ＴＡ）に引き続き位置するか否かをＵＥに通知する。
【０２８６】
別のケースを以下で説明する。
【０２８７】
第１のユーザ機器がネットワークデバイスに対する接続を確立する場合、すなわち、データ送信プロセスにおいて、第１のユーザ機器は、第２のユーザ機器を利用してネットワークデバイスとの間でデータ送信を間接的に実行するとしてよい。すなわち、第１のユーザ機器は、送信する必要があるデータを第２のユーザ機器に送信して、第２のユーザ機器はデータをネットワークデバイスに転送する。第２のユーザ機器が送信したデータが第２のユーザ機器のデータであるか第１のユーザ機器のデータであるかをネットワークデバイスが区別することができるためには、対応する識別子をデータを保持するデータパケットに追加するとしてよい。言うまでもなく、データの機密性のために、第１のユーザ機器が自身でネットワークデバイスとの間でデータ送信を実行するとしてもよい。
【０２８８】
第１のユーザ機器とネットワークデバイスとの間のデータ送信プロセスは通常、チャネルステータス測定、無線リソース管理測定等が共に行われる。エネルギーを節約するべく、第１のユーザ機器は、第２のユーザ機器を利用して通信プロセスにおける測定を実行するとしてよい。方法は具体的には以下を含むとしてよい。第１のユーザ機器がネットワークデバイスに対する接続を確立して、第１のユーザ機器が、第２のユーザ機器を利用して、または、第２のユーザ機器の支援を受けて、第３のタスクを実行する。第３のタスクは、第１のユーザ機器とネットワークデバイスとの間の通信のために必要なタスクである。第３のタスクは、測定設定情報にしたがって測定を実行すること、ネットワークデバイスに測定結果を送信すること、または、ランダムアクセス方式でターゲットセルまたはターゲット基地局にハンドオーバーされること、のうち少なくとも１つを含む。第３のタスクを実行する前に、第２のユーザ機器は、ネットワークデバイスが送信した測定設定情報を受信する必要がある。測定設定情報を利用して第３のタスクを実行する。これに対応して、第２のユーザ機器が第３のタスクを実行すると決定する場合、ネットワークデバイスは、測定設定情報を第２のユーザ機器に送信する必要がある。本発明の実施形態については添付図面を参照しつつ以下で詳細に説明する。
【０２８９】
図７は、本発明の方法の実施形態に係るさらに別の概略通信図である。この方法は、図１に図示している通信システムに適用されるとしてよい。図７に示すように、当該方法は具体的に、以下のステップを含むとしてよい。
【０２９０】
７１０：第１のユーザ機器がネットワークデバイスに対する接続を確立する。
【０２９１】
第１のユーザ機器は、第２のユーザ機器を利用して、ネットワークデバイスに対する接続を確立するために必要なパラメータ情報を取得するとしてよい。例えば、パラメータ情報は、アップリンク送信電力情報もしくはアップリンク送信電力調整情報、アップリンクタイミング事前情報もしくはアップリンク事前調整情報、および／または、設定パラメータを含む。設定パラメータは、本明細書において、両側のデバイスが、送信プロセスにおいて設定パラメータにしたがってデータが設定されている場合に限り、データを識別できることを意味する。これに代えて、第１のユーザ機器は自身で情報を取得するとしてもよい。第１のユーザ機器は、情報を利用することで、ネットワークデバイスに対する接続を確立する。
【０２９２】
第１のユーザ機器がネットワークデバイスに対して接続を確立する場合、第１のユーザ機器は、ネットワークデバイスに指示情報を送信して、第１のユーザ機器が第２のユーザ機器を利用することで第３のタスクを実行する旨を示すとしてよい。第３のタスクは、測定設定情報にしたがって測定を実行すること、ネットワークデバイスに測定結果を送信すること、および、ランダムアクセス方式でターゲット基地局にハンドオーバーするプロセスを実行すること等を含むとしてよい。第３のタスクは、第１のユーザ機器とネットワークデバイスとの間のデータ送信のプロセスにおいて必要なタスクであってもよい。
【０２９３】
これに代えて、ネットワークデバイスは、第２のユーザ機器を利用して第３のタスクを実行する必要があると決定して、第３のタスクの実行の停止または省略を第１のユーザ機器に命令するとしてよい。言い換えると、第１のユーザ機器は、第３のタスク以外の通信タスクを実行する。
【０２９４】
これに代えて、第２のユーザ機器は、第３のタスクを実行する必要があると決定して、測定設定情報要求メッセージをネットワークデバイスに送信して、測定設定情報を要求するとしてよい。第２のユーザ機器は、測定設定情報要求メッセージをネットワークデバイスに送信する場合、第２のユーザ機器が第１のユーザ機器に代わって第３のタスクを実行する旨を特定するとしてよい。
【０２９５】
第３のタスクの実行を停止または省略するということは、ルールが定義され得る、すなわち、第１のユーザ機器はネットワークデバイスと通信する場合に第３のタスクを実行する必要がないことを意味し得ると、留意されたい。言い換えると、第１のユーザ機器は、第３のタスクの責任を負わない。しかし、ネットワークデバイスは第３のタスクで取得したデータが必要であるので、ネットワークデバイスまたは第２のユーザ機器は第３のタスクを自身で実行すると決定する。これに代えて、通信プロトコルにしたがって、第１のユーザ機器が第３のタスクを実行する必要がある。しかし、エネルギーを節約するためには、第１のユーザ機器は第３のタスクを自身で実行せず、第２のユーザ機器を利用して第３のタスクを実行する。この場合、第１のユーザ機器、第２のユーザ機器およびネットワークデバイスは全て、第２のユーザ機器が第３のタスクを実行すると決定してよい。これに代えて、プロトコルにしたがって、第１のユーザ機器が第３のタスクを実行する必要があり、第３のタスクを実行している。第１のユーザ機器は、特定の条件で、例えば、第２のユーザ機器もしくはネットワークデバイスからの命令がある場合、または、第１のユーザ機器にあるアプリケーションプログラムのコマンドがある場合、第３のタスクの実行を停止する。第３のタスクの実行の停止または省略という説明は、容易に理解していただくことのみを意図して記載されており、限定を構成するものではないと留意されたい。
【０２９６】
７２０：ネットワークデバイスは設定情報を第２のユーザ機器に送信し、ネットワークデバイスはアクセスネットワークデバイスまたはコアネットワークデバイスであってよい。
【０２９７】
測定設定情報は、無線リソース管理（ＲＲＭ）測定設定情報および／またはチャネル状態指示情報（ＣＳＩ）測定設定情報であってよい。
【０２９８】
測定設定情報は、第１の測定設定情報および／または第２の測定設定情報をさらに含むとしてよく、第１の測定設定情報は、第１のユーザ機器のためにネットワークデバイスによって設定され、第２の測定設定情報は第２のユーザ機器のためにネットワークデバイスによって設定される。
【０２９９】
７３０：第２のユーザ機器は、測定設定情報にしたがって第３のタスクを実行する。
【０３００】
第２のユーザ機器は、ネットワークデバイスが送信した測定設定情報を受信して、測定設定情報にしたがって測定を実行して、測定結果をネットワークデバイスに送信する。ネットワークデバイスは測定結果を受信する。
【０３０１】
第２のユーザ機器は、以下の方式で測定結果を取得するとしてよい。
【０３０２】
方式１：ネットワークデバイスが送信して第２のユーザ機器が受信した設定情報が、第１の測定設定情報および第２の測定設定情報に分類される場合、第２のユーザ機器は、２つの設定情報にしたがって別箇に測定を実行して総合測定結果を取得するとしてよい。
【０３０３】
例えば、第１のＵＥ用に設定されている測定設定は１０ｍｓの間隔で２ｍｓにわたって測定を実行し、第２のＵＥ用に設定されている測定設定は、１０ｍｓの間隔で３ｍｓにわたって測定を実行する場合、第２のＵＥの測定動作は、第１のＵＥ用に設定された測定間隔にしたがって２ｍｓにわたって測定を実行すること、その後でさらに１ｍｓにわたって測定を実行することを含む。これは、合計で３ｍｓにわたって測定が実行されているので、第２のＵＥ用の測定設定にしたがって測定を完了することに等しい。この場合、測定結果の算出において、２ｍｓにわたる測定によって取得した１つの値を、第１のＵＥが実行した測定の測定結果として利用するべきであり、例えば、２ｍｓの測定によって取得した複数の値に対してフィルタリングを実行する。第２のＵＥのための測定結果を算出する場合、３ｍｓにわたる測定によって取得した値は全て利用する必要があり、例えば、３ｍｓの間に取得した複数の値の平均値を最終結果として利用する。
【０３０４】
具体的には、ＣＳＩ測定を実行する場合、１回の２ｍｓの測定または３ｍｓの測定が完了した後で、１つの値を取得するとしてよい。しかし、ＲＲＭ測定については、２ｍｓにわたる測定または３ｍｓにわたる測定を何度も実行した後で取得する値を複数測定する必要があり、その後、これらの値の平均をとってＲＲＭ測定結果を取得する。
【０３０５】
方式２：２つの設定情報が同じである場合、ネットワークデバイスは、第１の測定設定情報を第２のユーザ機器に利用可能であるか否か、または、第２の測定設定情報を第１のユーザ機器に利用可能であるか否かを指示するとしてよく、第２のユーザ機器はこの指示にしたがって測定を実行して測定結果を取得する。
【０３０６】
方式３：第２のユーザ機器は、第１の測定設定情報にしたがって測定を直接実行して測定結果を取得するとしてよい。
【０３０７】
７２０の部分および７３０の部分は主に、第２のユーザ機器によって第３のタスクを実行するプロセスを説明している。
【０３０８】
ネットワークデバイスは、ＲＲＭ測定結果を受信した後、第１のユーザ機器をセルにハンドオーバーする必要があると決定する。この場合、ネットワークデバイスは、第１のユーザ機器をハンドオーバーする必要があるターゲットセルに関する情報および／または第１のユーザ機器をハンドオーバーする必要があるターゲット基地局に関する情報を第２のユーザ機器に送信する。第２のユーザ機器は、この情報を受信した後、ターゲットセルにハンドオーバーされる。
【０３０９】
複数の異なる形態のセルハンドオーバーに基づき、ネットワークデバイスは、ハンドオーバー中のターゲットアクセスネットワークデバイスおよびソースアクセスネットワークデバイスを含むとしてよい。ターゲットアクセスネットワークデバイスおよびソースネットワークデバイスは別々に、以下で詳細を説明する。
【０３１０】
１．ハンドオーバーがアクセスネットワークデバイス内ハンドオーバーである場合、すなわち、セルハンドオーバーのみが実行される場合、アクセスネットワークデバイスは、ターゲットセルに関する情報およびハンドオーバーに必要な他の情報を第２のユーザ機器に送信する。第２のユーザ機器は、この情報にしたがって、ターゲットセルにハンドオーバーされる。
【０３１１】
２．ハンドオーバーがアクセスネットワークデバイス間ハンドオーバーである場合、すなわち、セルハンドオーバーおよび基地局ハンドオーバーの両方を実行する必要がある場合、ソースアクセスネットワークデバイスは、ターゲットアクセスネットワークデバイスに関する情報、ターゲットセルに関する情報、および、ハンドオーバーに必要なその他の情報を、第２のユーザ機器に送信する。第２のユーザ機器は、これらの情報にしたがってハンドオーバーされる。これに加えて、第１のユーザ機器は第２のユーザ機器を利用することで第３のタスクを実行するとターゲット基地局が知るためには、ハンドオーバープロセス中、または、ハンドオーバーが完了した後で、ソースアクセスネットワークデバイスがこの旨をターゲット基地局に通知するか、または、第２のユーザ機器がこの旨をターゲット基地局に通知するとしてよい。
【０３１２】
セルハンドオーバープロセスは関連する通信プロトコルにおいてより詳細に説明されており、セルハンドオーバープロセスについて理解するには、通信プロトコルを参照されたい。この点について留意されたい。本明細書では詳細な説明は省略する。
【０３１３】
第３のタスクを実行する際の第２のユーザ機器の信頼性を高めるべく、第２のユーザ機器の測定結果が正確であるか否かは定期的に検証されるとしてよい。具体的なプロセスは以下の通りである。
【０３１４】
７４０：第２のユーザ機器は設定情報を第１のユーザ機器に送信する。
【０３１５】
設定情報は、以下の目的を実現するべく、第１のユーザ機器に送信される。第１のユーザ機器が自身で第３のタスクを実行できること、または、第１のユーザ機器が以下で説明する検証のための測定を実行できること等である。
【０３１６】
７５０：設定情報にしたがって検証を実行する。
【０３１７】
検証方式としては以下のものが挙げられる。
【０３１８】
方式１：第２のユーザ機器は測定結果を、イベントトリガ方式で、または、特定の期間の間隔毎に、第１のユーザ機器に送信するとしてよい。第１のユーザ機器は、第２のユーザ機器が送信する測定結果を受信した後で、測定結果を、第１のユーザ機器が第２のユーザ機器と同じ期間にわたって自身で測定を実行することで取得した測定結果と比較して、これら２つの測定結果の差異が特定のしきい値を超えている場合には、第１のユーザ機器は第２のユーザ機器による第３のタスクの実行を中止する。
【０３１９】
方式２：第１のユーザ機器は、イベントトリガ方式で、または、特定の期間の間隔毎に、測定結果を第２のユーザ機器に送信するとしてよい。第２のユーザ機器は、第１のユーザ機器が送信した測定結果を受信した後で、測定結果を、第２のユーザ機器が第１のユーザ機器と同じ期間にわたって測定を実行することで取得した測定結果と比較して、これら２つの測定結果の差異が特定のしきい値を超えている場合には、第２のユーザ機器は第３のタスクの実行を中止して、この旨を第１のユーザ機器に通知するか、または、自律的に測定を実行するよう第１のユーザ機器に命令する。
【０３２０】
イベントトリガは、チャネル状態、２つのユーザ機器の間の距離または位置が条件を満たさないと第２のユーザ機器または第１のユーザ機器が検出すること、または、システムソフトウェアからトリガ命令を受信すること等を意味する。
【０３２１】
説明をより明確にするべく、ＲＲＭ測定およびＣＳＩ測定は、添付図面を参照しつつ、以下で別々に詳細な説明を行う。
【０３２２】
図８は、本発明の方法の実施形態に係るさらに別の概略通信図である。この方法は、図１に図示している通信システムに適用されるとしてよい。図８に示すように、当該方法は具体的に、以下のステップを含むとしてよい。
【０３２３】
８０１：ＷＤは、データ送信を実行するべくネットワークとの接続を確立するようネットワークがＷＤをトリガする場合、または、データ送信を実行するべくネットワークとの接続を確立する必要性をＷＤが能動的にトリガする場合、指示情報をＵＥに送信するとしてよい。指示情報の機能は、ネットワークにアクセスするために必要なパラメータ情報を、ＷＤのために、取得するようＵＥに要求することを含み、パラメータ情報は以下の情報のうち少なくとも１つを含む。
１．アップリンクタイミング事前（ＴＡ：タイミング事前）情報またはアップリンク事前調整情報
２．アップリンク送信電力情報またはアップリンク送信電力調整情報
３．設定情報、ここで設定情報は、物理層設定パラメータ、ＭＡＣ層設定パラメータ、ＲＬＣ層設定パラメータ、ＰＤＣＰ層設定パラメータ、または、ＲＲＣ設定パラメータのうち少なくとも１つを含むとしてよい。
【０３２４】
８０２：ＷＤはネットワークに対する接続を確立する必要があるとＵＥが知った後、または、ＷＤが送信した指示情報をＵＥが受信した後、ＵＥが現在、ｅＮＢに対する接続モードである場合、ＵＥは、現在利用されているＴＡ値およびアップリンク送信電力情報またはアップリンク送信電力調整情報（例えば、アップリンクＰＵＳＣＨチャネルのアップリンク送信電力情報またはアップリンク送信電力調整情報）を、ＷＤに送信するか、または、ＵＥが現在アイドルモードである場合、ＵＥは最初に、ランダムアクセスプロセスを利用してｅＮＢに対する接続を確立して、その後でＷＤに、取得したＴＡ値およびアップリンク送信電力情報またはアップリンク送信電力調整情報（例えば、アップリンクＰＵＳＣＨチャネルのアップリンク送信電力情報またはアップリンク送信電力調整情報）を送信する。
【０３２５】
８０３：アップリンクタイミング事前情報またはアップリンク事前調整情報および送信電力に加えて、ＵＥはさらに、最初にｅＮＢからＷＤが必要とする設定情報を取得して、その後で設定情報をＷＤに送信するとしてよい。
【０３２６】
８０４：ＵＥは、ＷＤが必要とする、アップリンクタイミング事前情報またはアップリンク事前調整情報、アップリンク送信電力情報またはアップリンク送信電力調整情報、および、設定情報を、ＷＤに送信する。
【０３２７】
８０５：ＷＤは、取得した、アップリンクタイミング事前情報またはアップリンク事前調整情報、アップリンク送信電力情報またはアップリンク送信電力調整情報、および、設定情報を利用して、ｅＮＢに対する接続を確立して、データ送信を実行する。
【０３２８】
具体的には、ＷＤは、設定情報を利用して複数の層に対する設定を実行した後で、取得したＴＡ値およびアップリンク送信電力情報またはアップリンク送信電力調整情報、および、設定パラメータ情報を利用して、アップリンクデータをｅＮＢに送信し始め、ｅＮＢが送信したダウンリンクデータを受信する。
【０３２９】
８０６：データ送信プロセスにおいて、ＷＤは、サービングセルのスケジューリング情報のみをリスニングし、ｅＮＢが送信したダウンリンクデータを受信した場合、ダウンリンクデータについてのＨＡＲＱをフィードバックする。
【０３３０】
８０７：ＷＤとｅＮＢとの間で実行されるデータ送信プロセスにおいて、ＵＥは、ＷＤに代わって、ＣＳＩ測定およびフィードバックを実行する。具体的には、ｅＮＢは、ＵＥのために、ＷＤに代わってＵＥによるＣＳＩ測定を実行するための測定設定情報を設定するとしてよい。または、ｅＮＢは、ＵＥのためにステップ８０３において、ＷＤに代わってＵＥによるＣＳＩ測定を実行するための設定情報を設定するとしてよい。
【０３３１】
８０８：ＵＥは、ＣＳＩ測定結果にしたがって、ＣＳＩ測定結果をフィードバックする。
【０３３２】
これに加えて、プロキシ測定が正確であるように保証するべく、ＵＥおよびＷＤは、プロキシ測定プロセスにおいて不定期に測定キャリブレーションプロセスを実行するとしてよい。
【０３３３】
具体的には、特定の期間の間隔毎に、ＵＥがＣＳＩ測定結果をＷＤに送信するとしてよい。これに加えて、ＷＤも、特定の期間の間隔毎に、ＣＳＩ測定を実行し、その後でＵＥが送信したＣＳＩ測定結果と、測定によってＷＤが取得したＣＳＩ測定結果とを比較するとしてよい。これらの測定結果の差異が特定のしきい値を超える場合、プロキシ測定プロセスの中止がトリガされる。ＷＤがプロキシ測定プロセスを中止する必要がある場合、ＷＤは、プロキシ測定中止指示情報をＵＥに送信するとしてよい。
【０３３４】
これに代えて、ＷＤは、特定の期間の間隔毎にＣＳＩ測定を実行して、ＣＳＩ測定結果をＵＥに送信するとしてよい。この後、ＵＥは、同じ期間における測定結果にしたがって、ＷＤおよびＵＥの測定結果の差異が特定のしきい値を超えているとＵＥが決定する場合、プロキシ測定プロセスの中止をトリガする。プロキシ測定プロセスを中止する必要がある場合、ＵＥはプロキシ測定中止指示情報をＷＤに送信してＣＳＩ測定を自身で実行するようＷＤに命令する。
【０３３５】
図９は、本発明の方法の実施形態に係るさらに別の概略通信図である。この方法は、図１に図示している通信システムに適用されるとしてよい。図９に示すように、当該方法は具体的には、以下のステップを含むとしてよい。
【０３３６】
９０１：ＷＤがｅＮＢとの間のデータ送信を確立した後、サービスの継続性を保証すると共に、移動プロセスにおいて適切なターゲットセルに対して適切なタイミングで動作のためにＷＤがハンドオーバー可能であることを保証するべく、ＷＤまたはｅＮＢは、ＷＤのためにプロキシＲＲＭ測定を実行するようＵＥに要求してＷＤの消費電力を少なくするとしてよい。
【０３３７】
具体的には、ＷＤは、ＷＤのためにプロキシＲＲＭ測定を実行するようＵＥに要求するべく、要求メッセージをＵＥに送信するとしてもよいし、または、ＵＥは、ＷＤがデータ送信の実行を必要としているとは決定する場合に、能動的にプロキシＲＲＭ測定を実行するとしてもよいし、または、ｅＮＢが、ＷＤに代わってプロキシＲＲＭ測定を実行するようＵＥに命令するとしてもよい。
【０３３８】
９０２：ｅＮＢは、ＵＥのために、プロキシ測定を実行するための測定設定情報を設定する。
【０３３９】
９０３：ＵＥは、プロキシ測定のための設定情報にしたがって周波数内または周波数間ＲＲＭ測定を実行して、測定結果をｅＮＢに報告する。
【０３４０】
９０４： これに加えて、プロキシ測定が正確であるように保証するべく、ＵＥおよびＷＤは、プロキシ測定プロセスにおいて不定期に測定キャリブレーションプロセスを実行するとしてよい。
【０３４１】
具体的には、特定の期間の間隔毎に、ＵＥがＲＲＭ測定結果をＷＤに送信するとしてよい。これに加えて、ＷＤも、特定の期間の間隔毎に、ＲＲＭ測定を実行し、その後でＵＥが送信したＲＲＭ測定結果と、測定によってＷＤが取得したＲＲＭ測定結果とを比較するとしてよい。これらの測定結果の差異が特定のしきい値を超える場合、プロキシ測定プロセスの中止がトリガされる。ＷＤがプロキシ測定プロセスを中止する必要がある場合、ＷＤは、プロキシ測定中止指示情報をＵＥに送信するとしてよい。
【０３４２】
これに代えて、ＷＤは、特定の期間の間隔毎にＲＲＭ測定を実行して、ＲＲＭ測定結果をＵＥに送信するとしてよい。この後、ＵＥは、同じ期間における測定結果にしたがって、ＷＤおよびＵＥの測定結果の差異が特定のしきい値を超えているとＵＥが決定する場合、プロキシ測定プロセスの中止をトリガする。プロキシ測定プロセスを中止する必要がある場合、ＵＥはプロキシ測定中止指示情報をＷＤに送信してＲＲＭ測定を自身で実行するようＷＤに命令する。
【０３４３】
９０５：ＵＥは、プロキシ測定を実行して測定結果を報告し、ｅＮＢは、測定結果に基づいて、ハンドオーバーを実行する必要があると決定する場合にハンドオーバーコマンドメッセージをＵＥに送信し、ハンドオーバーコマンドメッセージは、ＵＥをハンドオーバーする必要があるターゲットセルに関する情報を含む。
【０３４４】
９０６：ＵＥは、ｅＮＢが送信したハンドオーバーコマンドメッセージを受信した後、ターゲットセルにハンドオーバーされる。具体的には、ＵＥは、ターゲットセルのアップリンクタイミング事前情報またはアップリンク事前調整情報、および、ターゲットセルのアップリンク送信電力情報またはアップリンク送信電力調整情報を取得するべく、ターゲットセルにおいてランダムアクセスプロセスを実行する必要がある。ＵＥは、ターゲットセルへのアクセスに成功した後、ハンドオーバー完了メッセージをターゲットセルに送信する。
【０３４５】
これに加えて、ＵＥをターゲットセルにハンドオーバーするプロセスにおいて、ＷＤはソースセルとの通信を継続するとしてよい。
【０３４６】
９０７：ＵＥのハンドオーバーが成功した後、ＵＥは、ＵＥをハンドオーバーする必要があるターゲットセルに関する情報、ターゲットセルで利用されるＴＡ値およびターゲットセルで利用されるアップリンク送信電力情報またはアップリンク送信電力調整情報を、ＷＤに通知する。これに加えて、ＵＥはさらに、複数の層におけるＷＤのために構成されているパラメータ情報をＷＤに通知するとしてよい。このため、ハンドオーバープロセスにおいて、ターゲットｅＮＢは、ＵＥとＷＤとの間のグループに関する情報を知る必要がある。ターゲットｅＮＢがＵＥとＷＤとの間のグループに関する情報を知ってＷＤのために適切なパラメータを設定することができるようにするためには、以下の２つの方式を利用して、ＵＥとＷＤとの間のグループに関する情報をターゲットｅＮＢに通知するとしてよい。
【０３４７】
方式１：ハンドオーバー準備フェーズにおいて、ソースｅＮＢがＵＥとＷＤとの間のグループに関する情報をターゲットｅＮＢに送信することにより、実際にはＷＤに代えてＵＥがハンドオーバーされる旨をターゲットｅＮＢが知ることとなる。
【０３４８】
方式２：ターゲットｅＮＢにアクセスするプロセスにおいて、または、ターゲットｅＮＢへのハンドオーバーが成功した後で、ＵＥは、メッセージを利用して、ＵＥとＷＤとの間のグループに関する情報をターゲットｅＮＢに通知する。これにより、ターゲットｅＮＢは、実際にはＷＤに代えてＵＥがハンドオーバーされたことを知ることとなる。
【０３４９】
ターゲットｅＮＢがＷＤとＵＥとの間のグループ関係を知った後、ターゲットｅＮＢは、ハンドオーバーコマンドにおいてＷＤのために、ＷＤがターゲットｅＮＢに対する接続を確立する場合に必要になる設定パラメータを設定するとしてよいし、または、ＵＥのハンドオーバーが成功した後で、ターゲットｅＮＢは、専用シグナリングを利用してＷＤのために、ＷＤがターゲットｅＮＢに対する接続を確立する場合に必要になる設定パラメータを設定する。
【０３５０】
９０８：さらに、これに代えて、ＵＥがターゲットｅＮＢへのアクセスに成功したとソースｅＮＢが知った後、ソースｅＮＢは、データ送信を実行するべくターゲットｅＮＢにアクセスするようＷＤに命令することを目的として、高速ハンドオーバーコマンドをＷＤに直接送信するとしてよい。具体的には、ソースｅＮＢは、物理層シグナリングまたはＭＡＣシグナリングを利用して、ハンドオーバーするようＷＤに命令するとしてよい。
【０３５１】
９０９：ターゲットセルまたはターゲットｅＮＢへのハンドオーバーを指示するハンドオーバー指示であって、ＵＥまたはソースｅＮＢが送信するハンドオーバー指示を受信した後で、ＷＤは、ＵＥが提供するＴＡ値およびアップリンク送信電力情報またはアップリンク送信電力調整情報を利用してターゲットセルにおいて通信を実行する。
【０３５２】
本発明の実施形態の具体的な実現プロセスにおいて、第１のユーザ機器が第２のユーザ機器を利用してタスクを実行する場合、情報のセキュリティのためにセキュリティメカニズムを構成するとしてよい。第１のユーザ機器は、ネットワークデバイスに対する接続を確立する。第１のユーザ機器は、ネットワークデバイスが送信したセキュリティモードアクティブ化コマンドを直接受信する。 第１のユーザ機器は、セキュリティコンテキスト情報にしたがって、コントロールプレーンにおけるデータ送信のための暗号鍵およびインテグリティ保護鍵および／またはユーザプレーンにおけるデータ送信のための暗号鍵を生成し、ネットワークデバイスとの間でデータ送信を実行する場合、第１のユーザ機器は、コントロールプレーンにおけるデータ送信のために生成された暗号鍵およびインテグリティ保護鍵および／またはユーザプレーンにおけるデータ送信のために生成された暗号鍵を利用する。第１のユーザ機器は、第２のユーザ機器が送信する鍵更新メッセージを受信して、鍵更新メッセージはネットワークデバイスが暗号鍵およびインテグリティ保護鍵を利用して鍵更新メッセージに対して暗号化およびインテグリティ保護を実行した後で、ネットワークデバイスから第２のユーザ機器に送信される。第１のユーザ機器は、鍵更新メッセージにしたがって、コントロールプレーンにおけるデータ送信のための暗号鍵およびインテグリティ保護鍵またはユーザプレーンにおけるデータ送信のための暗号鍵のうち任意の１または複数を更新する。本発明の本実施形態を利用することで、第１のユーザ機器とネットワークデバイスとの間のセキュリティ鍵、および、第２のユーザ機器とネットワークデバイスとの間のセキュリティ鍵は、互いに独立したものであるとしてよく、互いに不可視である。これによって、第１のユーザ機器とネットワークデバイスとの間の直接データ送信の機密性が保証される。これに加えて、鍵更新プロセスは第２のユーザ機器を利用して更新されるとしてよい。これによって、第１のユーザ機器の消費エネルギーが少なくなり、スタンバイ時間が長くなる。本発明の本実施形態で提供されるセキュリティメカニズムについては、添付図面を参照しつつ以下で詳細に説明する。
【０３５３】
図１０は、本発明の方法の実施形態に係るさらに別の概略通信図である。この方法は、図１に図示している通信システムに適用されるとしてよい。図１０に示すように、本発明の本実施形態の主旨は、第１のユーザ機器がネットワークデバイスと通信する場合に、初期鍵は第１のユーザ機器とネットワークデバイスとの間でのみ送信される点である。すなわち、第１のユーザ機器およびネットワークデバイスのみが初期鍵を知っている。鍵を更新する必要がある場合、ネットワークデバイスは、第２のユーザ機器を利用して第１のユーザ機器に通知するとしてよい。この方法は具体的には以下のステップを含むとしてよい。
【０３５４】
最初に、ステップ１００１から１００４は、図８のステップ８０１から８０４と同じである。この方法はさらに以下のステップを含むとしてよい。
【０３５５】
１００５：ｅＮＢは、セキュリティモードアクティブ化コマンドをＷＤに送信して、ＷＤとｅＮＢとの間のセキュリティ鍵をアクティブ化する。具体的には、ＷＤがセキュリティモードアクティブ化コマンドを受信した後、ＷＤは最初に、格納されているセキュリティコンテキスト情報に基づいてＫＡＳＭＥを生成した後、ｅＮＢおよびＵＥは、生成されたＫＡＳＭＥに基づいてセキュリティ鍵ＫｅＮＢを生成するとしてよい。ＫｅＮＢが生成された後、ＷＤは、ｅＮＢのためのセキュリティアルゴリズムにしたがってＫｅＮＢから、コントロールプレーンにおけるデータ送信のための暗号鍵およびインテグリティ保護鍵およびユーザプレーンにおけるデータ送信のための暗号鍵を導出するとしてよい。
【０３５６】
例えば、ＷＤは、セキュリティコンテキスト情報にしたがって第１の鍵を生成する。ＷＤは、第１の鍵、ＮＡＳ  ＣＯＵＮＴ情報（非アクセス層カウント情報）、ネットワークデバイスの識別子、または、ＵＥの識別子のうち１または複数にしたがって、第２の鍵を生成する。ＷＤは、コントロールプレーン上のデータ送信のための暗号鍵およびインテグリティ保護鍵ならびに／またはユーザプレーン上でのデータ送信のための暗号鍵を、ネットワークデバイスのためのセキュリティアルゴリズムにしたがって第２の鍵から算出し、第１のユーザ機器がネットワークデバイスとの間でデータ送信を実行する場合、暗号鍵を利用してコントロールプレーン上でデータを暗号化もしくは復号化し、インテグリティ保護鍵を利用してコントロールプレーン上でデータに対してインテグリティ保護を実行するかもしくはインテグリティ保護鍵を利用してコントロールプレーン上でデータのインテグリティを検証し、ならびに／または、暗号鍵を利用してユーザプレーン上でデータを復号化もしくは暗号化する。
【０３５７】
１００６：さらに、ＷＤとｅＮＢとの間のデータ送信プロセスにおいて、条件が満たされれば、ｅＮＢは鍵更新プロセスの実行をトリガする必要がある。ＷＤの鍵更新プロセスは以下のように設計される。
【０３５８】
ＷＤとｅＮＢとの間の鍵を更新する必要がある場合、ｅＮＢは専用メッセージをＵＥに送信する。専用メッセージは、ＷＤによるセキュリティ鍵更新の実行のための関連情報を含み、暗号化および／またはインテグリティ保護は、ＷＤとｅＮＢとの間の現在の鍵を利用して専用メッセージに対して実行される。これに代えて、ｅＮＢはＨＯコマンドメッセージをＵＥに送信するとしてもよい。ＨＯコマンドメッセージもまた、ＷＤによる鍵更新の実行のための関連情報を含み、暗号化および／またはインテグリティ保護は、ＷＤとｅＮＢとの間の現在の鍵を利用して鍵更新のための関連情報に対して実行される。
【０３５９】
１００７：ＵＥは、ｅＮＢがＵＥに送信する鍵更新メッセージをＷＤに転送する。
【０３６０】
１００８：ＷＤは、鍵更新メッセージに保持されている情報にしたがって、新しい暗号鍵および／または新しいインテグリティ保護鍵を生成し、ＷＤは、更新を完了した後、鍵更新完了メッセージをＵＥに送信する。
【０３６１】
１００９：ＵＥは、鍵更新完了メッセージをｅＮＢに送信して、ＷＤが鍵更新を完了した旨をｅＮＢに通知する。
【０３６２】
上記では、本発明の実施形態で提供される解決手段について主にネットワーク素子間のやり取りの観点から説明している。前述した機能を実現するためには、各ネットワーク素子、例えば、第１のユーザ機器、第２のユーザ機器、アクセスネットワークデバイスまたはコアネットワークデバイスが、さまざまな機能を実行するために利用される対応するハードウェア構造および／またはソフトウェアモジュールを含むと理解されたい。本明細書で開示した実施形態を参照しつつ説明した例のそれぞれにおけるユニットおよびアルゴリズムのステップは、本発明において、ハードウェアの形態で、または、ハードウェアおよびコンピュータソフトウェアの組み合わせの形態で実現され得ることは、当業者であれば容易に認めるはずである。ハードウェアで機能を実現するか、または、コンピュータソフトウェアがハードウェアを駆動する方式で機能を実現するかは、具体的な用途および技術的解決手段の設計上の制約および要件に応じて決まる。当業者であれば、具体的な用途毎に、説明した機能を実装する際に利用する方法を変更し得るが、このような実装が本発明の範囲を超えるものとみなされるべきではない。
【０３６３】
図１１は、前述した実施形態におけるアクセスネットワークデバイスがとり得る構造を示す概略図である。
【０３６４】
アクセスネットワークデバイスは、送信機／受信機１１０１、コントローラ／プロセッサ１１０２、メモリ１１０３および通信部１１０４を備える。送信機／受信機１１０１は、前述した実施形態においてＵＥから／への情報の受信／送信の際にアクセスネットワークデバイスをサポートするよう構成されており、他のＵＥとの間で無線通信を実行する際にＵＥをサポートするよう構成されている。コントローラ／プロセッサ１１０２は、ＵＥと通信するためのさまざまな機能を実行する。アップリンクにおいて、ＵＥからのアップリンク信号は、アンテナによって受信され、受信機１１０１によって復調され、さらにコントローラ／プロセッサ１１０２によって処理されることにより、ＵＥが送信するサービスデータおよびシグナリング情報が復元される。ダウンリンクにおいて、サービスデータおよびシグナリングメッセージは、コントローラ／プロセッサ１１０２によって処理され、送信機１１０１によって復調されてダウンリンク信号を生成し、ダウンリンク信号はアンテナによってＵＥに送信される。コントローラ／プロセッサ１１０２はさらに、アクセスネットワークデバイスに関する図３から図１０における処理プロセスを実行し、および／または、本願で説明する技術の別のプロセスを実行するよう構成されている。メモリ１１０３は、アクセスネットワークデバイスのプログラムコードおよびデータを格納するよう構成されている。 通信部１１０４は、別のネットワークエンティティと通信する際にアクセスネットワークデバイスをサポートするよう構成されている。例えば、通信部１１０４は、図２に示す別の通信ネットワークエンティティ、例えば、コアネットワークＥＰＣにおけるＭＭＥ，ＳＧＷおよび／またはＰＧＷと通信する際にアクセスネットワークデバイスをサポートするよう構成されている。
【０３６５】
図１１はアクセスネットワークデバイスの設計を簡略化して図示しているに過ぎないと理解されたい。実際に適用する場合には、アクセスネットワークデバイスは、任意の数の送信機、受信機、プロセッサ、コントローラ、メモリ、通信部等を含むとしてよく、本発明を実現可能なアクセスネットワークデバイスは全て、本発明の保護範囲に含まれる。
【０３６６】
図１２は、前述した実施形態における第２のユーザ機器がとり得る設計構造を示す簡略概略図である。第２のユーザ機器は、送信機１２０１、受信機１２０２、コントローラ／プロセッサ１２０３、メモリ１２０４、モデムプロセッサ１２０５、ＷｉＦｉ（登録商標）および／またはＢｌｕｅｔｏｏｔｈ（登録商標）モジュール１２１０、電源１２１１等を備える。
【０３６７】
送信機１２０１は、（例えば、アナログ変換、フィルタリング、増幅およびアップコンバートによって）出力サンプルを調整して、アップリンク信号を生成する。アップリンク信号は、前述した実施形態においてアンテナによってアクセスネットワークデバイスに送信される。ダウンリンクにおいて、アンテナは、前述した実施形態においてアクセスネットワークデバイスが送信したダウンリンク信号を受信する。受信機１２０２は、アンテナから受信した信号を（例えば、フィルタリング、増幅、ダウンコンバートおよびデジタル化によって）調整して、入力サンプルを提供する。モデムプロセッサ１２０５において、エンコーダ１２０６は、アップリンクで送信される予定のシグナリングメッセージおよびサービスデータを受信して、サービスデータおよびシグナリングメッセージを（例えば、フォーマッティング、コーディングおよびインターリーブによって）処理する。変調器１２０７はさらに、エンコードされるシグナリングメッセージおよびサービスデータを（例えば、シンボルマッピングおよび変調によって）処理して、出力サンプルを提供する。復調器１２０９は、入力サンプルを（例えば、復調によって）処理して、シンボル推定を提供する。デコーダ１２０８は、シンボル推定を（例えば、デインターリーブおよびデコーディングによって）処理して、第２のユーザ機器に送信される、デコード済みデータおよびデコード済みシグナリングメッセージを提供する。エンコーダ１２０６、変調器１２０７、復調器１２０９およびデコーダ１２０８は、複合モデムプロセッサ１２０５によって実現されるとしてよい。これらのユニットは、無線アクセスネットワークが利用する無線アクセス技術（ＬＴＥまたは他の最新型システムにおけるアクセス技術等）にしたがって処理を実行する。
【０３６８】
ＷｉＦｉ（登録商標）および／またはＢｌｕｅｔｏｏｔｈ（登録商標）モジュール１２１０は、ＷｉＦｉ（登録商標）および／またはＢｌｕｅｔｏｏｔｈ（登録商標）信号受信機および送信機を有するとしてよく、受信機および送信機を利用して、ＷｉＦｉ（登録商標）および／またはＢｌｕｅｔｏｏｔｈ（登録商標）機能を持つ第１のユーザ機器等の別のデバイスとの間でデータ通信を実行するとしてよい。
【０３６９】
電源１２１１（電池等）は、各部への電力の供給を担当する。好ましくは、電源は、電源管理システムを利用して論理的にコントローラ／プロセッサ１２０３に接続されているとしてよく、これによって、電源管理システムを利用することで、充電、放電および消費電力の管理等の機能を実現する。
【０３７０】
コントローラ／プロセッサ１２０３は、第２のユーザ機器の動作を制御および管理し、前述した実施形態において第２のユーザ機器が実行する処理を実行するよう構成されている。例えば、コントローラ／プロセッサ１２０３は、第１のタスクおよび／または本発明で説明する技術の別のプロセスを実行するようユーザ機器を制御するように構成されている。例えば、コントローラ／プロセッサ１２０３はさらに、第２のユーザ機器に関する、図３から図１０に図示している処理プロセスを実行するように構成されており、および／または、本願で説明している技術の別のプロセスを実行するように構成されている。メモリ１２０４は、第２のユーザ機器のために利用されるプログラムコードおよびデータを格納するよう構成されている。
【０３７１】
図１３は、前述した実施形態における第１のユーザ機器がとり得る設計構造を示す簡略概略図である。第１のユーザ機器は、送信機１３０１、受信機１３０２、コントローラ／プロセッサ１３０３、メモリ１３０４、モデムプロセッサ１３０５、ＷｉＦｉ（登録商標）および／またはＢｌｕｅｔｏｏｔｈ（登録商標）モジュール１３１０、電源１３１１等を備えるとしてよい。
【０３７２】
送信機１３０１は、（例えば、アナログ変換、フィルタリング、増幅およびアップコンバートによって）出力サンプルを調整して、アップリンク信号を生成する。アップリンク信号は、前述した実施形態においてアンテナによって基地局に送信される。ダウンリンクにおいて、アンテナは、前述した実施形態において基地局が送信したダウンリンク信号を受信する。受信機１３０２は、アンテナから受信した信号を（例えば、フィルタリング、増幅、ダウンコンバートおよびデジタル化によって）調整して、入力サンプルを提供する。モデムプロセッサ１３０５において、エンコーダ１３０６は、アップリンクで送信される予定のシグナリングメッセージおよびサービスデータを受信して、サービスデータおよびシグナリングメッセージを（例えば、フォーマッティング、コーディングおよびインターリーブによって）処理する。変調器１３０７はさらに、エンコードされるシグナリングメッセージおよびサービスデータを（例えば、シンボルマッピングおよび変調によって）処理して、出力サンプルを提供する。復調器１３０９は、入力サンプルを（例えば、復調によって）処理して、シンボル推定を提供する。デコーダ１３０８は、シンボル推定を（例えば、デインターリーブおよびデコーディングによって）処理して、第１のユーザ機器に送信される、デコード済みデータおよびデコード済みシグナリングメッセージを提供する。エンコーダ１３０６、変調器１３０７、復調器１３０９およびデコーダ１３０８は、複合モデムプロセッサ１３０５によって実現されるとしてよい。これらのユニットは、無線アクセスネットワークが利用する無線アクセス技術（ＬＴＥまたは他の最新型システムにおけるアクセス技術等）にしたがって処理を実行する。
【０３７３】
ＷｉＦｉ（登録商標）および／またはＢｌｕｅｔｏｏｔｈ（登録商標）モジュール１３１０は、ＷｉＦｉ（登録商標）および／またはＢｌｕｅｔｏｏｔｈ（登録商標）信号受信機および送信機を有するとしてよく、受信機および送信機を利用して、ＷｉＦｉ（登録商標）および／またはＢｌｕｅｔｏｏｔｈ（登録商標）機能を持つ第２のユーザ機器等の別のデバイスとの間でデータ通信を実行するとしてよい。
【０３７４】
本発明の本実施形態において、ネットワークデバイスと直接のやり取りするタスクが全て第２のユーザ機器によって実行される場合、第１のユーザ機器は、送信機１３０１、受信機１３０２、モデムプロセッサ１３０５およびモデムプロセッサ１３０５の内部構成要素を含まないとしてよい。
【０３７５】
電源１３１１（電池等）は、各部への電力の供給を担当する。好ましくは、電源は、電源管理システムを利用して論理的にコントローラ／プロセッサ１３０３に接続されているとしてよく、これによって、電源管理システムを利用することで、充電、放電および消費電力の管理等の機能を実現する。
【０３７６】
コントローラ／プロセッサ１３０３は、第１のユーザ機器の動作を制御および管理し、前述した実施形態において第１のユーザ機器が実行する処理を実行するよう構成されている。例えば、コントローラ／プロセッサ１３０３は、本発明で説明する技術の第２のタスクおよび／または別のプロセスを実行するようユーザ機器を制御するよう構成されている。例えば、コントローラ／プロセッサ１３０３はさらに、第１のユーザ機器に関する、図３から図１０に図示している処理プロセスを実行するように構成されており、および／または、本願で説明している技術の別のプロセスを実行するように構成されている。メモリ１３０４は、第１のユーザ機器のために利用されるプログラムコードおよびデータを格納するよう構成されている。
【０３７７】
図１４は、前述した実施形態におけるコアネットワークデバイスの設計を示すブロック図である。コアネットワークデバイスは、ＥＰＣネットワークであってよく、コアネットワークデバイスは、ＭＭＥ、ＳＧＷ、ＰＧＷまたはこれらの組み合わせであってよい。
【０３７８】
コアネットワークデバイスはコントローラ／プロセッサ１４０２を有する。コントローラ／プロセッサ１４０２は、コアネットワークデバイスの動作を制御および管理するよう構成されており、ＵＥの通信サービスをサポートするためのさまざまな機能を実行するよう構成されている。例えば、コントローラ／プロセッサ１４０２は、ネットワークデバイスおよびコアネットワークデバイスに関する、図３から図１０に図示している処理プロセスを実行する上で、および／または、本明細書で説明している技術の別のプロセスを実行する上で、コアネットワークデバイスをサポートするように構成されている。メモリ１４０１は、コアネットワークデバイスのために利用されるプログラムコードおよびデータを格納するよう構成されている。通信部１４０３は、別のネットワークエンティティとの通信、例えば、図１１におけるアクセスネットワークデバイスにおける通信部１１０４との通信、図１２における第２のユーザ機器との通信、および／または、図１３における第１のユーザ機器との通信をサポートするよう構成されている。別の例を挙げると、通信部１４０３は図２に示すネットワークエンティティとの通信をサポートする。
【０３７９】
本発明におけるアクセスネットワークデバイス、ユーザ機器またはコアネットワークデバイスの機能を実行するよう構成されているコントローラ／プロセッサは、中央演算処理装置（ＣＰＵ）、汎用プロセッサ、デジタルシグナルプロセッサ（ＤＳＰ）、特定用途向け集積回路（ＡＳＩＣ）、フィールドプログラマブルゲートアレイ（ＦＰＧＡ）または別のプログラマブルロジカルデバイス、トランジスタロジカルデバイス、ハードウェアコンポーネント、または、これらの任意の組み合わせであってよい。コントローラ／プロセッサは、本発明で開示した内容を参照しつつ説明したさまざまなロジカルブロック、モジュールおよび回路の例を実現または実行するとしてよい。これに代えて、プロセッサは、算出機能を実現する複数のプロセッサの組み合わせ、例えば、１または複数のマイクロプロセッサの組み合わせ、または、ＤＳＰおよびマイクロプロセッサの組み合わせであってよい。
【０３８０】
「第１」、「第２」、「第３」等の説明は単に、区別がより明確になることを意図しているに過ぎず、名詞に対する限定を構成するものではないと留意されたい。
【０３８１】
当業者はさらに、本明細書で開示した実施形態で説明した例と組み合わせて、ユニットおよびアルゴリズムのステップは電子ハードウェア、コンピュータソフトウェアまたはこれらの組み合わせによって実現され得るものと認めるとしてよい。ハードウェアとソフトウェアとの間の相互互換性を明確に説明するべく、上記では概して、機能に応じて各例の構成およびステップを説明している。機能をハードウェアまたはソフトウェアのどちらで実行するかは、具体的な用途および技術的解決手段の設計上の制約条件に応じて決まる。当業者であれば、具体的な用途毎に、説明した機能を実装する際に利用する方法を変更し得るが、このような実装が本発明の範囲を超えるものとみなされるべきではない。
【０３８２】
本明細書で開示した実施形態で説明する方法またはアルゴリズムのステップは、ハードウェア、プロセッサで実行するソフトウェアモジュールまたはこれらの組み合わせで実現されるとしてよい。ソフトウェアモジュールは、ランダムアクセスメモリ（ＲＡＭ）、メモリ、リードオンリーメモリ（ＲＯＭ）、電気的にプログラム可能なＲＯＭ、電気的に消去可能でプログラム可能なＲＯＭ、レジスタ、ハードディスク、取り外し可能なディスク、ＣＤ−ＲＯＭ、または、関連技術分野で公知である任意の別の形態の格納媒体にあるとしてよい。
【０３８３】
前述した具体的な実現例では、本発明の目的、技術的解決手段および恩恵をさらに詳細に説明している。前述した説明は単に本発明の具体的な実現例であるが、本発明の保護範囲を限定することを意図しているわけではないと理解されたい。本発明の意図および原理を逸脱することなくなされた任意の修正、均等物による置き換え、または、改善は、本発明の保護範囲に含まれるものとする。
【手続補正３】
【補正対象書類名】図面
【補正対象項目名】図１
【補正方法】変更
【補正の内容】
【図１】
2019500810.tif 000017
【国際調査報告】
2019500810.tif 000018
2019500810.tif 000019
2019500810.tif 000020
2019500810.tif 000021